(57)【要約】  土壌培地１で栽培してなる観葉植物２や草花、花木植物に、ノニオン系樹脂や、ノニオン系樹脂とアクリル系樹脂との混合物や、ノニオン系樹脂とチタンと液体肥料との混合物などを振りかけて栽培し、このノニオン系樹脂を更に殺菌剤、保水剤、除草剤、断熱剤等として働く。また、培地にチタンを混合して植物を栽培する。また、培地にチタン、ノニオン樹脂、天然にがり、バイタルアトム活水等の水に含有して振り掛けて植物を栽培する。また、水にチタン、ノニオン樹脂を添加して、水の鮮度を保持する。【特許請求の範囲】
【請求項１】
ノニオン系樹脂を土壌に振りかけることを特徴とする植物の栽培方法。
【請求項２】
前記ノニオン系樹脂は、ポリビニルアルコールであることを特徴とする請求項１に記載の植物の栽培方法。
【請求項３】
前記ノニオン系樹脂は、ポリアルキレンオキサイドであることを特徴とする請求項１に記載の植物の栽培方法。
【請求項４】
前記ノニオン系樹脂は、ポリエチレンオキサイドであることを特徴とする請求項１に記載の植物の栽培方法。
【請求項５】
前記ノニオン系樹脂は、ポリビニルアルコールと、ポリアルキレンオキサイド及び／又はポリエチレンオキサイドとの混合物であることを特徴とする請求項１に記載の植物の栽培方法。
【請求項６】
ノニオン系樹脂を土壌に振りかけることを特徴とする保水剤。
【請求項７】
前記ノニオン系樹脂は、ポリビニルアルコールであることを特徴とする請求項６に記載の保水剤。
【請求項８】
前記ノニオン系樹脂は、ポリアルキレンオキサイドであることを特徴とする請求項６に記載の保水剤。
【請求項９】
前記ノニオン系樹脂は、ポリエチレンオキサイドであることを特徴とする請求項６に記載の保水剤。
【請求項１０】
前記ノニオン系樹脂は、ポリビニルアルコールと、ポリアルキレンオキサイド及び／又はポリエチレンオキサイドとの混合物であることを特徴とする請求項６に記載の保水剤。
【請求項１１】
ノニオン系樹脂を土壌に振りかけることを特徴とする殺菌剤。
【請求項１２】
前記ノニオン系樹脂は、ポリビニルアルコールであることを特徴とする請求項１１に記載の殺菌剤。
【請求項１３】
前記ノニオン系樹脂は、ポリアルキレンオキサイドであることを特徴とする請求項１１に記載の殺菌剤。
【請求項１４】
前記ノニオン系樹脂は、ポリエチレンオキサイドであることを特徴とする請求項１１に記載の殺菌剤。
【請求項１５】
前記ノニオン系樹脂は、ポリビニルアルコールと、ポリアルキレンオキサイド及び／又はポリエチレンオキサイドとの混合物であることを特徴とする請求項１１に記載の殺菌剤。
【請求項１６】
ノニオン系樹脂を土壌に振りかけることを特徴とする除草剤。
【請求項１７】
前記ノニオン系樹脂は、ポリビニルアルコールであることを特徴とする請求項１６に記載の除草剤。
【請求項１８】
前記ノニオン系樹脂は、ポリアルキレンオキサイドであることを特徴とする請求項１６に記載の除草剤。
【請求項１９】
前記ノニオン系樹脂は、ポリエチレンオキサイドであることを特徴とする請求項１６に記載の除草剤。
【請求項２０】
前記ノニオン系樹脂は、ポリビニルアルコールと、ポリアルキレンオキサイド及び／又はポリエチレンオキサイドとの混合物であることを特徴とする請求項１６に記載の除草剤。
【請求項２１】
ノニオン系樹脂を土壌に振りかけることを特徴とする断熱剤。
【請求項２２】
前記ノニオン系樹脂は、ポリビニルアルコールであることを特徴とする請求項２１に記載の断熱剤。
【請求項２３】
前記ノニオン系樹脂は、ポリアルキレンオキサイドであることを特徴とする請求項２１に記載の断熱剤。
【請求項２４】
前記ノニオン系樹脂は、ポリエチレンオキサイドであることを特徴とする請求項２１に記載の断熱剤。
【請求項２５】
前記ノニオン系樹脂は、ポリビニルアルコールと、ポリアルキレンオキサイド及び／又はポリエチレンオキサイドとの混合物であることを特徴とする請求項２１に記載の断熱剤。
【請求項２６】
ノニオン系樹脂に液体肥料を吸着して土壌に振りかけることを特徴とする植物の栽培方法。
【請求項２７】
前記ノニオン系樹脂は、ポリビニルアルコールであることを特徴とする請求項２６に記載の植物の栽培方法。
【請求項２８】
前記ノニオン系樹脂は、ポリアルキレンオキサイドであることを特徴とする請求項２６に記載の植物の栽培方法。
【請求項２９】
前記ノニオン系樹脂は、ポリエチレンオキサイドであることを特徴とする請求項２６に記載の植物の栽培方法。
【請求項３０】
前記ノニオン系樹脂は、ポリビニルアルコールと、ポリアルキレンオキサイド及び／又はポリエチレンオキサイドとの混合物であることを特徴とする請求項２６に記載の植物の栽培方法。
【請求項３１】
ノニオン系樹脂に液体肥料を吸着して土壌に振りかけることを特徴とする殺菌剤。
【請求項３２】
前記ノニオン系樹脂は、ポリビニルアルコールであることを特徴とする請求項３１に記載の殺菌剤。
【請求項３３】
前記ノニオン系樹脂は、ポリアルキレンオキサイドであることを特徴とする請求項３１に記載の殺菌剤。
【請求項３４】
前記ノニオン系樹脂は、ポリエチレンオキサイドであることを特徴とする請求項３１に記載の殺菌剤。
【請求項３５】
前記ノニオン系樹脂は、ポリビニルアルコールと、ポリアルキレンオキサイド及び／又はポリエチレンオキサイドとの混合物であることを特徴とする請求項３１に記載の殺菌剤。
【請求項３６】
ノニオン系樹脂に液体肥料を吸着して土壌に振りかけることを特徴とする保水剤。
【請求項３７】
前記ノニオン系樹脂は、ポリビニルアルコールであることを特徴とする請求項３６に記載の保水剤。
【請求項３８】
前記ノニオン系樹脂は、ポリアルキレンオキサイドであることを特徴とする請求項３６に記載の保水剤。
【請求項３９】
前記ノニオン系樹脂は、ポリエチレンオキサイドであることを特徴とする請求項３６に記載の保水剤。
【請求項４０】
前記ノニオン系樹脂は、ポリビニルアルコールと、ポリアルキレンオキサイド及び／又はポリエチレンオキサイドとの混合物であることを特徴とする請求項３６に記載の保水剤。
【請求項４１】
ノニオン系樹脂に液体肥料を吸着して土壌に振りかけることを特徴とする除草剤。
【請求項４２】
前記ノニオン系樹脂は、ポリビニルアルコールであることを特徴とする請求項４１に記載の除草剤。
【請求項４３】
前記ノニオン系樹脂は、ポリアルキレンオキサイドであることを特徴とする請求項４１に記載の除草剤。
【請求項４４】
前記ノニオン系樹脂は、ポリエチレンオキサイドであることを特徴とする請求項４１に記載の除草剤。
【請求項４５】
前記ノニオン系樹脂は、ポリビニルアルコールと、ポリアルキレンオキサイド及び／又はポリエチレンオキサイドとの混合物であることを特徴とする請求項４１に記載の除草剤。
【請求項４６】
ノニオン系樹脂に液体肥料を吸着して土壌に振りかけることを特徴とする断熱剤。
【請求項４７】
前記ノニオン系樹脂は、ポリビニルアルコールであることを特徴とする請求項４６に記載の断熱剤。
【請求項４８】
前記ノニオン系樹脂は、ポリアルキレンオキサイドであることを特徴とする請求項４６に記載の断熱剤。
【請求項４９】
前記ノニオン系樹脂は、ポリエチレンオキサイドであることを特徴とする請求項４６に記載の断熱剤。
【請求項５０】
前記ノニオン系樹脂は、ポリビニルアルコールと、ポリアルキレンオキサイド及び／又はポリエチレンオキサイドとの混合物であることを特徴とする請求項４６に記載の断熱剤。
【請求項５１】
ノニオン系樹脂とチタンとを混合してなることを特徴とする植物の栽培方法。
【請求項５２】
前記ノニオン系樹脂は、ポリビニルアルコールであることを特徴とする請求項５１に記載の植物や魚の使用方法。
【請求項５３】
前記ノニオン系樹脂は、ポリアルキレンオキサイドであることを特徴とする請求項５１に記載の植物や魚の使用方法。
【請求項５４】
前記ノニオン系樹脂は、ポリエチレンオキサイドであることを特徴とする請求項５１に記載の植物や魚の使用方法。
【請求項５５】
前記ノニオン系樹脂は、ポリビニルアルコールと、ポリアルキレンオキサイド及び／又はポリエチレンオキサイドとの混合物であることを特徴とする請求項５１に記載の植物の栽培方法。
【請求項５６】
ノニオン系樹脂とチタンとを混合してなることを特徴とする殺菌剤。
【請求項５７】
前記ノニオン系樹脂は、ポリビニルアルコールであることを特徴とする請求項５６に記載の殺菌剤。
【請求項５８】
前記ノニオン系樹脂は、ポリアルキレンオキサイドであることを特徴とする請求項５６に記載の殺菌剤。
【請求項５９】
前記ノニオン系樹脂は、ポリエチレンオキサイドであることを特徴とする請求項５６に記載の殺菌剤。
【請求項６０】
前記ノニオン系樹脂は、ポリビニルアルコールと、ポリアルキレンオキサイド及び／又はポリエチレンオキサイドとの混合物であることを特徴とする請求項５６に記載の殺菌剤。
【請求項６１】
ノニオン系樹脂とチタンとを混合してなることを特徴とする保水剤。
【請求項６２】
前記ノニオン系樹脂は、ポリビニルアルコールであることを特徴とする請求項６１に記載の保水剤。
【請求項６３】
前記ノニオン系樹脂は、ポリアルキレンオキサイドであることを特徴とする請求項６１に記載の保水剤。
【請求項６４】
前記ノニオン系樹脂は、ポリエチレンオキサイドであることを特徴とする請求項６１に記載の保水剤。
【請求項６５】
前記ノニオン系樹脂は、ポリビニルアルコールと、ポリアルキレンオキサイド及び／又はポリエチレンオキサイドとの混合物であることを特徴とする請求項６１に記載の保水剤。
【請求項６６】
ノニオン系樹脂とチタンとを土壌に混入してなることを特徴とする除草剤。
【請求項６７】
前記ノニオン系樹脂は、ポリビニルアルコールであることを特徴とする請求項６６に記載の除草剤。
【請求項６８】
前記ノニオン系樹脂は、ポリアルキレンオキサイドであることを特徴とする請求項６６に記載の除草剤。
【請求項６９】
前記ノニオン系樹脂は、ポリエチレンオキサイドであることを特徴とする請求項６６に記載の除草剤。
【請求項７０】
前記ノニオン系樹脂は、ポリビニルアルコールと、ポリアルキレンオキサイド及び／又はポリエチレンオキサイドとの混合物であることを特徴とする請求項６６に記載の除草剤。
【請求項７１】
ノニオン系樹脂とチタンとを混合してなることを特徴とする断熱剤。
【請求項７２】
前記ノニオン系樹脂は、ポリビニルアルコールであることを特徴とする請求項７１に記載の断熱剤。
【請求項７３】
前記ノニオン系樹脂は、ポリアルキレンオキサイドであることを特徴とする請求項７１に記載の断熱剤。
【請求項７４】
前記ノニオン系樹脂は、ポリエチレンオキサイドであることを特徴とする請求項７１に記載の断熱剤。
【請求項７５】
前記ノニオン系樹脂は、ポリビニルアルコールと、ポリアルキレンオキサイド及び／又はポリエチレンオキサイドとの混合物であることを特徴とする請求項７１に記載の断熱剤。
【請求項７６】
ノニオン系樹脂とチタンとを振りかけることを特徴とする植物の栽培方法。
【請求項７７】
前記ノニオン系樹脂は、ポリビニルアルコールであることを特徴とする請求項７１に記載の植物の栽培方法。
【請求項７８】
前記ノニオン系樹脂は、ポリアルキレンオキサイドであることを特徴とする請求項７１に記載の植物の栽培方法。
【請求項７９】
前記ノニオン系樹脂は、ポリエチレンオキサイドであることを特徴とする請求項７１に記載の植物の栽培方法。
【請求項８０】
前記ノニオン系樹脂は、ポリビニルアルコールと、ポリアルキレンオキサイド及び／又はポリエチレンオキサイドとの混合物であることを特徴とする請求項７１に記載の植物の栽培方法。
【請求項８１】
ノニオン系樹脂とチタンとを振りかけることを特徴とする殺菌剤。
【請求項８２】
前記ノニオン系樹脂は、ポリビニルアルコールであることを特徴とする請求項８１に記載の殺菌剤。
【請求項８３】
前記ノニオン系樹脂は、ポリアルキレンオキサイドであることを特徴とする請求項８１に記載の殺菌剤。
【請求項８４】
前記ノニオン系樹脂は、ポリエチレンオキサイドであることを特徴とする請求項８１に記載の殺菌剤。
【請求項８５】
前記ノニオン系樹脂は、ポリビニルアルコールと、ポリアルキレンオキサイド及び／又はポリエチレンオキサイドとの混合物であることを特徴とする請求項８１に記載の殺菌剤。
【請求項８６】
ノニオン系樹脂とチタンとを振りかけることを特徴とする保水剤。
【請求項８７】
前記ノニオン系樹脂は、ポリビニルアルコールであることを特徴とする請求項８６に記載の保水剤。
【請求項８８】
前記ノニオン系樹脂は、ポリアルキレンオキサイドであることを特徴とする請求項８６に記載の保水剤。
【請求項８９】
前記ノニオン系樹脂は、ポリエチレンオキサイドであることを特徴とする請求項８６に記載の保水剤。
【請求項９０】
前記ノニオン系樹脂は、ポリビニルアルコールと、ポリアルキレンオキサイド及び／又はポリエチレンオキサイドとの混合物であることを特徴とする請求項８６に記載の保水剤。
【請求項９１】
ノニオン系樹脂とチタンとを振りかけることを特徴とする除草剤。
【請求項９２】
前記ノニオン系樹脂は、ポリビニルアルコールであることを特徴とする請求項９１に記載の除草剤。
【請求項９３】
前記ノニオン系樹脂は、ポリアルキレンオキサイドであることを特徴とする請求項９１に記載の除草剤。
【請求項９４】
前記ノニオン系樹脂は、ポリエチレンオキサイドであることを特徴とする請求項９１に記載の除草剤。
【請求項９５】
前記ノニオン系樹脂は、ポリビニルアルコールと、ポリアルキレンオキサイド及び／又はポリエチレンオキサイドとの混合物であることを特徴とする請求項９１に記載の除草剤。
【請求項９６】
ノニオン系樹脂とチタンとを振りかけることを特徴とする断熱剤。
【請求項９７】
前記ノニオン系樹脂は、ポリビニルアルコールであることを特徴とする請求項９６に記載の断熱剤。
【請求項９８】
前記ノニオン系樹脂は、ポリアルキレンオキサイドであることを特徴とする請求項９６に記載の断熱剤。
【請求項９９】
前記ノニオン系樹脂は、ポリエチレンオキサイドであることを特徴とする請求項９６に記載の断熱剤。
【請求項１００】
前記ノニオン系樹脂は、ポリビニルアルコールと、ポリアルキレンオキサイド及び／又はポリエチレンオキサイドとの混合物であることを特徴とする請求項９６に記載の断熱剤。
【請求項１０１】
ノニオン系樹脂とチタンとに液体肥料を吸着して土壌に振りかけることを特徴とする植物の栽培方法。
【請求項１０２】
前記ノニオン系樹脂は、ポリビニルアルコールであることを特徴とする請求項１０１に記載の植物の栽培方法。
【請求項１０３】
前記ノニオン系樹脂は、ポリアルキレンオキサイドであることを特徴とする請求項１０１に記載の植物の栽培方法。
【請求項１０４】
前記ノニオン系樹脂は、ポリエチレンオキサイドであることを特徴とする請求項１０１に記載の植物の栽培方法。
【請求項１０５】
前記ノニオン系樹脂は、ポリビニルアルコールと、ポリアルキレンオキサイド及び／又はポリエチレンオキサイドとの混合物であることを特徴とする請求項１０１に記載の植物の栽培方法。
【請求項１０６】
ノニオン系樹脂とチタンとに液体肥料を吸着して振りかけることを特徴とする殺菌剤。
【請求項１０７】
前記ノニオン系樹脂は、ポリビニルアルコールであることを特徴とする請求項１０６に記載の殺菌剤。
【請求項１０８】
前記ノニオン系樹脂は、ポリアルキレンオキサイドであることを特徴とする請求項１０６に記載の殺菌剤。
【請求項１０９】
前記ノニオン系樹脂は、ポリエチレンオキサイドであることを特徴とする請求項１０６に記載の殺菌剤。
【請求項１１０】
前記ノニオン系樹脂は、ポリビニルアルコールと、ポリアルキレンオキサイド及び／又はポリエチレンオキサイドとの混合物であることを特徴とする請求項１０６に記載の殺菌剤。
【請求項１１１】
ノニオン系樹脂とチタンとに液体肥料を吸着して振りかけることを特徴とする保水剤。
【請求項１１２】
前記ノニオン系樹脂は、ポリビニルアルコールであることを特徴とする請求項１１１に記載の保水剤。
【請求項１１３】
前記ノニオン系樹脂は、ポリアルキレンオキサイドであることを特徴とする請求項１１１に記載の保水剤。
【請求項１１４】
前記ノニオン系樹脂は、ポリエチレンオキサイドであることを特徴とする請求項１１１に記載の保水剤。
【請求項１１５】
前記ノニオン系樹脂は、ポリビニルアルコールと、ポリアルキレンオキサイド及び／又はポリエチレンオキサイドとの混合物であることを特徴とする請求項１１１に記載の保水剤。
【請求項１１６】
ノニオン系樹脂とチタンとに液体肥料を吸着して土壌に振りかけることを特徴とする除草剤。
【請求項１１７】
前記ノニオン系樹脂は、ポリビニルアルコールであることを特徴とする請求項１１６に記載の除草剤。
【請求項１１８】
前記ノニオン系樹脂は、ポリアルキレンオキサイドであることを特徴とする請求項１１６に記載の除草剤。
【請求項１１９】
前記ノニオン系樹脂は、ポリエチレンオキサイドであることを特徴とする請求項１１６に記載の除草剤。
【請求項１２０】
前記ノニオン系樹脂は、ポリビニルアルコールと、ポリアルキレンオキサイド及び／又はポリエチレンオキサイドとの混合物であることを特徴とする請求項１１６に記載の除草剤。
【請求項１２１】
ノニオン系樹脂とチタンとに液体肥料を吸着して振りかけることを特徴とする断熱剤。
【請求項１２２】
前記ノニオン系樹脂は、ポリビニルアルコールであることを特徴とする請求項１２１に記載の断熱剤。
【請求項１２３】
前記ノニオン系樹脂は、ポリアルキレンオキサイドであることを特徴とする請求項１２１に記載の断熱剤。
【請求項１２４】
前記ノニオン系樹脂は、ポリエチレンオキサイドであることを特徴とする請求項１２１に記載の断熱剤。
【請求項１２５】
前記ノニオン系樹脂は、ポリビニルアルコールと、ポリアルキレンオキサイド及び／又はポリエチレンオキサイドとの混合物であることを特徴とする請求項１２１に記載の断熱剤。
【請求項１２６】
ノニオン系樹脂とアクリル系樹脂とを土壌に振りかけることを特徴とする植物の栽培方法。
【請求項１２７】
前記ノニオン系樹脂は、８０％以上含有することを特徴とする請求項１２６に記載の植物の栽培方法。
【請求項１２８】
ノニオン系樹脂とアクリル系樹脂とを振りかけることを特徴とする殺菌剤。
【請求項１２９】
前記ノニオン系樹脂は、８０％以上含有することを特徴とする請求項１２８に記載の殺菌剤。
【請求項１３０】
ノニオン系樹脂とアクリル系樹脂とを振りかけることを特徴とする保水剤。
【請求項１３１】
前記ノニオン系樹脂は、８０％以上含有することを特徴とする請求項１３０に記載の保水剤。
【請求項１３２】
ノニオン系樹脂とアクリル系樹脂とを土壌に振りかけることを特徴とする除草剤。
【請求項１３３】
前記ノニオン系樹脂は、８０％以上含有することを特徴とする請求項１３２に記載の除草剤。
【請求項１３４】
ノニオン系樹脂とアクリル系樹脂とを振りかけることを特徴とする断熱剤。
【請求項１３５】
前記ノニオン系樹脂は、８０％以上含有することを特徴とする請求項１３４に記載の土壌の断熱剤。
【請求項１３６】
ノニオン系樹脂と液体肥料とを振りかけることを特徴とする植物の栽培方法。
【請求項１３７】
前記ノニオン系樹脂は、ポリビニルアルコールであることを特徴とする請求項１３６に記載の植物の栽培方法。
【請求項１３８】
前記ノニオン系樹脂は、ポリアルキレンオキサイドであることを特徴とする請求項１３６に記載の植物の栽培方法。
【請求項１３９】
前記ノニオン系樹脂は、ポリエチレンオキサイドであることを特徴とする請求項１３６に記載の植物の栽培方法。
【請求項１４０】
前記ノニオン系樹脂は、ポリビニルアルコールと、ポリアルキレンオキサイド及び／又はポリエチレンオキサイドとの混合物であることを特徴とする請求項１３６に記載の植物の栽培方法。
【請求項１４１】
ノニオン系樹脂と液体肥料とを土壌に振りかけることを特徴とする土壌の殺菌剤。
【請求項１４２】
前記ノニオン系樹脂は、ポリビニルアルコールであることを特徴とする請求項１４１に記載の土壌の殺菌剤。
【請求項１４３】
前記ノニオン系樹脂は、ポリアルキレンオキサイドであることを特徴とする請求項１４１に記載の土壌の殺菌剤。
【請求項１４４】
前記ノニオン系樹脂は、ポリエチレンオキサイドであることを特徴とする請求項１４１に記載の土壌の殺菌剤。
【請求項１４５】
前記ノニオン系樹脂は、ポリビニルアルコールと、ポリアルキレンオキサイド及び／又はポリエチレンオキサイドとの混合物であることを特徴とする請求項１４１に記載の土壌の殺菌剤。
【請求項１４６】
ノニオン系樹脂と液体肥料とを振りかけることを特徴とする保水剤。
【請求項１４７】
前記ノニオン系樹脂は、ポリビニルアルコールであることを特徴とする請求項１４６に記載の保水剤。
【請求項１４８】
前記ノニオン系樹脂は、ポリアルキレンオキサイドであることを特徴とする請求項１４６に記載の保水剤。
【請求項１４９】
前記ノニオン系樹脂は、ポリエチレンオキサイドであることを特徴とする請求項１４６に記載の保水剤。
【請求項１５０】
前記ノニオン系樹脂は、ポリビニルアルコールと、ポリアルキレンオキサイド及び／又はポリエチレンオキサイドとの混合物であることを特徴とする請求項１４６に記載の保水剤。
【請求項１５１】
ノニオン系樹脂と液体肥料とを振りかけることを特徴とする除草剤。
【請求項１５２】
前記ノニオン系樹脂は、ポリビニルアルコールであることを特徴とする請求項１５１に記載の除草剤。
【請求項１５３】
前記ノニオン系樹脂は、ポリアルキレンオキサイドであることを特徴とする請求項１５１に記載の除草剤。
【請求項１５４】
前記ノニオン系樹脂は、ポリエチレンオキサイドであることを特徴とする請求項１５１に記載の除草剤。
【請求項１５５】
前記ノニオン系樹脂は、ポリビニルアルコールと、ポリアルキレンオキサイド及び／又はポリエチレンオキサイドとの混合物であることを特徴とする請求項１５１に記載の除草剤。
【請求項１５６】
ノニオン系樹脂と液体肥料とを振りかけることを特徴とする断熱剤。
【請求項１５７】
前記ノニオン系樹脂は、ポリビニルアルコールであることを特徴とする請求項１５６に記載の断熱剤。
【請求項１５８】
前記ノニオン系樹脂は、ポリアルキレンオキサイドであることを特徴とする請求項１５６に記載の断熱剤。
【請求項１５９】
前記ノニオン系樹脂は、ポリエチレンオキサイドであることを特徴とする請求項１５６に記載の断熱剤。
【請求項１６０】
前記ノニオン系樹脂は、ポリビニルアルコールと、ポリアルキレンオキサイド及び／又はポリエチレンオキサイドとの混合物であることを特徴とする請求項１５６に記載の断熱剤。
【請求項１６１】
アクリル系樹脂にチタンを混合することを特徴とする水の鮮度保持剤。
【請求項１６２】
アクリル系樹脂にチタンを混合することを特徴とする根腐れ防止剤。
【請求項１６３】
アクリル系樹脂にチタンを混合することを特徴とする殺菌剤。
【請求項１６４】
アクリル系樹脂にチタンを混合することを特徴とする抗菌剤。
【請求項１６５】
アクリル系樹脂にチタンを混合することを特徴とする植物培地。
【請求項１６６】
アクリル系樹脂にチタンを混合することを特徴とする保水剤。
【請求項１６７】
アクリル系樹脂にチタンを混合することを特徴とする改良剤。
【請求項１６８】
ノニオン系樹脂とアクリル系樹脂とを混合することを特徴とする植物培地。
【請求項１６９】
前記ノニオン系樹脂は、８０％以上含有することを特徴とする請求項１６８に記載の植物培地。
【請求項１７０】
ノニオン系樹脂とアクリル系樹脂とを混合することを特徴とする抗菌剤。
【請求項１７１】
前記ノニオン系樹脂は、８０％以上含有することを特徴とする請求項１７０に記載の抗菌剤。
【請求項１７２】
ノニオン系樹脂とアクリル系樹脂とを混合することを特徴とする保水剤。
【請求項１７３】
前記ノニオン系樹脂は、８０％以上含有することを特徴とする請求項１７２に記載の保水剤。
【請求項１７４】
ノニオン系樹脂とアクリル系樹脂とを含有することを特徴とする水の鮮度保持剤。
【請求項１７５】
前記ノニオン系樹脂は、８０％以上含有することを特徴とする請求項１７４に記載の水の鮮度保持剤。
【請求項１７６】
ノニオン系樹脂とアクリル系樹脂とを混合することを特徴とする改良剤。
【請求項１７７】
前記ノニオン系樹脂は、８０％以上含有することを特徴とする請求項１７６に記載の土壌の改良剤。
【請求項１７８】
水道水にチタンを添加することを特徴とする切り花の鮮度保持方法。
【請求項１７９】
前記チタンは、前記水道水の重量に対して０．１〜８０重量％であることを特徴とする請求項１７８に記載の切り花の鮮度保持方法。
【請求項１８０】
植木鉢に水道水と液体肥料とチタンとを加えることを特徴とする植物の栽培方法。
【請求項１８１】
前記チタンは、前記水道水及び液体肥料の重量に対して１００〜３００重量％であることを特徴とする請求項１８０に記載の植物の栽培方法。
【請求項１８２】
前記植木鉢の底部に穴が開けられていることを特徴とする請求項１８０又は請求項１８１に記載の植物の栽培方法。
【請求項１８３】
ノニオン樹脂に液体肥料を含浸させ、さらにチタンを添加することを特徴とする植物の栽培方法。
【請求項１８４】
前記チタンは、ノニオン樹脂及び液体肥料の重量に対して０．５〜６０重量％であることを特徴とする請求項１８３に記載の植物の栽培方法。
【請求項１８５】
前記ノニオン系樹脂は、ポリビニルアルコールであることを特徴とする請求項１８３又は請求項１８４に記載の植物の栽培方法。
【請求項１８６】
前記ノニオン系樹脂は、ポリアルキレンオキサイドであることを特徴とする請求項１８３又は請求項１８４に記載の植物の栽培方法。
【請求項１８７】
前記ノニオン系樹脂は、ポリエチレンオキサイドであることを特徴とする請求項１８３又は請求項１８４に記載の植物の栽培方法。
【請求項１８８】
前記ノニオン系樹脂は、ポリビニルアルコールと、ポリアルキレンオキサイド及び／又はポリエチレンオキサイドとの混合物であることを特徴とする請求項１８３又は請求項１８４に記載の植物の栽培方法。
【請求項１８９】
ノニオン系樹脂とアクリル系樹脂に液体肥料を含浸させ、さらにチタンを添加することを特徴とする植物の栽培方法。
【請求項１９０】
前記チタンは、ノニオン系樹脂とアクリル系樹脂と液体肥料との重量に対して０．５〜６０重量％であることを特徴とする請求項１８９に記載の植物の栽培方法。
【請求項１９１】
前記ノニオン系樹脂は、ポリビニルアルコールであることを特徴とする請求項１８９又は請求項１９０に記載の植物の栽培方法。
【請求項１９２】
前記ノニオン系樹脂は、ポリアルキレンオキサイドであることを特徴とする請求項１８９又は請求項１９０に記載の植物の栽培方法。
【請求項１９３】
前記ノニオン系樹脂は、ポリエチレンオキサイドであることを特徴とする請求項項１８９又は請求項１９０に記載の植物の栽培方法。
【請求項１９４】
前記ノニオン系樹脂は、ポリビニルアルコールと、ポリアルキレンオキサイド及び／又はポリエチレンオキサイドとの混合物であることを特徴とする請求項１８９又は請求項１９０に記載の植物の栽培方法。
【請求項１９５】
チタンと土壌とを混合することを特徴とする植物培地。
【請求項１９６】
前記チタンは、土壌の重量に対して０．５〜８０重量％であることを特徴とする請求項１９５に記載の植物培地。
【請求項１９７】
チタンと土壌とアクリル系樹脂とを混合することを特徴とする植物培地。
【請求項１９８】
前記チタンは、土壌とアクリル系樹脂との重量に対して０．５〜８０重量％であることを特徴とする請求項１９７に記載の植物培地。
【請求項１９９】
チタンと土壌とノニオン系樹脂とを混合することを特徴とする植物培地。
【請求項２００】
前記チタンは、土壌とノニオン系樹脂との重量に対して０．５〜８０重量％であることを特徴とする請求項１９９に記載の植物培地。
【請求項２０１】
前記ノニオン系樹脂は、ポリビニルアルコールであることを特徴とする請求項１９９又は請求項２００に記載の植物培地。
【請求項２０２】
前記ノニオン系樹脂は、ポリアルキレンオキサイドであることを特徴とする請求項１９９又は請求項２００に記載の植物培地。
【請求項２０３】
前記ノニオン系樹脂は、ポリエチレンオキサイドであることを特徴とする請求項１９９又は請求項２００に記載の植物培地。
【請求項２０４】
前記ノニオン系樹脂は、ポリビニルアルコールと、ポリアルキレンオキサイド及び／又はポリエチレンオキサイドとの混合物であることを特徴とする請求項１９９又は請求項２００に記載の植物培地。
【請求項２０５】
チタンとアクリル系樹脂とを混合することを特徴とする消臭剤。
【請求項２０６】
チタンとノニオン系樹脂とを混合することを特徴とする消臭剤。
【請求項２０７】
チタンとノニオン系樹脂とアクリル系樹脂とを混合することを特徴とする消臭剤。
【請求項２０８】
前記ノニオン系樹脂は、ポリビニルアルコールであることを特徴とする請求項２０６又は請求項２０７に記載の消臭剤。
【請求項２０９】
前記ノニオン系樹脂は、ポリアルキレンオキサイドであることを特徴とする請求項２０６又は請求項２０７に記載の消臭剤。
【請求項２１０】
前記ノニオン系樹脂は、ポリエチレンオキサイドであることを特徴とする請求項２０６又は請求項２０７に記載の消臭剤。
【請求項２１１】
前記ノニオン系樹脂は、ポリビニルアルコールと、ポリアルキレンオキサイド及び／又はポリエチレンオキサイドとの混合物であることを特徴とする請求項２０６又は請求項２０７に記載の消臭剤。
【請求項２１２】
チタンとアクリル系樹脂と芳香剤とを混合することを特徴とする消臭剤。
【請求項２１３】
チタンとノニオン系樹脂と芳香剤とを混合することを特徴とする消臭剤。
【請求項２１４】
チタンとノニオン系樹脂とアクリル系樹脂と芳香剤とを混合することを特徴とする消臭剤。
【請求項２１５】
前記ノニオン系樹脂は、ポリビニルアルコールであることを特徴とする請求項２１３又は請求項２１４に記載の消臭剤。
【請求項２１６】
前記ノニオン系樹脂は、ポリアルキレンオキサイドであることを特徴とする請求項２１３又は請求項２１４に記載の消臭剤。
【請求項２１７】
前記ノニオン系樹脂は、ポリエチレンオキサイドであることを特徴とする請求項２１３又は請求項２１４に記載の消臭剤。
【請求項２１８】
前記ノニオン系樹脂は、ポリビニルアルコールと、ポリアルキレンオキサイド及び／又はポリエチレンオキサイドとの混合物であることを特徴とする請求項２１３又は請求項２１４に記載の消臭剤。
【請求項２１９】
水にチタンを添加したことを特徴とする水の鮮度保持。
【請求項２２０】
前記チタンは、ガラスカレットであることを特徴とする水の鮮度保持。
【請求項２２１】
水にチタン及びノニオン樹脂を添加したことを特徴とする水の鮮度保持。
【請求項２２２】
前記ノニオン樹脂は、ポリビニルアルコールであることを特徴とする水の鮮度保持。
【請求項２２３】
前記水は、塩素イオンを含有することを特徴とする請求項２２１又は２２２に記載の水の鮮度保持。
【請求項２２４】
前記水は、硬水海洋深海水を含有することを特徴とする請求項２２１又は２２２に記載の水の鮮度保持。
【請求項２２５】
前記水は、天然にがりを含有することを特徴とする請求項２２１又は２２２に記載の水の鮮度保持。
【請求項２２６】
培地に天然にがりの水をかけることを特徴とする植物栽培。
【請求項２２７】
前記培地にチタンの粉末を混合していることを特徴とする請求項２２６に記載の植物培地。
【請求項２２８】
培地に天然にがり及びノニオン樹脂を使用することを特徴とする植物栽培。
【請求項２２９】
前記ノニオン系樹脂は、ポリビニルアルコールであることを特徴とする請求項２２８に記載の植物栽培。
【請求項２３０】
前記培地にチタンの粉末を混合していることを特徴とする請求項２２８又は２２９に記載の植物培地。
【請求項２３１】
培地に天然にがり及びノニオン樹脂並びにチタンを使用することを特徴とする植物栽培。
【請求項２３２】
前記培地にチタンの粉末を混合していることを特徴とする請求項２３１に記載の植物培地。
【発明の詳細な説明】
【技術分野】
【０００１】
本発明は、観賞用等の植物を栽培する方法、水の鮮度保持剤、根腐れ防止剤、及び植物培地、並びに保水剤、殺菌剤、除草剤、断熱剤、改良剤、及び消臭剤、に関するものである。
【背景技術】
【０００２】
吸水ポリマー製の人工培土による植物栽培は、透明容器に着色ポリマー培土を使用することで、カラフルなものとなり、室内観賞用栽培として行われていることが知られている（特許文献１）。【０００３】
ところでこれらの吸水製ポリマーの人工培地での植物の栽培は、水耕栽培植物に限られていた。即ち土壌栽培した植物をそのまま水耕栽培や吸水ポリマー製培土に植え替えると、根腐れを起こし、植物が枯れてしまう。【０００４】
そこで本発明者は、植物に馴化過程を施すことで、土壌栽培植物の吸水ポリマー培土への植え替え栽培が可能となることを知見し、本件発明を提案したものである。【０００５】
また、室内観賞用鉢植えの培地として吸水性樹脂（吸水ポリマー）が採用されている。吸水性樹脂（熱可塑性ノニオン型樹脂）は、保持している水分を直接植物の根に供給できるので培地として適している。【０００６】
【特許文献１】実開昭６０−１３３７７６号公報（第５〜１０頁、図２）
【発明の開示】
【発明が解決しようとする課題】
【０００７】
しかし、現在その使用形態は、ブロック状にしての鉢植えとしてしか使用されていない。そこで、本発明は、吸水ポリマーをより有効に使用できる新規な構造の保水体を発明したものである。【０００８】
また切り花や榊などの枝切り植物を、室内等に飾るための植物保持体として「オアシス（商標）」と称される発泡体やスポンジ体が知られている。この発泡体やスポンジ体は、植物を刺突できる硬度のもので、水中に配置することで部材内に水が浸透し、刺突された植物への給水を実現するものである。【０００９】
ところで、前記発泡体等は、必ずしも外見上綺麗なものであるとは言えないので、切り花などの室内装飾に際しては、適宜な花瓶内に発泡体を収納したり、発泡体部分を防水紙でラッピングして隠し、安定性付与のために籐篭等に収納して飾る様にしている。【００１０】
しかし、透明容器を採用した場合に、前記発泡体を隠すために吸水ポリマーを発泡体周囲に配置すると、蒸発等によって吸水ポリマーの水分が減少した分、発泡体に保持されている水分を吸水してしまうので、植物への給水能力が減じてしまい、花が長持ちしない。そこで、本発明は、吸水ポリマーとの併用も容易に実現できる保水体及びその使用を提案したものである。【００１１】
また、近年、二酸化炭素の増加による地球温暖化の防止を目的として植樹の重要性が叫ばれているが、かつて吸水性樹脂を用いた植物の栽培は困難であった。それは、アクリル系樹脂を用いていたためである。即ち、アクリル系樹脂は、吸水性は高いが、アクリル系樹脂から離水される水を腐敗させることなく、植物を栽培しなければならないからである。【００１２】
また、水を腐敗させることなく肥料濃度を高めることにより、その肥料のイオンを植物が吸収し、生育するが、植物から排出される樹液を吸着しないと、汚れた有機酸が貯まる。このため、植物を植えてから３乃至５日は元気であるが、約１週間で元気がなくなり、少しずつ枯れたり衰えたりする。これは、植物が根腐れを起こしていることを示しており、アクリル系樹脂を植物の培地として使用したとき、植物の成育は困難であることを示している。【００１３】
これらの問題を解決する根腐れ防止剤はあるが、この根腐れ防止剤を併用しても、アクリル系樹脂から溶け出る肥料イオンを吸収し、成育する植物の根は水耕栽培の根である。保水性植物の室内園芸では栽培は可能であるが、土壌培地においては水耕栽培の根は腐り、アクリル系樹脂が多いと水耕栽培の根となり、土壌培地の根は腐る。アクリル系樹脂とノニオン樹脂を同量混合することで、土壌培地の根となり、アクリル系樹脂においても土壌培地と同様な植物使用が可能であり、土壌培地においても同様に土壌保水剤の使用が良い。【００１４】
そこで本発明は、イオンを含有していないノニオン系樹脂の吸着作用と殺菌・除菌作用を利用して、根腐れ防止効果を有する新たな培地を提供することを目的とする。
また、本発明は、イオンを含有していないノニオン系樹脂の吸着作用と殺菌・除菌作用を利用して、土壌に振りかけて使用する植物培地等を提供することを目的とする。
さらに、本発明はチタンの光触媒による殺菌作用及びノニオン系樹脂による吸着作用や殺菌作用を利用して、植物の栽培方法や、切り花等の水の鮮度保持剤方法、又芳香剤、消臭剤や殺菌剤等を提供することを目的とする。
【課題を解決するための手段】
【００１５】
上記課題を解決すべく本願発明は植物の栽培方法、水の鮮度保持剤方法、根腐れ防止方法、及び植物培地、並びに保水剤、殺菌剤、除草剤、断熱剤、改良剤、及び消臭剤は、以下に掲げる構成とした。
請求項１に記載の植物の栽培方法は、ノニオン系樹脂をハイドロカルチャー用の水耕培地や土壌に振りかけることを特徴とする。
上記植物の栽培方法に関しては、前記ノニオン系樹脂は、ポリビニルアルコール、ポリアルキレンオキサイド、ポリエチレンオキサイド、若しくはポリビニルアルコールとポリアルキレンオキサイド及び／又はポリエチレンオキサイドとの単体又は混合物である。
請求項６に記載の保水剤は、ノニオン系樹脂を土壌や水耕培地に振りかけることを特徴とする。従来の保水剤は土壌に混入する保水剤は樹脂を混合使用した樹脂の調整・改質したもの又はノニオン樹脂とする。
上記土壌の保水剤に関しては、前記ノニオン系樹脂は、ポリビニルアルコール、ポリアルキレンオキサイド、ポリエチレンオキサイド、若しくはポリビニルアルコールとポリアルキレンオキサイド及び／又はポリエチレンオキサイドとの単体又は混合物である。
請求項１１に記載の殺菌剤は、ノニオン系樹脂を土壌や水耕培地に振りかけることを特徴とする。
上記殺菌剤に関しては、前記ノニオン系樹脂は、ポリビニルアルコール、ポリアルキレンオキサイド、ポリエチレンオキサイド、若しくはポリビニルアルコールとポリアルキレンオキサイド及び／又はポリエチレンオキサイドとの単体又は混合物である。
請求項１６に記載の除草剤は、ノニオン系樹脂を土壌に振りかけることを特徴とする。
上記除草剤に関しては、前記ノニオン系樹脂は、ポリビニルアルコール、ポリアルキレンオキサイド、ポリエチレンオキサイド、若しくはポリビニルアルコールとポリアルキレンオキサイド及び／又はポリエチレンオキサイドとの単体又は混合物である。
請求項２１に記載の断熱剤は、ノニオン系樹脂を土壌や水耕培地に振りかけることを特徴とする。
上記断熱剤に関しては、前記ノニオン系樹脂は、ポリビニルアルコール、ポリアルキレンオキサイド、ポリエチレンオキサイド、若しくはポリビニルアルコールとポリアルキレンオキサイド及び／又はポリエチレンオキサイドとの単体又は混合物である。
請求項２６に記載の植物の栽培方法は、ノニオン系樹脂に液体肥料を吸着して土壌に振りかけることを特徴とする。
上記植物の栽培方法に関しては、前記ノニオン系樹脂は、ポリビニルアルコール、ポリアルキレンオキサイド、ポリエチレンオキサイド、若しくはポリビニルアルコールとポリアルキレンオキサイド及び／又はポリエチレンオキサイドとの単体又は混合物である。
請求項３１に記載の殺菌剤は、ノニオン系樹脂に液体肥料を吸着して水耕培地や土壌に振りかけることを特徴とする。
上記土壌の殺菌剤に関しては、前記ノニオン系樹脂は、ポリビニルアルコール、ポリアルキレンオキサイド、ポリエチレンオキサイド、若しくはポリビニルアルコールと、ポリアルキレンオキサイド及び／又はポリエチレンオキサイドとの混合物である。
請求項３６に記載の保水剤は、ノニオン系樹脂に液体肥料を吸着して土壌や水耕培地に振りかけることを特徴とする。
上記保水剤に関しては、前記ノニオン系樹脂は、ポリビニルアルコール、ポリアルキレンオキサイド、ポリエチレンオキサイド、若しくはポリビニルアルコールとポリアルキレンオキサイド及び／又はポリエチレンオキサイドとの単体又は混合物である。
請求項４１に記載の除草剤は、ノニオン系樹脂に液体肥料を吸着して土壌に振りかけることを特徴とする。
上記除草剤に関しては、前記ノニオン系樹脂は、ポリビニルアルコール、ポリアルキレンオキサイド、ポリエチレンオキサイド、若しくはポリビニルアルコールとポリアルキレンオキサイド及び／又はポリエチレンオキサイドとの混合物である。
請求項４６に記載の断熱剤は、ノニオン系樹脂に液体肥料を吸着して土壌や水耕培地に振りかけることを特徴とする。
上記断熱剤に関しては、前記ノニオン系樹脂は、ポリビニルアルコール、ポリアルキレンオキサイド、ポリエチレンオキサイド、若しくはポリビニルアルコールとポリアルキレンオキサイド及び／又はポリエチレンオキサイドとの単体又は混合物である。
請求項５１に記載の植物の栽培方法は、ノニオン系樹脂とチタンとを土壌に混入してなることを特徴とする。
上記植物の栽培方法に関しては、前記ノニオン系樹脂は、ポリビニルアルコール、ポリアルキレンオキサイド、ポリエチレンオキサイド、若しくはポリビニルアルコールとポリアルキレンオキサイド及び／又はポリエチレンオキサイドとの単体又は混合物である。
請求項５６に記載の殺菌剤は、ノニオン系樹脂とチタンとを土壌に混入してなることを特徴とする。
上記殺菌剤に関しては、前記ノニオン系樹脂は、ポリビニルアルコール、ポリアルキレンオキサイド、ポリエチレンオキサイド、若しくはポリビニルアルコールとポリアルキレンオキサイド及び／又はポリエチレンオキサイドとの単体又は混合物である。
請求項６１に記載の保水剤は、ノニオン系樹脂とチタンとを土壌に混入してなることを特徴とする。
上記保水剤に関しては、前記ノニオン系樹脂は、ポリビニルアルコール、ポリアルキレンオキサイド、ポリエチレンオキサイド、若しくはポリビニルアルコールとポリアルキレンオキサイド及び／又はポリエチレンオキサイドとの単体又は混合物である。
請求項６６に記載の除草剤は、ノニオン系樹脂とチタンとを土壌に混入してなることを特徴とする。
上記除草剤に関しては、前記ノニオン系樹脂は、ポリビニルアルコール、ポリアルキレンオキサイド、ポリエチレンオキサイド、若しくはポリビニルアルコールとポリアルキレンオキサイド及び／又はポリエチレンオキサイドとの単体又は混合物である。
請求項７１に記載の断熱剤は、ノニオン系樹脂とチタンとを土壌に混入してなることを特徴とする。
上記断熱剤に関しては、前記ノニオン系樹脂は、ポリビニルアルコール、ポリアルキレンオキサイド、ポリエチレンオキサイド、若しくはポリビニルアルコールとポリアルキレンオキサイド及び／又はポリエチレンオキサイドとの単体又は混合物である。
請求項７６に記載の植物の栽培方法は、ノニオン系樹脂とチタンとを土壌や水耕培地に振りかけることを特徴とする。
上記植物の栽培方法に関しては、前記ノニオン系樹脂は、ポリビニルアルコール、ポリアルキレンオキサイド、ポリエチレンオキサイド、若しくはポリビニルアルコールとポリアルキレンオキサイド及び／又はポリエチレンオキサイドとの単体又は混合物である。
請求項８１に記載の殺菌剤は、ノニオン系樹脂とチタンとを土壌や水耕培地に振りかけることを特徴とする。
上記殺菌剤に関しては、前記ノニオン系樹脂は、ポリビニルアルコール、ポリアルキレンオキサイド、ポリエチレンオキサイド、若しくはポリビニルアルコールとポリアルキレンオキサイド及び／又はポリエチレンオキサイドとの単体又は混合物である。
請求項８６に記載の保水剤は、ノニオン系樹脂とチタンとを土壌に振りかけることを特徴とする。
上記保水剤に関しては、前記ノニオン系樹脂は、ポリビニルアルコール、ポリアルキレンオキサイド、ポリエチレンオキサイド、若しくはポリビニルアルコールとポリアルキレンオキサイド及び／又はポリエチレンオキサイドとの単体又は混合物である。
請求項９１に記載の除草剤は、ノニオン系樹脂とチタンとを土壌に振りかけることを特徴とする。
上記除草剤に関しては、前記ノニオン系樹脂は、ポリビニルアルコール、ポリアルキレンオキサイド、ポリエチレンオキサイド、若しくはポリビニルアルコールとポリアルキレンオキサイド及び／又はポリエチレンオキサイドとの単体又は混合物である。
請求項９６に記載の断熱剤は、ノニオン系樹脂とチタンとを土壌に振りかけることを特徴とする。
上記断熱剤に関しては、前記ノニオン系樹脂は、ポリビニルアルコール、ポリアルキレンオキサイド、ポリエチレンオキサイド、若しくはポリビニルアルコールと、ポリアルキレンオキサイド及び／又はポリエチレンオキサイドとの単体又は混合物である。
請求項１０１に記載の植物の栽培方法は、ノニオン系樹脂とチタンとに液体肥料を吸着して土壌に振りかけることを特徴とする。
上記植物の栽培方法に関しては、前記ノニオン系樹脂は、ポリビニルアルコール、ポリアルキレンオキサイド、ポリエチレンオキサイド、若しくはポリビニルアルコールとポリアルキレンオキサイド及び／又はポリエチレンオキサイドとの単体又は混合物である。
請求項１０６に記載の殺菌剤は、ノニオン系樹脂とチタンと液体肥料を吸着して土壌に振りかけることを特徴とする。
上記殺菌剤に関しては、前記ノニオン系樹脂は、ポリビニルアルコール、ポリアルキレンオキサイド、ポリエチレンオキサイド、若しくはポリビニルアルコールとポリアルキレンオキサイド及び／又はポリエチレンオキサイドとの単体又は混合物である。
請求項１１１に記載の保水剤は、ノニオン系樹脂とチタンとに液体肥料を吸着して土壌に振りかけることを特徴とする。
上記保水剤に関しては、前記ノニオン系樹脂は、ポリビニルアルコール、ポリアルキレンオキサイド、ポリエチレンオキサイド、若しくはポリビニルアルコールとポリアルキレンオキサイド及び／又はポリエチレンオキサイドとの単体又は混合物である。
請求項１１６に記載の除草剤は、ノニオン系樹脂とチタンとに液体肥料を吸着して土壌に振りかけることを特徴とする。
上記除草剤に関しては、前記ノニオン系樹脂は、ポリビニルアルコール、ポリアルキレンオキサイド、ポリエチレンオキサイド、若しくはポリビニルアルコールと、ポリアルキレンオキサイド及び／又はポリエチレンオキサイドとの単体又は混合物である。
請求項１２１に記載の断熱剤は、ノニオン系樹脂とチタンとに液体肥料を吸着して土壌に振りかけることを特徴とする。
上記断熱剤に関しては、前記ノニオン系樹脂は、ポリビニルアルコール、ポリアルキレンオキサイド、ポリエチレンオキサイド、若しくはポリビニルアルコールとポリアルキレンオキサイド及び／又はポリエチレンオキサイドとの単体又は混合物である。
請求項１２６に記載の植物の栽培方法は、ノニオン系樹脂とアクリル系樹脂とを土壌に振りかけることを特徴とする。
請求項１２８に記載の殺菌剤は、ノニオン系樹脂とアクリル系樹脂とを土壌に振りかけることを特徴とする。
請求項１３０に記載の保水剤は、ノニオン系樹脂とアクリル系樹脂とを土壌に振りかけることを特徴とする。
請求項１３２に記載の除草剤は、ノニオン系樹脂とアクリル系樹脂とを土壌に振りかけることを特徴とする。
請求項１３４に記載の断熱剤は、ノニオン系樹脂とアクリル系樹脂とを土壌に振りかけることを特徴とする。
請求項１２６、１２８、１３０、１３２、１３４に記載のノニオン系樹脂は、８０％以上含有する。
請求項１３６に記載の植物の栽培方法は、ノニオン系樹脂と液体肥料とを土壌に振りかけることを特徴とする。
上記植物の栽培方法に関しては、前記ノニオン系樹脂は、ポリビニルアルコール、ポリアルキレンオキサイド、ポリエチレンオキサイド、若しくはポリビニルアルコールとポリアルキレンオキサイド及び／又はポリエチレンオキサイドとの単体又は混合物である。
請求項１４１に記載の殺菌剤は、ノニオン系樹脂と液体肥料とを土壌に振りかけることを特徴とする。
上記殺菌剤に関しては、前記ノニオン系樹脂は、ポリビニルアルコール、ポリアルキレンオキサイド、ポリエチレンオキサイド、若しくはポリビニルアルコールとポリアルキレンオキサイド及び／又はポリエチレンオキサイドとの単体又は混合物である。
請求項１４６に記載の保水剤は、ノニオン系樹脂と液体肥料とを土壌に振りかけることを特徴とする。
上記保水剤に関しては、前記ノニオン系樹脂は、ポリビニルアルコール、ポリアルキレンオキサイド、ポリエチレンオキサイド、若しくはポリビニルアルコールとポリアルキレンオキサイド及び／又はポリエチレンオキサイドとの単体又は混合物である。
請求項１５１に記載の除草剤は、ノニオン系樹脂と液体肥料とを土壌に振りかけることを特徴とする。
上記除草剤に関しては、前記ノニオン系樹脂は、ポリビニルアルコール、ポリアルキレンオキサイド、ポリエチレンオキサイド、若しくはポリビニルアルコールとポリアルキレンオキサイド及び／又はポリエチレンオキサイドとの単体又は混合物である。
請求項１５６に記載の土壌の断熱剤は、ノニオン系樹脂と液体肥料とを土壌に振りかけることを特徴とする。
上記土壌の断熱剤に関しては、前記ノニオン系樹脂は、ポリビニルアルコール、ポリアルキレンオキサイド、ポリエチレンオキサイド、若しくはポリビニルアルコールと、ポリアルキレンオキサイド及び／又はポリエチレンオキサイドとの単体又は混合物である。
請求項１６１に記載の水の鮮度保持剤は、アクリル系樹脂にチタンを混合することを特徴とする。
請求項１６２に記載の根腐れ防止剤は、アクリル系樹脂にチタンを混合することを特徴とする。
請求項１６３に記載の土壌の殺菌剤は、アクリル系樹脂にチタンを混合することを特徴とする。
請求項１６４に記載の土壌の抗菌剤は、アクリル系樹脂にチタンを混合することを特徴とする。
請求項１６５に記載の植物培地は、アクリル系樹脂にチタンを混合することを特徴とする。
請求項１６６に記載の土壌の保水剤は、アクリル系樹脂にチタンを混合することを特徴とする。
請求項１６７に記載の土壌の改良剤は、アクリル系樹脂にチタンを混合することを特徴とする。
請求項１６８に記載の植物培地は、ノニオン系樹脂とアクリル系樹脂とを土壌に振りかけることを特徴とする。
請求項１７０に記載の土壌の抗菌剤は、ノニオン系樹脂とアクリル系樹脂とを土壌に振りかけることを特徴とする。
請求項１７２に記載の根腐れ防止剤は、ノニオン系樹脂とアクリル系樹脂とを土壌に振りかけることを特徴とする。
請求項１７４に記載の水の鮮度保持剤は、ノニオン系樹脂とアクリル系樹脂とを土壌に振りかけることを特徴とする。
請求項１７６に記載の土壌の改良剤は、ノニオン系樹脂とアクリル系樹脂とを土壌に振りかけることを特徴とする。
請求項１６８、１７０、１７２、１７４、１７６に記載のノニオン系樹脂は、８０％以上含有する。
請求項１７８に記載の切り花の鮮度保持方法は、水道水にチタンを添加することを特徴とする。
請求項１７８に記載のチタンは、前記水道水の重量に対して０．１〜８０重量％である。
請求項１８０に記載の植物の栽培方法は、植木鉢に水道水と液体肥料とチタンとを加えることを特徴とする。
請求項１８０に記載のチタンは、前記水道水及び液体肥料の重量に対して１００〜３００重量％である。
請求項１８０に記載の植木鉢は、その底部に穴が開けられていることを特徴とする。
請求項１８３に記載の植物の栽培方法は、ノニオン樹脂に液体肥料を含浸させ、さらにチタンを添加することを特徴とする。
請求項１８３に記載のチタンは、ノニオン樹脂及び液体肥料の重量に対して０．５〜６０重量％である。
請求項１８３に記載のノニオン系樹脂は、ポリビニルアルコールである。
請求項１８３に記載のノニオン系樹脂は、ポリアルキレンオキサイドである。
請求項１８３に記載のノニオン系樹脂は、ポリエチレンオキサイドである。
請求項１８３に記載のノニオン系樹脂は、ポリビニルアルコールと、ポリアルキレンオキサイド及び／又はポリエチレンオキサイドとの混合物である。
請求項１８９に記載の植物の栽培方法は、ノニオン系樹脂とアクリル系樹脂に液体肥料を含浸させ、さらにチタンを添加することを特徴とする。
請求項１８９に記載のチタンは、ノニオン系樹脂とアクリル系樹脂と液体肥料との重量に対して０．５〜６０重量％である。
請求項１８９に記載のノニオン系樹脂は、ポリビニルアルコールである。
請求項１８９に記載のノニオン系樹脂は、ポリアルキレンオキサイドである。
請求項１８９に記載のノニオン系樹脂は、ポリエチレンオキサイドである。
請求項１８９に記載のノニオン系樹脂は、ポリビニルアルコールと、ポリアルキレンオキサイド及び／又はポリエチレンオキサイドとの混合物である。
請求項１９５に記載の植物培地は、チタンと土壌とを混合することを特徴とする。
請求項１９５に記載のチタンは、土壌の重量に対して０．５〜８０重量％である。
請求項１９７に記載の植物培地は、チタンと土壌とアクリル系樹脂とを混合することを特徴とする。
請求項１９７に記載のチタンは、土壌とアクリル系樹脂との重量に対して０．５〜８０重量％である。
請求項１９９に記載の植物培地は、チタンと土壌とノニオン系樹脂とを混合することを特徴とする。
請求項１９９に記載のチタンは、土壌とノニオン系樹脂との重量に対して０．５〜８０重量％である。
請求項１９９に記載のノニオン系樹脂は、ポリビニルアルコールである。
請求項１９９に記載のノニオン系樹脂は、ポリアルキレンオキサイドである。
請求項１９９に記載のノニオン系樹脂は、ポリエチレンオキサイドである。
請求項１９９に記載のノニオン系樹脂は、ポリビニルアルコールと、ポリアルキレンオキサイド及び／又はポリエチレンオキサイドとの混合物である。
請求項２０５に記載の消臭剤は、チタンとアクリル系樹脂とを混合することを特徴とする。
請求項２０６に記載の消臭剤は、チタンとノニオン系樹脂とを混合することを特徴とする。
請求項２０７に記載の消臭剤は、チタンとノニオン系樹脂とアクリル系樹脂とを混合することを特徴とする。
請求項２０６又は請求項２０７に記載のノニオン系樹脂は、ポリビニルアルコールである。
請求項２０６又は請求項２０７に記載のノニオン系樹脂は、ポリアルキレンオキサイドである。
請求項２０６又は請求項２０７に記載のノニオン系樹脂は、ポリエチレンオキサイドである。
請求項２０６又は請求項２０７に記載のノニオン系樹脂は、ポリビニルアルコールと、ポリアルキレンオキサイド及び／又はポリエチレンオキサイドとの混合物である。
請求項２１２に記載の消臭剤は、チタンとアクリル系樹脂と芳香剤とを混合することを特徴とする。
請求項２１３に記載の消臭剤は、チタンとノニオン系樹脂と芳香剤とを混合することを特徴とする。
請求項２１４に記載の消臭剤は、チタンとノニオン系樹脂とアクリル系樹脂と芳香剤とを混合することを特徴とする。
請求項２１３又は請求項２１４に記載の消臭剤は、ポリビニルアルコールである。
請求項２１３又は請求項２１４に記載の消臭剤は、ポリアルキレンオキサイドである。
請求項２１３又は請求項２１４に記載の消臭剤は、ポリエチレンオキサイドである。
請求項２１３又は請求項２１４に記載の消臭剤は、ポリビニルアルコールと、ポリアルキレンオキサイド及び／又はポリエチレンオキサイドとの混合物である。
請求項２１９に記載の水の鮮度保持は、水にチタンを添加したことを特徴とする。
請求項２２０に記載のチタンは、ガラスカレットである。
請求項２２１に記載の水の鮮度保持は、水にチタン及びノニオン樹脂を添加したことを特徴とする。
請求項２２１に記載のノニオン樹脂は、ポリビニルアルコールであることを特徴とする。
請求項２２１に記載の水は、塩素イオンを含有することを特徴とする。
請求項２２１に記載の水は、硬水海洋深海水を含有することを特徴とする。
請求項２２１に記載の水は、天然にがりを含有することを特徴とする。
請求項２２６に記載の植物培地は、培地に天然にがりの水をかけることを特徴とする。
請求項２２６に記載の培地は、チタンの粉末を混合していることを特徴とする。
請求項２２８に記載の植物培地は、培地に天然にがり及びノニオン樹脂を使用することを特徴とする。
請求項２２８に記載のノニオン樹脂は、ポリビニルアルコールであることを特徴とする。
請求項２２８に記載の培地は、チタンの粉末を混合していることを特徴とする。
請求項２３１に記載の植物培地は、培地に天然にがり及びノニオン樹脂並びにチタンを使用することを特徴とする。
請求項２３１に記載の培地は、チタンの粉末を混合していることを特徴とする。
【発明の効果】
【００１６】
以上に説明した本発明によれば、土壌栽培植物を吸水ポリマー製人工培土に植え替えて栽培する際に、一旦イオン交換樹脂を添加してなる馴化培地での栽培を行い、新根の成長を待って吸水ポリマー製人工培土による植栽に移行するようにしたもので、土壌栽培植物の吸水ポリマー製人工培土での植栽を可能としたものである。【００１７】
また、本発明は、紙の粉砕セルロースのブロック体又はシート体内に、粒状又は微粒状の吸水樹脂を散在させたり、更に液肥又は抗菌剤等を散在保持させてなる植物用保水体で、所望の有効成分並びに所定の保水機能を具備させることができたもので、他の給水ポリマー樹脂と併用しても保水機能が阻害されることがなく、その利用範囲は広く、植物の室内装飾その他に便利な器具を提供できたものである。【００１８】
また、本発明は、ノニオン系樹脂を植物用培地として使用するようにしたので、土壌体の植物を容易に植え替えることができる。また、ノニオン系樹脂には根腐れ防止効果及び保水効果があり、手間をかけなくても植物を長持ちさせることができる。
また、本発明は、ノニオン系樹脂を土壌に振りかけて使用するようにしたので、土壌体の植物を容易に植え替えることができる。更にチタンを植物培地、又は水に添加して使用することによって、土壌及び水に対する殺菌・抗菌効果を発揮し、植物の鮮度保持を長時間にすることができる。【００１９】
また、チタンを水道水に使用することで、長期間の水の鮮度保持が可能となり、切花の長期間の使用が可能となった。
また、チタン及びポリビニルアルコールを魚の水槽に使用することで、長期間の水の鮮度保持が可能となり、魚の着色又は魚の体色が良く、大きく成長することができ、更に塩素イオンを含有する水、硬水海洋深海水、又は天然にがり水を含有することで、水の鮮度保持効果が更に高まった。これによって、切花の鮮度保持時間が長くなった。
更に、植物培地に、天然にがりの水、又は天然にがりとノニオン樹脂の水、又は天然にがりとノニオン樹脂とチタンの水を振りけることで、また、植物培地にチタンを混合することで、植物の成長がより速くなり、その味がより美味しくなる。
【発明を実施するための最良の形態】
【００２０】
次に、本発明の吸水ポリマー製人工培土による植物栽培方法に係る実施の形態について説明する。図１は本発明の第一実施形態で観葉植物に適用するものである。【００２１】
第一に土壌培地１で栽培している観葉植物２を、土壌培地１から掘り出し分離し、根２１を洗浄する。洗浄後約根２１の１／３（シダ類は２／３）を残してカットし、そのまま根２１をイオン交換樹脂（イオン交換樹脂栄養剤）３並びに必要によって適宜量の液肥を少量加えた馴化培地（容器５を使用）４に付けて数日間（３〜１０日）栽培する。【００２２】
イオン交換樹脂３は、栄養剤が混入された市販のもので、栄養剤成分は、純水１リットルにイオン交換樹脂栄養剤を０．５グラム（ｇ）添加後２０℃で１週間放置した水溶液の測定で、全窒素１．６ミリグラム（ｍｇ）／リットル、リン酸０．０５ｍｇ／リットル、カリウム１．５ｍｇ／リットルが認められたものを使用した。【００２３】
前記の水耕栽培で、新根が認められると、吸水ポリマー製人工培土６を少量加えながら栽培を行う。吸水ポリマー製人工培土６は、熱可塑性ノニオン型吸水樹脂で形成され、吸水膨潤時に、一辺が０．５〜２ｃｍ程度の立方体となるように切断してなるもので、吸水状態で水１に対して約１／３となる程度の量を加える。【００２４】
尚イオン交換樹脂栄養剤３並びに吸水ポリマー製人工培土６は、新根の成長に合わせて、適宜量増加させる。【００２５】
新根が０．５〜１ｃｍ程度の成長を確認したら、吸水ポリマー製人工培土６を収納した容器５に植え替え、吸水ポリマー製人工培土６による栽培を行うものである。勿論再度の植え替えを行わずに、吸水ポリマー製人工培土６の添加によるポリマー培土への変更としても良い。【００２６】
図２は本発明の第二実施形態で、草花，花木植物に適用するものである。基本的には前記した観葉植物の第一実施形態と同様であるが、土壌培地１で栽培している草花植物２ａを、土壌培地１から掘り出し分離し、根２１ａを洗浄する。然し根２１ａは切断しない。【００２７】
馴化過程は、水に吸水ポリマー製人工培土６を少量（水１に対してポリマー１／３）とイオン交換樹脂栄養剤３を少量（水２００〜３００ｃｃに対して０．５ｇ）加えた馴化培地４ａを使用するもので、適宜な容器５に前記馴化培地４ａを収納し、これに前記草花植物２ａの根２１ａを漬けて栽培する。【００２８】
３〜４日又は植物の種類によっては約１０日で新根や新芽が出てくるので、そこで吸水ポリマーを添加し、馴化培地４ａの水分をポリマーに吸水させて、馴化培地４ａを吸水ポリマー製人工培土６に変更して、栽培を継続する。特にミニバラやガーベラ等の長い根や太い根は１／３〜１／２を除去して植え替える。【００２９】
また特にカトレア，デンドロビウムのようなラン科の植物は、前記の馴化過程（水１に対しては吸水ポリマー培土１／２）において、古い根の根腐れを起こさせながら新根の成長を待ち、一旦花を開花させたのち又は開花前に旧根をカットし、吸水ポリマー培土に植え替える。【００３０】
本発明の第三実施形態（図示せず）は、草花，花木植物に適用するもので、基本的には上記した観葉植物の第一実施形態と同様に、根をカットするものである。即ち土壌培地で栽培している草花，花木植物を、土壌培地から掘り出し分離し、根を洗浄し、洗浄後約根の１／３〜１／２をカットし、そのまま根を馴化培地で栽培する。馴化培地は、イオン交換樹脂と液肥を添加したもので、カットした根の成長や新根の成長を観察しながら、イオン交換樹脂栄養剤並びに液体肥料を追加する。【００３１】
上記の水耕栽培は３〜１０日程度行い、根の成長が認められると、吸水ポリマーを少量加えながら栽培を行う。新根の充分な成長を確認した後、吸水ポリマー製人工培土で栽培する。【００３２】
上記の吸水ポリマー製人工培土６による栽培に際しては、必要に応じて適宜な液肥を加え、培地が汚れた場合には、一旦吸水ポリマーを水洗し、拭浄の後、薄めた液体肥料やイオン交換樹脂栄養剤を添加して栽培を継続する。【００３３】
次に、図３に示すとおり、本発明に係る保水体の各実施形態を、その製造過程にそって説明する。最初に保水体の本体を構成するセルロースマトリックスは、古紙３１（古紙以外の紙でも良い）や、必要に応じて木綿３２（木綿は特に付け加えなくとも良い）を湿潤させてミキサー３３で粉砕し、一旦乾燥して粉砕セルロース３４を得る。次にこの粉砕セルロース３４と、市販の熱可塑性ノニオン型吸水樹脂３５（ノニオン型に限定されないし、使用植物に対応して粉末や粒体を選択して採用する）と、水３６とを混合攪拌して、所定の型（ブロック形状でも、シート形状でも良いし、またその大きさも任意である）３７に収納し、乾燥させる。【００３４】
尚粉砕セルロース３４と、市販の熱可塑性ノニオン型吸水樹脂３５と水３６の混合比率の例を挙げるとするならば、古紙９０ｇ、水１０ｇと樹脂５０〜１００ｇ程度の重量割合とする。【００３５】
また上記の混合攪拌に際して、必要に応じて抗菌剤（銀、銅、カテキン、ナツメグ等）３８や、防腐剤（硫酸銅、塩化亜鉛、ソルビン酸、安息香酸、ホウ酸等）や香料等を添加して、セルロースマトリックス内に散在させてなる。【００３６】
上記の成形型から取り出したブロック体Ａやシート体Ｂは、そのまま本件発明の保水体として使用できる。またブロック体Ａ又はシート体Ｂを裁断してサイコロ状の保水体Ｃとして使用できる。【００３７】
上記の保水体Ａ、Ｂの形成に際して、紙製箱体や筒体、更には紙シート、紙シートの裏面に透水性若しくは非透水性の被膜を被着した部材で、保水体の一部を構成するものを前記成形型に替えて採用しても良い。【００３８】
次に保水体Ａの保形性を高めるために、水溶性で且つ乾燥によって架橋構造となる保形剤（タンニン酸メチルセルロース又はポリビニールアルコール）３９の水溶液中に保水体Ａを浸漬し、乾燥させ架橋構造を得る。水溶液の濃度並びに浸漬時間によって、この保形剤３９は、透水性被膜としても作用させることもでき、その透水能力も水溶液のモル濃度調整で任意にできる。【００３９】
更に保形性を高めた保水体Ｄは、そのまま使用できるし、裁断してサイコロ状の保水体Ｅとすることもできる。また保水体Ａ、Ｄを液肥４０に漬け込んで液肥４０を含有させ、液肥を含有した保水体Ａ１、Ｄ１を製出する。【００４０】
また保水体Ａ、Ｄ、Ａ１、Ｄ１の側面や底面を適宜な非透水性フィルム又は透水性フィルムなどの周面被膜４１で被覆して、保水性能を高めた保水体Ｆを製出する。【００４１】
尚周面被膜４１は、保水体Ａ、Ｄ、Ａ１、Ｄ１に直接被着させずに、別に筒状の被覆体４１ａを形成し、この被覆体４１ａに保水体Ａ、Ｄ、Ａ１、Ｄ１を装着するようにしても良い（図１３参照）。上記構成を採用すると、被覆体４１ａと保水体Ａ、Ｄ、Ａ１、Ｄ１とが着脱できる利点がある。【００４２】
図４に例示するとおり、シート状に形成した保水体Ｂにおいても更に加工を施すことで、より使い易い保水体を提供できるもので、具体的には、シート状保水体Ｂをそのまま、或いは液肥４０や固形肥料４０ａ又はセルロースマトリックス形成時に添加混合しなかった抗菌剤等を上面に散布し、散布した固形分の飛散を防止するように上面を透水性被膜（例えば不織布）４２で被覆することで、保水体Ｇを製出する。【００４３】
更に保水体Ｂの下面（包装使用時の外面）に、非透水性被膜（防水被膜）４３を被着して、保水体Ｈを製出する。更に上面は透水性被膜４２で被覆し、下面を非透水性被膜４３その他で被覆する保水体Ｉであっても良い。尚非透水性被膜として、透水性且つ逆流機能を備えたフィルムを採用しても良い。【００４４】
また特に上記保水体Ｉにおいて、保水体Ｂの下方に適宜な積層体例えば、保水体Ｂの下方に珪酸塩白土（又はシリカ）４４、木綿３２を重ね、最下面を防水シート（非透水性被膜）４３で被覆し、保水体上面を不織布４２で被覆した保水体Ｉ１に形成しても良い。【００４５】
次に上記保水体の使用方法について説明する。最も一般的な使用手段としては、植物育成用培地として使用するものである。培地としての使用は、サイコロ状の保水体Ｃ、Ｅが適しており、且つその使用目的に応じて、所定の液肥や抗菌剤、更には香料、色料、イオン交換樹脂粒など必要に応じて保水体Ｃ、Ｅに担持させることができる。【００４６】
＜第一使用例＞具体的には図５に示したように、他の吸水ポリマー培地ａとの混合使用も可能であり、特に植え替え等において吸水ポリマー培地ａにおける植物育成有効成分の不足成分を予めセルロースマトリックス（保水体Ｃ、Ｅ）に担持させおくと、当該植物ｂの栽培に最適な培地環境を与えることができる。【００４７】
＜第二使用例＞更に図６に例示するとおり水耕栽培において、水培地ｃ中に保水体Ｃ、Ｅを浮遊混合しておくと、当該保水体Ｃ、Ｅに適宜な成分を担持させておくと、当該有効成分をゆっくり溶出させることで、水替え間隔にゆとりを持たせることができる。【００４８】
＜第三使用例＞保水体は、ブロック状に形成した場合には、切り花ｂなどの装飾ベース体として使用することができる。例えば図７に例示するとおり、保水体（Ａ、Ａ１、Ｄ、Ｄ１、Ｆ）に切り花ｂの根本部分を刺突しておくと、保水体（Ａ、Ａ１、Ｄ、Ｄ１、Ｆ）に維持されている水分が植物の生育用の水として使用されるので、仮に鉢ｄの水ｃが枯れても、保水体（Ａ、Ａ１、Ｄ、Ｄ１、Ｆ）の保水成分で充分に数日間給水を実施することになる。勿論植物有効成分も働くことは当然である。【００４９】
＜第四使用例＞また図８に例示するとおり、切り花等の室内装飾（フラワーアレンジメント）として、透明容器体ｄ１と無色透明や着色透明のポリマー培土を使用した場合に、保水体（Ａ、Ａ１、Ｄ、Ｄ１、Ｆ）を切り花のベース体として使用し、保水体（Ａ、Ａ１、Ｄ、Ｄ１、Ｆ）の周囲に上記吸水ポリマー培地ａを採用すれば良い。特に保水体Ｆの周面被膜４１の透水能力によって、吸水ポリマー培土ａの影響を受けずに切り花への給水が可能となる。【００５０】
勿論被膜４０の無い保水体（Ａ、Ａ１、Ｄ、Ｄ１）と、周囲培土に吸水ポリマー培地ａを採用した組み合わせであっても、従前の発泡体（オアシス）のように担持水分を他の吸水ポリマー培地ａに取り込まれずに、保水体（Ａ、Ａ１、Ｄ、Ｄ１、Ｆ）内の吸水樹脂３５で植物給水用水分を担持していることができ、植物を充分長持ちさせることができる。【００５１】
＜第五使用例＞またシート状の保水体（Ｂ、Ｇ、Ｈ、Ｉ）は、鉢植え栽培における肥料等の担持体として使用することもできる。例えば図９に示すように、保水体（Ｂ、Ｇ、Ｈ、Ｉ）に所定の有効成分を含有させ（予めセルロースマトリックスに散在させておいたり、或いは液肥のような液状成分を含浸させておく）、鉢ｄの底に敷いて、その上に土ｅを充填して、植物ｂの鉢植え栽培を行うと、給水を忘れたり追肥を行わなくとも植物ｂの育成が可能となる。【００５２】
特に図１０に例示するように、適宜な積層体とした保水体Ｉ１は、珪酸塩白土又はシリカ４４が、根腐れ防止として作用するので、鉢植え栽培に最適であり、また特に不織布４２の下方に固形の粒状肥料４０ａを散布しておくことで、固形肥料４０ａがゆっくりと溶け出すことで、肥料効果を長持ちさせることができる。【００５３】
＜第六使用例＞更に図１１に例示するように、包装用としては、シート状保水体（Ｂ、Ｇ、Ｈ、Ｉ）が使用できる。特に下面（包装時に外面となる）に非透水性被膜４１を形成した保水体Ｈは、水分を担持させても水漏れを防ぐことができ、運搬時に切り花等への給水を実現できるものであり、更に有効成分を担持させることで、植物を長く持たせることも可能である。勿論直接の箱詰めが可能となる利点もある。【００５４】
＜第七使用例＞  図１２に例示するように育苗用としても使用できる。育苗用として、少なくとも根が成長できるようにしたので、例えば保水体Ｆにおいて、周面のみを非透水性被膜４１で被覆して、底面に被膜が存在しない構成を採用し、植物ｂの根の生育に阻害にならないようにしてなる。【００５５】
特に図１３に例示するように保水体Ｆに代えて、被覆体４１ａと保水体Ａ（Ｄ、Ａ１、Ｄ１）の組み合わせを採用すると、図１２で示したように、育苗床として使用した後に、被覆体４１ａを外して、そのまま土に植えることができ、保水体Ａ（Ｄ、Ａ１、Ｄ１）は、自然に土壌に帰ることになる。【００５６】
次に、本発明の根腐れ防止剤及び根腐れ防止方法に係る実施の形態について説明する。本発明は、ノニオン系樹脂（熱可塑性ノニオン型吸水樹脂）を植物の培地として使用したときに、根腐れ防止効果を有することを利用したものである。根腐れ防止剤としてノニオン系樹脂を用いた培地に水を加え、植物を植える。これにより、植物の根腐れを防止することができる。また、土壌栽培の植物を簡単に植え替えることが可能となる。以下では、ノニオン系樹脂を用いた培地について詳細に説明する。【００５７】
水耕栽培の植物や、植物の植え替えにおいて、水を腐らせないようにすることは大切である。また、土壌栽培の植物を水耕栽培の培地に植え替えるためには、一旦、植物に水耕栽培の根を発根させ、栽培することが必要である。ノニオン系樹脂を用いた培地（以下では適宜、ノニオン系樹脂培地と記載する）の場合、土栽培の植物の根を傷めないように水洗いし、その土壌栽培の植物を植えることにより、簡単に植え替えが可能となる。【００５８】
これは、ノニオン系樹脂培地では、水の腐敗を防ぐ除菌作用又は殺菌作用が働き、植物の根から出る樹液等の有機酸を吸着し、除菌・殺菌することにより、植物の根腐れを防止するからである。通常、水は２乃至３日で腐敗するため、植物の栽培や切り花での使用等において、植物を長持ちさせることは特に夏季においては困難であった。ノニオン系樹脂培地を用いることにより、水の腐敗を防ぐことができる。【００５９】
また、ノニオン系樹脂は、イオンを含有していないので、プラスイオンのイオン水を吸着させて使用することや塩素イオンにより、植物の成育を促進したり、植物や切り花を長持ちさせたりすることができる。【００６０】
下記表１は、ミニバラ栽培の培地として、ノニオン系樹脂２００ｇに水３００ｇを加えたものを用いた場合と、アクリル系樹脂２００ｇに水３００ｇを加えたものを用いた場合における、２５日後の水の汚れ度を検査したものである。なお、それぞれ、イオン交換樹脂を０．６ｇずつ添加している。【００６１】
【表１】
2005065443.tif 000002
【００６２】
表１に示すように、アクリル系樹脂を用いた培地では、水に含まれる有機物等の量が２７００ｍｇ／リットルであるのに対して、ノニオン系樹脂を用いた培地では、２７０ｍｇ／リットルとなっており、ノニオン系樹脂を用いた培地での有機物等の発生量は、アクリル系樹脂を用いた培地での有機物等の発生量の１／１０の数値を示した。このように、アクリル系樹脂培地では、有機物が増加しており、イオン交換樹脂の吸着作用があまり働いていないことがわかる。これは、イオン交換樹脂が微粒子であり、多量に使用しないとその効果が現れないことを示している。【００６３】
ノニオン系樹脂においては、ノニオン系樹脂の吸着作用及び除菌作用が働き、プラスイオンのイオン交換樹脂が少量でも効果的に働いていることがわかる。従って、ノニオン系樹脂にイオン交換樹脂を混合した培地を使用することにより、アクリル系樹脂培地では吸着作用があまり働かないという問題を解決することができる。【００６４】
次に、ノニオン系樹脂とアクリル系樹脂の混合使用による根の成育について説明する。植物の培地において、成育する根を比較してみると、水耕栽培の植物の根は、常に水分や養分（肥料）がある水の中で成育し、根が容易にこの水分や養分を吸収できるようになっている。あまり根が伸びないのが特徴である。また、アクリル系樹脂培地では、根がアクリル系樹脂を抱きかかえるように包囲し、密着して水分を吸収しているのが特徴である。【００６５】
ノニオン系樹脂培地においても同様に、根がノニオン系樹脂に密着し、水分を吸収するが、根がノニオン系樹脂の中を貫通して成育するのが特徴である。また、土壌栽培の植物は、鉢の中又は土の中で水分や養分を探し求めなければならず、その成育は四方八方に広がり、長い根で成育するのが特徴である。【００６６】
ノニオン系樹脂培地においても、茎の下から白い多数の根が真っ直ぐ下方に伸び、四方八方に広がり、土壌体の根の成育に似ていると言うことができる。これらは、アクリル系樹脂の根の成育は水耕栽培の場合と同様であり、ノニオン系樹脂の根の成育は土壌栽培の場合と同様であると言うことができる。【００６７】
アクリル系樹脂とノニオン系樹脂とを混合した培地では、根の成育が変化していくことが実験により確認された。図１５は、この実験の結果を表している。実験結果の詳細については後述する。この実験では、アクリル系樹脂５０ｇ乃至２００ｇと、ノニオン系樹脂２０ｇ乃至２００ｇとをそれぞれ混合割合を変化させて混合した培地を作成し、この培地の中に土壌栽培の植物を植えた。これにより、根が一旦、水耕栽培の根に変化する。これは、土壌栽培の根の表皮が腐り、根の内部の白く細い芯が水耕栽培の根に変化することを表している。【００６８】
アクリル系樹脂に対してノニオン系樹脂を増量することにより、水耕栽培の白く細いシルクの糸のような根が太くなっていく。そして、アクリル系樹脂とノニオン系樹脂を同量混合することにより、土壌栽培の根の表皮が腐って変わることなく、太く逞しい安定した根に成育していることがわかった。アクリル系樹脂のみの培地では土壌栽培の植物を植え替えて成長させることは困難であるが、ノニオン系樹脂を少量ずつ増量していく混合することにより、土壌栽培の根の先端から腐ったり、また、全体的に表皮が変化することがなくなり、ほぼ同量使用することで、水はけを要する土壌栽培の根が腐ることなく生育が可能となる。アクリル系樹脂２００ｇにノニオン系樹脂６０ｇを添加した培地では、アイビーの丈が約１０乃至３０センチメートル（ｃｍ）にも成長している。この例はアイビーが水分を好む植物であり、アクリル系樹脂の水耕栽培に適している植物であるため、少量のノニオン樹脂を使用し、植物等の汚れを吸着、殺菌作用が効果的に働いたものである。【００６９】
ノニオン系樹脂を根腐れ防止剤として使用した場合、次のような効果がある。第１の効果は、植物の汚れを取ることである（吸着作用）。第２の効果は根が腐らないことである（除菌作用又は殺菌作用・抗菌作用）。第３の効果は樹脂が汚れた樹液を吸着し、植物にきれいな水分養分を与えていることである（濾過作用）。第４の効果は水を保持することである（保水作用）。第５の効果は、植物を支え固めることである（凝固作用）。ノニオン系樹脂の場合、常に水の中に入れておかないと固まりやすく、容器の余分な水分を切ることで約３乃至４日で固まる。【００７０】
根の生育に関しては、アクリル系樹脂では、離水することにより、水耕栽培の根に変化して生育するが、ノニオン系樹脂では、殺菌作用があり、肥料がなくても植え替え栽培が可能であり、土壌体の根のままで生育するのが特徴である。【００７１】
また、ノニオン系樹脂には凝固作用があるため、植物の育苗床としての使用が可能である。例えば、直径２０ｃｍ、深さ２２ｃｍの容器にノニオン系樹脂の固まり５００ｇを５個（２．５キログラム（ｋｇ））入れ、イオン水を加えると、３乃至４ヶ月で固まる。個々のノニオン系樹脂が密着して容器の型の形状に固まっていく。その後、植物を移動しても、倒れることがなく、固定することができる。また、切り花を凝固したノニオン系樹脂に刺しても倒れることなく安定する。【００７２】
次に、ノニオン系樹脂が細菌繁殖抑制効果を有することを示す試験について説明する。図１４は、この試験を行うための試験装置を示す図である。まず、ノニオン系樹脂を１．５ｇだけ入れたビーカー、ノニオン系樹脂を５ｇだけ入れたビーカー、ノニオン系樹脂を１５ｇだけ入れたビーカー、何も入れないビーカー（ブランク）を用意する。次に、各ビーカーに残留塩素を除去した水道水３００ミリリットルを入れる。次に、各ビーカーに細菌（この場合、大腸菌）を約１０３／ミリリットルだけ加える。【００７３】
次に、各ビーカーを摂氏２５度に設定した恒温室に入れる。その後、各ビーカーから経時的にサンプリングを行い、細菌数の測定を行う。その結果、表２に示すような結果が得られた。【００７４】
【表２】
2005065443.tif 000003
【００７５】
表２に示すように、ノニオン系樹脂を１．５ｇだけ入れたものは、実験開始直後、細菌数が８．３×１０２、３日後には７．３×１０４（全ての細菌数は４．７×１０５）、５日後には１．５×１０６（全ての細菌数）となっている。また、ノニオン系樹脂を５ｇだけ入れたものは、実験開始直後、細菌数が８．６×１０２、３日後には１．６×１０４（全ての細菌数は２．７×１０４）、５日後には４．９×１０５（全ての細菌数）となっている。また、ノニオン系樹脂を１５ｇだけ入れたものは、実験開始直後、細菌数が９．５×１０２、３日後には３．２×１０３、５日後には１．０×１０３（全ての細菌数）となっている。また、ノニオン系樹脂を入れないブランクの場合、実験開始直後、細菌数が８．９×１０２、３日後には８．４×１０４（全ての細菌数は８．３×１０５）、５日後には１．６×１０６（全ての細菌数）となっている。この結果から、ノニオン系樹脂を用いた培地には、細菌繁殖抑制効果があるということができる。【００７６】
次に、イオン交換樹脂の肥料成分とその効果について説明する。栄養剤成分は、純水１リットルにイオン交換樹脂栄養剤を０．５ｇだけ添加した後、摂氏２０度に調整し、１週間放置する。その後、水溶液に含まれる全窒素、リン酸、及びカリウムの濃度を計測した。その結果、全窒素１．６ｍｇ／リットル、リン酸０．０５ｍｇ／リットル、カリウム１．５ｍｇ／リットルが検出された。【００７７】
次に、ノニオン系樹脂の吸水能について説明する。ノニオン系樹脂の純水に対する吸水能は２０乃至４０倍、生理食塩水に対する吸収能は２０乃至４０倍、人工海水に対する吸収能は２０乃至３５倍である。【００７８】
次に、図１５を参照して、ノニオン系樹脂を用いた培地に各種植物を植え替えた場合の各種植物の変化を調べた実験結果について説明する。Ｎｏ．１の培地は、アクリル系樹脂（肥料含有）５０ｇと、ノニオン系樹脂（肥料無し）２００ｇと、液体肥料を５００倍乃至１０００倍に薄めたものとを混合したものである。Ｎｏ．２の培地は、アクリル系樹脂（肥料含有）１５０ｇと、ノニオン系樹脂（肥料無し）１５０ｇと、液体肥料を５００倍乃至１０００倍に薄めたものとを混合したものである。Ｎｏ．３の培地は、アクリル系樹脂（肥料含有）２００ｇと、ノニオン系樹脂（肥料無し）１００ｇと、液体肥料を５００倍乃至１０００倍に薄めたものとを混合したものである。Ｎｏ．４の培地は、アクリル系樹脂（肥料含有）２００ｇと、ノニオン系樹脂（肥料無し）６０ｇと、液体肥料を５００倍乃至１０００倍に薄めたものとを混合したものである。Ｎｏ．５の培地は、アクリル系樹脂（肥料含有）２００ｇと、ノニオン系樹脂（肥料無し）２０乃至４０ｇと、液体肥料を５００倍乃至１０００倍に薄めたものとを混合したものである。Ｎｏ．６の培地は、アクリル系樹脂（肥料含有）２００ｇからなる。Ｎｏ．７の培地は、ノニオン系樹脂（肥料無し）２００ｇからなる。Ｎｏ．８の培地は、ノニオン系樹脂（肥料無し）２００ｇと、イオン交換樹脂０．１乃至０．５ｇとを混合したものである。Ｎｏ．９の培地は、ノニオン系樹脂に肥料を含有させたもの２００ｇと、イオン交換樹脂０．１乃至０．５ｇを混合したものからなる。【００７９】
Ｎｏ．１乃至Ｎｏ．５はアクリル系樹脂培地にノニオン系樹脂を使用した培地である。Ｎｏ．１乃至Ｎｏ．５は、草花、及び観葉植物は植え替えが可能である。観葉植物はあまり肥料を必要としないが、７乃至１０日までに液体肥料を５００倍乃至１０００倍に薄めたものや、イオン交換樹脂０．１乃至０．５ｇを添加しないと、草花の状態はＡ（良好）からＢ（悪い）に変化する。図中、○印は成育状態が良好であることを示し、×印は成育状態が悪いことを示している。【００８０】
Ｎｏ．２においても草花に肥料が不足すると育たない。Ｎｏ．６においては、約１週間で状態Ａになる。また、アイビー、ポトス、コーヒーに関しては、２週間乃至１ヶ月で状態Ｃから状態Ｄに変化する。Ｎｏ．６の状態Ｃ、Ｄではほとんど成長はしない。Ｎｏ．５においては、根腐れ防止効果により、観葉植物は元気を取り戻すが、あまり大きな成育はない。約１週間目より根腐れ防止効果が始まり、根の成育は止まり、腐り始める。【００８１】
Ｎｏ．７は、ノニオン系樹脂が肥料を含有していなくても植え替えが可能であることを示している。また、観葉植物は肥料がなくても成育することを示している。Ｎｏ．７、Ｎｏ．８、Ｎｏ．９は、土壌栽培の植物はノニオン系樹脂培地でも同じ根で成育されることを示している。Ｎｏ．７は、草花では肥料の濃度が重要であり、実験開始後、７乃至１４日までに状態Ａから状態Ｂに変化しないように肥料を５００乃至１０００倍に薄めたものや、イオン交換樹脂０．１乃至０．５ｇを与える必要があることを示している。この実験により、ノニオン系樹脂には根腐れ防止効果があることがかわる。【００８２】
次に、ノニオン系樹脂の根腐れ防止効果を利用した鉢底、及びガーデンマットについて説明する。ノニオン系樹脂培地においては、根腐れを防止する効果があり、肥料がなくても観葉植物の植え替えや成育が可能である。ノニオン系樹脂は、イオンを含有していない。この培地において、プラスイオンのイオン交換樹脂はカチオンのプラスイオンである主成分、窒素、リン酸、カリウムである。これらを少量使用することによりイオンの中和作用が起こる。ノニオン系樹脂２００乃至３００ｇの培地に対して０．１乃至０．２ｇの使用量で、植物の成育を促進させることが可能である。【００８３】
ノニオン系樹脂とプラスイオンのイオン交換樹脂の組み合わせにより、水耕栽培の鉢底使用や培土と混合又培土として、又は土栽培の鉢底におけるガーデンマットとして使用することや土壌と混合ができ、植物の根腐れ防止効果と保水効果、及び肥料としての効果を同時に可能にする。【００８４】
鉢内のハイドロコーン又は土の量の２０乃至４０重量パーセントのノニオン系樹脂をガーデンマットとして鉢底に使用することにより、約１ヶ月間、水やりがなくても植物を成育させることができる。【００８５】
この場合、ノニオン系樹脂にイオン交換樹脂０．１乃至０．２ｇを添加することができる。これにより、約３乃至４日頃から植物の頭頂部の葉が、オイルを塗った様につやつやしてくる。自然に上から下へ全体にこのようにつやつやしてくる。これは、植物が酸素を放出していることを表している。これは、水耕栽培の葉の現象である。土壌栽培の植物ではこのようにはならないが、植物自体の花や葉においても生き生きしている。また、ノニオン系樹脂を土壌栽培の鉢底に使用する場合、植物の根は何の抵抗もなく、その土壌栽培の根で成育するのが特徴である。【００８６】
次に、水耕栽培の鉢底にノニオン系樹脂を使用する場合について説明する。ハイドロコーンの全体量の２０乃至４０パーセントのノニオン系樹脂を鉢底に使用すると、約１ヶ月間、水やりが不要になる。また、根は２週間で２乃至６ｃｍ伸びる。また、１ヶ月間で４乃至１０ｃｍ伸びる。例えば、ポリシヤスは１週間で約１．５ｃｍ伸び、２週間で約３．０ｃｍ伸びる（図１６）。サイデリアーナは１週間で約１．５ｃｍ伸び、２週間で約２．８乃至３．０ｃｍ伸びる（図１７）。ポトスは１週間で約１．５乃至３．０ｃｍ伸び、２週間で約３．０乃至６．０ｃｍ伸びる（図１８）。【００８７】
水耕栽培の鉢底にノニオン系樹脂を用いることにより、３乃至４日目より、植物の頭頂部の葉からオイルを塗ったように葉がつやつやしてくる。そして、１週間ぐらいで、全体につやつやしてくる。この現象は土壌栽培の植物では見られないものである。【００８８】
次に、水耕栽培や土壌栽培の鉢底にノニオン系樹脂を使用した場合の効果について説明する。水耕栽培の観葉植物で使用されるハイドロコーンのイオン交換樹脂の使用量は、２号鉢で２ｇとなっている。これは３ヶ月間有効である。インナーポットが入る２号鉢の鉢底に２ｇのイオン水と深さ約１ｃｍの水を入れて使用する。観葉植物ではハイドロコーンの培地の鉢底にノニオン系樹脂を使用し、約０．１ｇのイオン交換樹脂を使用することにより、約３ヶ月間有効保持することができる。【００８９】
ノニオン系樹脂を水耕栽培や土栽培に使用することにより、水やりが不要となり、植物が痛まず、小売店等においてはコストを削減することができる。また、小売店においても、これらのノニオン系樹脂を植物の寄せ植えに使用することができる。また、生産メーカは、水耕栽培や土栽培の培地に、ガーデンマットとして肥料を含有するノニオン系樹脂を２０乃至４０パーセント加えることにより、１乃至２ヶ月間、保水効果を持続させることができる。【００９０】
土壌栽培にノニオン系樹脂を使用する場合、ノニオン系樹脂に液体肥料を吸着させるか、イオン交換樹脂をノニオン系樹脂に少量使用する。土壌栽培で生育した植物の根は、ノニオン系樹脂の培地に何の抵抗もなく適応し、自然に伸びて生育するのが特徴である。土壌栽培の鉢より植物を取り出して、ノニオン系樹脂培地に植え替えても何の変化もなく生育する。その特徴は土壌体のものとほぼ等しく、ノニオン樹脂が土壌の代替えである。例えば、土壌栽培した植物をノニオン系樹脂のガーデンマットを鉢底に使用した鉢に植え替えると、カランコエの場合、根は約２週間で４乃至５ｃｍ伸びる（図１９）。ゼラニウムの場合、根は約２週間で８乃至１０ｃｍ伸びる（図２０）。また、セロームの場合、根は約２週間で５乃至１０ｃｍ伸びる（図２１）。これらの原因は、ノニオン系樹脂が離水しないで植物の汚れや有機酸を吸着、濾過し、植物にきれいな水分を与え、土壌体と同様の作用をしているからである。図２０、図２１に示すように、ノニオン系樹脂を鉢の底だけでなく、鉢の側面にも配置し、根を取り囲むようにすることができる。このノニオン系樹脂のガーデンマットは、鉢底に使用する他に、花壇、プランター、屋上ガーデン等にも使用することができる（図２２）。また、ノニオン系樹脂の吸着作用等を利用して、汚染された土壌を改良する土壌改良剤として使用することも可能である（図２３）。【００９１】
また、ノニオン系樹脂による殺菌作用を利用して、あらゆるｐＨのコントロールを容易にし、土壌改良剤として用いることにより、植物の育たない培地で植物の栽培を可能にすることができる。また、最も身近な樹木が地下にどのような生育をし、根から水分を吸収するのか、地下茎を見る学校の理科の教材として使用することができる。また、鉢底使用の他に、プランター、花壇、畑、その他の培地において、ノニオン系樹脂を土壌保水剤・改良剤又活性剤として使用することができる。【００９２】
次に、ノニオン系樹脂を用いた培地におけるイオン交換樹脂の使用効果について説明する。イオン交換樹脂をノニオン系樹脂培地に使用することにより、プラスイオンの中和作用が起こる。例えば、ノニオン系樹脂２００乃至３００ｇに対して、イオン交換樹脂０．１乃至０．２ｇをノニオン系樹脂の上に振りかけて、使用する。【００９３】
このように、イオン交換樹脂を少量だけノニオン系樹脂と使用することにより、植物の成育発育促進効果が得られる。ノニオン系樹脂にイオン交換樹脂を混合したものを、鉢底やガーデン底、或いは土壌改良剤として使用することにより、保水作用、除菌作用、吸着作用等による根腐れ防止効果が生まれ、管理に要する手間を軽減することができる。【００９４】
また、ノニオン系樹脂にイオン水（純水）を吸着させることにより、植物の栽培や、キクやバラ、榊等の切り花での使用を可能にすることができる。草花の栽培においては、マリーゴールド、セントポーリア、百日草、ベコニア等の成育に効果があった。【００９５】
アクリル系樹脂を用いた培地では、主に水耕栽培された植物の植え替えにおいては何の支障もなく可能であったが、土壌栽培された植物を水耕栽培に植え替える場合、水耕栽培に慣れない根を急にアクリル系樹脂からなる水耕培地に定着させることは困難であった。【００９６】
これまで、ノニオン系樹脂培地にもアクリル系樹脂培地の場合と同様、水耕栽培の支持体と考えられてきた。一般に市販されているアクリル系樹脂の培地では、アクリル系樹脂の離水作用により、植物は水耕栽培の根により成育する。一方、ノニオン系樹脂とアクリル系樹脂を同量ずつ混合した培地（混合培地）では、植物は土壌体の根により成育する。【００９７】
上記混合培地が土壌体の培地と同様の作用をすることがわかった。ノニオン系樹脂の根腐れ防止効果により、水耕栽培された植物と土壌体で栽培された植物の両方が成育可能な混合培地を作成することができ、容易に土壌体から混合培地への植え替えが可能となる。【００９８】
ノニオン系樹脂の形状としては、立方体、球状や多面体で一定の形状でないもの、直方体、球状、四面体、多面体、棒状、マカロニのように管状に穴のあいた形状のもの、帯状の薄板状のものを渦巻き状に巻いたもの（以下、バームクーヘン型と記載する）、粉末状のもの、対向する２つの面が三角形の五面体等が考えられる。【００９９】
次に、ノニオン系樹脂を保水剤として用いる場合について説明する。根腐れ防止効果の実験により、アクリル系樹脂の混合使用や鉢底使用については上述した通りであるが、水耕栽培のハイドロコーンに植えた植物では、ノニオン系樹脂培地に植えるだけで発根する。ノニオン系樹脂の最も適した利用方法は、水耕栽培のハイドロコーンの代用として、及び土壌栽培の代用として用いることである。【０１００】
地球の温暖化により、屋外のガーデンニング、プランター、花壇、屋上ガーデン、芝生、畑等が重要性を増しているが、それらの保水剤としてノニオン系樹脂を用いることができる。【０１０１】
ノニオン系樹脂の使用量であるが、植物の根は直接、ノニオン系樹脂から水分を吸収するが、土壌の１／３乃至１／２の使用量が良い。夏季では十分に水分を吸水したノニオン系樹脂を使用し、梅雨期では、水分を吸水できる余力を持たせ、半分程度膨潤させたものを用いるのが良い。プランター等では、土の量の１／３乃至１／２程度のノニオン系樹脂を混合して使用する。水やりは月に１，２回程度で良い。【０１０２】
室内において、お年寄りや子供又身体の不自由な人々が手軽に食卓テーブルの上で植物の栽培を楽しみ、人とコミュニケーションを持ち、夢と生き甲斐のある生活を送ることが可能である。また、人々が長年に渡り、作物や植物を栽培し、人工的に土壌体が作られているが、若年層の減少により、将来人手が不足することが考えられる。これから将来に渡り、この土壌体作りはノニオン系樹脂に肥料や海洋深層水等の硬水又木酢等の使用で、ノニオン系樹脂の吸着作用による殺菌作用やｐＨコントロールにより、畑、公園、花壇、屋上緑化また植物の鉢植、鉢底にガーデンマットとして肥料入りノニオン系樹脂を使用することにより、植物や、作物の成育や鮮度保持等の生産効率を高め、人手を軽減する事が可能である。【０１０３】
従来、植物の栽培において、水や肥料を含み、保水剤として使用される樹脂は存在していたが、これらはいずれもアクリル系樹脂であり、保水効果を得ることを目的としていた。又ノニオン樹脂は使用されていても使用方法が異なり上手く目的が果たされてこなかった。上記実験により、土壌体での植物や作物の栽培においても、水と肥料が重要であり、水を新鮮に保つことが最も大切である。この水、肥料を魚に保つ殺菌作用は、植物の栽培において重要な三要素とも言える。これらのことから、砂漠での植樹や緑化等植物や作物の栽培において、ノニオン系樹脂はなくてはならないものである。ノニオン系樹脂は、保水効果と根腐れ防止効果の殺菌作用を兼ね備えた、水耕栽培の培地と土壌栽培の培地の両用が可能な人工植物培地ということができる。【０１０４】
（土壌保水剤）
次に、ノニオン系樹脂の保水剤としての使用方法について説明する。近年地球温暖化や二酸化炭素削減による砂漠の植樹や、ビルのヒートアイランド現象の緩和に屋上緑化が行われている。これらの砂漠緑化や屋上、花壇等の植樹や緑化に使用する土壌保水剤は長い保水性と保持力のあるノニオン系樹脂を使用することが大切である。従来、土に混ぜた保水剤使用にアクリル系樹脂が使用されてきた。このアクリル系樹脂は、膨潤倍率は大きいが、離水作用により、短期間で縮小してしまう。また縮小すると、植物の水分を吸収してしまう欠点を有する。これに対してノニオン系樹脂は膨潤倍率が小さいのが特徴であるが、ノニオン樹脂又はノニオン樹脂とアクリル樹脂を同量混合することにより、肥料、保水、根腐れ防止の効果が同時に作用し、また、長期的に安定した培地とすることが可能である。又ノニオン樹脂は植物が排出する樹液等の汚れを吸着・ろ過し植物に水分を与えると共に二酸化炭素の吸着や土壌を冷やす冷却作用を保持している。吸着による殺菌作用により植物が生育に支障を来たし枯れてしまった後も、再度発根、発芽し再生する力を保持しており、この植物培地を土壌保水剤と同様に使用することができる。【０１０５】
花壇、畑、屋上、砂漠等での植樹は、自然環境や土壌体や天候等の条件により異なるが、水を含んだノニオン系樹脂１００ｋｇと、水を含んだアクリル系樹脂１００ｋｇを混合使用した場合、樹脂の植物培地の実験でも分かる様にノニオン樹脂がアクリル系樹脂の定期的に離水した水分を吸収し、植物の実験と同様に、ほぼ同量の樹脂の使用量で土壌体の根のまま成育をし、水耕栽培の根には変化しなかった。アクリル系樹脂をノニオン樹脂以上に多く使用した場合はノニオン樹脂がアクリル系樹脂からの水分を吸収出来なく、飽和状態となり、離水しても吸収されず水分が溜まってくる。その結果、地上部の土が湿り蒸発する。水が溜まることにより、植物の根は水耕栽培の根に変わる。これにより、これまで土壌体の根で生育していた植物が過剰水分により一旦根腐れ状態を起こし、水耕栽培の根に変わってしまう。これらのことから、土壌体の根の生育に適した植物では生育しにくいことがわかる。【０１０６】
かつて使用された砂漠緑化事業にはアクリル系樹脂が使用されていた。このアクリル樹脂はイオンは高温な地上部へ直ちに気化してしまい、土壌保水剤の効果が得られなく、猛暑のプランターの草花の状態と同様であったと言える。これを防ぐためには、ノニオン系樹脂のみを使用して、離水しないで水を蓄えておくタンクの作用をし、水分をよく長く保持するようにすると良い。地上部を湿らすためには、アクリル系樹脂を少量混合使用するのが良いが、アクリル系樹脂は短期間で離水してしまう。離水してノニオン系樹脂の水分を吸収し、また離水する。しかし、雨がほとんど降らない所では、貯蔵タンクは空になり、アクリル系樹脂の使用は水分の無駄使いとなる。【０１０７】
砂漠緑化等の植樹に使用する保水剤は樹木が生育する土壌と同じ培地を作ることが大切であり、ノニオン樹脂のみ又はノニオン樹脂とアクリル樹脂を同量混合すると良い。又草花等の根の柔らかな植物を使用したプランターや屋上緑化又農園芸用途の使用には保水性のポリビニルアルコールや定期的に離水されるアクリル系樹脂が必要である。【０１０８】
又かつて保水剤にノニオン樹脂のポリビニルアルコールが使用されていた。ポリビニルアルコールを使用した土壌保水剤は降雨によって約２００〜３００倍にも大きく膨潤し、殺菌作用が伴わず、保水性の植物培地は根腐れを起こしていた。これによって土壌保水剤の使用は難しいとされて来た。このノニオン樹脂ポリビニルアルコールの殺菌作用は塩素イオンによる水道水の残留塩素又はにがりの塩化カリウム等によって起こっていることが実験で分かった。この塩素イオンが高まる培地において根の汚れを取る吸着作用や殺菌・除菌作用が継続されていることが分かった。これに反し大きく膨潤したアクリル系樹脂の水たまりと同じ状態となり、根腐れを起こすことになる。ポリビニルアルコールの除菌・殺菌作用は水中のミネラルを吸着し、塩素を吸着出来ない為に塩素イオンの増量によるものである。ポリビニルアルコールの土壌保水剤は水道水の使用が必要とされる。又特に約２５０倍の水中において殺菌作用が継続されているがこの水中においても切花が長く保持されるものではない。このポリビニルアルコールの２５０倍の水中は水道水のみの使用と変わらず、切花を長く保持できるものではない。この切花の使用にはミネラル分を多く含む硬水・海洋深層水を使用しなければならず更に抗菌剤や光触媒の殺菌作用が必要となる。【０１０９】
この様にノニオン系樹脂が海洋深層水を使用することで中和され、ろ過し、大地の役割をしていることから、ノニオン系樹脂は水耕栽培と土壌栽培の両用の植物支持体の他魚の生育や飼育に使用が可能であると言うことができる。このノニオン系樹脂には、殺菌・除菌作用又は抗菌作用、吸着作用、濾過作用を有している。【０１１０】
水耕栽培の植物は土壌培地に植え替えては生育は困難であるが、ノニオン樹脂の植物培地では水耕栽培の植物は、植物を植えるだけで、簡単にノニオン系樹脂培地に生育することができる。水耕栽培で生育した植物の根は、当初樹脂と樹脂の間の余分な水分を吸収し生育する。又水分が無くなると、新たに発根し新しい土壌体の根で成長していく。土壌栽培で生育した植物はこれまでの土壌体の同じ根で水分を吸収し生育する。又ノニオン系樹脂培地では、草花等の柔らかな長い根は、最初から樹脂水分を吸収することができないため、水分を少し多目にし、樹脂と樹脂の間の余分な水分を吸収できるようにしなければならない。そのため保水性樹脂のポリビニルアルコールを混合使用する。又はノニオン樹脂とアクリル樹脂を混合使用し、離水した水分を草花に与え成育するものである。この土壌体の根が水分を探し水分を吸収し、やがて枝分かれしたような細かな根が発根する。土壌培地の草花等の根の柔らかな植物に使用する保水作用は切花や榊等の保水剤と同様であると言える。【０１１１】
水耕栽培の植物をノニオン系樹脂培地に植え替えた場合、ノニオン系樹脂が離水すれば、このままの根で生育する（図２４）。又は、沢山の水分があれば、根は変わらない。最初から水分を多目にしておくことが重要である。これにより、植物は溜まっている水を吸収し、水分がなくなると水分を探さないで新しく発根する。土壌体の植物はノニオン系樹脂培地に植え替えた場合も同様に、土壌体ののままの根で水分を探し、吸収する。【０１１２】
ノニオン系樹脂培地に観葉植物や花木等を植え替えた後、葉が枯れてしまうこともある。植え替え時に根が切れたり、寒さや培地が変わったことによる負担で枯れてしまうことがあるが、約２週間乃至１ヶ月、或いは１乃至２ヶ月ぐらいして、新根や新葉を作る。これはノニオン樹脂培地の吸着作用による殺菌作用により根腐れ防止効果が作用し、新しく発根し、発芽し、再生してくるからである。これらのことは１年草では難しいが、ポトス、デンドロビウム、ミニバラ、ハイビスカス、サルスベリ、ムスク等では可能である。【０１１３】
次に、ノニオン系樹脂の凝固作用と保水体や保水剤としての使用方法について説明する。ノニオン系樹脂をガラス容器等に入れ植物培地として使用した場合においては自然に水分が気化し、凝固作用が働き固まるが、プランターや土壌の中に使用すると、空気に触れないことで縮小や固まりが遅く少ない。ノニオン系樹脂の形状が角状等大きいものは、面と面の間が大きく、樹脂の通気性ができ、気化しやすいが、形状の異なるポリビニルアルコールは細かな粒子状等の重なりにおいては保水性は高く、水持ちが大変良い。【０１１４】
また、これらの混合培地とすることにより、保水性が少ない培地での生育が難しい観葉植物のシダ類、アジアンタム、草花等の細かい柔らかな根の植物は、水分を吸収し易くなり、生育が可能となる。保水性の少ない大きめのノニオン系樹脂を用いた植物培地では、度々水を与えなければならなく、保水性のノニオン樹脂やアクリル系樹脂を混合することで水やりを省いた栽培が可能となる。【０１１５】
ノニオン系樹脂からなる植物培地では、観葉植物や樹木又花木等の強い根の植物は保水性の少ないノニオン樹脂培地から根がひとりでに水分を吸収することができるが、保水性を好むシダ類や草花等の根の柔らかい植物や切り花や榊の保水体としてノニオン系樹脂を使用した場合、切り花や榊は、ノニオン系樹脂に含まれる水分を吸収するのではなく、樹脂と樹脂の溜まり水を吸収する。従って、水分を適当に注ぐか、綿や紙をノニオン系樹脂の中に敷くことにより、離水させる。これにより、切り花や榊は水分を吸収することが可能となる。【０１１６】
また、バームクーヘン型樹脂に切り花を刺して使用するとき、この樹脂に綿や紙を巻き付けることにより、離水する保水体として使用することができる。【０１１７】
アクリル系樹脂の場合、アクリル系樹脂の離水した水をノニオン系樹脂が吸収してしまう。ノニオン系樹脂を月に約２乃至３割程度の離水性を有する保水剤として使用することにより、この保水剤をアレンジメントで使用する場合、５００ｇのノニオン系樹脂で１００乃至１５０ｇの離水量とする。【０１１８】
この２乃至３回の水やりをしなくても良いようにするために、１回の水やりを約１割とし、約３回の水やりで約３割としている。また、雨が全く降らない地域は別として、植物培地では月に約１／３の離水により、地上部が湿り、雨により吸水される。また、月に１回の水やりでよくなる。【０１１９】
次に、プランター、鉢、花壇等における土壌保水剤の使用方法について説明する。アクリル系樹脂等の離水する樹脂を土に混ぜないで底に敷いて使用すると、離水により水が溜まり、植物が根腐れを起こして枯れる。これは、アクリル系樹脂は離水により縮小してしまい、水分がなくなると植物の水分を吸収するからである。また、膨潤倍率が大きく、水分含有量による膨潤倍率の較差が大きく、培地が安定しないためである。【０１２０】
アクリル系樹脂を土に混ぜて使用する場合、離水量に応じてアクリル系樹脂の混合量を減らし、離水により植物が水分を吸収しやすくなるようにすることにより、良い生育となる。離水による水分が溜まらない程度にする。アクリル系樹脂が離水により縮小しても、土がアクリル系樹脂を包んでいるので、植物の水分を遮断することができ、植物の水分を吸収しにくくする。混合量が少なければ少ない程、培地には安定感がある。【０１２１】
アクリル系樹脂を土の下に敷いた場合、土壌体の植物は生育できず、ポトス、アイビー等の水生植物は生育可能となる。この状態は田んぼでイネが生育する状態と同様である。イネは水生植物であり、十分な雨があれば畑（陸稲）でも生育する。従って、アクリル系樹脂は根腐れ防止効果がなく、水分はあっても土壌体の植物は根腐れしてしまい、枯れてしまう。【０１２２】
ノニオン系樹脂の根腐れ防止効果により、観葉植物の栽培の他、花木、庭木等のあらゆる植物の栽培が可能となる。観葉植物の中でも、シダ類やアジアンタムの栽培が、ノニオン系樹脂培地で可能となり、草花ではカトレア、デンドロビウム等のラン科の植物、ラベンダー、ベコニア、ペチュニア、ナデシコ、マリーゴールド、セントポリーリア、パンジー、リンドウ等の花木において、さらに、バラ、ハイビスカス、ムクゲ、ルリヤナギ、サルスベリ、エンジェルイヤリング、アザレア、シャクナゲ、アベリア、榊、月桂樹、ヒイラギ、キンモクセイ、ブルーベリー等のあらゆる植物の栽培が可能である。【０１２３】
次に、保水剤を花壇や畑に使用する場合について説明する。雨が降る地域では、土の中のノニオン系樹脂の水の帯として、水はけを考慮して配置する。例えば、土の畦に平行した２本の水の帯となるようにノニオン系樹脂を配置する。或いは、植物を囲むようにドーナツ状にノニオン系樹脂を配置する（図２２）。これにより、雨が降ってもノニオン系樹脂が雨を吸収し、ノニオン系樹脂の間を通って雨が土の中に浸透し、水はけの妨げとならないようにすることができる。【０１２４】
一方、雨が全く降らない地域では、根を包み込むようにノニオン系樹脂を配置する（図２３）。これにより、余分な水分が土の中に逃げることを抑制し、少ない水分をノニオン系樹脂が吸収して逃がさないようにすることができる。屋外においては、花壇や丹精込めて作られたガーデンニングが、地球温暖化による異常気象により、雨が降らないときの水不足を考え、地域的に地下に水を貯蔵しておく対策をとらなければならない。ノニオン系樹脂を用いることにより、水不足にも対応することができる。【０１２５】
次に、ノニオン系樹脂、イオン水、イオン交換樹脂、及び日本酒を加えた植物培地について説明する。花木アベリオの植物培地に日本酒を注いだところ、すこぶる元気になった。根を洗い、ノニオン系樹脂培地に植え替える。まず、植物培地に、ノニオン系樹脂を３００ｇ、イオン水を３０ｃｃ、イオン交換樹脂を０．５ｇだけ加えた。３日後、植物培地に日本酒を５０ｃｃだけ注いだ。このとき、花が枯れたり、葉や枝が少し元気を失っていた。翌日、弱っていた花木がシャキッとした。このように、花木アベリオの植物培地に日本酒を注いだところ、一時的に元気にシャキッとなったが、日本酒、ワイン、ビール等のアルコール飲料は、植物の生育に最適とは言えない。例えば、ビールの場合、約１週間はつやつやし、糖分による蒸散作用により良い生育であるが、約１週間で元気を失っていく。ミニバラ、ポトス、アイビー、コーヒーの木等のビール培地の実験により、炭酸飲料水では約２週間の栽培が可能である。また、切り花においても同様である。【０１２６】
炭酸飲料水には、保存料（安息香酸Ｎａ）、果糖、ぶどう糖、酸味料、香料等の成分が含まれている。ノニオン系樹脂を使用した植物培地に、砂糖、ぶどう糖等の糖類を含有している炭酸飲料水を与えたところ、同様に良い生育となった。ラベンダー、ゼラニウム、ミニバラ、ナデシコ等では、つぼみを付け、花を咲かせるなど、良い生育となった。ところが、糖類を含有していない炭酸水や清涼飲料水では生育が悪い。このことから、糖類を吸収することにより、土壌栽培からの植え替えにもかかわらず、すこぶる元気で花を咲かせ、つぼみを付け、蒸散作用や光合成を活発にしていると言える。また、これらの飲料水に肥料を含ませたものを、特に夏季において、弱った植物に与えると効果的である。【０１２７】
以上の実験の結果、植え替えにより、エネルギーを消耗して弱っていたところに、糖分を与えたので元気を取り戻したと言える。イオン交換樹脂の肥料も液肥ではなく、即効性に欠けるため、イオン水に糖分を吸着させることにより、切り花使用の兼用で効果を上げることができる。即ち、ノニオン系樹脂に、イオン水＋砂糖、ぶどう糖等を加えると、新陳代謝を活発にし、植物の成育に効果的である。【０１２８】
植物培地に花木リオン、草花、クロサンドラを植え、ノニオン系樹脂を１２００ｇと、日本酒（アルコール１３乃至１４度、少々の有機酸と水を含む）を４００ｃｃだけ加えた場合、水分不足であった植物の枝が元気になった。植物培地に花木リオン、草花、クロサンドラを植え、ノニオン系樹脂を１２００ｇと、ビール（アルコール３．５パーセント、少々の二酸化炭素を含む）を４００ｃｃだけ加えた場合、花木の葉が少々枯れ始める。また、草花は、植物の蒸散作用により、頭頂部よりオイルを塗ったようにつやつやしてくる。この効果は、ハイドロコーンの鉢底使用でイオン交換樹脂を使用した場合にも表れる。【０１２９】
日本酒を用いた場合、アルコール、水、少々の有機酸を含むが、ノニオン系樹脂がこの有機酸を吸着し、蒸発した水分を樹脂が吸着し、根が樹脂から水分を吸収している。アルコール度数を低めにした状態で使用すると、植え替えによりエネルギーを消費した植物に糖類を与え、良い結果となる。一方、ビールを用いた場合、アルコールは少量であり、水と二酸化炭素ではあまりノニオン系樹脂に吸着されず、水分が残っているため、花木の根が水耕栽培の根に変わり、やや太めの根が４ｃｍくらい、紙の様につぶれている。これは、根が正常に水分を吸収していないことを示している。【０１３０】
このように、ノニオン系樹脂にイオン水と糖分を加えることにより、植え替え時の植物の疲労を助け、エネルギーを消費した植物に糖類を与え、蒸散作用を活発にする。光合成は葉緑素を含む部分に限られるが、草花では若い茎でも行われる。【０１３１】
観葉植物、アイビー、コーヒーの木、ポトスの培地にビールを３００ｃｃだけ注いだ場合、及び、観葉植物、アイビー、コーヒーの木、ポトスの培地に炭酸飲料水を３００ｃｃだけ注いだ場合、すこぶる元気でつやつやしてくる。特に、コーヒーの木の培地にビールを注いだ場合のコーヒーの木の状態が良い。【０１３２】
花木ミニバラの培地に、ビール（アルコール５．５パーセント、水、二酸化炭素を含む）を３００ｃｃだけ加えた場合、しばらくはコーヒーの木等と同様に、１週間乃至１０日ぐらいは良いが、その後、元気を失い、枯れる。これは、二酸化炭素はすぐに蒸発するが、アルコールが残っているため、枯れるのである。【０１３３】
切り花、バラ、ガーベラ、カーネーション、リンドウ、小菊、孔雀アスターの培地に、日本酒（アルコール１４度、酸性）を加えると、花の状態が良い。炭酸飲料水を加えた場合も同様である。ビール（アルコール５．５パーセント）、ワイン（アルコール９パーセント）を加えた場合も同様であるが、切り花では、砂糖水（中性）、切り花活力剤（中性）、イオン水（蒸留水）（中性）等の中性のものを加えた場合、花は長持ちする。【０１３４】
イオン水１５０ｃｃと、ノニオン系樹脂１００ｇと、日本酒１５０ｃｃを混合したものは、やや酸性となり、切り花、バラ、ガーベラ、カーネーション、リンドウ、小菊、孔雀アスターは良い状態となる。また、イオン水１５０ｃｃと、ノニオン系樹脂１００ｇと、清涼飲料水１５０ｃｃを混合したものは、酸性となり、良い状態となる。イオン水等の中性のものが切り花や榊を長持ちさせることから、ノニオン系樹脂にイオン水と糖類を加えることにより、植物の活力剤とすることができる。例えば、イオン水３００ｃｃと、砂糖、ぶどう糖等の糖類１乃至３０ｇと、ノニオン系樹脂１００乃至１５０ｇを混合したものを、切り花等に使用することができる。或いは、ノニオン系樹脂に、３００ｃｃのイオン水に砂糖、ぶどう糖等の糖類を１乃至３０ｇ混合したものを吸着させたものを用いることもできる。【０１３５】
ノニオン系樹脂に砂糖水とイオン水を混合したもの、又は、ノニオン系樹脂に炭酸飲料（糖分を含む）、又は炭酸の入っていない清涼飲料水を吸着させたものを培地として植物を栽培すると、植物が砂糖水を吸収し、気孔から取り入れた空気中の二酸化炭素と、光のエネルギーとで糖類やでんぷん等の複雑な同化養分を作り出し、酸素を気孔より送り出す。根から吸収する水でも良いが、ノニオン系樹脂にイオン交換樹脂を少々使用した場合も、このような光合成は行われるが、炭酸飲料等の甘い水分の中に、コーヒーの木、ポトス、アイビー等を漬けておいた状態により、葉がべたべたし、糖分が吹き出ているのがわかる。【０１３６】
植物は、根から砂糖水を吸収することで、蒸散作用が活発になり、草花の頭頂部がしっとりし、葉全体や茎がしっとりし、つやつやする。これは、炭酸飲料水の培地に、花木ミニバラ、クロサンドラ、草花ハーブ、日々草、マリーゴールド、ベコニア、ゼラニウム等を植えた結果である。特に、日々草の葉がしっとりとし、つやつやする。これらの飲料水を与えることにより、蒸散作用、光合成が活発となり、酸素を出す作用も活発となる。【０１３７】
日本酒、ビールで花木リオンを栽培したが、アルコール分が多くて失敗したと思われる。花木アベリア、花木リオン、草花クロサンドラは、ノニオン系樹脂培地に日本酒、ビールを沢山与えた培地に植え替えると、最初はとても元気にシャンとしたが、次第に枯れてしまった。特に、葉から枯れてしまった。草花のクロサンドラも活発に蒸散作用をし、つやつやしていたが、アルコールで正常に水分の吸収ができなくなったためと考えられる。【０１３８】
デンドロビウムを植えて７ヶ月も経過した汚れたノニオン系樹脂培地にてワイン約５０ccを与えた後、枯れると思いこんでいたが、２週間経過後も大変葉の色がつやつやとして明るい、黄緑色をし、新葉を付けている。これはワインの成分に殺菌作用がある為である。【０１３９】
また、草花、マリーゴールド、日々草、カランコ、ポリシャス、百日草のノニオン系樹脂培地３００ｇにそれぞれ炭酸飲料の約３０cc、イオン水１５cc与えて栽培した培地に、ワイン２０ccを与えたが、良好である。また、ミニバラが伸びて３ヶ月たっている培地約３００ｇにワイン５０cc、ノボタンを植えた培地１，０００ｇにワイン１００ccを与えた所、翌日１日で新葉や新芽を付けている。ノボタンが新芽を沢山つけていた。【０１４０】
草花や花木では日本酒やビールを与えることで蒸散作用が働くが、アルコールにより枯れてしまったが、ワインでは良い成育となっている。当初考えた発酵酒の中の有機酸が働き汚れたノニオン系樹脂を浄化し、活性化していると考えられる。また、アルコール臭がなく、培地の汚れた臭いがなくなっていた。【０１４１】
これにより日本酒、ビール、ワインの発酵酒にはそれぞれ有機酸が含まれているが、特にワインに含有量が多く、ぶどう糖が良い効果を上げていると考えられる。さらに、これらの発酵酒にはこの有機物が微生物の作用をし出来ておりより濃縮された木酢の使用することで植物培地を活性化し殺菌していると言える。【０１４２】
寄って、ノニオン系樹脂にイオン水と果糖ぶどう糖と有機酸と又はタンニン等の殺菌・除菌・抗菌剤を添加することで、より植物培地を活性化することが可能であると言える。【０１４３】
切花においては水を腐らせないことが大切であり、イオン水の使用が最も良く、榊では水道水で４〜５日で枯れるが、イオン水を使用することで１０日以上保持することができる。また、イオン交換樹脂を少量使用することで１００cc〜６００ccの水のみでさらに２〜３日長く保持することできる。なお、水道水にイオン交換樹脂を使用すると、約１週間の保持である。イオン水にイオン交換樹脂の使用が最も簡単で安く、切花、榊等を長く保持することができるが、さらに果糖ぶどう糖や炭酸飲料水を少量また、砂糖等を与えると良い。【０１４４】
市販の清涼飲料、水分補給飲料、炭酸水にポトスを栽培していた。炭酸水（砂糖なし）にワイン少量を与えた。各市販の清涼飲料、水分補給飲料のポトスはぐったり葉が垂れてもう限界であったが、ワインを与えたポトスは生き返っていた。根がしっかりし、葉も生き生きしていた。１枚の葉が腐っていたが、これはワインを与える前の状態であり、ワインを与えたことで殺菌作用が働いていることを語っている。ノニオン系樹脂が入っているのかと錯覚をした。【０１４５】
また、（ｉｉｉ）のＡ及びＢの培地にも、ワインを与えているのにアルコールの臭いがなく、また、培地の根腐れの臭いもしない。また、これらの培地で植物を持ち上げると、根にノニオン系樹脂が吸い付いている。今まで甘い砂糖付けの培地においては、植物は樹脂に付かなく、植物だけがするっと離れていた。これは糖分を沢山与えたことで樹脂の除菌や吸着作用が働かなかったと考えられる。ワインを添加したことで樹脂が有機酸を吸着し、除菌効果が高められた。デンドロビウムに５０ｃｃワインを与えたのが良好だったので、さらにワイン５０〜６０ｃｃ与えた。１日で根が３ｃｍの新根が沢山伸びていた。【０１４６】
これらのことから、アルコールは１４〜１５℃ので、殺菌効果はあるとは考えられない。ノニオン系樹脂培地においてワインを添加することで、活性化が高められ、除菌作用を強めたと考えられる。【０１４７】
ノニオン系樹脂培地では、吸着作用や除菌作用が効果的に働いたと考えられる。
ワインの成分…タンニン、有機酸、アルコール、果糖ぶどう糖
有機酸含有量    …赤ワイン０．４〜０．７９％
…白ワイン０．３５〜０．９４％
タンニンの除菌作用があるので、ワインの使用が殺菌作用を高めたと言える。【０１４８】
日本酒…有機酸  少量糖分  アルコール  水分
ビール…  〃      〃            〃      〃  乳酸、酢酸、二酸化炭素
日本酒やビールは少量使用することで糖分が蒸散作用を活発にするが殺菌効果はあまり期待できない。
よってノニオン系樹脂にワインを添加することで除菌効果を高めることができた。又木酢の使用も同様に除菌殺菌効果を有している。
また、ワインを薄めて植物の根に与えることで、殺菌効果と葉や根の蒸散作用や光合成を活発にすることができる。【０１４９】
ノニオン系樹脂ポリビニルアルコール（みずもち一番（登録商標））は、水道水を吸着することで殺菌作用が高まり、ポリアルキレンオキサイド（商品としてアクアコーク（登録商標）がある）との混合使用により、より保水性のある根腐れ防止剤となった。
このポリビニルアルコールは、ノニオン樹脂でありイオン水を吸水すると約２００倍〜３００倍に大きく膨潤し強い吸着作用となり、除菌、ろ過、凝固作用を持ち合わせている。
水道水を吸水してあまり大きく膨れなく塩素イオンを集めるため離水作用が働いていると思われる。その樹脂培地とした植物は根腐れを起こさず、水耕栽培の根に変換しなかった。その植物も水耕栽培に適した植物ではなく、土壌栽培の水はけを必要とする草花や観葉植物であり、離水された水道水中の塩素イオン水が除菌作用を起こしていることがわかる。【０１５０】
ノニオン系樹脂培地は土壌体と同様な植物の生育が可能である。ポリオキシエチレンの角状樹脂は面と面の重なりの間の水分が保たれず通気性が良く、観葉植物のような耐久性の強い根は、この水分を吸収後、樹脂を貫通し水分を吸収する。しかし、草花、シダ類等の根の柔らかな植物は、この樹脂と樹脂の間の水分を吸収した後、樹脂を貫通して水分を吸収できないため、当初１週間〜１０日に１度水分の与えてをやらなければならなかった。【０１５１】
又、ノニオン系樹脂（ポリビニルアルコール）は細かな粒状により、粒と粒の間隔が小さく、保水性に富み、草花等の根の柔らかな植物はこの水分を吸収し、この培地での成育に適していた。
又、膨潤倍率が大きいために保水性が保たれ、イオン水を吸着した培地では、草花、ミニバラ、シダ類は２００ｇで２週間に１度の水やりとなる。また、この培地では、肥料水を吸着せずとも栽培が可能である。
この２つのノニオン系樹脂を混合した培地での植物栽培では、約２週間に１度の水やりとなり、さらに肥料水を吸着することで月に１度の水やりとなる。
この混合比は、ポリビニルアルコール１に対して、ポリオキシエチレン０．５〜１となる。ポリオキシエチレン粉末状においても、ほぼ同様である。【０１５２】
これを解決するために、粒状の保水性の高いノニオン系樹脂（ポリビニルアルコール）を混合することで、水分を２週間も長く保持することができた。又、あらゆる草花の水分の悩みを解決することができた。
このポリビニルアルコールは保水性があり、水道水の使用で塩素イオンを集め離水作用に似た殺菌作用となる。ポリオキシエチレンの吸着作用により切花をこの培地に挿すアレンジメントは、約１〜２日しか保持できなかったが、ポリビニルアルコールを使用することで保水性が高まり、花によっては１週間〜２週間と長く保持することが可能となった。その他、今までどうしても難しかったワラビ科、プテリス、ファレイ、クレティカ、アジアンタム、リュウビンタイ、プミラ、タマシダ等、草花ではプリムラ、ハーブ、ミニバラの他、シンビジューム、カトレア、デンドロビウム等のラン科等、あらゆる植物の生育を可能とし、解決することができた。【０１５３】
このノニオン系樹脂、ポリアルキレンオキサイドは、吸着、除菌、ろ過、凝固作用の他、浮上作用（水面に浮かぶのではなく、水の底面から表面近くに均一に浮上するものである）がある。
このポリアルキレンオキサイドの培地に切花を挿し、アレンジメントで使用すると花がチリチリして枯れたりして難しかった。
ポリアルキレンオキサイドとポリビニルアルコールを混合使用すると、ろ過作用と中和作用で切花使用が簡単に可能になった。又海洋深海水等のミネラル分を含む水の使用や木酢の使用が良い樹脂の中和作用である。【０１５４】
図２５の水質検査結果により、膨潤した（イ）ポリアルキレンオキサイド５００ｇ（ロ）ポリビニルアルコール（水もち一番）５００ｇ（ハ）ポリアルキレンオキサイド２５０ｇとポリビニルアルコール（水もち一番）２５０ｇをそれぞれビーカーに入れ水道水（吉田町上水  残留塩素  ５ｍｇ／ｌ）１．２ｌを加え、１日室温で放置し（ニ）樹脂の入っていないものをブランクとして同様に１日間室温で放置したものである。この結果により、ポリアルキレンオキサイドがポリビニルアルコールの塩素イオンを吸着し、ポリビニルアルコールがポリアルキレンオキサイドの蒸発残留物を吸着し、ろ過している。
この浮上作用は一番大切な切花を花瓶に使用すると、カラーコーディネートしたポリアルキレンオキサイドが新しいインテリア性を高めている。
アルキレンオキサイドと水ほぼ同量の使用である。
この浮上するのはアクリル系樹脂では不可能で底に固まるか、水面に固まる。【０１５５】
保水と水はけの実験により、植物栽培において特に草花栽培では土が重要な要素を持っている。土は植物の支持体だけでなく、草花が根から吸い上げる水分を保つために重要であるが、植物に必要な肥料は土中の水に溶けて染み込み、草花に吸収される。
このように草花の生育には土と肥料とが大きな役割を果たしている。
この土にはいろいろな種類があるが、植物栽培に最も適している壌土は、砂と粘土が半分ずつ混じった畑の土である。【０１５６】
（植物培土）
一年草には砂がいくらか多い砂質壌土又、宿根草（多年草）では粘質壌土が良いとされている。砂質壌土には水はけがあり、粘質壌土は保水性に富む土であることがわかる。
植物の実験により、ノニオン系樹脂の植物栽培は土と水の関係であり、ノニオン系樹脂が土壌体と同様な生育をすることはすでに言っているが、ノニオン樹脂の吸着作用が水はけ作用を表し、アクリル系樹脂の離水作用が保水作用に当たる。ポリビニルアルコールは吸着作用と保水作用を保持し、草花等の根の柔らかな植物が水分を吸収しやすくした。アクリル系樹脂の離水作用と同様な作用の培地である。
ノニオン系樹脂ポリアルキレンオキサイドが水はけ、砂土の作用に当たり、ポリビニルアルコール（みずもち）が保水の粘土作用の関係に当たり、この混合比率はポリアルキレンオキサイドの砂質壌土や、粘質壌土のポリビニールアルコールを約１：０．１〜１：３混合した植物栽培に最も適した壌土と同様な作用をする植物培地であるといえる。【０１５７】
一年草ではいくらか砂が多い砂質壌土約１：１〜１：０．５、宿根草（多年草）約１：０．３〜１：３では粘質壌土が良く、ポリアルキレンオキサイドとポリビニルアルコールは混合比が重要となり、水やりが省け、良い生育となる。又ポリアルキレンオキサイドとアクリル系樹脂の混合土では約１：１で土壌培地と同様な培地となる。
又、宿根草は地下の部分が冬の間も生存していて、春に芽を出す植物であるが、ポリアルキレンオキサイドの培地において、イモ科や観葉植物ポトスなどでも同様な作用をすることが確認されている。冬の水やりをすると寒さで枯れてしまったりした。この作用は根腐れ防止効果の殺菌作用であるが、ポリアルキレンオキサイドに水分を少し多めに注ぐと粘質壌土になり水分が少ないと砂質壌土になる。
以上はポリアルキレンオキサイドとポリビニルアルコールに水道水に液肥を吸着した栽培である。【０１５８】
又、ポリアルキレンオキサイドは水道水又、降雨を吸水しても変化はないが、ポリビニルアルコールは降雨では塩素が含まれていないため、大きく膨潤し吸着作用に変化するものである。これらの２つを土壌体に使用すると定期的な離水作用はないが、保水性の培土であり土壌保水剤として使用されるものである。【０１５９】
樹脂を離水させるには、パルプで包んだ固形肥料を混入させたり、アクリル系樹脂を混合使用したりすることで離水作用が可能となるが、ポリビニルアルコールは保水性が高い為、離水作用は起こさなくても良く、草花、ミニバラ、シダ類等の植物を植えると、すぐポリビニルアルコールの水分を吸収し生育することが可能である。
それに反してポリアルキレンオキサイドのみでは、吸着作用が働くため樹脂と樹脂の間の水分がなくなると、人手により水やりをするか、パルプに包んだ固形肥料や殺菌したもみがらなどの使用で離水させることは可能であるが、離水される水は肥料水であり、保水性を高めることも可能である。
このようにポリアルキレンオキサイドとポリビニルアルコールの混合使用により、植物栽培に適した土壌保水剤や根腐れ防止剤とすることが可能である。【０１６０】
水質検査
１  試験目的
本試験は、水道水にノニオン系樹脂（アクアコーク（登録商標）、水もち一番（登録商標））を加えることにより、水質に変化が生じるか確認することを目的とした。
２  水質検査
２−１試験方法
１．固形状のアクアコーク、４０ｇおよび水もち一番１０ｇをビーカーにいれ、そこに水道水（吉田町上水）２ｌを加え、樹脂を１日間常温で膨潤させる。
２．潤した（ｉ）アクアコーク、５００ｇ、（ｉｉ）水もち一番５００ｇ、（ｉｉｉ）アクアコーク、２５０ｇ＋水もち一番２５０ｇをそれぞれビーカーに入れ、そこに水道水（吉田上水、残留塩素０．５ｍｇ／ｌ）１．２ｌを加え、１日間常温で放置する。樹脂の入っていないものを（ｉＶ）ブランクとし、同様に１日間放置する。
３．放置後、（ｉ）〜（ｉｉｉ）の水について、Ｎｏ．５Ａのろ紙を用いて、樹脂が入らないように採水を行う。
４．（ｉ）〜（ｉＶ）の水について、水道水法に基づく水質基準に関する省令（平成４年１２月２１日厚生省令第６９号）に従い、水質検査を行う。
試料溶液
（ｉ）アクアコーク
（ｉｉ）水もち一番
（ｉｉｉ）アクアコーク＋ポリビニルアルコール
（ｉＶ）ブランク（吉田町上水）【０１６１】
ポリアルキレンオキサイドとノニオン系樹脂のろ過作用を食塩培地とダイオキシン培地に植物を栽培し実験した。
吸着作用・ろ過作用  実験（１）
ノニオン系樹脂に食塩を添加した植物培地のろ過作用。（食塩培地）
海水の塩分は１００ｃｃの海水で３ｇ（３％）の塩分を含んでいる。
（ｉ）１ｋｇのノニオン系樹脂に３０ｇ添加
（ｉｉ）１ｋｇのノニオン系樹脂に６０ｇ添加
この培地にパキラ・セローム・ベンジャミン・ポトス・アイビーの観葉植物・ミニバラ・マリーゴールドの草花を植える。
食塩の成分    炭酸マグネシウム、天日塩（海水）、塩
実験期間      １ヶ月半経過【０１６２】
パキラは３〜４日頃より葉がつやつやし、蒸散作用が活発となっていると見られる。ミニバラ・マリーゴールドは３〜４日頃からしおれる。ポトス・アイビー、ベンジャミン・セロームはあまり変化がなく、生育が可能と見られる。
（ｉ）食塩３０ｇは海水と同じ濃度である。（ｉｉ）６０ｇ培地でも１ヶ月ぐらいは変化がなく、ノニオン系樹脂の吸着・ろ過作用により塩分が吸着され、植物がその塩分の水分を吸収している。
約１ヶ月はパキラ、セロームの生育は良かった。樹脂が縮小したため水分の吸収ができなくなったためと考えられる。耐久性のある観葉植物の栽培が可能であるが、ノニオン系樹脂のポリビニールアルコールでは約１０ｇ（１％弱）の食塩を添加すると５〜２０分で水に分解してしまう。この塩素イオンの培地とすることで殺菌作用が起こり植物が生育できたと思われる。【０１６３】
この実験において砂漠地帯の植樹において、ナトリウムイオンを含有するアクリル系樹脂の植物栽培において、離水によりナトリウムイオンが流出し、水分の蒸発により地表にナトリウムイオンが溶け出す。これを防ぐために地面に水をかけ、ナトリウムイオンを地下に流し込む作用がされていたと聞いている。砂漠地帯での川の水も海水と同様であり、塩分を含有し、植物栽培が難しいとされたが、これは樹脂ににがりを添加した状態であるポリビニルアルコール培地では海水でも植物栽培が可能となる。
又、この吸着、ろ過作用は浄化槽に使用することで大腸菌の流出を防ぐことも可能である。【０１６４】
吸着・ろ過作用実験（２）
塩化ビニールの燃えがら（ダイオキシン）を使用した植物培地での吸着・ろ過作用
実験  ノニオン系樹脂１ｋｇに塩ビの灰５ｇ
植物  パキラ、ガジュマル、ミニバラ、コスモス、ポトス、アイビー
期間  １ヵ月半
ノニオン系樹脂にダイオキシン成分、塩化ビニールを燃やした灰を膨潤した樹脂１ｋｇに５ｇの灰を添加し、上記の植物を１ヶ月半栽培した。
水分をたくさん必要とするアイビー、ポトスの保水性を必要とする植物の生育が悪かったが、寒さに弱い植物でもあり、又水分を補給していないことによると思われる。しかし、パキラ、ガジュマル、ミニバラ、コスモスは何の異常もなく生育し、ビニールを巻いて屋外に配置したにもかかわらず元気である。灰による殺菌作用や保温効果が考えられ、水分の補充がないにもかかわらず、殺菌作用が重要なミニバラ、コスモスが生育しているのに驚いた。
これらは実験用で、少量の灰を使用しているが、ダイオキシンに汚染された培地においても植物栽培は可能であり、ノニオン系樹脂の吸着・ろ過作用によるものである。多量の灰をノニオン系樹脂培地に使用し、灰の中のダイオキシン等の有害物質を吸着・除去し、最小限度にすることができる。【０１６５】
ノニオン系樹脂の吸着・ろ過作用（３）
吸着・ろ過作用は上記炭水飲料やビールをポリアルキレンオキサイドに吸着させた実験により植物栽培にはビールのアルコール分は良い結果はないが、ノニオン系樹脂の吸着作用により二酸化炭素を吸着し、ろ過することがわかる。
図２６に示すように、２０℃では0.1688g/100g（=0.878ml/ml）、水１００ｇに０．１６８８ｇ溶けることが可能である。
ビールにおける炭酸ガス濃度（１．５〜２気圧）、キリンビールは０．５％程度炭酸ガスが溶けている。
炭酸飲料における炭酸ガス濃度（１．２〜３．５気圧）、ほぼビールに近い数値である。
降雨の際の二酸化炭素の数値をはるかに吸着しているのであり、地表や屋上緑化のノニオン系樹脂の使用により、吸着されるものである。【０１６６】
中和、ろ過剤作用・殺菌剤・保水剤
実験（ｉ）  図２９により
土壌の中に混合を使用する土壌保水剤は、水はけのポリアルキレンオキサイドと保水によるポリビニルアルコールによる吸着、除菌、ろ過作用、中和作用からなる植物培地からなる保水方法となる。ポリアルキレンオキサイドにイオン水を吸水させ、ポリビニルアルコールに水道水のみを吸水させ１つの容器に使用すると、中和・ろ過作用によりポリアルキレンオキサイドがポリビニルアルコールの水道水の塩素を吸着し、ポリビニルアルコールがポリアルキレンオキサイドのイオン水を吸収していることがわかる。
それはポリビニルアルコールに水道水のみを吸水させると、塩素を吸着出来ないため塩素イオンが増加し離水作用に似た状態になる。
又、この２つのノニオン系樹脂を水道水の中に入れ、切花を使用すると、ポリアルキレンオキサイドのみでは切花がチリジリして難しく、約１〜２日しか保持することができないが、ポリビニルアルコールを混合使用することで、ポリアルキレンオキサイドの残留物の数値が変化し中和されていることからわかる。又、塩素イオンが中和されている。
これらの中和・ろ過作用により、ガーデンマットとして土壌内に使用すると、同様な結果が考えられる。
この２つのノニオン系樹脂に抗菌剤を吸着させ使用しても実験２のポリビニルアルコールとアクリル系樹脂（WaterLock）の実験と同様なことが考えられる。土中において、降雨は殺菌された水ではなく、ごみやほこりが混入されているため、図３０の抗菌剤を含んだポリビニルアルコールがこの降雨を吸収することで、腐敗することが考えられる。
これにより土壌にガーデンマットとして使用するには、肥料や水道水の塩素イオンが大きな決め手となる。
よってポリアルキレンオキサイドとポリビニルアルコールの混合使用はお互いの欠点や不要物を中和し、ろ過することでより良い土壌保水剤であり植物培土となる。【０１６７】
土壌保水剤の実験
実験１土壌保水剤−Ａ〜Ｄの実験培地に植物、バラ、雪つばき、ブルーポイント、ゴールドクレスト、サザンカ、パンジーのインナーポケットをはずし、植えた。実験期間は約３週間である。ＡとＣのポリビニルアルコール（肥料吸着１ｋｇ、ＨＢ−１０１吸着５００ｇ）を使用した。
このＡとＣ肥料を吸着させた培地では、サザンカのつぼみがすぐ咲き、バラの開花も非常に早かった。しかし肥料を含んでいない培地では、あまり生育の変化が見られない。
ポリアルキレンオキサイドはアクリル系樹脂と違って離水作用がなく、土壌と混合すると図２９−Ｂと同様な状態で土が湿らず、植物の根が土で隔離された樹脂の水分を吸収することは難しく、保水効果を発揮することができなかった。
このポリアルキレンオキサイドと土壌との混合使用では土壌の約半分を使用しても、夏期においては１週間に２〜３回の水やりは必要となる。【０１６８】
図２７の実験１の土壌保水剤の実験において
実験１−（ｉ）では（ｉｉ）（ｉｉｉ）と比較してポリアルキレンオキサイドの吸水量が一番大きく、また排水量も一番少なかった。ポリアルキレンオキサイドは膨潤倍率が一番小さく、１００％吸水しているにもかかわらず（ｉ）では多量の吸水をし、少しの排水量であり、保水作用を保っている。これは樹脂と樹脂の重なりにより、樹脂が水分を抱きかかえ保っていることがわかる。離水しない分の水分を抱きかかえる保水作用があるが徐々に吸収してしまうのである。この状態は粉末のポリアルキレンオキサイドでは難しい作用である。
（ｉ）ポリアルキレンオキサイドを土壌の中にガーデンマットとして敷いた使い方であり、肥料を吸着しているが、植物の根は樹脂の表面の水分がなくなると約１〜２週間で庭木や樹木の強い根は樹脂を貫通して水分を吸水することができる。（ｉ）の培地では、バラ、サザンカはすぐ開花せず、ゆっくりつぼみを膨らます生育である。
ポリアルキレンオキサイドの土壌保水剤では根の柔らかな草花等が樹脂より直接水分を吸収することは難しいのでポリビニルアルコールの混合使用すると良い。又粉末状のポリアルキレンオキサイドを使用するとこの草花等の使用が可能となる。又形状の大きなポリアルキレンオキサイドはパルプに顆粒肥料を包み、人工的に手を加えなければならない保水方法である。
（ｉ）は土壌の表面が一番乾いているので、パンジーにつぼみが付き生育が良いのは吸着作用や水はけ作用の効果である。一年草、庭木、樹木の栽培に適している土壌培地である。【０１６９】
根腐れ防止剤による植物栽培方法
実験１−（ｉｉ）  ポリビニルアルコール（みずもち）の培地
図２７に示すように、（ｉｉ）ポリビニルアルコールは水道水を吸着すると大きく膨潤し塩素イオンを集め離水作用に変わった様に思われるが、肥料や木酢を吸着させることで吸着作用の殺菌作用となり土の中では根腐れをしない土壌保水剤となる。
実験１−（ｉｉ）ではポリビニルアルコールのみの植物栽培は保水性に富み、土壌体内では気化せず、長期的な使用が考えられるが、降雨によって大きく膨潤し吸着作用が困難になるため定期的に水道水を与えなければ殺菌作用が得られなくなる。図２８の実験２のミニバラ培地でポリビニルアルコールとポリデンプンアクリロアミド培地（WaterLock）ではどちらもイオン水入ＨＢ−１０１を吸着していたが、少量の使用であり、約１週間から１０日でWaterLockの離水により根腐れを起こしていた。水はけの悪い状態であったが、これはポリビニルアルコールとWaterLockの同様な膨潤倍率であり、ポリビニルアルコールが過剰な吸水ができなくなったことによるもので、このように（ｉ）（ｉｉ）のポリアルキレンオキサイドやポリビニルアルコールとアクリル系樹脂の混合比率は１：１より１：０．５〜０．８としなければならない。
この様にポリビニルアルコールにイオン水を吸着すると大きく膨潤し殺菌作用が起こらないため塩素を含む水道水を使用し植物に使用しなければ殺菌作用の効果は得られない。又ポリアルキレンオキサイドをポリビニルアルコールの調整剤として使用することで、中和作用やろ過作用又殺菌作用等の成長や根腐れ防止を強化できる。保水性を好むサザンカの生育が良かった。【０１７０】
実験１−（ｉｉｉ）
実験１−（ｉｉｉ）ポリデンプンアクリルアミドWaterLockは離水する保水作用があり、保水性はあるが、図２９のＡ−Ｃにより、根腐れするのでポリアルキレンオキサイドとの混合使用が適している。
ポリアルキレンオキサイド：WaterLock（アクリル系樹脂デンプンアクリルアミド）は１：１の混合使用で植物が土壌内の根で良好な生育となるが、WaterLockがポリアルキレンオキサイドより多い培地は水耕栽培の根の生育になり、図１５により根腐れをしやすいので注意が必要である。
ポリアルキレンオキサイドより少なく１：０．８位とする。
（ｉｉｉ）の実験はかつて砂漠緑化事業で行われた植樹の場合と同様なパターンということができる。アクリル系樹脂の離水作用により、流れ出た水やナトリウムイオンが地上に蒸発し、地下に水分が保水されない為水をかけて、地面にナトリウムイオンや水分を沈めているような結果となる。又、離水により水たまりができたり、樹脂が縮小して植物の水分を取ることなども考えられる。この状態は近年温暖化により夏季において猛暑によりプランターの草花がこの現象を物語っている。プランターの土壌が高温になり成育不可能な状態となってしまっている。
実験１−（ｉｉｉ）アクリル系樹脂のWaterLockの培地では、サザンカのつぼみの開花が早かった。これらは、ＨＢ−１０ｌを吸収し、水を注いだことで開花したものであるが、水を注ぐことで植物の根の水分吸収を活発にしたものである。しかしバラの色つやが悪く、生育の変化がない。縮小すると植物の水分を吸収してしまい植物が枯れてしまう心配がある。【０１７１】
根腐れ防止剤を使った植物栽培方法。
植物栽培の水と肥料の関係は培地と肥料の関係でもある。
ノニオン系樹脂の混合培地とその配合例により、植物に合った培地を作ることで水はけや保水のコントロールをすることが可能となる。
ポリアルキレンオキサイドとポリビニルアルコールの配合例
１：１  約１週間で水切れとなる（６日〜７日）
１：２  約２週間で水切れとなる
１：３  約３週間で水切れとなる
１：４  約４週間で水切れとなる
１：５  約５週間で水切れとなる（３０日）
ポリビニルアルコールのみ
０：１  水切れなし
ポリビニルアルコールでは２００ｇ培地で約２週間縮小するので４００ｇで約１ヶ月の保持となる。６００ｇ培地で１ヶ月後２００ｇになる。ポリオキシエチレンでは２００ｇ培地で約１〜２ヶ月の保持であり、４００ｇでは２〜４ヶ月の保持となる。６００ｇでは４〜６ヶ月である。この２つの混合培地で保水性を保つことができる。【０１７２】
実験１の結果
Ｅ実験（ｉ）と（ｉｉｉ）の吸水量、排水量の平均値によると
（ｉ）  ポリアルキレンオキサイド  １．５ｋｇ
（ｉｉｉ）  WaterLock      １．５ｋｇ
の混合とすると、吸水量５．８５、排水量４．１５
又、（ｉ）  ポリアルキレンオキサイド    １．５ｋｇ
（ｉｉｉ）ポリビニルアルコール  １．５ｋｇ
の混合とすると、吸水量５．７ｌ、排水量４．３ｌ
上記は実験の平均値によるものであるが、Ｃとほぼ近い数値である。
ＡのポリビニルアルコールとWarterLockの吸水量５．８ｌ、排水量４．２ｌとＥのポリオキシエチレンとWaterLockの吸水量５．８ｌ、排水量４．２ｌと同様な数値により、（ｉｉ）（ｉｉｉ）の平均値と吸水量５．７ｌ、排水量４．３ｌとほぼ同様な吸水、排水量を示していることが言える。
２種類の混合使用は最多量の水分を吸収し、最小の排水量とすることが可能である。
アクリル系樹脂はナトリウムイオンを含有し、膨潤時間や膨潤量は大きいが、縮小したときの格差が大きく、又縮小すると植物の水分を吸収してしまう欠点を持っている。又、高温により溶けてしまうため常温の使用である。
植物栽培用土として使用しにくいところを持ち合わせている。ノニオン系樹脂の離水するこれらの膨潤時間を有する樹脂があれば一番良好な組み合わせであり、より良い栽培が可能となる。しかし、離水作用は吸着作用が伴わなければアクリル系樹脂による水耕栽培の生育となり、根腐れを起こすので注意が必要である。
Ｅ（ｉ）と（ｉｉｉ）の平均値による吸水量５．８５ｌ、排水量４．１５ｌ
単品の吸水量、排水量がＣより大きいことがわかる。３種類の混合使用の排水量は大きい。
降雨の少ない地域では、ノニオン系樹脂を使用して海水を生活用水としたり、又屋上での降雨をろ過し、生活用水に使用することも可能である。（ろ紙に包むことで水分を排出させられる）【０１７３】
根腐れ防止剤による植物栽培方法
実験１−（ｉｉ）  ポリビニルアルコール（みずもち）の培地
図２７を参照すると、（ｉｉ）ポリビニルアルコールは水道水では離水作用になるが、肥料を吸着させることで吸着作用となり土の中では根腐れをしない吸着作用となる。【０１７４】
実験１−Ｃ
ポリアルキレンオキサイドとポリビニルアルコールの混合使用による土壌保水剤である。
図２９を参照すると、ポリアルキレンオキサイドとポリビニルアルコールの混合使用で、保水と水はけがうまく使用される組み合わせである。混合比率は１：１。栽培される植物は草花等に適している壌土の培地である。
Ｃの培地でバラ、サザンカ、ブルーポイント、パンジーを植えた栽培では、ブルーポイントはポリアルキレンオキサイド培地が適していて、バラ、サザンカの花木は保水性が必要で、土壌の中での使用においても保水性を高め、ポリアルキレンオキサイドとポリビニルアルコールの混合比を１：１〜１：５使用量とすることで、水やりを短縮することが可能となる。この両方の吸着作用ではあるが、ポリアルキレンオキサイドが吸着作用であり、ポリビニルアルコールは離水しない保水作用である。
又、この水やりの回数は肥料濃度の関係であり、土壌の中では３〜６ヶ月の吸水量とする。ポリアルキレンオキサイド４〜６ヶ月で約５〜１０倍の濃度でイオン交換樹脂の併用で水やりや降雨によりコントロールをされる。草花、花木の栽培にも適している。
Ｃではポリビニルアルコールに肥料を１．５ｋｇ中１ｋｇの肥料と５００ｇのＨＢ−１０１が混入されており、植物に１０ｌの水を与えたものであるが、サザンカ、バラ、ブルーポイントの生育が良いことを表す。また、この培地は吸気に触れなければ、気化しない特徴がある。
Ｃポリアルキレンオキサイドとポリビニルアルコールを混合使用することで、液体肥料を吸着し保水作用を高めることができる。又、パルプ入り顆粒と固形肥料やポリアルキレンオキサイドの粉末でポリビニルアルコールの離水作用を促すことが可能である。又、植物を植え替えた後、１ヶ月くらいは水道水の水やりを１〜２回することで根が定着し、ひとりでに樹脂を貫通し水分の吸水が可能である。
Ａ、Ｃはどちらも土壌体の植物と同様な生育となるが、降雨の少ないところでの使用が良い。降雨が多いとポリビニルアルコールの吸水量を上回り、根腐れを起こすことが考えられるならば、Ａは不要となり、雨のない所では（ｉ）、（ｉｉ）、Ｃを土壌体の中に使用することで気化せず、３年も保水効果があるとされているが、肥料を使用することで長期的な根腐れ防止剤とすることが可能である。
これらの実験によりＣの植物栽培において、屋上ガーデン、花壇、プランター、砂漠での使用は水やりや降雨の少ない土壌培地での植物栽培に適している土壌に値する保水剤により植物栽培であるということができる。【０１７５】
１−Ｃ
これらを解決するにはポリアルキレンオキサイドとポリビニルアルコールの水はけ、保水、根腐れ防止効果による高い肥料濃度で水やりを短縮する樹脂の特徴を生かした植物栽培方法である。
ポリアルキレンオキサイドとポリビニルアルコールの混合比率１：１を１：４〜１：５の分量とする培地に代え、液体肥料の濃度を高め、水やりの回数を減らし、月１回とする方法の栽培である。又、ポリアルキレンオキサイドを少し増加することで、水分をたくさん与え、月１回の水やりとする方法がある。
又、膨潤し配合された培地１：２〜１：５の培地は多湿培地には一年草のパンジー、ノースピースを栽培するには適当ではないので、この時イオン交換樹脂を０．５ｇ添加することで水はけの良い培地とすることが可能である。つまり、ひとつの培地で多様な培地を可能にする栽培方法である。これらは室内用ではほぼ気化し、乾燥が早いが、地下は気化せず長く使用が可能である。肥料と水やりの同一作用であり、根腐れ防止効果とろ過作用によるものである。
室内培度では１週間に１回の水やりを月１回〜月２回の水やりをするには植物に合った肥料濃度を表示の約２倍〜約５倍にし、イオン交換樹脂の併用することで可能とすることができる。【０１７６】
根腐れ防止剤による植物栽培方法
実験１−Ｂ、Ｄ  ポリアルキレンオキサイドとポリビニルアルコールとＷａｔｅｒＬｏｃｋの混合培地
図２７〜図２９を参照すると、実験１−Ｂにおいても同様にポリビニルアルコールに抗菌剤ＨＢ−１０１を使用しているが、液体肥料を吸着していないために植物の開花が遅れていることと、保水性が不足していることが言える。ＢとＤではよく似た水はけの生育である。
図２９のＤではノニオン系樹脂とアクリル系樹脂の混合培地の実験であるが、両方の吸着、離水作用を取り入れ保水、水はけを考慮した培地であり、実験１−ＢとＤに該当する。３種類の機能性を生かした時、大きな効果をもたらすと思われるが、吸水量、排水量が一番低く、保水量も離水によるものと保水によるもので大きいが、水はけ作用があり、草花の生育がゆっくりであるが、確実な生育となる。バラ、パンジーに適している。
寒冷地での地下の水はけを良くしないと、寒さで水が凍ってしまうので、水はけを大切にした栽培方法である。
この実験により、２種類の混合により３種類の混合が水はけを良くしていることがわかる。
又、ポリアルキレンオキサイドと、ポリビニルアルコールと、WaterLock（米国製）との混合比は１：１：１の同量としている。吸水量は少ないが、一番安全で確実である。
以上のことから、保水と水はけ、根腐れ防止と考えると降雨の多い地域での植物栽培は排出量の多いＤが良い。ノニオン系樹脂の除菌効果は、アクリル系樹脂の離水量に対して、樹脂の使用量を上回らなければ効果が上がらないので、ＤもしくはＢとなる。一番安全な培地である。【０１７７】
肥料・土壌剤
ノニオン系樹脂とアクリル系樹脂の実験により、ポリアルキレンオキサイドでは１週間から２週間位で肥料を使用しないと植物の生育が難しくなることを言った。
ポリビニルアルコールでの実験では肥料を全く使用せず、水道水で膨らましたところ、塩素イオンによる殺菌作用により約２週間位で肥料を使用しないと生育が難しくなったが、イオン水を吸着することで除菌効果がさらに働き、２週間から３週間でも生育効果が上がることになったが、ポリビニルアルコールの膨潤倍率によって約２５０倍の水道水中で長く殺菌作用を継続することが分かった。
又、実験１−Ａ、Ｃでポリビニルアルコールに肥料を吸着させているが、他の（ｉ）〜（ｉｉｉ）、Ｂ、Ｄ、Ｅでは抗菌剤ＨＢ−１０１の使用であり、チッソ、リン、カリからなる肥料ではない。
又、ポリアルキレンオキサイドとポリビニルアルコールの混合した植物培地では、月に１〜２回の水やりで良好な生育となる。室内用培地では非常な良い生育であり、水道水に液体肥料の使用が良い。このように樹脂の混合による組み合わせにより、肥料を吸着させることでさらに保水性を加えたり、水はけを良くしたりすることから肥料の使用が効果的であり重要である。特に鉢花・洋ラン・花木等では混合比を１：０．２〜１：１保水性植物では１：１〜１：３位に使用できる。
又、１ヶ月後では樹脂が縮小、あらかじめ水分をたくさん与えることができるが、これらの方法は水耕栽培の方法とも言えるが、水分を多量に与えても植物の樹液等の汚れを除菌、ろ過作用によるものである。又、水耕栽培の根に変換しないものである。宿根草の草花、観葉植物、花木、庭木、シダ類、ラン等は可能である。一年草などの草花でも水分を多く含んだ培地でも、ポリアルキレンオキサイドを増やしたり、イオン交換樹脂を合わせ使用したりすることで水はけを良くし、調節することが可能となる。
これまでにもイオン交換樹脂を使用することで、水の浄化作用を促し、肥料濃度を一定にし栽培したものである。
このイオン交換樹脂の作用をノニオン系樹脂が兼ねて備えているものである。これらの作用を土壌体の中ですることや、肥料濃度を高くすることで水やりの回数が縮小し、気化せず長期間使用が可能となる。又、室内培土においてもノニオン系樹脂の縮小する日数や期間に応じて約１〜３ヶ月の水やりや肥料やりを省くことができる。
日本の国土が酸性度により、植物作物に携わる農家では、酸性土壌をアルカリ性に変換し植物作物を栽培してきたものである。
又、この土壌を保水させるために、籾殻や腐葉土などが使用され、有機農法により微生物が植物作物より出る有機酸を食し、栽培され又、殺菌消毒して再度土壌を使用してきた。
この作用はノニオン系樹脂で、肥料と保水と根腐れ防止又、植物栽培の適合する壌土のコントロールを同時に行うことが可能である土壌体の代用であり、降雨のない地域での植物作物の土壌材として又、肥料を吸着した根腐れ防止剤の肥料として使用が可能である。【０１７８】
稲作栽培の方法
稲は水性植物であり、栽培は当初水耕栽培であるが、又排水性も必要とされるが、十分な水があれば畑にも作ることができる。
稲の栽培は前年中に田を耕し、水を引いて稲代に３〜５月籾まきをする。３０〜５０日後に田植えをし、除草、中耕、農薬散布、灌漑等の管理を経て、穂が出て４０〜５０日に刈り取りを行う（８〜１１月）。稲の発芽の最適温度は３０〜３４℃である。生長に日照の他、水と肥料が必要である。又、穂がついたまま発芽する。稲は水中でも発芽するが、水が多すぎると酸素不足になり、根が伸びない。湿った所では酸素が十分あれば発根し、地上部も生育する。田の水を落とすのはこの理由である。
植物の生長には適当な温度があり、稲の場合も生育する環境の温度と、特に水温が生育に大きな影響を与える。
田の水の取り入れ口から水温の低い灌漑水が入ってくるため、その付近の稲の生育は遅れている。この場合、肥料分が薄められて収穫が少ない。
このように稲の栽培には時間と手間をかけた管理がなされ、多大な労力をかけ営まれてきた。近年機械化の発達で変化はあるが、稲作栽培は重労働である。これらの労力の軽減は、これからの農業を変換しなくては後継者や労働力を失うもとである。ポリビニルアルコール又はポリビニルアルコールとデンプンアクリルアミドの樹脂培地又は土壌と混合培地又もみからやトウモロコシ等の混合培地に種を蒔き簡単に苗に成長させることが可能であるが特に温度の管理が重要である。
ノニオン系樹脂培地に肥料を吸着膨潤させ、田以外のハウス等での発芽をさせて苗になってから機械で植える。又直に機械で樹脂を敷きながら種をまいていく等方法は色々ある。
種も簡単に発芽する。又、水温の管理は簡単である。室内であれば、３〜４日で発根し発芽し成育が可能である。
春の冷たい田んぼの水の中にまくより、ポリビニルアルコールの保水性培地は水田の苗代の代替とし室温を上げることで樹脂培地は保温される。又、ノニオン系樹脂は凝固作用もあり種や苗床に同様な培地であり稲作には最適である。観葉植物と同様に水さえあれば生育が可能な植物であり、観葉植物より簡単に生育が可能である。
特にノニオン系樹脂にイオン交換樹脂を使用することで水腐れを防ぎ、イオン交換により少量の肥料で最大の効果を上げることが可能である。【０１７９】
実験１−Ａ  ポリビニルアルコールとWaterLockの培地
図２９によりアクリル系樹脂の離水作用により、土壌が水分を保ち、水やりをせずとも植物栽培が可能となる。
実験１−Ａは実験２のミニバラ培地と同様な作用となり、WaterLockの離水作用と、ポリビニルアルコールの保水性により非常にスピードのある生育になるが、水やりや降雨により根腐れを起こすことが考えられる。この培地ではミニバラを約２０本植える。ポリビニルアルコールとWaterLockを同量にイオン水とＨＢ−１０１を吸着させた培地である。ミニバラ２０本に対して抗菌剤の使用量が少な過ぎた。約１週間は非常によい生育であったが、１０日よりWaterLockの離水により、水分が過剰になり、少し根腐れ状態を起こしている。
このようにポリビニルアルコールは吸着作用があっても、アクリル系樹脂の離水により水はけが悪い状態になり、ポリビニルアルコールの吸着作用が伴わなくなる。
この実験は土の中の使用でも水たまり状態になり、根腐れを起こすことが考えられるので肥料濃度を高め、アクリル系樹脂の使用量を少なくすることで、根腐れを防ぎ、又使用量はポリビニルアルコールとWaterLockを１：０．８とする。
又、イオン交換樹脂は降雨の少ないときの離水作用を吸着作用に変換してしまうので、注意が必要である。
実験１−ＡとＣのポリビニルアルコールに液体肥料を吸着させて使用した培地でのバラ、サザンカのつぼみが水を与えたことで保水効果が発揮され、非常に早く開花し、又良い生育となった。
室内用培地では約３００〜５００ｇの培地ではポリビニルアルコールとWaterLockの混合使用が適しており、１：０．８位の使用量が良い。培地でシダ、ミニバラ、プリムラの生育が良い、又イオン水に抗菌剤ＨＢ−１０１の使用であるが、殺菌効果は肥料を使用することでよい組み合わせである。【０１８０】
実験１−Ｅ  ポリアルキレンオキサイド（アクアコーク）とアクリル系樹脂WaterLockの混合培地
Ｅはアクリル系樹脂の混合使用による離水される培地、水耕栽培に適している培地である。
このWaterLockやアクリル系樹脂の混合使用では、ポリアルキレンオキサイドの除菌作用やろ過作用により、離水による水腐れを防ぐことができる。混合比率は室内用培地では１：１、地下では１：０．８〜０．５位とし、ポリアルキレンオキサイドの使用量より２割程度の少ない量とすると、降雨による根腐れを防止する。ポリアルキレンオキサイド約１５０〜２００ｇイオン交換樹脂の約０．５ｇと同様な水はけ作用をすることにより使用する方法である。
又、地下において降雨のたまり水を知ることができないので、イオン交換樹脂の使用量は少量の使用とし、離水作用を妨げないようにする。
又、水やりを省くために植物が耐久性のある植物であれば、多量の給水でも良い培地である。【０１８１】
図２７、２８の実験１−Ｅの結果は、（ｉ）と（ｉｉｉ）の吸水量、排水量の平均値によると
（ｉ）ポリアルキレンオキサイド（アクアコーク）    １．５ｋｇ
（ｉｉｉ）WaterLock                         １．５ｋｇ
の混合とすると、吸水量５．８５、排水量４．１５
又、（ｉｉ）ポリビニルアルコール（水もち）    １．５ｋｇ
（ｉｉｉ）WaterLock                       １．５ｋｇ
の混合とすると、吸水量５．７、排水量４．３
上記は実験の平均値によるものであるが、Ｅとほぼ近い数値である。
Ａのポリビニルアルコール（水もち）とWarterLockの吸水量５．８、排水量４．２と、Ｅのポリアルキレンオキサイド（アクアコーク）とWaterLockの吸水量５．８、排水量４．２と同様な数値により、（ｉｉ）（ｉｉｉ）の平均値と吸水量５．７、排水量４．３とほぼ同様な吸水、排水量を示していることが言える。
２種類の混合使用は最多量の水分を吸収し、最小の排水量とすることが可能である。
アクリル系樹脂はナトリウムイオンを含有し、土壌保水剤に使用すると膨潤時間や膨潤量は大きいが、縮小したときの格差が大きく、又縮小すると植物の水分を吸収してしまう欠点を持っているが、ノニオン樹脂を同量混合使用することで土壌培地と同様な植物の栽培が可能な土壌保水剤であると言える。又ポリビニルアルコールとWaterLockの混合使用は予め大量に水道水を使用し吸着させておくことで、ポリビニルアルコールの殺菌作用が長期に継続され柔らかな草花や木が安定した生育となる。
ポリビニルアルコールの塩素イオンに寄る殺菌作用を併用し、土壌に混入する保水方法がある。従来このポリビニルアルコールは単体使用されてきたが、降雨に寄ってきく膨潤し根腐れを起こしてきた。ポリビニルアルコールには定期的に塩素イオンを含む水道水を与えなければ樹脂の殺菌作用が起こらない。この為ＷａｔｅｒＬｏｃｋが定期的に離水作用を行い塩素イオン、水を与えなければならない。又ポリビニルアルコールは保水性の他冷却作用と殺菌作用を有し、猛暑でぐったりした草花等の植物を生き替えらせる為、温暖化に対処した保水方法と言える。
Ｅ（ｉ）と（ｉｉ）の平均値による吸水量５．８５、排水量４．１５単品の吸水量、排水量がＣより大きいことがわかる。３種類の混合使用の排水量は大きいが、降雨の少ない地域での海水の使用は、ポリアルキレンオキサイドがナトリウムを吸着し、ポリビニルアルコールの殺菌作用の使用は２種類の混合使用が良くＷａｔｅｒＬｏｃｋは海水では溶けてしまう。【０１８２】
実験１−Ｂ、Ｄ  ポリアルキレンオキサイドとポリビニルアルコールとＷａｔｅｒＬｏｃｋの混合
図２７〜図２９を参照すると、実験１−Ｂにおいても、同様にポリビニルアルコールに抗菌剤ＨＢ−１０１を使用しているが、液体肥料を吸着していないために植物の開花が遅れていることと、保水性が不足していることが言える。ＢとＤではよく似た水はけの生育である。
図２９のＤではノニオン系樹脂とアクリル系樹脂の混合使用したの実験であるが、両方の吸着、離水作用を取り入れ、保水、水はけを考慮した保水方法であり、実験１−ＢとＤに該当する。３種類の機能性を生かし、吸水量、排水量が一番低く、保水量も樹脂の本来の機能を生かした離水によるものと保水によるもので、水はけ作用を備えた一番安定した循環型保水方法であり、草花の生育がゆっくりであるが、確実な生育となる。バラ、パンジーに適している。
寒冷地での地下の水はけを良くしないと、寒さで水が凍ってしまうので、水はけを大切にした保水方法である。
この実験により、２種類の混合により３種類の混合が水はけを良くしていることがわかる。
又、ポリアルキレンオキサイド、ポリビニルアルコール、ポリデンプンアクリルアミドWaterLock（米国製）の混合比は１：１：１の同量としている。吸水量は少ないが、一番安全で確実である。
以上のことから、保水と水はけ、根腐れ防止と考えると降雨の多い地域での植物栽培は、排出量の多いＤが良い。ノニオン系樹脂の除菌効果は、アクリル系樹脂の離水量に対して、ノニオン系樹脂の吸水量が上回らなければ効果が上がらないので、ＤもしくはＢとなる。一番安全な保水方法であり培地である。【０１８３】
実験１−Ｃ
ポリアルキレンオキサイドとポリビニルアルコールを混合使用による保水方法である。
図２７を参照すると、ポリアルキレンオキサイドとポリビニルアルコールの混合使用し土壌に混入した保水と水はけがうまく使用される組み合わせである。混合比率は１：１。栽培される植物は草花等に適している壌土に当たる保水剤である。
Ｃの培地でバラ、サザンカ、ブルーポイント、パンジーを植えた栽培では、ブルーポイント、バラはポリアルキレンオキサイド培地が適していて、サザンカの花木は保水性が必要で、土壌の中での使用においても保水性を高め、ポリアルキレンオキサイドとポリビニルアルコールの混合比を１：１〜１：５使用量とすることで、水やりを短縮することが可能となる。この両方の吸着作用ではあるが、ポリアルキレンオキサイドが吸着作用であり、ポリビニルアルコールは離水しない保水作用である。
又、この水やりの回数は肥料濃度の関係であり、ポリアルキレンオキサイド４〜６ヶ月で約２〜１０倍の肥料濃度でイオン交換樹脂の併用で水やりや降雨によりコントロールをされる。草花、花木の栽培にも適している。
Ｃではポリビニルアルコールに、１ｋｇの肥料と５００ｇのＨＢ−１０１が混入されており、植物に水を与えたものであるが、サザンカ、バラ、ブルーポイントの生育が良いことを表す。また、この培地は空気に触れなければ、気化しない特徴がある。
又、植物を植えた後、１ヶ月くらいは水道水の水やりを１〜２回することで根が定着し、ひとりでに樹脂を貫通し水分の吸水が可能である。
Ａ、Ｃは、どちらも土壌体の植物と同様な生育となるが、肥料を使用することで長期的な根腐れ防止剤とすることが可能である。
これらの実験により、Ｃの植物栽培において、屋上ガーデン、花壇、プランター、砂漠等での使用は水やりや降雨の少ない土壌培地での植物栽培に適している土壌保水剤の使用方法であるということができる。【０１８４】
これらを解決するにはポリアルキレンオキサイドとポリビニルアルコールの水はけ、保水、根腐れ防止効果による高い肥料濃度で水やりを短縮する樹脂の特徴を生かした植物栽培方法である。
ポリアルキレンオキサイドとポリビニルアルコールの混合比率１：１を１：４〜１：５の分量に代え、液体肥料の濃度を高め、水やりの回数を減らし、水やりを月１回とする保水方法の栽培である。又ポリアルキレンオキサイドを少し増加することで、水分を沢山与え、月１回の水やりとする方法がある。
又、膨潤し混合比を１：２〜１：５の培地は多湿培地には一年草のパンジー、ノースピースを栽培するには適当ではないので、この時イオン交換樹脂を添加することで水はけの良い培地とすることが可能である。これらは、室内用培土ではほぼ気化し、乾燥が早いが、土壌内地下は気化せず長く使用が可能である。肥料と水やりの同一作用であり、殺菌作用とろ過作用によるものである。
土壌培地では１週間に１回の水やりを月１回の水やりに縮小させるには植物に合った肥料濃度を表示の約２倍〜約１０倍にすることで可能とすることができる。【０１８５】
土壌培地の植物栽培は土壌の水分と肥料の関係であり樹脂培地の水分と肥料の関係でもある。土壌に混入する保水剤の使用はノニオン系樹脂の混合培地の混合比により、植物に合った培地を作ることで水はけや保水のコントロールをすることが可能である。
ポリアルキレンオキサイドとポリビニルアルコールの混合比
１：０．１〜０．９
１：１  約１週間で水切れとなる（６日〜７日）
１：２  約２週間で水切れとなる
１：３  約３週間で水切れとなる
１：４  約４週間で水切れとなる
１：５  約５週間で水切れとなる（３０日）
容器に入れ放置したポリビニルアルコールは２００ｇ培地では約２週間で縮小し、４００ｇで約１ヶ月で縮小し保持となる。６００ｇ培地では１ヶ月後２００ｇに縮小し保持となる。又ポリアルキレンオキサイドでは２００ｇ培地では約１〜２ヶ月の保持であり、４００ｇ培地では２〜４ヶ月のゆっくりの縮小であり保持となる。６００ｇ培地では４〜６ヶ月である。ポリアルキレンオキサイドはポリビニルアルコールと比較すると保水性が低く、植物培土では排水性の作用をしているがポリビニルアルコールよりも長期に水分を貯えることができることが分かる。この２つの混合培地が土壌内で保水性を保ち保水剤として使用される。
ノニオン樹脂に液体肥料を吸着した植物培地は、周期的に１〜２週間で水切れ起こしていた。肥料分が切れると元気は出ない。液体肥料は速効性があっても、長期的には植物を維持することは難しく、栄養切れが起きてくる。
ＨＢ−１０１を吸着した植物は、肥料ではなく、抗菌剤を含んだ栄養剤であるため、これのみでは１週間ごとに活力剤を与えなければならない。
土壌培地ではチッソ、リン、カリからなる液体肥料原液の表示されている肥料の使用方法は、肥料を吸着したノニオン系樹脂培地の水切れと同様な周期となっている。
不思議と草花（プリムラ、スノーポール、パンジー、シクラメン）観葉植物など、ポリアルキレンオキサイドとポリビニルアルコール１：１の培地では約一週間での水切れとなる。又、シダ類、バラ、洋ランはポリアルキレンオキサイドとポリビニルアルコール１：２の培地では２週間での水切れとなる。
これはポリアルキレンオキサイドやポリビニルアルコールの配合が、植物栽培に適する壌土と同様な作用であり、この液体肥料の水やりと合致することを示している。【０１８６】
ノニオン樹脂の植物培地は液体肥料を吸着使用すると土壌培地の肥料や水切れと同様に水切れ状態を起こしている。
又この土壌培地のシダ類やプリムラ、パンジー等の根の柔らかな草花等の植物は保水性の低いポリアルキレンオキサイドからの水分を直接吸収することが難しいため、保水性のポリビニルアルコールの水分を吸収し成育していると言えるが、ポリビニルアルコールは縮小が早く、降雨が少ないと水切れを起こしてしまう結果となる。
このため、この草花等の根の柔らかな植物においてはアクリル系樹脂を混合することで、離水作用を併用させ、保水性の少ないポリアルキレンオキサイドからの離水を促し、循環型とすることで水やりは全く不要である。この混合比はほぼ１：１：１で安定した保水剤使用となる。
又ポリビニルアルコール単体では保水性が高いが降雨等塩素を含まない水の吸収では約２００〜３００倍にも膨潤するが、この培地では殺菌作用が作用しなく植物の生育は良いものではない。水道水を使用し、約２５０培膨潤中において塩素イオンにより殺菌作用が働き良い成育となる。【０１８７】
保水性根腐れ防止剤による肥料・土壌剤
ノニオン系樹脂とアクリル系樹脂の実験により、ポリアルキレンオキサイドでは１週間から２週間位で肥料を使用しないと植物の生育が難しくなることを言った。
ポリビニルアルコールでの実験では、肥料を全く使用せず、水道水で膨らましたところ、離水により２週間位で肥料を使用しないと生育が難しくなったが、イオン水を吸着することで除菌効果がさらに働き、２週間から３週間でも生育効果が上がることになった。
又、実験１−Ａ、Ｃでポリビニルアルコールに肥料を吸着させているが、他の（ｉ）〜（ｉｉｉ）、Ｂ、Ｄ、Ｅでは抗菌剤ＨＢ−１０１の使用であり、チッソ、リン、カリからなる肥料ではない。
又、ポリアルキレンオキサイドとポリビニルアルコールの混合培地では、月に１〜２回の水やりとなり一番良好な生育となる。室内培地では非常な良い生育であり、水道水に液体肥料の使用が良い。このように樹脂の混合による組み合わせにより、肥料を吸着させることでさらに保水性を加えたり、水はけを良くしたりすることから肥料の使用が効果的であり重要である。
又、１ヶ月後では樹脂が縮小、あらかじめ水分をたくさん与えることができるが、これらの方法は水耕栽培の方法とも言えるが、水分を多量に与えても植物の樹液等の汚れを除菌、ろ過作用によるものである。又、水耕栽培の根に変換しないものである。宿根草の草花、観葉植物、花木、庭木、シダ類、ラン等は可能である。一年草などの草花でも水分を多く含んだ培地でも、ポリオキシエチレンを増やしたりイオン交換樹脂を合わせ使用したりすることで水はけを良くし、調節することが可能となる。
これまでにもイオン交換樹脂を使用することで、水の浄化作用を促し、肥料濃度を一定にし栽培したものである。
このイオン交換樹脂の作用をノニオン系樹脂が兼ねて備えているものである。これらの作用を土壌体の中ですることや、肥料濃度を高くすることで水やりの回数が縮小し、気化せず長期間使用が可能となる。又、室内においてもノニオン系樹脂の縮小する日数や期間に応じて約１〜３ヶ月の水やりや肥料やりを省くことができる。
日本の国土が酸性度により、植物作物に携わる農家では、酸性土壌をアルカリ性に変換し植物作物を栽培してきたものである。
又、この土壌を保水させるために、籾殻や腐葉土などが使用され、有機農法により微生物が植物作物より出る有機酸を食し、栽培され又、殺菌消毒して再度土壌を使用してきた。
この作用はノニオン系樹脂が、肥料と保水と根腐れ防止、又植物栽培の適合する土壌のコントロールを同時に行う土壌改良剤の代用であり、降雨のない地域での植物作物の土壌改良剤として、又イオン交換樹脂の併用による根腐れ防止剤の肥料として使用が可能である。【０１８８】
屋上の植物栽培方法
屋上ガーデンは、ノニオン系樹脂のガーデンマットを敷くことで、二酸化炭素を吸着、ろ過し、又、夏場のビルのヒートアイランド現象を和らげることが可能である。
植物栽培は、（ｉ）保水、水はけ、根腐れ防止
（ｉｉ）台風や強風の風よけ、防止
（ｉｉｉ）直射日光の防止
が必要とされる。
（ｉｉ）の風よけは、特に植物だけでなく、風や地震で物が飛んだり落下することで、他人の命にかかわることであり、低い建物では木製の風よけ、また高い建物ではスチール製の風よけやネットを張り、風で軽くなったプランターや植物が飛ばないよう危険防止をすることが大切である。
（ｉｉｉ）は直射日光が当たることで、水分の蒸発や高温により、植物が元気を失うことが考えられるため、塀のような風よけ等で防止することが大切である。
（ｉ）の根腐れ防止剤、角状ポリアルキレンオキサイドを不織布の袋に入れて敷くことで、降雨に混入する二酸化炭素を雨と同時に吸着させるものである。
又、プランターや花壇・屋上緑化の土壌培地の植物はポリビニルアルコールとポリアルキレンオキサイドの使用で、１、２ヶ月に１回の水やりで植物の栽培が可能となる。又、大きな植物では安定感を持たせるために、プランター内にポリビニルアルコールと木炭を入れ、ポリビニルアルコールには塩素イオンの水を使用し水の殺菌・浄化作用をする。約１ヶ月で樹脂の凝固作用で固まる。
アクリル系樹脂やポリビニルアルコールは、膨潤倍率が大きく、膨らみと縮みの差が大きいので、雨が降らないと縮小してしまう。
ポリアルキレンオキサイドとポリビニルアルコールの屋上緑化では吸着、ろ過、除菌、凝固作用が働くことにより、大きな効果を得ることが可能である。
土の代わりに木炭を使用し、浄化作用や殺菌効果を高めると共に、軽石や抗菌剤、除菌剤を含む松、杉、檜の木の皮や、抗菌剤を含む食材のワイン、アガリクス、キトサン、カテキン等の成分が流れ出ることで殺菌効果を高め、腐敗しないように殺菌加工し、土の代わりとしてノニオン系樹脂を覆うことで殺菌効果を高めることができ、又、樹脂の乾燥を防ぐと共に、癒しの屋上ガーデンが可能となる。【０１８９】
図３１と図３２は、屋上緑化の植物栽培方法の例であり、
このノニオン系樹脂の保水性や、吸着作用による水はけや、根腐れ防止の作用を花壇、プランターに使用することで、水やりを省いた根腐れ防止の植物栽培が可能になる。
降雨のみならず、寒冷地では保水性は低く、水はけを高くしなければならないが、都市部での屋上ガーデンでは夏の高温に対処し、保水性をさらに高め、水はけを低くおさえる栽培となる。これには樹脂の保水性と殺菌作用、冷却作用が必要となり、プランターや花園又屋上緑化のヒートアイランド現象や温暖化に対処することが可能である。土壌培地の保水剤や樹脂培地の植物培地保水性のみで植物が成育されるものではなく、保水性と排水性による殺菌作用又は冷却作用や適合肥料が合致して高温のプランターや花壇の植物が甦ることが可能である。
アクリル系樹脂は、縮小すると植物の水分を吸収することを考慮し、Ｃのポリアルキレンオキサイドとポリビニルアルコールの混合使用と、木炭の混合使用による栽培となる。Ｃの培地によりさらにノニオン系樹脂３ｋｇ〜５ｋｇとする（３割〜５割）。ノニオン系樹脂に木炭を１割程度（３００ｇ〜５００ｇ）を使用する。水やりは１〜２ヶ月に１回程度でよい。
ノニオン系樹脂に肥料またはＨＢ−１０１やワイン・木酢等を吸着し使用する。
土壌体のポットや鉢から植物を取り出し、プランターや花壇の土の上に乗せる。肥料水を約１０００ｃｃ〜２５００ｃｃ植物の周囲に注ぐ。その上に抗菌剤、木炭、木の皮等の抗菌効果ある素材や、又軽石を乗せて熱を遮断し適度な通気性を持たせる。
屋上緑化は夏場に気温が上昇するヒートアイランド現象対策として注目され、屋上に大量の土を盛るため、一部が流出して下水管を詰まらせる恐れがあるほか、給水作用に手間がかかるなどの問題がある。
これらの解決に吸着作用のガーデンマットを使用することで二酸化炭素問題を解決することができた。このノニオン型吸水性樹脂は紫外線によって変色したり空気中に放置することで酸化や黴の発生を起こすため、これらの光吸収剤・紫外線防止や酸化防止・黴防止・抗菌剤を使用しマグネシウム・カルシウム等のミネラル分を樹脂に添加し補充することで水道水のみで切花や植物栽培が良好となる。【０１９０】
出願人は、熱可塑性ノニオン型吸水性樹脂による人工培土及び人工培土を使用した鉢植えを出願している。使用している樹脂は住友精化（株）アクアコーク（商標）ＴＷの成分ポリエチレンオキサイドとＴＷＢの成分ポリアルキレンオキサイドであるが、同じ成分から成る熱可塑性ノニオン型吸水性樹脂である。【０１９１】
ノニオン型吸水性樹脂に殺菌作用があり、ポリアルキレンオキサイドの単体使用、ポリビニルアルコールの単体使用、又ポリビニルアルコールとポリアルキレンオキサイド・ポリエチレンオキサイドを混合使用し、この樹脂の殺菌作用による植物培地や保水剤調整剤又肥料、又ノニオン系樹脂とアクリル系樹脂を混合培地とした殺菌作用に寄る植物培土や保水剤・調整剤・根腐れ防止剤肥料等の保水方法や殺菌方法、イオン交換樹脂の使用や濾過剤、又樹脂に肥料や抗菌剤の使用等をしている。排水性のポリアルキレンオキサイドとアクリル系樹脂では１：１の混合比、保水性のポリビニルアルコール単体１とアクリル系樹脂０．８では、１：０．８としている。これは、ほぼ膨潤出来上がり量に対してそれになる。【０１９２】
ノニオン系樹脂に殺菌作用があることがわかり、日本合成工業（株）みずもち一番（商標）を購入したところ、このポリビニルアルコールは水に溶けるので、使用が難しいとされ、土壌培地の保水剤や切り花の使用が困難であると言われていた。この切り花の使用においても、切り花を長く保持することは難しく、花の鮮度保持や切り花のアレンジメントでは使用されて来なかった。このポリビニルアルコールを再度検査分析すると、膨潤方法や使用方法に問題があることがわかった。また表３の検査結果からポリビニルアルコールは水道水中では残留塩素により非常に殺菌効果が高いことがわかり、殺菌効果は高いがあまり膨潤せず又純水や降雨等では非常に大きく膨潤する事がわかった。この殺菌効果を生かし、土壌保水剤として土壌に振掛けて使用する場合と土壌に混入する場合の使用方法がある。【０１９３】
【表３】
2005065443.tif 000004
【０１９４】
ノニオン系樹脂の殺菌作用を使用する事で従来の土壌に混入する方法から振掛けて使用する方法に変える事で環境に配慮した保水剤とする事が可能と成った。ポリビニルアルコール・ポリアルキレンオキサイド・ポリエチレンオキサイド等のノニオン系樹脂は太陽熱や光エネルギーによる光触媒で殺菌作用を更に高める事が可能と成り持続される。表４に示される実験７の結果により、ポリアルキレンオキサイド、又はポリビニルアルコールは、水道水で液体肥料（液肥）の吸着使用は膨潤倍率が低くあまり吸着されない。此れに寄り樹脂に使用する肥料濃度が低下され少量の使用となり、土壌に振掛けて使用し土壌培地に浸透して殺菌し保水される。此れに寄り水やりは殆ど省かれ又雑草等の繁殖を防ぎ、元気を失った植物は甦ることが可能である。樹脂に液体肥料を吸着使用する方法では、肥料添加し吸着使用し、土壌に振掛け使用すると良い生育となる。この方法は樹脂に肥料を振掛けて使用する樹脂の植物培地と同様な殺菌作用ではないかと考えられる。１ｌの水道水中に２ｍｌの液体肥料を添加し、吸着し振掛け使用した場合、土壌培地のプリムラの花は花芽を沢山付けるが花びらを長く維持出来ないので低濃度としなければならない。【０１９５】
【表４】
2005065443.tif 000005
【０１９６】
近年栽培される農作物の肥料や農薬の減量化が叫ばれているが、従来の農業では多量の有機肥料や化学肥料等により、土壌が活性化され、害虫や雑草が繁殖しその駆除に農薬が多量に使用されてきた。これらの土壌培地を殺菌すると微生物の生育を死滅させると考えられる。温暖化により土壌の細菌が大量に発生し、植物は土壌中から水や養分を吸収することが難しくなる為、植物より排出される樹液等の排出物を吸着する殺菌剤が必要となり、水耕培地と同様に、培地を殺菌し洗浄してやらなければならない。この殺菌作用で植物は甦り良好な生育をすることができる。又、この作用で害虫や雑草の過剰な繁殖を防ぎ、土壌を乾燥から守り保水作用を省くことが可能と成る。近年木酢等の殺菌剤が土壌に使用されて来ているが、これらの殺菌剤は一時的に植物の樹液を中和し殺菌し、一週間ぐらいの効果となっている。これらの殺菌作用を長期に維持することが重要であり、可能となった。従来の保水剤はこの様にこれらの樹脂を土壌に混入する保水方法であったが、ポリビニルアルコールが水に溶けるとされ、土壌保水剤の使用が難しいとされてきた。このポリビニルアルコールを一日水道水で殺菌効果を高め、８分目膨潤した所に１〜４ｍｌの液体肥料を添加し、プランターや花壇に振掛け土壌を覆った。この単純な作業で約半年以上、樹脂の下部や間からも雑草が生えて来なかった。これは農薬の使用ではなく、土壌に混入したポリビニルアルコールの吸着作用による殺菌作用によるものである。又温暖化や真夏の高温により土壌培地では微生物や細菌が大量に発生し、酸欠状態となり植物が元気を失っている。これらを対処するため土壌の上からポリビニルアルコールを振掛けて、土壌を覆うことで土壌に肥料や樹脂が浸透し、又空気や太陽熱を遮断し、この光や熱エネルギーで樹脂が殺菌され、元気を失っていた植物は甦ることが出来た。これは少量の肥料と時々の降雨により殺菌効果が継続される。従来の農作物の栽培方法は、肥料や農薬の増量により益々悪循環となっている。ポリビニルアルコールに少量の肥料を使用し長期に植物が生育する。イオン交換樹脂と同様な樹脂のイオン交換による殺菌作用であると考えられる。又土壌に混入する場合は、チタンの粉末を混合使用することで微生物を死滅させず、殺菌作用を継続させることが可能である。この土壌保水剤と同様にポリビニルアルコールの単体の使用では、２倍〜３倍の使用量としなければ、殺菌作用は使用できず、切り花の保水剤や、水の鮮度保持においても、チタンボール等のチタンやイオン交換樹脂又図３３の水質検査によりカルシウム・マグネシウムを多く含んだ硬水は残留塩素の増強により殺菌作用が発揮されるものである。これは、ポリビニルアルコールによるものである。【０１９７】
ノニオン系樹脂の殺菌作用と光触媒により、更に殺菌作用を高めることが可能となり、植物培地や植物用ポットの使用で植物の発根を高め、生育効果を促す容器と成る。又これらは医療用の用途にも使用されるポリビニルアルコールは、植物や農作物の栽培用培土殺菌剤・保水剤・調整剤・根腐れ防止剤や土壌改質剤、冷却剤や断熱材、鮮度保持剤やろ過剤殺菌剤に使用されることも可能である。【０１９８】
又、植物の適合肥料等の実験を行なった所、ノニオン系樹脂の殺菌作用と肥料の新しい使用方法により、長い肥料及び水の保持効果や長い花の開花をする肥料濃度を発見した。従来の土壌培地で使用する肥料は、液体肥料１ｍｌ・１０００倍０．５ｍｌ・２０００倍、０．２５ｍｌ・４０００倍、２ｍｌ・５００倍４ｍｌ・２５０倍の使用方法であり、これらの肥料以外の肥料は使用されていない。この２．５ｍｌから３ｍｌを添加した４００倍から３３３倍の肥料の３．３３倍に当たる培地で、６ｍｌから１０ｍｌの肥料の使用をする事で花の開花を長くし咲き続ける事が可能である。３倍の数値で６〜１０ｍｌ・１６ｍｌ〜２０ｍｌ、２６ｍｌ〜３０ｍｌ、３６〜４０ｍｌとの数値を使用することで肥料や花の開花を長くし水の保持を長期間とすることが出来た。これは１０００ｍｌの水の中に３ｍｌの肥料を添加し、約３３３倍の使用とし６ｍｌでは約１６６倍、９ｍｌを添加すると１１１倍以上の肥料の使用となるが、これらは使用する樹脂培地の重量の１０％の肥料を使用しており、樹脂培地に振掛けて使用している。又表５に示すように、土壌培地では水やりは１週間に１回〜月に４回と度々水やりが必要であるが、これらの肥料は全て鉢底より流れ出し地下に浸透している。これらの肥料やりの作用を２ヶ月、３ヶ月又それ以上長くし肥料や水やりを省くことが可能と成った。ノニオン系樹脂は吸着作用により液体肥料を吸着使用すると、水切れが速く１週間〜１ヶ月と土壌培地と同様な水やりと成ってしまう。又アクリル系樹脂等を使用した植物培地や保水剤は液体肥料を吸収使用されて来たが、やはり約１ヶ月に１回と樹脂の縮小が非常に速いことである。この水切れを寄り長く保持し２ヶ月・３ヶ月又６ヶ月と長期間とすることで生産メイカーからの商品化が可能となる。ノニオン系樹脂は肥料を吸着使用し、小売店等で長時間紫外線に当たると樹脂が変色する為液体肥料を吸着使用し販売することは難しかった。この為イオン交換樹脂を使用すると水切れが速く、又イオン交換樹脂の茶色の肥料成分が溶け出し、透明性な美しい樹脂培土を汚して仕舞っていた。又液体肥料を吸着使用すると樹脂が離水作用を起こし、特にバラの栽培が難しかった。この離水作用は極少量で定期的に離水される物ではないが、離水作用は樹脂培地が一旦吸着した汚れた水分を吐き出すことで、殺菌作用が低下し又保水性が高まり一時的に生育が悪化した。これは定期的な物ではないので、土壌培地では土壌を保水され悪い効果とは成らないが、容器中の樹脂培地では少量の水分で生育を悪化させる為、少量の肥料を樹脂培地に振掛け使用することで植物の使用がより長く良い生育培地とすることが出来た。又この少量の肥料を使用することで土壌培地を保水し殺菌することが出来る。樹脂培地では樹脂が縮小する程排水性植物は良い生育と成る。【０１９９】
【表５】
2005065443.tif 000006
【０２００】
又、土壌保水剤の使用においても樹脂に肥料を吸着使用されて来た。アクリル系樹脂では離水作用で土壌が保水されても、樹脂は直に縮小してしまい、１ヶ月に１回の水やりをしなければならなかった。又ポリビニルアルコールは水に溶けるとされ、土壌保水剤においても使用が難しかった。これらを考慮し樹脂に少量の肥料を使用し、土壌に振掛け土壌を覆い被せることで、土壌を殺菌し水やりが省けると共に雑草の繁殖を防止することが可能と成った。この殺菌作用は、樹脂を水道水で膨潤し、８分目膨らんだ所に肥料を使用すると殺菌効果が発揮される。ポリビニルアルコールは、水道水では膨潤倍率が低下し、又この振掛けを使用する肥料においては、完全に吸着使用した２ｍｌの肥料は強すぎ、プリムラの花は花芽を沢山保持しても花を長く維持できないので、下記の早見表より吸着使用では、肥料濃度が高くなってしまうため、肥料を少量吸着し、例えば１０〜３０％ぐらいとし、濃度は低く植物の種類により異成る為土壌培地の液体肥料の使用とする。【０２０１】
アクリル系樹脂による植物培土や保水剤は、定期的な離水作用により植物培地は保水され、植物の排出した樹液等の汚れを吸着する作用はなく、土壌培地で生育した植物は根腐れを起こし長期の生育は難しく、一時的な鑑賞用のみの培土とされて来た。又砂漠緑化事業においても、アクリル系樹脂が使用され、樹脂の離水作用により土壌培地は水耕栽培地化し植物の生育は、緑化事業においても効果が発揮されて来なかった。又合成樹脂やノニオン系樹脂においても、アクリル系樹脂と同様な作用と考えられ、水耕培地で生育された耐久性に強い観葉植物の培地に限られてきた。このノニオン系樹脂の吸着作用による殺菌作用で、土壌培地と水耕培地の両用の培地で植物の生育が可能となり、土壌の代替えとすることが出来た。又ノニオン系樹脂であるポリビニルアルコールは水に溶けると言われて、その使用は難しいとされてきたが、樹脂の殺菌作用を利用し、土壌に混入せず土壌に振り掛け使用すると、殺菌と同時に保水され雑草の繁殖を防ぎ水やりが殆ど不要と成った。又ポリアルキレンオキサイドやポリエチレンオキサイド等のノニオン系樹脂の植物培地や土壌保水剤は、吸着作用により土壌は保水されず、定期的に水やりをしなければならなかった。この保水性の少ないポリアルキレンオキサイドやポリエチレンオキサイド等のノニオン系樹脂はポリビニルアルコールやアクリル系樹脂等の保水性樹脂を混合使用することで保水剤の効果が発揮される。又砂漠緑化事業等の植樹やプランター等の植物栽培、又室内用の樹脂培地においても同様な樹脂の使用方法となる。この方法により土壌培地と樹脂培地が活性化され保水剤調整剤の他、根腐れ防止剤・殺菌剤・除草剤肥料農薬等の使用に効果が発揮される。又保水性樹脂のアクリル系樹脂では、ノニオン系樹脂を混合使用する事で殺菌作用を有し、土壌培地と同様な植物培地や水耕培地とすることができた。又この混合比は樹脂の膨潤量で１対１とし、ノニオン系樹脂の使用量を８０％以上としなければならない。【０２０２】
この殺菌作用は保水性培地を排水性培地とし、排水性培地を保水性培地とすることが出来る。この作用と同様にポリビニルアルコールやポリアルキレンオキサイド・ポリエチレンオキサイドに極少量の肥料の使用によりその効果を発揮される。保水作用と排水作用が同時に行われ土壌を殺菌し、保水され植物は甦り良好な生育となる。これにより、農薬による残留農薬の駆除や連鎖障害等の中和剤や改質剤等の土壌を洗浄改質することが可能となる。地球温暖化に伴ない更にノニオン系樹脂の殺菌作用は農作物や植物使用に重要となった。【０２０３】
保水作用と殺菌作用が同時に行われ植物の生育が甦る。これにより、保水性培地で植物の生育が可能となる。又この樹脂培地に草花や鉢花・洋ラン・ハーブ・観葉・花木・球根・サボテン等の土壌培地で生育されたあらゆる植物の根の土を洗い流した寄せ植えや、又土壌培地のまま寄せ植えが可能となった。従来では藤の籠にラッピングシートを敷き土壌培地のポットの植込みをこの籠に盛込んだ寄せ植えであった。樹脂培地の肥料濃度は樹脂の種類に寄り異なり、園芸店や生花店又生産農家や又緑化事業等に簡単に使用され、寄せ植えや植樹が可能な樹脂の肥料の使用方法や下記の早見表又樹脂の殺菌方法や、イオン交換樹脂やチタンによる植物殺菌方法や水の鮮度保持方法、土壌の断熱剤殺菌剤や殺菌方法等がある。又従来使用されてきたアクリル系樹脂培地においても、イオン交換樹脂の使用やノニオン系樹脂を同量混合使用することで土壌培地の植物が生育可能となっている。この混合比を１対１としノニオン系樹脂の使用量を膨潤量の約８０％以上としている。又これ以下では水耕栽培の根の生育となってしまう、これは植物の実験により実証している。【０２０４】
この保水性ポリビニルアルコールは、水道水や液体肥料等を使用すると溶けてしまうとされていた。この水に溶けたポリビニルアルコールの中に手を入れ樹脂を掬い上げると透明なガラス状となり、ざるに空け水分を切るとポリビニルアルコールは前の糊化状の重なりからなる、柔らかな固まり状態にも戻ることがわかった。水の中で溶けていると思われていたが、柔らかな糊化状態から形状を変えていたと考えられる。又塩素に触れることで粒子の重なりの間にだき抱えていた水分を解き放し、離水作用に変化したものと考えられる。【０２０５】
水に溶けるとされたポリビニルアルコールの水道水の培地で、日々草等の草花が水耕栽培の根に変化せず、土壌培地の根のまま生育をしており、殺菌効果を有しているとした。この水に溶けるとされたポリビニルアルコールを土壌に振掛けて使用すると、真夏においでも土壌培地が保水され水やりが、月に約１〜２回と短縮され、従来の土壌保水剤の使用方法を簡略改善することができ、又環境に配慮した使用方法とすることができた。この方法はポリビニルアルコールの殺菌作用と保水作用によるものであり、土壌に振掛けて使用することで太陽熱や光エネルギーにより更に殺菌作用を高めたものである。このポリビニルアルコールの殺菌作用を分析機関による検査と実験で確認することができた。このポリビニルアルコールの細菌繁殖抑制効果、表３に示すデーターでは、ポリビニルアルコール５ｇに対して水道水を２００倍の使用では樹脂培地の細菌繁殖が少なく、２５０倍では全く１０日間、細菌が繁殖せず、殺菌効果を有していることがわかった。ポリビニルアルコールは水で溶けるとされて来たが、表６に、実験１の純水では多量に水分を吸収し、約３００倍にも膨潤している。又表７に示す実験５の水道水では水分を多量に吸収できず、大きく膨潤することが難しかった。この為水道水が使用できない土壌培地では降雨により大きく膨潤し、殺菌作用を失ない生育が悪化したのではないかと考えられる。【０２０６】
【表６】
2005065443.tif 000007
2005065443.tif 000008
2005065443.tif 000009
【０２０７】
【表７】
2005065443.tif 000010
【０２０８】
表８に実験２のポリビニルアルコールの圧縮使用や次亜塩素酸ナトリウムや水道水の使用で殺菌作用が発揮される。この殺菌作用は樹脂の吸着吸収作用によるもので、植物培地では特に排水性と通気性が大切となり、植物の生育の成否を決めるカギを持っている。この樹脂を使用した植物培地は、水道水による塩素イオンやチタン・イオン交換樹脂や抗菌剤木酢等の使用や併用でより良い殺菌作用が可能となる。又農作物の農薬や肥料の減量化が叫ばれているが、栽培農家ではキャベツに３０回も農薬の散布されていた事を知り驚いた。農薬の散布は毎日食べる生野菜に直接散布されており、これらの農薬や肥料の減量はイオン交換樹脂の極低濃度の肥料と同様に、ポリビニルアルコールに少量の肥料の使用で長期に米や野菜栽培に使用され、生育を維持することが可能となり、労力やコスト削減することも可能となる。【０２０９】
【表８】
2005065443.tif 000011
【０２１０】
ノニオン系樹脂の殺菌作用は、植物培地では花や緑の植物や挿し木等の他、稲の種籾の発芽等稲作培地や野菜栽培等の栽培に使用される。特にポリビニルアルコールは稲作の種籾の発芽使用に効果を発揮し、田畑の栽培培地の除草を同時にする。種籾の発芽では従来の農業では発芽時の芽の生育を均一にするために５日〜１週間熱湯に種籾を漬け、手をかけ大切に育てらて来た。稲は陸稲と水稲があり、水稲は特に水田の水中の生育であり、ポリビニルアルコールの培地と同様な培地を好み生育されることから、種籾の培地に適合していることがわかる。表９に実験４では種籾の発芽発根を表にしたものであるが、実験４では使用した樹脂の量が少なかったが、種の種類によって保水性培地を好む稲作用種籾ではポリビニルアルコールに直まきで２ｍｌの肥料で十分生育効果をあげることができる。保水性を好まないトウモロコシでは生育が難しかった。６月中旬の水温によるが約２〜３日で発根し発芽する早い生育である。保水性を好むカイワレ大根やハーブ等の野菜栽培においても、イオン交換樹脂や液体肥料の低濃度の肥料の使用で土壌培地の代替培地とし米作りや野菜栽培に使用し、環境と安全性に配慮した栽培が可能である。又表６に示す実験１の純水による約２５０倍の膨潤倍率の培地においても、ハーブの栽培が可能となっているが、かなり保水性培地であり液体肥料のみでは生育は難しくイオン交換樹脂を使用している。イオン交換樹脂肥料やポリビニルアルコールの殺菌効果や保水効果を使用した低濃度による肥料の稲作が大切であり、温暖化に対処した短縮した栽培方法や労働力軽減が可能となる。ポリビニルアルコールとポリエチレンオキサイド・ポリアルキレンオキサイドの混合培地では食の安全性を考慮し、植物培地のみとしなければならない。又特にポリビニルアルコールは水道水を使用すると液体肥料の吸収能力が低下してしまうため、イオン交換樹脂の使用か液体肥料の低濃度の使用が最も良い生育となる。これにより純水に液体肥料を添加して吸収させなければならない。ポリアルキレンオキサイド・ポリエチレンオキサイドにおいても、肥料濃度が高くなるにつれて吸収能力が低下して行くため、膨潤時間を長く倍率を大きくすると良い生育となる。ポリビニルアルコールは水に溶けてしまい、使用が難しいとされてきたが、この樹脂の特徴を理解し、実験で求められた使用方法や適用肥料で殺菌作用を有する栽培が可能となる。【０２１１】
【表９】
2005065443.tif 000012
【０２１２】
ＰＶＡ等の保水体を使用する切花のアレンジメントは、特に夏季では水腐れにより切花を長く保持することは難しく、使用されて来なかった。地球温暖化により、益々切花を長く楽しむことは、難しくなるだろうと考えられるが、ＰＶＡ等のノニオン系樹脂はカルシウム、マグネシウムを多く含む硬水の使用が必要となり、又イオン交換樹脂や、次亜塩素酸ナトリウムの増量やチタンによる光触媒の併用により、殺菌作用が高められることができた。又チタンによる光触媒では、バラ等の切り花や榊等の木物では約１ヶ月イオン交換樹脂の使用で榊は４０日保持が可能となり、チタンの併用で夏季においても長期に切花のアレンジメントが可能となった。水道水や純水を使用し切花の保持が可能となり夏季のアレジメントが可能となった。又水の殺菌や吸水性樹脂による切り花・植物培地の使用に、又魚の水槽等の浄化作用にチタンの併用が重要となった。このチタンの使用は水腐れや樹脂の殺菌作用の他、黴の発生防止が可能である。又この殺菌作用は水槽等の他、浄化槽、河川、海中等に使用が可能である。更に、上記のイオン交換樹脂や、次亜塩素酸ナトリウムの増量やチタンによる光触媒の併用の上に、芳香剤を添加することで、より一層の浄化効果を図ることができる。【０２１３】
又河川や海中での細菌の繁殖で魚介類や海藻類等生態系が危ぶまれて来ている。ポリビニルアルコールは塩素や食塩の使用により殺菌作用が高まることから、細菌の繁殖防止に使用し海水や河川の生態系を維持することができる。ポリビニルアルコールの殺菌作用で魚の水槽や海水のろ過剤や細菌の吸収剤、殺菌剤又海水の改質剤の使用で効果が発揮される。【０２１４】
又このノニオン型吸水性樹脂を着色混合使用し、更に芳香剤を添加して、切り花のアレンジメント等の切り花使用や植物培土、魚の水槽等のろ過剤の使用とする。当時では着色した樹脂は存在していたが、混合使用はされておらず、今日テレビ・画面から映し出される映像や文字は非常にカラフルとなり色彩豊かとなった。当時ではこの様な色を何色も使用した色調ではなく、単調で簡素な色彩の使用であった。この色彩による配色は誰でも作り出せる配色ではなかった。たとえば、スカイブルーとマリンブルーとクリアの混合比において、スカイブルーを多くし、マリンブルーを少し少なくすると絶妙な美しい色彩となる。又イエローとスカイブルーとクリアの混合においても、スカイブルーが多いとミントグリーンになり、イエローが多いとライトグリーンとなる。又スカイブルーとパープルとクリアの混合による色彩やピンクとイエローとクリアの色彩においても、従来この配色は日本的ではなく、同量の混合使用で全く交わらない色であるが、イエローが多いとピンクとイエローが重なりオレンジ色に見え、ピンクを少し増すとモダンな色彩となる。又ピンク、パープルとクリアではクリア多いと、清涼感が感じられるが、ピンク、パープルのカラーが多いと全く同じカラー樹脂かと思われるほど濃厚な神秘的な色彩となる。又グリーンとマリンブルーとクリアの混合、マリンブルーが多少多いと明るいサファイアブイアブルーの海の色彩になり、グリーンが多いと暗い海のサファイアグリーンの色彩となる。又この中にパープルを少量混合使用もしている。又このグリーンとマリンブルーとクリアにイエローとパープルを少量混合使用している。又イエローとパープルとクリアにおいても、同じ強度では相反する色彩ではあるが、イエローを薄く混合使用すると自然な色彩となる。ピンクとパープルとイエローを少量としクリアとスカイブルーを多くし、またこの組み合わせを逆にイエローを多くしピンクとパープルスカイブルーを少量とする。【０２１５】
又ブラックとホワイトの配色にスカイブルーを混合し、又は農紺とホワイトの配色にスカイブルーの混合の色彩や、ライトグリーンとスカイブルーの色彩、又ライトグリーンとサーモンピンク、又はオレンジの色彩やブラウンとオレンジとクリア、又はイエローの色彩にレッドとグリーンを使用し紅葉を表現する等、食紅の着色は水を使用すると色が落ちてしまうなど食紅ではできない新しい色彩を混合比や色の濃淡で作る色の組合せによる色彩であり、又これらの配色をクリアの樹脂に重ねて使用したりする、単色使用とは異なる使用方法である。単色使用は１２色又は２４色の一色であるが、この色彩による混合使用で透明性容器をキャンバスとし、花と緑を引き立てるアートとなる。又単色やクリアの樹脂は使用する人が自由な発想で、年齢や性別を超え誰でも楽しむことが可能となる。樹脂の混合使用は少量の加減で美しさが損なわれるものであり、誰でも簡単に作れない色彩を混合比で調整し使用している。またこの混合使用による配色はノニオン系樹脂以外の吸水性樹脂やアクリルガラス等にも使用することができ、外見上全く同一な配色となり同一の類似商品となってしまう。この混合使用は樹脂やガラス・セラミックスやビー玉・砂や石等の鉱物等の観賞用途に使用され、透明な容器に植物や切花・造花等に使用される。この着色加工した素材と着色加工しない素材を混合し、美しい色彩を醸しだす観賞用の培土である。又この混合使用した樹脂培土は切花や植物培地の使用の他、この着色樹脂に吸着吸収作用を利用し、消臭剤・芳香剤等の香りを振り掛け、造花等のアレンジメントも可能であり、機能性を保持した着色樹脂を目的とした使用方法である。この培土に色落ちしない着色加工の樹脂を使用することは高価格となり供給市場を失ってしまうため、実験に求められた適用肥料に着色剤を添加し、着色されない樹脂に肥料を吸収したり、振掛けると同時に着色がされる着色剤入液体肥料、又は着色剤を使用することで低価格な樹脂培地を作ることができる。又これらのノニオン系樹脂にアクリル系樹脂・ガラス・ビー玉・木炭・セラミックス・砂や石類や鉱物系等の培土の併用使用が可能であり、混合使用することで美しい人口培土が醸し出される。市販の液体肥料は薄いブルーカラーに着色されているが、これは水との色別する目的での着色であり、この市販されている薄いブルーカラーの着色された、１〜１０ｍｌ程度の液体肥料の使用では液体肥料を振掛けても、着色されず６ｍｌ以上の吸着使用により着色される。樹脂の着色を目的とした液体肥料の使用とする。【０２１６】
又着色しない樹脂は挿し木や種苗培地として使用の他、植物の鉢植えやポット植え等の土壌培地の代替え、さらに砂漠緑化や屋上緑化又花壇・畑・プランター等植物培地として使用される。又培土の塩分の吸収能力や凝固作用の特長を生かし、砂漠緑化・河川の修復工事や海岸沿いの畑の土壌や植林による土壌の代替えや、汚染培地の土壌改良剤又樹脂の改質剤として使用される。【０２１７】
ノニオン系樹脂の殺菌作用は、樹脂の吸着吸収作用によるもので、イオン交換樹脂や光触媒と同様な作用を有している。この殺菌作用は特にポリビニルアルコールの呼吸作用に似た吸着作用によるものであり、樹脂が縮小し乾燥しているにも関わらず、洋ラン等の植物が発根し新芽を沢山付けている。又ポリアルキレンオキサイドにおいても、肥料や水道水や純水の使用で吸着作用が活発になり殺菌作用が発揮される。又この単体培地は排水性が高く、肥料の使用がなくても植物が生育する殺菌作用を有しているが、保水性が低いことから、保水性植物の栽培が難しく保水性の高いポリビニルアルコールを混合使用することで植物培地と保水剤の使用が可能となる。又ポリビニルアルコールは保水性が高いが排水性が低く単体での植物の生育は難しく、保水性植物の使用ではイオン交換樹脂の併用で使用が可能となる。土壌培地の保水作用と殺菌作用を有する土壌殺菌剤となる。又ポリビニルアルコールの単体使用は水に溶けるとされていたが、殺菌作用を有しており、肥料や少量の次亜塩素酸ナトリウム、イオン交換樹脂や抗菌剤等、又チタンの使用により活発に殺菌作用が継続される。これによりイオン交換樹脂やカルシウム・マグネシウム等を含有し、硬水を使用することで更に殺菌作用が高まる。【０２１８】
又この殺菌作用は土壌培地内の温度が高温になり、雑菌が繁殖し植物の生育が悪化する為、太陽熱や外気温を遮断しなくては下熱処理はなされない。この為土壌に振掛けて使用し、ポリビニルアルコールに適合肥料を使用することで、太陽熱や外気温を遮断し土壌培地を下熱殺菌し、土壌の下熱処理が発揮される。下熱処理土壌殺菌剤は、適合肥料と約１日据え置きし殺菌効果が高まった所で使用効果がより発揮される。又この使用方法で水やりの回数を省く事ができ時々降雨により殺菌作用が継続される。【０２１９】
又、表１０及び図３３に示す実験データーは、ノニオン樹脂細菌繁殖抑制効果の試験と水質検査結果の他、植物の実験のアクアコークはポリアルキレンオキサイドを使用したデーターである。表１１の酸、アルカリ水溶液は吸収能力にも優れており、ＴＷは標準タイプとＴＷＢは強度改良タイプである。【０２２０】
【表１０】
2005065443.tif 000013
【０２２１】
【表１１】
2005065443.tif 000014
【０２２２】
表１０では、５日間の実験データではあまり殺菌効果が表れず、さらに表１２ではポリアルキレンオキサイド細菌繁殖抑制試験をすると、精製水で約２０倍膨潤で殺菌効果を有しており、表１３に水道水では２０倍から２４倍で３日〜６日間細菌数が減少し殺菌作用を有している。塩素濃度が低下後約７〜１０日で一旦吸収された細菌が流出していると考えられる。一旦吸収された細菌が再度流出し、植物の生育は悪化することが考えられるが、この検査では肥料が使用されていない為、この培地に適合肥料の使用が最も重要であり、離水作用を吸着吸収作用に変換させ、流出した細菌が吸収され悪化した植物は元気を取り戻す事が出来る。植物は植替え後、約３〜４日で発根し、水耕栽培の植物は新しい根で、土壌栽培の植物はそのままの根で生育が可能となる。又この植物培地内に適合肥料を使用していない場合は、流出した細菌により植物の生育は弱まるが、この培地に水道水やイオン交換樹脂の使用、又水道水に次亜塩素酸ナトリウムを強化することで切花や植物は元気になり生育を保持することが可能となる。通常水道水は０．４〜０．５ｍｇ／リットルＣＬ塩素が使用されるが、最低０．１ｍｇ／リットル残留塩素が使用されなければならないが、腐養土に０．１ｍｇ／リットルの水道水使用しても殺菌作用は認められず、０．４〜０．５ｍｇ／リットルの塩素保持することで切花等の保持がなされる。これによりポリビニルアルコールポリアルキレンオキサイド又ポリエチレンオキサイドにおいても残留塩素０．４〜０．５ｍｇ／リットル保持されることで樹脂の殺菌作用が継続されることが可能である。又この培地の肥料濃度は植物と適合する適正肥料でなければならない。植物の実験ではイオン交換樹脂や液体肥料を使用してきたが、特にミニバラの生育は難しく、同じ培地においても少量の肥料の変化で生育の成否が起こって、排水性や肥料濃度が特に重要となり、適合肥料でなければ生育が難しいことがわかった。又細菌の流出により植物の生育が弱まって悪化する為、あらかじめ水道水に０次亜塩素酸ナトリウムを強化し、膨潤させると殺菌作用を強化し効果をあげることができる。又水道水１リットルに０．２％の食塩水の使用では一時的には殺菌効果は働くが植物の生育にはよい作用とはならない。この０．２％の食塩水は２０，０００〜３０，０００ＰＰＭの海水とほぼ同等であるが植物の生育には難しい。植物の生育には良い作用とはならない為、培地にアクリル系樹脂の混合使用も可能であるが、アクリル系樹脂の強い吸着作用により程よい水分も吸収されてしまう。この程よい肥料や水分が長期の水分や肥料保持となるが、この水分が保たれなければ定期的に水分を与えなければならなくなる。これらを考慮しこの培地に水道水を使用することで土壌培地で栽培されるあらゆる植物の栽培が可能となる。【０２２３】
【表１２】
2005065443.tif 000015
【０２２４】
【表１３】
2005065443.tif 000016
【０２２５】
表１４に示す実験６では、表３でのポリビニルアルコールを２５０倍の水道水を使い、１２５０ｍｌの水中で５ｇがどれぐらい膨潤するかを見ると、２４時間では４８４ｇ、約９７倍の膨潤率となり、水量の３９％の出来上り量であり、４８時間では４２５ｇで８５倍の膨潤率となり水量の３４％の出来上り量である。７２時間では４００ｇの８０倍の膨潤率となり、水量の約３２％の出来上り量となり、９６時間の４４０ｇは８８倍の膨潤率となり、水量約３５％の出来上り量である。又この平均で４３７ｇは約８７倍の膨潤率で水量の３５％の出来上り量である。又１日〜４日間では樹脂は水道水中に縮小していることがわかる。この２００〜２５０倍の樹脂培地の殺菌効果は容器内の水分中によるものであるが、このポリビニルアルコールの水中においても切花を２〜３日保持することは難しく、これらの鮮度を保持するには水道水に次亜塩素酸ナトリウムを増量し、０．４〜０．５ｍｇ／リットルの残留塩素を保持しなければならない。又１リットルの水道水に２ｇの食塩とポリビニルアルコール５ｇを添加し水中にバラの花を生ける。これにより漸くポリビニルアルコールの殺菌作用の効果が現われ、５日〜１週間の効果となる。この食塩は海水と同等の塩分となり切り花には余り良い心地状態とは言えない。これらの殺菌作用をチタンボール等のチタンによる光触媒の殺菌作用により一層効果を上げることが可能となった。液体等の抗菌剤では一時的には効果は認められても其の効果を継続することは難しく、チタンによる殺菌使用が大切であり重要となった。又このチタンはポリビニルアルコールを使用せずとも、水道水中にて其の効果を発揮することが可能である。今まで水腐れにより切り花を長く保持する事が困難であったがこのチタンボール等のチタンにより切り花のアレンジメントや切り花使用が可能となった。又次亜塩素酸ナトリウムを増量し、バラ等の水の鮮度保持も可能となる。又、根のあるバラの生育にも殺菌作用が特に重要であり、イオン交換樹脂・次亜塩素酸ナトリウム又チタンの併用で殺菌作用を高め吸水性樹脂による植物栽培が可能となった。【０２２６】
【表１４】
2005065443.tif 000017
【０２２７】
図３３の水質検査結果によると、水道水でポリビニルアルコールの単体使用やポリアルキレンオキサイド等の混合使用において、塩素イオンがブランクより増加し、カルシウムとマグネシウム等の硬度がブランクと比較すると、６０％に減少している。又樹脂には蒸発残留物が多く含まれているため、切り花の使用では樹脂を水洗いしてから使用しなければならなく、減少しているカルシウム・マグネシウム等を添加し硬水を使用することで切り花を新鮮に保持することが可能となる。従来、花屋さんでは切り花で使用する水道水は毎日取り替え管理されている。特にバラや夏季の水の鮮度保持は難しく、ＰＶＡ等の保水体による、切花のアレンジメントはなされて来なかった。切花のアレンジメントや切花・榊等の長持ち剤としてイオン交換樹脂の使用やカルシウムやマグネシウムを多く含む硬水、純水の使用、又ポリビニルアルコールやポリアルキレンオキサド・ポリエチレンオキサイド等に次亜塩素酸ナトリウムを強化する方法の他、チタンの光触媒による殺菌方法でで水腐れを防ぎ、植物の鮮度保持が可能となった。【０２２８】
表１５に実験３では１ｇのポリビニルアルコールと約１００ｇの純水とイオン交換樹脂０．１ｇの使用で榊・バラ・マーガレット等の切花の使用が可能となり、圧縮使用した培地でバラの花を保持することができた。純水にイオン交換樹脂を使用すると、特に榊等の木物の鮮度保持が効果を発揮し、夏季においても５００ｃｃの純水でイオン交換樹脂約０．５ｇで約４０日以上新鮮に、購入時よりつやつやと光り輝いている榊の使用が可能である。又、水道水においても純水より多少劣るがイオン交換樹脂の使用で切花等の水腐れを防止することが可能となる。このイオン交換樹脂は元来水耕栽培用に開発されたものと思われるが、ハイドロコーン等の水耕栽培用培地に水道水を循環し栽培されている。これらの水耕栽培用培地に硬水純水の使用やチタンを使用することで、切り花や榊等の水腐れと同様に植物培地の水腐れを防ぎコストを削減することが可能となる。【０２２９】
【表１５】
2005065443.tif 000018
【０２３０】
表３による水道水２５０倍の殺菌作用は分析検査センター吉田町上水の水道水における残留塩素含有量は約０．５ｍｇ／ｌである。【０２３１】
表７に示す実験５に使用している水道水の残留塩素含有量は０．４ｍｇ／ｌであるが、一般的に水道水に使用される残留塩素は０．４〜０．５ｍｇ／リットルである。表６に示す実験１のポリビニルアルコールの純水を使用した膨潤倍率と異なり、非常に低く、約５３〜１２３培の膨潤率となっている。【０２３２】
表７に示す実験５での水道水での膨潤重量は１時間〜３０時間では水道水３リットルを使用し、ゆったりとした容器内で膨潤したものである。１時間〜３０時間のポリビニルアルコールの水切り１０分の平均膨潤量は、約５３０ｇで約１０６倍の膨潤率、水量の約６分の１で約１８％に当り、又２時間水切りをした平均膨潤量は４８２ｇとなり、約９６倍の膨潤率で水量の約６分の１、約１６％に当る。表１４に実験６の２５０倍の水道水の２４時間、膨潤量４８４ｇとほぼ同量の膨潤量となっているが、ゆったりとした３リットルの水道水を使用した培地と１２５０ｍｌの水道水を使用した培地では水量は異なっているが、平均膨潤量はほぼ同量となっている。表１４に示す実験６の２５０倍の水道水中においても残留塩素が低下したのにもかかわらず、２日目・３日目とポリビニルアルコールの重量は減量となっている。【０２３３】
表３のポリビニルアルコールは２００倍の水道水より２５０倍の水道水中で細菌が繁殖しておらず、水量を増量し残留塩素が０．１ｍｇ／ｌ未満に低下したにもかかわらず塩素イオンが増加しているため水道水を増量することで殺菌作用を高めていると言える。【０２３４】
図３３の水質検査の結果は３日目の結果である。１日目は水道水で膨潤した樹脂５００ｇを作り、２日目に１リットルの水道水を加え、１日放置し３日目にサンプリングしたものである。実際には水道水を加え２日目に水質検査をしている。このため、２日目にして残留塩素０．１ｍｇ／ｌ未満に減少していることになる。【０２３５】
又表７に示す実験５の水道水１時間から３０時間の膨潤倍率を見ると、表１４に示す実験６の水道水２５０倍の膨潤量は、実験５の水道水で約２〜３時間の膨潤量であり、膨潤倍率を見ることができる。このことから短時間で殺菌作用が起り、実験６の１〜４日間、又５〜１０日間を経過後樹脂は縮小していると考えられる。ポリビニルアルコールは塩素を吸着できず、塩素イオンを集め殺菌作用を高め、その作用を継続していることになる。【０２３６】
実験５の１〜３０時間の水道水の膨潤量は１〜２４時間を経過しているが、２日目４８時間において、０．１ｍｇ／ｌ未満となるため残留塩素は０．４ｍｇ／ｌから約０．２ｍｇ／ｌぐらいに低下したと推測されるため、０．４ｍｇ／ｌ分の０．２ｍｇ／ｌとなり、約２分の１に低下したと計算し、平均膨潤量５３０×２倍＝１０６０ｇが純水での膨潤量となる。この数値を実験１の純水に当てはめると２４時間の１０６１ｇに匹敵するこの数値は平均値の２倍である。【０２３７】
又実験２の純水による植物の生育を見るとポリビニルアルコールの膨潤倍率を８７から９４倍で生育が可能となっており、実験３の切花の実験においても約１００倍の膨潤倍率で切花が使用できることから、カルシウム・マグネシウムの強化した肥料や硬水や木酢やイオン交換樹脂の併用により生育が可能となっている。【０２３８】
ポリビニルアルコールは水道水を使用することで殺菌効果を高めており、土壌保水剤においても水道水を使用すると効果を発揮することができる。水道水を使用できない所では、ポリビニルアルコールを水道水に使用した培地の約２倍から３倍の使用量とし、約２分の１から３分の１の圧縮した培地を作り、肥料やイオン交換樹脂等の使用としなければならない。実験１と実験５の結果からポリアルキレンオキサイドは純水では２０倍膨潤の１０〜１２時間により殺菌効果が高まり、水道水は逆に２３時間以降により大きく膨潤し水分を流出しており、反復運動が活発に作用している。又ポリビニルアルコールはポリエチレンオキサイドと逆に水道水では４時間〜１６時間に殺菌効果が高まっていることがわかるが、時間継続後も作用している。【０２３９】
ポリエチレンオキサイド又ポリアルキレンオキサイドは、ポリビニルアルコールを混合使用することで、殺菌作用を促すことになるため水道水が使用できない土壌培地では、お互いに助け合う関係となり、樹脂の調整剤の作用となる。この残留塩素の含有量により純水での樹脂倍率を算出することができるが、この残留塩素の数値は地域によって多少異なることが考えられる。【０２４０】
又純水はカートリッジ式純水器「クラスピュア」を使用している。このカートリッジ式純水器「クラスピュア」は、上水道水及びその基準に準ずる水源を原水として純水を製造する装置である。この純水器を使用することで切花・榊等の水腐れを防ぎ又イオン交換樹脂の使用で榊等を1ヶ月以上、購入時よりも新鮮に保持することができる。又この純水器「クラスピュア」は切花・榊等の使用の他、水耕栽培用途による純水の販売又は販売業務用等に使用されると良い。純水器の機種・製造メーカーは、限定しない。【０２４１】
ノニオン系樹脂にはイ・ソプチレン・マレイン酸、ＰＶＡ、Ｎ−ビニルアセトアミド、ポリエチレングリコール、Ｎ−ビニルホルムアミド、Ｎ−ビニルカルボン酸アミド、Ｎ−メチル−Ｎ−ビニルホルムアミド、Ｎ−メチル−Ｎ−ビニルアセトアミド、Ｎ−ビニル−αビロリトン等の吸着作用によるノニオン系樹脂や、合成樹脂による保水剤や植物培地がある。アクリル系樹脂ポリアクリルアミド、デンプンアクリロアミド、デンプンポリアクリル、ポリアクリル酸、ポリアクリロニトリル、デンプン、アクリル酸グラフト、デンプンアクリロニトルグラフト、セルロースアクリル酸グラフト、ポリアクリロニトルケン化物等の吸水性アクリル系樹脂での植物培地は離水作用により水耕栽培の根の生育である。植物から排出される樹液等の汚れにより根腐れを起こし、観葉・草花・鉢花・花木・ハーブ・洋ラン・球根・サボテン・山野草等土壌倍地の植物の栽培は難しく、ハイドロコーンの代替えとして水耕栽培地に育成した耐久性に強い観葉植物の栽培に限られ使用されてきた。又、ノニオン系樹脂培地においてもアクリル系樹脂培地と同様な樹脂培地の植物の生育であると思われていたが、このノニオン系樹脂をアクリル系樹脂培地に同量混合使用することでこれらの培地の根腐れを防止し、観葉・草花・鉢花・花木・洋ラン・ハーブ・球根等のあらゆる植物や花物等土壌培地の植物の栽培が可能となった。又、ノニオン系樹脂培地には保水性が不足しがちなことから同じノニオン系樹脂ポリビニルアルコールを混合使用することで水やりを長期に省き殺菌作用を保持した培地となる。【０２４２】
地球温暖化により真夏では植物栽培用インナーポットやプランター・花壇等の土壌が高温になり植物の生育が難しくなってきている。これらの植物培地では従来のアクリル系樹脂による土壌保水剤の使用では、土壌培地が高温となり雑菌が繁殖し離水された水で根腐れを起こしてしまう。これらを対処するには土壌内にポリビニルアルコールの単体やポリアルキレンオキサイド又この混合を殺菌剤として使用の他、土壌培地のプランターや花壇の土壌の上にポリビニルアルコールやポリアルキレンオキサイドまたポリエチレンオキサイドを覆い被せ太陽熱や外気温を遮断する殺菌方法が重要である。ポリビニルアルコールの細かな樹脂と肥料水が地下に浸透し、殺菌効果を高め、高温になったプランターや花壇の土壌の温度を下げ、太陽の熱を遮断することで弱った植物を蘇らせることが可能となった。この方法は屋上緑化等の植樹や花壇・プランター・鉢花等の植物や田畑の農作物等に使用することが可能で重要と成る。特に米や果実等温度や水でより良品質な生育栽培となる農作物に使用されるとよい。土壌内に使用する肥料を減量し、ポリビニルアルコールに硬水や木酢等を使用し、従来の作物栽培方法が転換される。ポリビニルアルコールを覆い被せる使用方法は雑草や害虫の繁殖を阻止することが可能となる。又このポリビニルアルコールは水道水に約１日放置し殺菌作用を高めることで肥料の使用効果が発揮される。【０２４３】
これは農薬と異なり、低濃度の肥料を使用した殺菌作用であるが農薬の使用においても同様な使用となる。樹脂の断熱剤下熱殺菌剤の使用効果となり、約１ヶ月後、振掛けた樹脂が薄い半透明なオブラート状に剥がれる。降雨や水を与える事で殺菌作用が継続され植物が生き生きと甦る。水道水中に８分目膨潤した樹脂の水中に液体肥料を添加し、又は樹脂に肥料を吸着し鉢やプランター等の鉢の上に樹脂と肥料水をたっぷり与え振掛け使用すると、鉢内に肥料水が浸透し太陽の熱を遮断する方法である。この樹脂と肥料水をプランターの植物に与えると肥料水が土壌内に浸透し殺菌作用が起こるのである。この方法は１回の使用でプランターの草花が２〜３日で青々とした葉や花をつけ始める。実験で使用し枯れて仕舞ったマーガレットやクチナシのプランター植えが緑の葉となり甦った。ヒートアイランド現象や屋上緑化においても太陽熱の遮断の他、光によって樹脂の殺菌効果が高まり植物が発根したと考えられる。実験で使用した多量の樹脂を庭の花木や芝生の上に、一面に敷いた所庭が涼しくなり、花木や庭木が甦った。この樹脂の作用は高温により雑菌が繁殖し生育が難しくなったプランターや花壇等の土壌を殺菌下熱処理をし、植物を甦らせる殺菌作用に寄るものである。ポリビニルアルコールの単体で少量の肥料で効果が発輝される。又水道水の使用が不可能な土壌培地の使用においては、ポリアルキレンオキサイド又ポリエチレンオキサイドをポリビニルアルコールと混合使用することで樹脂の下熱保水剤・殺菌剤・改質剤・調整剤とし、高機能を発揮することができる。又エジプトの砂漠緑化等、河の水が塩分を含む海水の使用ではポリビニルアルコール単体の使用においても、塩分濃度に合わせ大量の使用量となるが植物の栽培が可能となる。塩素を含有する水道水では吸収能力が低く特に高い肥料の吸収が難しいが、樹脂の大量の使用により低濃度となる為実験に使用した肥料の使用で可能となる。又ゆっくり溶け出す肥料やイオン交換樹脂の使用で排水性や保水性をコントロールし、とくにポリビニルアルコールの単体での使用で砂漠で野菜等の栽培や米の栽培が可能となる。又海水の塩分を含むノニオン系樹脂培地での植物の生育はポリアルキレンオキサイド又ポリエチレンオキサイドの使用で可能となる。【０２４４】
ポリビニルアルコールは他のノニオン系樹脂イ・ソプチレン・マイレン酸、又はアクリル系樹脂デンプンアクリル酸アミド等ポリアクリルアミドとの混合使用も可能であるが、砂漠、屋上緑化、花壇、プランター、田畑の農作物でのこれらの使用方法は単体使用では、ポリビニルアルコールを残留塩素０．４〜０．１ｍｌ／ｌにおいて約３分の１〜２分の１に圧縮した使用方法となり、膨潤倍率の約２倍〜３倍以上の使用量とし肥料を土壌に混合し、殺菌作用を促すことが出来る、これにより樹脂はあまり膨潤しないが水分の吸収能は大きくなる。又排水性を考慮することで、長期に温暖化に対処することが可能となる。ポリビニルアルコールは実験６の塩素を含む水道水では吸収能力は低く、特に肥料濃度が高まると吸収能力は低下するため注意が必要である。液体肥料とゆっくり溶ける固形肥料を混合し又塩素を含まない田畑での使用では肥料の使用が必要であるが、水道水を使用した培地では純水等塩素を含まない水に液体肥料を添加し使用すると良い。又液体肥料も極低濃度の使用で植物の栽培が可能である。【０２４５】
樹脂の保水剤や植物培地では多量の水道水を与えるとポリビニルアルコールはすぐ膨潤し殺菌効果を有すると思われるが、この短時間での樹脂培地ではイオン交換樹脂の使用においても植物の生育は難しく、又水道水２５０倍の実験においても時間経過毎に樹脂が縮小している。又植物培地ではポリビニルアルコールとポリアルキレンオキサイトの混合培地で混合比を１対１で使用すると、ポリビニルアルコールは、時間経過後樹脂が縮小しポリビニルアルコールの形状が見られなくなって行く。この縮小状態において植物は生育可能となり殺菌作用が働いていると言える。ポリエチレンオキサイド又はポリアルキレンオキサイドもゆっくり膨潤し、約半日経過後膨潤しているため水道水を与えることで殺菌作用を有していることになる。【０２４６】
まず表６に示す実験１では純水を使用し、Ａポリアルキレンオキサイドと、Ｂポリビニルアルコール、各５ｇをたっぷりの純水、Ａでは１リットル、Ｂでは５リットルに入れ１時間〜４０時間の吸水量と膨潤倍率を計測した。Ａのポリアルキレンオキサイドは１時間〜３０時間では水切り１０分の平均２０倍、１時間〜４０時間の平均で約２１倍で約１１２ｇの膨潤量である。３１〜４０時間では２２．５倍の膨潤量である。Ｂのポリビニルアルコールは１時間〜３０時間では平均約２２８倍の膨潤率で１１４０ｇに膨潤し、３１時間〜４０時間では水切り１０分の平均が約２０５倍で約１０２５ｇの膨潤量となる。１時間〜４時間で約１４２倍、１時間〜５時間で約１６０倍の平均となり、４時間〜２６時間で平均２５０倍の膨潤率である。８時間で頂点に達し１４５５ｇ２９１倍に膨らみ、その後少し縮み、２倍の１６時間で１４１２ｇ２８２倍に膨らむ。その後少し縮み２２時間で１４００ｇ２８０倍に膨れ、２６時間で１３０３ｇ２６１倍に膨らでいるが、大きく膨らんでいる時間での離水量も大きいことがわかる。このＡ・Ｂの樹脂は単体で個々の容器で膨潤させ、時間毎に水切りをし計測したもので、Ａのポリアルキレンオキサイドはゆっくりであるが、時間に平行し膨らんでいくのに対し、Ｂのポリビニルアルコールは、折線グラフを見ると水の中でも常に吸収したり離水したりと反復運動が繰り返えされていると考えられる。又２７時間以降ではあまり膨らまなくなっているが、さらに３１時間から４０時間を計測すると３５時間まで膨潤を続け縮小し、反復運動がくり返されていることが分かる。この作用はアクリル系樹脂においては、一旦多量に水分を吸収すると定期的に離水し、約１ヶ月ぐらいで樹脂が縮小し元の状態に戻ってしまう為水分を補充しなければならないが、ポリビニルアルコールはこの反復作用により水分を吸収し、培地の排水性や通気性を良くし、又離水し保水培地とし長期に水分の保持をしていると考えられる。【０２４７】
表８に示す実験２では、Ａポリアルキレンオキサイドと・Ｂポリビニルアルコール各１５０ｇの混合培地を作りゼラニウム、ミニバラ、プリムラ、パンジー、シクラメン、アザレア、ゴールドクレスト等の植物を植え１７時間と２４時間の培地で膨潤し、植物の生育を試みた。Ａのポリアルキレンオキサイドは１２時間で２５倍、ポリビニルアルコールは２４時間で１５０倍に膨潤すると言われていたが、１２時間の測定は時間的に難しいので、１７時間と２４時間で実験した所、２４時間で膨潤した培地は１ｍｌ〜２０ｍｌの肥料培地においても、全体的に生育が悪く、１７時間の膨潤培地では植物の生育はどの肥料培地にも良い生育となった。【０２４８】
実験２での１７時間膨潤培地では、Ａポリアルキレンオキサイド４８０ｇを１１リットル〜１３リットルの純水で膨潤させると、出来上がり重量１１リットルでは９２４０ｇ約１９倍、１２リットルでは９３９０ｇ約２０倍、１３リットルでは９８３０ｇ約２０倍となり、又Ｂポリビニルアルコール１３０ｇを１８リットル〜２０リットルの純水に膨潤させると、１８リットルで１１０１０ｇ約８５倍１９リットル１１３３８ｇ約８７倍、２０リットルで１２１５６ｇ約９４倍の出来上がり重量となった。【０２４９】
この１７時間のＡ・Ｂの混合培地では１〜２０ｍｌのどの肥料濃度においても良い生育をするが、２４時間膨潤培地では１７時間と同様にはならず限られた肥料濃度のみに良い生育となっている。【０２５０】
Ａポリアルキレンオキサイドは、表６に示す実験１によると、精製水で約２０倍膨潤で殺菌効果を有しているが、２４時間では最高の２４倍に膨潤しており、１時間水切りをしても約２３倍である。又２４時間以降では膨潤倍率が少しずつ増していき、それに伴い離水量も２４時間〜４０時間と増している。特に２４時間・２７時間・２９時間の離水量が増え、離水により排水の悪い倍地となり植物の生育が悪化していると考えられる。このため１７時間では膨潤率極限いっぱいに膨潤せず、約８４％〜８８％約１９〜２０倍にしたことで植物が良い生育を保つことができたと考えられる。１７時間の膨潤培地では出来上り量９２４０ｇは実験１の計算によると、１７時間で水切り１０分ては出来上り量１１０４０ｇ水切り２時間の出来上り量１０５６０ｇと比較すると約１．１倍〜１．２倍であり、Ａポリアルキレンオキサイドの膨潤倍率が小さいため、あまり大きな変化が見られないが、樹脂の膨潤倍率の約８０％〜９０％の圧縮倍地とした使用方法で植物を良い生育としている。同様にＢポリビニルアルコールにおいても、１１０１０ｇは実験１の１７時間の計算では水切り１０分では出来上り量３３９３０ｇ水切り２時間では２７０４０ｇの出来上り量で膨潤倍率で約２．２倍〜３．１倍に相当する。Ｂのポリビニルアルコールは純水では大きい膨潤倍率であるが、樹脂膨潤倍率の極限の約３２％〜４５％の圧縮培地とし植物の良好な生育をすることがわかる。又実験１の排水量を見ると、Ａポリアルキレンオキサイドは１時間〜１３時間、特に１２、１３、１６、１８、２８時間と離水作用は働かず、Ｂポリビニルアルコールにおいても、７時間１２、１８、２８時間では離水量が少量となり７時間２８時間では全く離水されていない。【０２５１】
この２つのノニオン系樹脂培地では、ほぼ同様な時間帯で同様な吸着作用と離水作用が繰り返され、呼吸作用に似た反復作用が行われていると考えられる。表６に示す実験１のＡとＢの個々の測定であるが、ほぼ同時に離水作用が止まり、又吸収作用がなされている。２４時間〜４０時間では流出量が増量されているため、水分を２時間切り２０倍膨潤としてから使用すると良い生育となる。ＡポリアルキレンオキサイドとＢポリビニルアルコールとは、Ｂのポリビニルアルコールは保水性が高いため保水性を嫌う草花等の植物ではこの水切りをＡのポリアルキレンオキサイドで１３時間以降２〜４時間水切りをし２０倍の膨潤倍率にもっていかなければならない。又特に１０、１１時間では殺菌作用が良い生育となっている。【０２５２】
ポリビニルアルコールの混合培地の肥料濃度は土壌培地の２倍〜１０倍であるとした。土壌培地では葉や茎を作る窒素肥料には、硫酸アンモニア尿素、石炭窒素、油かす、魚かす、堆肥等があり、花や果実を作るリン酸はカリン酸石炭、骨粉、鶏ふん、米ぬか等に含有される。又、植物の繊維や細胞膜を作るカリ肥料には草木灰や硫酸カリ等がある。これらの肥料は培養土に含まれており、液体肥料や顆粒状や固形肥料等と一緒に使用され、肥料濃度が高められている。それはバラやゼラニウムの葉の色合いで知ることができる。【０２５３】
植物の実験にイオン交換樹脂０．５ｇを使用している。イオン交換樹脂０．５ｇの肥料が１週間に１リットルの水中に溶け出る窒素肥料１．６ｍｇ／リットルであり、液体肥料の原液の約１０００分の１ｍｌの低濃度である。このイオン交換樹脂０．５ｇを純水５００ｃｃに添加し、榊等の木物で使用すると、夏季において榊が１ヶ月以上経過しても新鮮である。特に水道水を吸収したポリビニルアルコール培地やポリエチレンオキサイド・ポリアルキレンオキサイドの混合培地ではイオン交換樹脂の少量の使用が効果的である。これらのポリビニルアルコール等のノニオン系樹脂は、観葉植物の生育には２００ｇ〜３００ｇの樹脂培地で約０．１〜０．２ｇの極少量で約２〜３ヶ月の生育効果を上げている。これは、市販の液体肥料の原液５：１０：５の約５０００分の１ｍｌから２０００分の１ｍｌの極少量の肥料によるものであり、ノニオン系樹脂とイオン交換樹脂との相乗効果によるものと考えられる。使用しているイオン交換樹脂はドイツ・バイエル社製でその成分は表１７にしめしている。これは肥料成分と窒素とカリウムが同等であったが、樹脂培地に溶け出す茶色のカリウム肥料が樹脂を汚してしまう為減量されたものであり、又リン酸が増量されている。これにより殺菌作用が少し低下したと思われる。【０２５４】
【表１６】
2005065443.tif 000019
【０２５５】
この表１６の窒素肥料に基づき、早見表１を表わしたものである。Ａはイオン交換樹脂１．８％の窒素肥料が水１リットルに溶け出た重量別の窒素量である。Ｂは早見表２、３００ｇ ３０ｇ振掛け培地の肥料含有量である。この窒素含有量は成分変更前後とも同量であり、植物の葉や茎の生育肥料であり、目で確認することができる為、植物の生育に照らし合わせ適合培地としたものである。成分変更前では０．５ｇでミニバラ・アザレア等の鉢植えが約半月も咲き続けることができ、非常に良い生育をしていたが、カリウムの減量により生育培地は多少変化している。又ＣはＢの液体肥料に含まれる窒素のみの含有量である。【０２５６】
（早見表１）
2005065443.tif 000020
【０２５７】
（早見表２）
2005065443.tif 000021
2005065443.tif 000022
2005065443.tif 000023
2005065443.tif 000024
2005065443.tif 000025
2005065443.tif 000026
2005065443.tif 000027
2005065443.tif 000028
2005065443.tif 000029
【０２５８】
樹脂培地の植物の生育はイオン交換樹脂肥料の使用と、液体肥料の使用が全く同様な生育をし、同一の肥料濃度でないかと思われるが、イオン交換樹脂のＡ０．１ｇの窒素量は液体肥料のＢ１ｍｌの肥料の５０００分の１ｍｌであり、１００分の１の重量である。１gで１ｍｌの肥料の１０分の１の重量に当たる。又０．１〜１０ｇのイオン交換樹脂の窒素肥料は液体肥料１〜１００ｍｌの肥料の全ての１００分の１の重量となっている。この０．１〜１gと１〜１０ｍｌ、又１．１〜２ｇと１１〜２０ｍｌ、２．１〜３ｇと２１〜３０ｍｌ、３．１〜４ｇと３１〜４０ｍｌを使用した場合と植物の生育が似ていることから、表ではＡとＢとし記載したものである。【０２５９】
３００ｇの植物培地では、Ａのイオン交換樹脂の３．３３倍の培地が植物の良い生育培地に当たっている。この３．３３倍培地は液体肥料培地で使用している使用方法である。この培地ではＡの０．１ｇの窒素肥料の３．３３倍は０．３３ｇに当たり０．４ｇで日々草が約１０日間非常に良い生育をする培地である。【０２６０】
この０．１ｇの窒素量０．０００３６ｇ×３．３３倍で０．００１２ｇとなり、０．３〜０．４ｇの肥料培地に当たる。Ａの０．２ｇの窒素肥料の３．３３倍は０．６７ｇに当たり、０．７ｇでミニバラが約１０日間生育可能な培地である。又この０．２ｇの窒素量０．０００７２ｇ×３．３３倍で０．００２４ｇとなり０．６〜０．９ｇの肥料培地に当たる。【０２６１】
Ａの０．３ｇの３．３３倍は１ｇに当たり、０．３３ｇの窒素量０．００１０８ｇの３．３３倍で０．００３６ｇとなる。この０．９ｇ〜１ｇは一番発根する培地であり、セントポーリアは花芽を付けながら生育する培地である。０．３３ｇの３．３３倍は１．１ｇとなる。この培地は０．１ｇの１１倍の培地である。【０２６２】
Ａの０．４ｇの３．３３倍は１．３３ｇで、１．４ｇが適合培地となりミニバラの良い生育培地となる。１．３〜１．４ｇの培地である。Ａの０．５ｇの３．３３倍は１．６７ｇで、１．７ｇが適合培地となり、この培地においてもミニバラの良い生育培地となる。１．６〜１．９ｇが生育範囲となる。【０２６３】
Ａの０．６ｇの３．３３倍は１．９９８ｇで、２ｇに当たる。Ａの０．７ｇの３．３３倍は２．３３ｇで、２．４ｇが適合培地となり、２．３〜２．４ｇが生育培地となる。Ａの０．８ｇの３．３３倍は２．６６４ｇで２．７ｇが生育培地となり、２．６ｇ〜２．８ｇが生育培地となる。Ａの０．９ｇの３．３３倍は２．９９ｇで、３ｇに当たる。【０２６４】
Ａの１．０ｇの３．３３倍は３．３３ｇで、３．４ｇが適合培地となり、３．３ｇ〜３．４ｇが生育培地となる。Ａの１．１ｇの３．３３倍は３．６６ｇで、３．７ｇが適合培地となり、３．６〜３．８ｇが生育培地となる。イオン交換樹脂１ｇの３．３３倍の３．３〜３．４ｇは、０．０１２ｇの窒素量となり、０．３３ｇの１０倍の培地となる。この３．３３倍の周期により０．１ｇは３．３３倍の０．４ｇの４周期となり、０．２ｇは３．３３倍の０．７ｇの７周期となり、０．３ｇは３．３３倍で１ｇの倍数の周期となる。イオン交換樹脂肥料培地においても、液体肥料３００ｇ培地の３．３３倍と１０倍の同様な周期となっており、その周期の培地で良い生育となっている。【０２６５】
早見表１のＣではＢの液体肥料に含まれる窒素量を、液体肥料の原液５：１０：５の成分表により表わしている。使用しているリン酸・カリウム等の全肥料が２３．０９％であり、このうちの窒素肥料が５％であり、０．２１６５％が窒素含有量となる。これによりＣでは１ｍｌ＝１．２ｇの液体肥料に含まれる窒素肥料を１〜１００ｍｌまでを記載している。【０２６６】
Ｃの液体肥料に含まれる窒素量はＡの０．１ｇの窒素量と比較すると、２１．６６倍約２２倍となる。イオン交換樹脂肥料を２．２ｇ使用して、液体肥料１ｍｌとなる。この肥料培地２．２ｇ培地はミニバラの生育は一時生育するが継続はされない。又２倍では２ｍｌの使用で４．４ｇとなり、量が多すぎて樹脂培地がカリウム等の肥料で汚く見えてしまう。これらを考慮しＤでは約２２倍に当たる窒素肥料を１０分の１の液体肥料として計算して記載したものである。イオン交換樹脂は極少量の肥料で生育効果を上げている。これによりＡの０．１ｇの２．１６５倍は０．２２ｇとなり、実際Ｃの窒素肥料の１０分の１である。【０２６７】
Ａの０．２ｇの２．１６５倍は０．４３ｇとなり、ＤはＢの２ｍｌに当たる。Ａの０．３ｇの２．１６５倍は０．６５ｇとなり３ｍｌに当たり、Ａの０．４ｇの２．１６５倍は０．８７ｇとなり４ｍｌ当たる。単位の計量により０．６５ｇは０．７ｇ、０．８７ｇは０．９ｇとなる。Ａの０．３ｇ〜０．４ｇのイオン交換樹脂は２．１６５倍の使用で、約０．６ｇ〜０．９ｇで液体肥料３ｍｌ〜４ｍｌに当たる肥料となる。Ａの０．５ｇの２．１６５倍は１．１ｇとなり、５ｍｌに当たる。Ａの０．６ｇの２．１６５倍は１．３ｇで６ｍｌ、０．７ｇの２．１６５倍は１．５ｇで７ｍｌ、０．８ｇの２．１６５倍は１．７ｇで８ｍｌ、０．９ｇの２．１６５倍は１．９５ｇで９ｍｌとなり、１．３ｇ〜１．９５ｇは６ｍｌ〜９ｍｌに当たる。液体肥料の３００ｇ培地の３．３３倍の６ｍｌ〜９ｍｌに当たる肥料で在る。【０２６８】
又０．５ｇの２．１６５倍は１．１ｇで５ｍｌ、１．０ｇの２．１６５倍は２．２ｇで１０ｍｌとなる。Ａの０．１〜１．０ｇのイオン交換樹脂を２．１６５倍使用して０．２２〜２．２ｇの培地とし、液体肥料１ｍｌ〜１０ｍｌの培地としたものである。Ａの１．１〜２．０ｇのイオン交換樹脂の２．１６５倍の使用で２．４〜４．３ｇの培地とし、液体肥料１１〜２０ｍｌの培地となる。Ａの２．１〜３．０ｇの２．１６５倍の使用で４．６〜６．５ｇとなり液体肥料２１〜３０ｍｌとなる。２．１６５倍の培地では０．６５〜０．９ｇ培地で３〜４ｍｌの培地となる。【０２６９】
又１．１ｇの２．１６５倍は２．３８ｇで２．４ｇとなり１１ｍｌである。１．２ｇの２．１６５倍は２．６ｇとなり、１２ｍｌとなり、１．３ｇの２．１６５倍は２．８ｇとなり１３ｍｌとなり、１．４ｇの２．１６５倍は３．１ｇとなる。液体肥料１４ｍｌとなるが、液体肥料の１４ｍｌの植物培地では良い生育培地であるが、１．４ｇ培地ではミニバラの生育は非常に良い生育となるが、この３ｇ培地では鉢花の生育は余り良い生育とはならない。又１．３ｇの２．１６５倍は２．８ｇ、１．３５ｇの２．１６５倍は約２．９ｇである。よって、２．４ｇ〜２．８ｇの培地では１．４ｇ〜１．８ｇと同様にミニバラの生育が可能となっており、１１〜１３ｍｌにあたる培地である。又０．６５ｇ〜０．９ｇで３ｍｌ〜４ｍｌの培地となり、０．９ｇは４ｍｌに当たり、２倍の１．８ｇで８ｍｌの肥料となる。０．６５ｇの２．１６５倍は１．４ｇとなり、０．９ｇの２．１６５倍は１．９５ｇとなる。【０２７０】
又０．６５ｇの２倍１．３ｇ、０．７ｇの２倍１．４ｇ、０．８ｇの２倍１．６ｇ、０．９ｇの２倍１．８ｇと２倍の各培地で鉢花が良い生育となっているが、１．４ｇ、１．７ｇ培地のミニバラは非常に良い生育となるが、１．９ｇでは少し生育が落ち、２ｇでは余り良い生育にならない。２．７ｇ〜３ｇでよい生育となる。これにより１．３ｇ〜１．９ｇで６〜９ｍｌの液体肥料の培地となる。ミニバラ等の鉢花の生育は１．４ｇと１．７ｇが一番良い生育となる。この培地においても１．３ｇ〜１．４ｇ、１．６ｇ〜１．９ｇで良い生育となっている。３００ｇの培地では０．９ｇの３倍、２．７ｇ〜３ｇの使用がよい生育培地となる。【０２７１】
又１．８〜１．９ｇの肥料で９ｍｌの生育培地となる。０．９ｇの２倍１．８ｇの生育となり、３倍２．７ｇ、４倍３．６ｇと０．８７ｇ〜０．９ｇの倍数の培地となる。０．３ｇ〜０．４ｇ、０．６〜０．９ｇ、１．３〜１．４ｇ、１．６ｇ〜１．８ｇ、２．３〜２．４ｇ、２．６ｇ〜２．８ｇ、３．３〜３．４ｇ、３．６ｇ〜３．８ｇ、４．３〜４．４ｇの周期による適合培地となるが、実際の２．２ｇが鉢花、４．４ｇが草花の適合培地となる。又１ｇ、２ｇ、３ｇ、４ｇの１ｇ倍数の培地は液体肥料と同様に良い培地とは言えない。【０２７２】
表１７に示すように、成分の変更前では０．１ｇと液体肥料４ｍｌの併用でアマリリスの球根が２度開花することができ、ユリ・ミニバラ・デンドロビューム・カトレア・ハーブ・アジサイ・マーガレット・セントポーリア・パンジー・ペチュニア・ナデシコ等の草花や鉢花・球根・花木が良い生育となった。早見表１により、Ａのイオン交換樹脂も液体肥料と同様な３．３３倍と、１０倍周期により０．３〜０．４ｇ、０．７〜１．０ｇ、１．３〜１．４ｇ、１．７〜２．０ｇ、２．３〜２．４ｇ、２．７〜３．０ｇ、３．３〜３．４ｇ、３．７〜４．０ｇ、特にシクラメン・パンジー・プリムラ・洋ランやハーブ、セントポーリア、ガーベラ等の鉢花の適合培地では０．６５〜１．０ｇで、ミニバラでは特に１．４ｇ、１．７ｇが特に良い培地であり、特に球根草・ユリ・チューリップは０．９ｇの２倍、１．８ｇ以上良い培地である。これにより鉢花・洋ラン・ハーブ・花木では１．３〜１．４ｇ、１．７〜２．０ｇが生育が可能であるが、又草花・キク・球根・バラ・サイネリアでは、２．７〜３．０ｇ、３．７〜４．０ｇが良い適合培地となる。草花・菊・観葉のイオン交換樹脂肥料は極少量の使用で使用効果が発揮される。観葉植物では３００ｇ培地では０．３〜０．５ｇの使用が良く、０．９ｇでは肥料が強すぎるので、草花・菊の植物と別個として使用しなければならない。【０２７３】
【表１７】
2005065443.tif 000030
【０２７４】
早見表２では、樹脂培地に１〜１００ｍｌの液体肥料を使用し、樹脂培地に含まれる肥料の含有量を表わしたものである。実験では、１リットルの純水に液体肥料を添加し、この肥料の水溶液を吸着吸収した１ｋｇ〜１００ｇの樹脂培地と、純水のみを吸収した培地１ｋｇ〜１００ｇに、その１０％の液肥の水溶液を振掛けて使用した培地に植物を栽培し、その生育の成否に照らし合わせ敵合培地としたものである。又使用した液体肥料原液はチッソ、リン酸、カリウムが全肥料の５％、１０％、５％を含有し、１ｍｌ＝１．２ｇの肥料に基づき説明する。早見表２の上段はａ〜ｔに使用される液体肥料である。又ａ・ｂ、１ｋｇ、ｋ・ｌ、５００ｇ、ｍ・ｎ４００ｇ、ｏ・ｐ３００ｇついて説明する。【０２７５】
１ｍｌに含有される肥料１．２ｇをａでは１リットルの純水に１ｍｌの液体肥料を添加し、この肥料の水溶液全体丸ごと吸着した１ｋｇの培地は１．２ｇ／１００１ｍｌ×１０００ｇで１．２ｇの肥料となり、ｂでは純水を吸収した、１ｋｇに対して１０％、１００ｇの液体肥料を振掛けた１ｋｇの吸収培地の肥料含有量は１．２ｇ／１００１ｍｌ×１００ｇで０．１２ｇとなる。以後、吸水性樹脂の培地では液体肥料も水も吸収培地であるが液体肥料は吸着吸収した培地とし区別し、吸収培地を振掛け培地と言う。同様にｋでは１リットルの純水に１ｍｌを添加した水溶液を吸収した５００ｇの吸着吸収培地は１．２ｇ/１００１ｍｌ×５００ｇで０．６ｇの肥料となり、lでは５０ｇを振掛けた５００ｇ振掛けた培地は１．２ｇ/１００１ｍｌ×５０ｇで０．０６ｇの肥料である。ｍでは４０ｇの吸着吸収培地は１．２ｇ/１００１ｍｌ×４００ｇで０．４８ｇの肥料となり、ｎでは４０ｇの振掛け培地では１．２ｇ/１００１ｍｌ×４０ｇで０．０４８ｇの肥料となる。Ｏでは３００ｇの吸着吸収培地では１．２ｇ/１００１ｍｌ×３００ｇで０．３６ｇの肥料となり、ｐでは３０ｇの振掛培地では１．２ｇ/１００１ｍｌ×３０ｇで０．０３６ｇの肥料となっている。同様に２ｍｌでは２ｍｇ＝２．４ｇの肥料含有量であるが、１リットルの純水に２ｍｌを添加し、この水分を丸ごと吸着したａ１ｋｇ吸着吸収培地は２．４ｇ/１００２ｍｌ×１０００ｇで２．４ｇの肥料含有量となり、ｂでは水１リットルに２ｍｌを添加した水溶液１００ｇの振掛けた培地には２．４ｇ/１００２ｍｌ×１００ｇで０．２４ｇの肥料となる。ｋでは５００ｇの吸着吸収培地２．４ｇ/１００２ｍｌ×５００ｇで１．２ｇの肥料であり、lでは５０ｇの振掛けた培地は２．４ｇ/１００２ｍｌ×５０ｇで０．１２ｇの肥料となる。ｍでは４００ｇの吸着吸収培地は２．４ｇ/１００２ｍｌ×４００ｇで０．９６ｇの肥料であり、ｎでは４０ｇの振掛け培地は２．４ｇ/１００２ｍｌ×４０ｇで０．０９６ｇの肥料となる。oでは３００ｇの吸着吸収培地は２．４ｇ/１００２ｍｌ×３００ｇで０．７２ｇの肥料となり、ｐでは３０ｇの振掛け培地は２．４ｇ/１００２ｍｌ×３０ｇ＝０．０７２ｇの肥料となる。この様に樹脂培地の肥料は１ｍｌ毎に液体肥料の濃度を高めることで、１ｍｌ＝１．２ｇの肥料が２ｍｌ＝２．４ｇとなり、含有される肥料の累乗となる。又振掛け培地１ｍｌの水溶液を振掛けたｂ、ｌ、ｎ、ｐの振掛け培地は吸着吸収培地の１０分の１であることから、各培地の１０倍の１０ｍｌを使用すると、ｂ〜p振掛け培地の肥料は各吸着吸収培地ａ、ｋ、ｍ、oが１ｍｌを吸着した培地の肥料と同量となり、１０ｍｌのｂ、ｌ、ｎ、ｐの振掛け培地は１ｍｌの吸着吸収培地と同等となることがわかる。又２ｍｌの水溶液の振掛け培地ｂ、ｌ、ｎ、ｐにおいても、吸着吸収培地の１０分の１であることから、１０倍の２０ｍｌを使用すると振掛け培地ｂ〜pの振掛け培地の肥料は２ｍｌの吸着吸収培地ａ、ｋ、ｍ、oの肥料と同量となり、同等であることがわかる。同様に３ｍｌの水溶液を振掛けた培地ｂ、ｌ、ｎ、ｐも吸着吸収培地の１０分の１であることから、１０倍の３０ｍｌを使用すると振掛け培地ｂ〜pの肥料は３ｍｌの吸着吸収培地ａ、ｋ、ｍ、oの肥��と同量となり、３ｍｌの吸着吸収培地と同等であると言える。又４ｍｌ以降の振掛け培地も同様なことが言えるが、吸着吸収培地４ｍｌは４０ｍｌの振掛け培地と同じく、吸着吸収培地５ｍｌは５０ｍｌの振掛け培地、吸収培地６ｍｌは６０ｍｌの振掛け培地、７ｍｌの吸着吸収培地は７０ｍｌの振掛け培地、８ｍｌの吸着吸収培地は８０ｍｌの振掛け培地、９ｍｌの吸着吸収培地は９０ｍｌの振掛け培地となり、１０ｍｌの吸着吸収培地は１００ｍｌの振掛け培地と同量となっている。これらの吸着培地は常に高濃度の肥料が溜まっている状態ではあるが、土壌培地と異なり樹脂の吸着作用に寄る殺菌作用で高濃度の肥料培地内で生育が可能となっている。これらの高濃度の土壌培地や液体肥料内では通常長い生育は難しく２週間位で悪化してしまう。植物の生育には光や温度の他保水性と排水性が重要であるが、ノニオン系樹脂培地はイオン交換樹脂と同様な吸着作用に寄る排水性培地化し生育が可能となっている。この排水性が殺菌作用である。【０２７６】
液体肥料の生育培地ではイオン交換樹脂と同様に振掛け培地と吸着培地に３．３３倍の周期の生育となっている。３〜４ｍｌ・６〜９ｍｌ・１０〜１１ｍｌとなっており、１３〜１４ｍｌ・１６〜１９ｍｌ・２０ｍｌの周期に寄る培地となっている。この吸着培地は排水性の培地で鉢花・草花の両用の使用が可能であるが、特に草花の生育に適性培地であるが、肥料濃度が高いため樹脂が離水作用を起こし殺菌作用が低下することが考えられる為、約１０％の培地の肥料を余分に足しチタンの併用をすると良い生育を維持することが可能となる。このチタンの使用は３００ｇ培地で６０〜１３０ｇ程度で殺菌効果を継続される。【０２７７】
ポリアルキレンオキサイドとポリビニルアルコールの１対１の混合培地では水切れが早いとしているが、これは両方樹脂に液体肥料を吸着吸収使用している。この水切れを長く保持する使用方法である。この肥料保持を長くし、土壌の代替えや水耕培地の代替え培地とした栽培が可能である。樹脂培地では肥料を吸着吸収した場合と振掛けた場合と同じであると思われがちであるが、肥料の含有量は表で分かる様に振掛けた培地は吸着吸収培地の１０％程度の肥料含有量であることがわかる。【０２７８】
早見表２では１ｍｌ=１．２ｇの肥料を含むａ １ｋｇの吸着吸収培地とｂの１０％、１００ｇの振掛け培地０．１２ｇの肥料含有量の数値が、使用する重量に伴なって変化する動きを追ってみると、ｋ５００ｇの吸着吸収培地では２ｍｌの１．２ｇに位置し、１０％のｌ・５０ｇの振掛け培地で２ｍｌの０．１２ｇとなる。ｍの４００ｇの吸着吸収培地は２．５ｍｌに位置し１．２ｇとなり、ｎの４０ｇの振掛け培地も２．５ｍｌで０．１２ｇとなる。又o ３００ｇの吸着吸収培地は、３〜４ｍｌに位置し３．３ｍｌで１．２ｇとなり、ｐ３０ｇの振掛け培地も３．３ｍｌで０．１２ｇとなる。１ｍｌ=１．２ｇの肥料はaの１ｋｇが丸ごと吸収した培地であり、このｋの５００ｇの吸着吸収培地は１ｋｇの重量の２分の１に当り、ｍの４００ｇの吸着培地は１ｋｇの２．５分の１、３００ｇの培地では１ｋｇの３分の１に当り、５００ｇ培地では１．２ｇの５０％の０．６ｇとその振掛け培地１０％の０．０６ｇとなる。４００ｇ培地では１．２ｇの４０％、０．４８ｇとなり、その振掛け培地１０％の０．０４８ｇとなる。又３００ｇ培地では１．２ｇの３０％、０．３６ｇとその振掛け培地１０％、０．０３６ｇが肥料含有量となる。【０２７９】
肥料を５００ｇ培地で２倍し、４００ｇ培地で２．５倍し、３００ｇ培地で３．３３倍を使用すると１ｋｇ培地と同様な肥料含有量となり同じ培地となる。樹脂培地の肥料濃度は使用する樹脂の重量と肥料濃度が反比例になる。【０２８０】
２ｍｌ=２．４ｇの肥料を含むaの１ｋｇの吸着吸収培地と、ｂの１０％１００ｇの振掛け培地０．２４ｇは、ｋの５００ｇの吸着吸収培地で４ｍｌで２．４ｇに位置し、ｌの５０ｇ振掛け培地も４ｍｌで０．２４ｇとなる。ｍの４００ｇの吸着吸収培地とｎの４０ｇの振掛け培地は５ｍｌで２．４ｇと０．２４ｇに位置し、oの３００ｇの吸着吸収培地は３．３３倍、約６．７ｍｌで２．４ｇに位置し、ｐの３０ｇの振掛けも約６．７ｍｌで０．２４ｇの肥料に位置する。【０２８１】
３ｍｌ=３．６ｇの肥料含有量を含むaの１ｋｇの吸着吸収培地３．６ｇと、bの１００ｇの振掛け培地０．３６ｇは４ｍｌ、５ｍｌを飛んで６ｍｌでｋ５００ｇの吸着吸収培地３．６ｇに位置し、ｌの５０ｇ振掛け培地０．３６ｇに当る。ｍの４００ｇの吸着吸収培地では７．５ｍｌで３．６ｇとなり、ｎ４０ｇの振掛け培地も７．５ｍｌで０．３６ｇの位置に当たる。又ｇ ３００ｇの吸着吸収培地では１０ｍｌで３．６ｇに当り、ｐの３０ｇの振掛け培地も１０ｍｌで０．３６ｇの位置となり、１ｍｌの吸着吸収培地に当たる。【０２８２】
４ｍｌ=４．８ｇの肥料を含むａの１ｋｇの吸着吸収培地４．８ｇとｂの１００ｇの振掛け培地０．４８ｇは３倍の８ｍｌのｋ５００ｇ吸着吸収培地で４．８ｇに位置しｌの５０ｇの振掛け培地８ｍｌ ０．４８ｇに当り位置する。ｍの４００ｇの吸着吸収培地は４ｍｌの２．５倍１０ｍｌの４．８ｇとｎの４０ｇの振掛け培地０．４８ｇに位置し、oの３００ｇの吸着吸収培地では４ｍｌの３．３３倍で４．８ｇに位置する。ｐの３０ｇの振掛け培地は約１３．３ｍｌで０．４８ｇに位置する。【０２８３】
５ｍｌ=６ｇの肥料を含むａの１ｋｇの吸着吸収培地と、ｂの１００ｇの振掛け培地はｋの５００ｇの吸着吸収培地は２倍の１０ｍｌの６ｇに位置し、ｌの５０ｇの振掛け培地も１０ｍｌ ０．６ｇに位置する。ｍの４００ｇの吸着吸収培地では１２．５ｍｌの中間で６ｇに当り、ｎの４０ｇの振掛け培地でも１２．５ｍｌで０．６ｇに当り位置している。さらにｏの３００ｇの吸着吸収培地では約１６．６ｍｌで６ｇに位置しｐの３０ｇの振掛け培地では約１６．６ｍｌで０．６ｇに当り位置する。【０２８４】
６ｍｌ=７．２ｇの肥料を含むａの１ｋｇの吸着吸収培地と、ｂの１００ｇの振掛け培地の０．７２ｇはｋの５００ｇの吸着吸収培地では１２ｍｌの７．２ｇに当り、ｌの５０ｇの振掛け培地は０．７２ｇに位置する。ｍの４００ｇの吸着吸収培地では１５ｍｌの７．２ｇに当り、ｎの４０ｇの振掛け培地では０．７２ｇに当り位置する。又ｏの３００ｇの吸着吸収培地は２０ｍｌの７．２ｇに位置し、ｐの３０ｇ振掛け培地では２０ｍｌの０．７２ｇに当り２ｍｌの吸着吸収培地と同等である。【０２８５】
７ｍｌ=８．４ｇの肥料を含むａの１ｋｇの吸着吸収培地と、ｂの１００ｇの振掛け培地の０．８４ｇはｋの５００ｇ吸着吸収培地では１４ｍｌで８．４ｇに位置し、ｌの５０ｇ振掛け培地も１４ｍｌで０．８４ｇとなる。ｍの４００ｇの吸着吸収培地では１７〜１８ｍｌの中間１７．５ｍｌで８．４ｇに位置し、ｎの４０ｇの振掛け培地でも１７．５ｍｌでは０．８４ｇに当り位置する。ｏの３００ｇの吸着吸収培地では２３．３ｍｌで８．４ｇ当り位置する。ｐの３０ｇ振掛け培地も２３．３ｍｌで０．８４ｇに当たる。【０２８６】
８ｍｌ=９．６ｇの肥料を含むａの１ｋｇの吸着吸収培地は、ｂの１００ｇの振掛け培地の０．９６ｇはｋ・５００ｇの吸着吸収培地１６ｍｌの９．６ｇとｌの５０ｇの振掛け培地０．９６ｇに当り、ｍの４００ｇの吸着吸収培地２０ｍｌで９．６ｇ ｎの４０ｇ振掛け培地では０．９６ｇに当る。ｏの３００ｇの吸着吸収培地では約２６．６ｍｌで９．６ｇに当り位置し、ｐの３０ｇ振掛け培地では約２６．６ｍｌで０．９６ｇに当たる。【０２８７】
９ｍｌ=１０．８ｇの肥料を含むａの１ｋｇの吸着吸収培地は、ｂの１００ｇの振掛け培地１０．８ｇは１８ｍｌのｋ５００ｇの吸着吸収培地１０．８ｇとｌ・５０ｇの振掛け培地１．０８ｇに当り位置する。ｍの４００ｇの吸着吸収培地では２２．５ｍｌで１０．８ｇとなり、ｎの４０ｇ振掛け培地も１．０８ｇに当り位置する。ｏの３００ｇの吸着培地では３０ｍｌで１０．８ｇとｐの３０ｇ振掛け培地も１．０８ｇとなり、３ｍｌの吸着培地となる。【０２８８】
１０ｍｌ=１２ｇの肥料を含むａの１ｋｇの吸着吸収培地とし、ｂの１００ｇの振掛け培地１．２はｋの５００ｇの吸着吸収培地では２０ｍｌの１２ｇに位置し、ｌの５０ｇの振掛け培地も２０ｍｌで１．２ｇに当る。ｍの４００ｇの吸着吸収培地は２５ｍｌで１２ｇに当り、ｎの４０ｇ振掛け培地は２５ｍｌで１．２ｇに当り位置している。又ｏの３００ｇの吸着吸収培地では約３３．３ｍｌで１２ｇに当り、ｐの３０ｇ振掛け培地でも約３３．３ｍｌで１．２ｇとなる。【０２８９】
１１ｍｌ=１３．２ｇの肥料を含む、ａの１ｋｇの吸着吸収培地とｂの１００ｇの振掛け培地１．３２ｇはｋの５００ｇの吸収培地は２倍の２２ｍｌの１３．２ｇに当り、ｌの５０ｇ振掛け培地も２２ｍｌの１．３２ｇに位置する。ｍの４００ｇの吸着吸収培地は２７．５ｍｌで１３．２ｇに当り、ｎの４０ｇの振掛け培地も２７．５ｍｌで１．３２ｇに当り位置する。又ｏの３００ｇの吸着吸収培地で約３６．６ｍｌで１３．２ｇに当り位置しｐの３０ｇ振掛け培地も約３６．６ｍｌで１．３２ｇに当たる。【０２９０】
１２ｍｌ=１４．４ｇの肥料を含むａの１ｋｇの吸着吸収培地とｂの１００ｇの振掛け培地１．４４ｇはｋの５００ｇの吸着吸収培地２倍の２４ｍｌ １４．４ｇとｌの５０ｇの振掛け培地も２４ｍｌで１．４４ｇに当り位置する。ｍの４００ｇの吸着吸収培地は３０ｍｌに当り、１４．４ｇとなり、又この４０ｍｌの振掛け培地も３０ｍｌで１．４４ｇに当たる。又ｏの３００ｇの吸着吸収培地は４０ｍｌの位置になり１４．４ｇに当り、ｈの３０ｇの振掛け培地４０ｍｌの１．４４ｇに当り位置している。１２ｍｌの１ｋｇの吸着吸収培地が４００ｇでは３０ｍｌの位置になり、その振掛け培地が３ｍｌの吸着吸収培地に当り変化し、３００ｇでは４０ｍｌの位置になり、１２ｍｌの吸着培地と同じ肥料含有量となり、その振掛け培地も４ｍｌの吸収培地に当たる。【０２９１】
１３ｍｌ=１５．６ｇの肥料を含むａの１ｋｇの吸着吸収培地とｂの１００ｇの振掛け培地１．５６ｇはｋの５００ｇの吸着吸収培地では、２６ｍｌで１５．６ｇに当りｌの５０ｇの振掛け培地も２６ｍｌの１．５６ｇに当り位置する。ｍの４００ｇの振掛け培地は３２．５ｍｌに位置し、１５．６ｇに当りｎの４０ｇの振掛け培地も１．５６ｇに当り位置する。ｏの３００ｇの吸着吸収培地では約４３．３ｍｌに位置し１５．６ｇに当り、ｐの３０ｇの振掛け培地も約４３．３ｍｌで１．５６ｇに位置する。【０２９２】
１４ｍｌ=１６．８ｇの肥料を含むａの１ｋｇの吸着吸収培地とｂの１００ｇの振掛け培地はｋの５００ｇの吸着吸収培地では２８ｍｌの１６．８ｇに当り、ｌの５０ｇの振掛け培地では２８ｍｌの１．６８ｇに位置する。ｍの４００ｇの吸着吸収培地は３５ｍｌの１６．８ｇに当り、ｎの４０ｇの振掛け培地は３５ｍｌの１．６８ｇに当り位置する。ｏの３００ｇの吸着吸収培地は約４６．６ｍｌで１６．８ｇに当り、ｐの５０ｇの振掛け培地も約４６．６ｍｌで１．６８ｇに当り位置する。【０２９３】
１５ｍｌ=１８ｇの肥料を含むａの１ｋｇの吸着吸収培地とｂの１００ｇの振掛け培地１５ｍｌの１．８ｇは、ｋの５００ｇの吸着吸収培地では３０ｍｌの１８ｇとｌの５０ｇの振掛け培地は３０ｍｌで１．８ｇに当り位置するが、この振掛け培地は３ｍｌの吸着吸収培地にも当たる。又ｍの４００の吸着吸収培地は３７．５ｍｌで１８ｇに当り、ｎの４０ｇの振掛け培地も３７．５ｍｌの１．８ｇに位置する。ｏの３００ｇの吸着吸収培地は５０ｍｌで１８ｇに当り、ｐの３０ｇの振掛け培地も５０ｍｌで１．８ｇ当り、又５ｍｌの吸着吸収培地に当り位置する。【０２９４】
１６ｍｌ=１９．２ｇの肥料を含むａの１ｋｇの吸着吸収培地とｂの１００ｇの振掛け培地１．９２ｇはｋの５００ｇの吸着吸収培地では３２ｍｌで１９．２ｇに当り、ｌの５０ｇの振掛け培地も３２ｍｌで１．９２ｇの位置となる。ｍの４００ｇの吸着吸収培地では４０ｍｌで１９．２ｇに当り、ｎの４０ｇの振掛け培地も４０ｍｌで１．９２ｇ ４ｍｌの吸着吸収培地に当たっている。又ｏの３００ｇの吸着培地は約５３．３ｍｌで１９．２ｇに当りｐの３０ｇ振掛け培地は１．９２ｇに当たる。【０２９５】
１７ｍｌ=２０．４ｇの肥料を含むａの１ｋｇの吸着吸収培地とｂの１００ｇの振掛け培地の２．０４ｇはｋの５００ｇの吸着吸収培地では３４ｍｌで２０．４ｇに当り、ｌの５０ｇの振掛け培地も３４ｍｌで２．０４ｇに当り位置する。ｍの４００ｇの吸着吸収培地では４２．５ｍｌで２０．４ｇに当り、ｎの４０ｇの振掛け培地も４２．５ｍｌで２．０４ｇとなる。ｏの３００ｇの吸着吸収培地は約５６．６ｍｌで２０．４ｇに当りｐの３０ｇ振掛け培地も２．０４ｇに位置する。【０２９６】
１８ｍｌ=２１．６ｇの肥料を含むａの１ｋｇの吸着吸収培地とｂの１００ｇの振掛け培地の２．１６ｇはｋの５００ｇの吸着吸収培地は３６ｍｌの２１．６ｇに当り、ｌの５０ｇの振掛け培地も３６ｍｌで２．１６ｇに位置する。ｍの４００ｇの吸着吸収培地は４５ｍｌの２１．６ｇに位置し、ｎの４０ｇの振掛け培地も４５ｍｌの２．１６ｇに当たる。ｏの３００ｇの吸着吸収培地は１８ｍｌの３．３３倍６０ｍｌの２１．６ｇに当り、ｐの３０ｇの振掛け培地も６０ｍｌの２．１６ｇに位置する。又この振掛け培地の約２．１６ｇは３００ｇの６ｍｌの吸着吸収培地である。【０２９７】
１９ｍｌ=２２．８ｇの肥料を含む、ａの１ｋｇの吸着吸収培地とｂの１００ｇの振掛け培地の２．２８ｇは、ｋの５００ｇの吸着吸収培地で２倍の３８ｍｌで２２．８ｇに位置し、ｌの５０ｇの振掛け培地も３８ｍｌで２．２８ｇの位置に当たる。ｍの４００ｇの吸着吸収培地は２．５倍の４７．５ｍｌで２２．８ｇに当り、ｎの４０ｇの振掛け培地も４７．５ｍｌで２．２８ｇに当たる。ｏの３００ｇの吸着吸収培地は約６３．３ｍｌで２２．８ｇに当りｐの３０ｇ振掛け培地も約６３．３ｍｌで２．２８ｇに当たる。【０２９８】
２０ｍｌ=２４ｇの肥料を含む、ａの１ｋｇの吸着吸収培地とｂの１００ｇの振掛け培地の２．４ｇは、ｋの５００ｇの吸着吸収培地では２倍の４０ｍｌで２４ｇに当り、ｌの５０ｇの振掛け培地でも４０ｍｌで２．４ｇに位置する。ｍの４００ｇの吸着吸収培地は２．５倍の５０ｍｌで２４ｇに当り、ｎの４０ｇの振掛け培地も５０ｍｌで２．４ｇに位置する。ｏの３００ｇの吸着吸収培地は２０ｍｌの約３．３３倍の約６６．６ｍｌで２４ｇとなり、ｐの３０ｇ振掛け培地も６６．６ｍｌで２．４ｇに当り位置する。早見表２では１ｋｇ培地では非常に肥料の度濃度が高くなり、３００ｇ培地と同じ２０ｍｌの使用は難しいので注意が必要となる。１ｋｇ培地の吸着培地では約４から６ｍｌまでの使用となる。又振掛け培地においても鉢花で１０ｍｌ、草花で２０ｍｌまでとなる。【０２９９】
植物の実験では当初３００ｇの樹脂培地に５０ｇの液体肥料の水溶液を与え、水分の過剰で水はけの悪い培地を作り、植物の生育は悪化してしまった。これを減量し１０％の３０ｇで良い生育にすることができた。樹脂培地の植物の生育は水耕栽培の保水性培地と異なり、過剰な水分で生育を悪化させるため肥料の使用量を１０％としているが、植物に寄っては７％から８％の排水性培地を好む植物もある。土壌培地では多量に水分を与えると鉢底より排水され、根腐れを防止しているが、樹脂培地は樹脂が肥料や水分を貯えている培土であり、この培土が保水性と排水性を調整する殺菌培土である。植物の生育には特に排水性が重要となり、この培土の吸着吸収作用が塩素や光に反応し殺菌作用を効果的にしていると言える。土壌培地で生育する保水性植物の、シダ・アジアンタム・セントポーリア等や、排水性植物のナデシコ・パンジー・ペチュニア・プリムラ等の根の柔らかな鉢花や草花等は、樹脂から水分が吸収しにくいため、水分を溜めて与えたり、水分を吸収しやすくして与えなければならないが、離水するアクリル系樹脂培地では常に吸着作用はなされず、又過剰な水分は開花した花を早く終わらせてしまったり、根腐れを起こしてしまう原因となる。このため、ポリビニルアルコールの使用で水分を吸収しやすくし保水性をコントロールしてやらなければならない。この排水性と保水性はポリアルキレンオキサイドとポリビニルアルコールの混合比によって調整される。保水性植物ではポリビニルアルコールを増し、１対１を１対２、又は１対３とすることで生育を良くし、又排水性を好む植物の生育にはポリアルキレンオキサイドを増し、１対１を２対１、３対１とすることで良い生育にすることができる。樹脂培地の植物の生育は排水性による殺菌作用が特に重要であるが、保水性を好む植物では肥料水の３０ｇを５０ｇに増量し、肥料濃度を低下することもできるが、排水性を好む植物は少量１０％の肥料成分では長く生育保持が難しくなる。このため少量の使用とし肥料濃度を高めなければならなくなる。又従来の吸水性樹脂の使用は樹脂が１００％肥料を吸着しこれを培地とし、又土壌保水剤とし土壌に混入使用の方法であったが、これらの樹脂に吸着使用する事で水切れが早まり、１ヶ月に１回又これ以上与えなければならなかった。又アクリル系樹脂に寄る保水剤も樹脂の縮小により１ヶ月に１回と速い水やりが必要となっていた。肥料の振り掛け使用でより長い肥料や水の保持が可能となった。この土壌に振掛け使用は肥料を樹脂の約１０〜３０％の使用で殺菌作用と保水作用が効果を発揮し、土壌に混入使用を上回る良好な使用方法となった。又土壌内に混入する保水剤の使用や樹脂の植物培地ではノニオン系樹脂の吸着使用においても水切れが早く成ってしまっていた。これらを考慮し振掛け肥料培地の少量の肥料の使用がより長い肥料と水の保持が可能となった。又この振り掛け培地の肥料と吸着培地の組み合わせにより、用途に合わせ使用が可能となる。【０３００】
早見表３の植物の適合肥料を求める実験では、樹脂を３００ｇ使用し、１ｋｇの３分の１の重量とした。この培地では１ｋｇで使用する肥料の３．３３倍の肥料の使用で１ｋｇを使用した時と同様な肥料の生育効果としたものである。土壌培地では１ｍｌ・１０００倍の肥料を１ヶ月に４回、２ｍｌ・５００倍で１ヶ月に８回与えている。この作用を樹脂培地では１回で済まし、又２ヶ月、３ヶ月と肥料を保持し、土壌培地を保水殺菌する植物栽培方法とするものである。従来、吸水性樹脂の使用では肥料や水は吸着使用されて来た。この吸着使用で水切れが早まり約１週間〜１ヶ月で水やりをしななければならなかった。この作用を３ヶ月、６ヶ月以上の長期間とする事が可能となった。【０３０１】
（早見表３）
2005065443.tif 000031
【０３０２】
早見表２の肥料の早見表に合わせて植物の生育を見ると、ｂの１ｋｇ培地で１００ｇの肥料を振掛けて使用した１ｍｌ、０．１２ｇの肥料はｐの３００ｇ・３０ｇ振掛け培地では３．３３倍の３．３ｍｌで０．１２ｇとなり、３．３〜４ｍｌが適合培地となる。土壌培地１ｍｌ １０００倍の鉢花・洋ラン・ハーブ・球根・花木等の生育培地となり、１〜４ｍｌの培地においても生育可能となり、特に４ｍｌが良い培地となる。【０３０３】
３００ｇ・３０ｇ振掛け培地２ｍｌ ０．０７２ｇの草花、きく、観葉等の植物も２〜４ｍｌが生育可能な培地となる。これにより２〜４ｍｌの培地は、１ｍｌ １０００倍の植物の他、２ｍｌ ５００倍の観葉・草花・きく・等の植物と共通の生育培地となる。特に４ｍｌではデンドロビュウム・ハーブ・プリムラ・等の鉢花・洋ラン・花木・球根等、観葉ではシダ・アジアンタム・プミラや草花では日々草・ナデシコ・パンジー等の共通培地となる。【０３０４】
ｂの１ｋｇの１００ｇ振掛け培地２ｍｌ・０．２４ｇの肥料は３００ｇ・３０ｇの振掛け培地では３．３３倍の６．７ｍｌで０．２４ｇとなり、特に７ｍｌが適合培地に当たり、６〜８ｍｌは草花・観葉・きく・バラの生育培地となる。又この６〜８ｍｌの培地においても土壌培地１ｍｌ １０００倍の鉢花・洋ラン・ハーブ・花木・球根等の植物と２ｍｌ ５００倍の植物の観葉・草花・きく・等の共通培地となる。【０３０５】
又ｂの１ｋｇの１００ｇ振掛け培地３ｍｌ・０．３６ｇの肥料は３００ｇ・３０ｇ振掛け培地では３ｍｌの３．３３倍の１０ｍｌに適合し、９〜１０ｍｌ・０．３６ｇの培地となる。１ｋｇ・１００ｇ振掛け培地の３ｍｌと３００ｇ・３０ｇ振掛け培地の１０ｍｌは同等な培地である。又３００ｇ培地の１０ｍｌは１ｍｌの吸着培地であり、この１０ｍｌ・０．３６ｇの３．３３倍は３３．３ｍｌ・１．２ｇであり、３．３ｍｌ・０．１２ｇの１０倍培地でもあり液体肥料１ｍｌ＝１．２ｇの生育範囲でもある。又３ｍｌは土壌培地では使用されない肥料培地であるが、３．３３倍の９ｍｌ〜１０ｍｌ培地で、一番発根する培地となり１ｍｌの吸着培地以上の生育効果を発揮する。又９ｍｌも１０ｍｌと同様に発根培地であり、セントポーリアは花芽を付けながら、３ヶ月咲き続ける生育する培地である。このセントポーリアは１〜４ｍｌ・１１〜１４ｍｌ培地において、全く同様な良い生育をする鉢花であるが、３．３３倍の７ｍｌ・８ｍｌではより良い生育をし、８ｍｌでは満開に花を付け、２ヶ月の生育をしていたが、更に９ｍｌ・１０ｍｌの肥料を使用するとより一層花芽を付け、２ヶ月半から３ヶ月花を咲き続けることが可能である。３．３３倍に当たる１０ｍｌ培地では、１ｍｌの吸着培地と同等な肥料を振掛けて使用することで１０倍の肥料の生育効果を上げることが出来る。又球根・ハーブ・洋ラン・花木でも特に７〜８ｍｌ培地で良い生育であるがこの培地においても生育培地９〜１０ｍｌの培地となる。又１００ｇ・１０ｇ振掛け培地の１０ｍｌ・０．１２ｇは、３００ｇ・３０ｇ振掛け培地では３．３ｍｌ・０．１２ｇに当たる。又２０ｍｌ・０．２４ｇは６．７ｍｌ・０．２４ｇに当たる。３００ｇ培地では鉢花・洋ラン花木・ハーブ・球根は４ｍｌ、草花・観葉・きく・バラは７〜８ｍｌの生育と成る。又３００ｇ・３０ｇ振掛け培地では１ｍｌ＝０．０３６ｇにより、２倍は２ｍｌ・０．０７２ｇであり、３倍は３ｍｌ・０．１０８ｇであり、４倍は４ｍｌ・０．１４４ｇであり、１０倍は１０ｍｌ・０．３６ｇ、１１倍は１１ｍｌ・０．３９６ｇで、１２倍は１２ｍｌ・０．４３２ｇである。２０倍は２０ｍｌ・０．７２ｇ、２１倍は２１ｍｌ・０．７５６ｇ、又３０倍は３０ｍｌ・１．０８ｇ、３１倍は３１ｍｌ・１．１１６ｇとなり、０．０３６ｇの累乗による周期の培地であり、又３．３３倍の肥料の使用により、３．３ｍｌ＝０．１２ｇ培地となり、２倍の２ｍｌの３．３３倍は６．７ｍｌ・０．２４ｇとなり、３倍の３ｍｌの３．３３倍は１０ｍｌ・０．３６ｇ、４倍の４ｍｌの３．３３倍は１３．３ｍｌ・０．４８ｇ、５倍の５ｍｌの３．３３倍は１６．７ｍｌ・０．６ｇ、６倍の６ｍｌの３．３３倍は２０ｍｌ・０．７２ｇ、と３．３３ｍｌ＝０．１２ｇと０．１２ｇの倍数による培地の生育となる。【０３０６】
又３００ｇ培地の３．３３ｍｌ・０．１２ｇの３．３３倍は１１．１ｍｌとなり、６．６６ｍｌ・０．２４ｇの３．３３倍は２２．２ｍｌとなり、１０ｍｌ・０．３６ｇの３．３３倍は３３．３ｍｌ、１３．３２ｍｌ・０．４８ｍｌの３．３３倍は４４．４ｍｌとなる。３４ｍｌの２分の１で鉢花は１１ｍｌ〜３４ｍｌの生育培地であり、草花の生育は４４ｍｌの２分の１で２２ｍｌ〜４４ｍｌがほぼ生育可能な培地である。【０３０７】
又２ｍｌ=０．０７２ｇは０．０３６ｇの２倍の培地であり、２ｍｌの１０倍は２０ｍｌ・０．７２ｇで１１倍は２２ｍｌ・０．７９２ｇとなる。又３ｍｌ＝０．１０８ｇは０．０３６ｇの３倍の培地であり、３ｍｌの１０倍は３０ｍｌ・１．０８ｇで１１倍は３３ｍｌ・１．１８８ｇとなる。４ｍｌ＝０．１４４ｇは０．０３６ｇの４倍の培地であり、４ｍｌの１０倍は４０ｍｌで１１倍は４４ｍｌ・１．５８４ｇとなっている。【０３０８】
これにより、１〜１０ｍｌ、１１〜２０ｍｌ、２１〜３０ｍｌ、３１〜４０ｍｌ・４１〜５０ｍｌの周期の中で３．３３倍の培地の生育と成っている。３〜４ｍｌ、６〜８ｍｌ、９〜１０ｍｌ・１３〜１４ｍｌ、１６〜１８ｍｌ、１９〜２０ｍｌ・２３〜２４ｍｌ・２６ｍｌ〜２８ｍｌ・２９〜３０ｍｌ、３３〜３４ｍｌ・３６〜３８ｍｌ・３９〜４０ｍｌ、４３〜４４ｍｌ・４６〜４８ｍｌとなり、この培地の中で特に４ｍｌ・７ｍｌ・１４ｍｌ・１７ｍｌ・２４ｍｌ・２７ｍｌ・３４ｍｌ・３７ｍｌ・４４ｍｌが特に良い生育培地となっている。３〜４ｍｌ、６〜８ｍｌ・９〜１０ｍｌの周期による生育となる。振掛け培地では培地の１０％を適合肥料の使用とし良い生育が可能となっている。この肥料は樹脂を増量し２倍にすると２分の１の肥料となるが、長期間の使用では樹脂を増量し、肥料も３００ｇ培地の使用が可能である。又土壌に振掛ける土壌保水剤の振掛け使用は１〜４ｍｌの低濃度の使用となる。【０３０９】
振り掛け培地の肥料の使用は吸着培地の肥料と異なり、吸着培地と吸着培地との間と間の肥料培地の生育となり、この肥料培地において良い生育となっている。これに反し吸着培地では振掛け培地の１０倍の肥料となっており、水切れが速く良い生育となっていなかった。この肥料培地の生育と速い水切れを保持するには、吸着培地と振掛け培地の肥料の組み合わせによる肥料の使用方法となる。この高い肥料を低濃度の肥料とするには吸着使用となり、吸着培地と振掛け培地の組み合わせによる肥料の使用方法とすると良い。【０３１０】
早見表２では吸着培地１ｋｇ〜１００ｇの各培地の吸着肥料は異成っており、又肥料の数値１ｍｌ〜１００ｍｌのａ・１ｋｇを１０とし、各１０分の１〜１０分の９と１ｋｇ樹脂の重量分の１に当たる肥料と成っている。Ａの１ｋｇ吸着培地の１ｍｌ＝１．２ｇは３００ｇ培地では吸着培地３．３ｍｌ＝１．２ｇであり、振掛け培地では１ｍｌ=３３．３ｍｌとなり、１０倍の肥料を使用しなければ成らない。【０３１１】
ｂの１ｋｇ・１００ｇ振掛け培地の肥料１ｍｌ＝０．１２ｇを使用するには３００ｇ培地の振掛け培地では３．３３倍の３．３ｍｌ＝０．１２ｇに当たっているが、この３００ｇ吸着培地の３．３ｍｌ=０．１２ｇの肥料はＳの１００ｇの吸着培地では１ｍｌ・０．１２ｇの肥料であり、この培地で簡単に求められ、使用が可能と成る。この吸着培地の肥料は定期的に樹脂より溶け出るものではなく、根の柔らかな植物は樹脂より肥料を吸収出来ないため定期的に与えて使用するか肥料を溜めて使用しなければな成らない。【０３１２】
Ｓの１００ｇ吸着培地の１ｍｌ吸着培地は、ａの１ｋｇ吸着培地の１０分の１に当たる肥料である。又このｂの１ｋｇの振掛け培地と同量な０．１２ｇの肥料培地に当たり、１〜１０ｍｌの肥料を振掛けて与え生育が可能と成るが、この１００ｇ培地の１０ｍｌの肥料を１０％振掛けて与えれば１ｍｌ・０．１２ｇの吸着培地と同様な肥料培地と成る。又吸着使用せず１０ｍｌの肥料を１０％振掛けて１０ｍｌの振掛け培地とすることが可能である。使用する肥料は同等であるが振掛け使用することで、植物が肥料を吸収し易く成り、より生育効果を上げることになる。１００ｇ培地の鉢花は１０ｍｌを１０％振掛け使用し１ｍｌの吸着培地、草花では２０ｍｌを１０％振掛けて使用すると、２ｍｌの吸着培地と成り、２ｍｌの吸着培地と２０ｍｌの振掛け培地が同様な培地で、３ｍｌの吸着培地と３０ｍｌの振掛け培地と同様な肥料培地となる。又一番生育の良い生育培地であると言える。Ｑの２００ｇの吸着培地２ｍｌはＳの１００ｇ吸着培地１ｍｌの２倍に当たる肥料培地となり、ａの１ｋｇの吸着培地の１ｍｌ・１．２ｇの５分の１で２ｍｌ・０．２４ｇの培地となる。この２００ｇ培地１ｍｌの吸着培地は１００ｇ培地の１ｍｌ・０．１２ｇの鉢花と草花の共通培地であり、３００ｇの振掛け培地の６．７ｍｌ・０．２４ｇと同様な肥料培地となる。又吸着培地２ｍｌ・０．４８ｇは３００ｇ振掛け培地１３．３ｍｌの０．４８ｇの肥料培地と同等であり、１４ｍｌの振掛け培地と同様な培地となる。２００ｇの吸着培地は１００ｇの吸着培地の２倍と成り、この倍数の数値の培地で同様な生育となる２００ｇ培地では５ｍｌの吸着培地が１ｍｌ＝１．２ｇの肥料培地となる又２ｍｌ＝２．４ｇの生育培地は１０ｍｌの吸着培地と成る。【０３１３】
鉢花・洋ラン・ハーブ・花木・球根等の一番発根する培地で成ければばならないが、２００ｇの吸着培地の２００ｇから９００ｇ培地の肥料１ｍｌ・０．１２ｇ・２ｍｌ・０．２４ｇの倍数の培地となる。１００ｇの吸着培地２ｍｌは振掛け培地の２０ｍｌの肥料を含む培地で草花・観葉・菊・バラの培地である。【０３１４】
振掛け培地の植物の生育は１ｍｌ〜１０ｍｌ培地より１１〜２０ｍｌ培地でより長い植物の生育と成っている。又３．３３倍の培地の生育も１〜４ｍｌ・１１〜１４ｍｌ培地で同様な生育であり、１１〜１４ｍｌが良い生育培地と成っている。吸着培地においても１ｍｌの吸着培地より２ｍｌの吸着培地でより長い育保持がなされている。吸着培地１ｍｌに振掛け肥料１〜１０ｍｌを１０％使用し、１１〜２０ｍｌの振掛け培地と同様な肥料培地と成る。吸着培地２ｍｌに振掛け肥料１〜１０ｍｌを振掛けて使用し、２１〜３０ｍｌの振掛け培地と同等な肥料培地となる。吸着培地１ｍｌに１ｍｌを振掛けて使用し、１１ｍｌの振掛け肥料培地となる。吸着培地２ｍｌに２ｍｌを振掛けて使用し、２２ｍｌの振掛け培地となる。吸着培地３ｍｌに３ｍｌを振掛けて使用し、３３ｍｌの振掛け培地となる。この培地では約１．２ｇの肥料培地となる。又吸着培地４ｍｌに４ｍｌを使用し、４４ｍｌ、吸着培地５ｍｌに５ｍｌを使用し５５ｍｌ、吸着培地６ｍｌに６ｍｌを使用し６６ｍｌ、吸着培地に７ｍｌに７ｍｌを使用し７７ｍｌ、吸着培地８ｍｌに８ｍｌを使用し８８ｍｌと成る。吸着培地９ｍｌに９ｍｌを使用し９９ｍｌ、吸着培地１０ｍｌに１０ｍｌを使用すると１１０ｍｌと成る。吸着培地６ｍｌと６ｍｌの１０％の肥料を使用し２．３７６ｇで約２．４ｇとなり、吸着培地９ｍｌと９ｍｌの１０％の肥料を使用し３．６ｇとなり１０ｍｌの吸着培地と同等と成る。又吸着培地１０ｍｌと１０ｍｌの振掛け肥料１０％の肥料の使用で３．９６ｇとなり１１ｍｌの吸着培地と同等と成る。【０３１５】
吸着培地１０ｍｌ・３．６ｇは振掛け培地の１ｍｌ・０．０３６ｇの１００倍に当たる肥料となり、吸着培地の１０分の１の肥料を１０％使用することで肥料培地は変化し、吸着培地１１ｍｌに１１ｍｌを振掛けて使用し約４．３５６ｇで１２ｍｌの吸着培地と成る。吸着培地１２ｍｌに１２ｍｌを使用し４．７５２ｇで１３ｍｌから１４ｍｌの吸着培地となる。吸着培地６ｍｌ・２．１６ｇの２倍の培地１２ｍｌ吸着培地と成る。吸着培地１３ｍｌに１３ｍｌを使用し５．１４８ｇで約１４．５ｍｌの吸着培地と成る。この培地は振掛け培地の３．３３倍、１３ｍｌ〜１４ｍｌに当たる培地である。吸着培地１〜３ｍｌは１１〜１３ｍｌの吸着培地で生育が可能と成り、特に１２ｍｌが生育培地と成る。この培地では鉢花・洋らんハーブ・球根・花木等の生育培地と成る。【０３１６】
吸着培地１４ｍｌに１４ｍｌを使用し、５．５４４ｇで約１５．５ｍｌの吸着培地となる。吸着培地１５ｍｌに１５ｍｌを使用し、５．９４ｇで丁度１６．５ｍｌの吸着肥料培地となる。吸着培地１６ｍｌに１６ｍｌを使用し、６．３３ｇで１７．５ｍｌの吸着培地となる。吸着培地１７ｍｌに１７ｍｌを使用し、６．７３２ｇで１８．５ｍｌの吸着培地と成る。吸着培地１８ｍｌに１８ｍｌを使用し，７．１２８ｇで約１９．５ｍｌの吸着培地と成る。吸着培地１９ｍｌに１９ｍｌを使用し７．５２４ｇで２１ｍｌの吸着培地となる。又吸着培地２０ｍｌに２０ｍｌを使用し７．９２ｇで２２ｍｌの吸着培地となる。草花の培地では１５〜１８ｍｌの吸着培地の使用と成る。又鉢花の１１〜１３ｍｌ、草花の２２〜３０ｍｌの吸着培地においても生育可能と成る。ノニオン系樹脂培地は培地が肥料を貯えて保持する人工培土であると言える。吸着培地では高い肥料を吸着する為、保水性培地となり易く鉢花や草花の生育に適合培地であってもチタンの併用やイオン交換樹脂の使用すると良い生育を維持することが可能と成る。吸着培地では肥料濃度が高くなってしまい、これを１〜３ｍｌを吸着し８〜１０ｍｌを振掛け使用すると鉢花草花の長い生育とする事が可能と成る。【０３１７】
早見表４では０．１ｍｌ〜０．９ｍｌ培地の肥料では０．３ｍｌの３．３３倍は１ｍｌの肥料培地となり、０．５ｍｌの３．３３倍の肥料培地は１．７ｍｌとなる。又０．６ｍｌの３．３３倍は２ｍｌとなり、１ｍｌの３．３３倍の３．３３ｍｌで３．４ｍｌの培地に当たり、振掛け培地では１ｍｌ〜３．４ｍｌ培地の２分の１、の１．７ｍｌから１ｍｌ〜４ｍｌ培地又４．４ｍｌ培地の２分の１、の２ｍｌ〜２．２ｍｌの培地が適合培地である。【０３１８】
（早見表４）
2005065443.tif 000032
【０３１９】
吸着培地１〜５ｍｌは１０〜５０ｍｌの振掛け培地となり、６〜１０ｍｌは６０〜１００ｍｌに値する肥料培地となっている。吸着培地５ｍｌは１０ｍｌの中間に位置しているが、３．３３倍地により１５ｍｌが３．３３倍で５０ｍｌに当たる。又振掛け培地５ｍｌの３．３３倍で１６．７ｍｌに当たる。【０３２０】
肥料濃度が高まっても草花の生育は振掛け培地と同様な培地の生育をし、３００ｇの吸着培地は３００ｇの振掛け培地と同様な３．３３倍の周期の生育をする栽培となる。吸着培地は高い肥料を吸着吸収する事で樹脂の離水作用を起こしてしまい殺菌作用が低下してしまうため、チタンを少量併用する事で生育を維持する事が可能となる。振掛け培地の肥料は吸着培地と異なり１〜９ｍｌ、１１〜１９ｍｌであるのに対し、吸着培地では振掛け培地の１０ｍｌ・２０ｍｌ・３０ｍｌ・４０ｍｌの高い肥料を吸着吸収し１０分の１の低い肥料培地と成っているが、肥料濃度が高く水の乾きが早い状態となる。【０３２１】
又早見表２では１ｍｌ〜１００ｍｌの液体肥料は３００ｇ培地では１ｋｇ培地の３分の１で３．３３倍、４００ｇ培地では５分の２で２．５倍、５００ｇ培地では２分の１で２倍の使用量としている。１ｋｇ培地では１倍で１ｍｌ・０．１２ｇ、２ｍｌ・０．２４ｇ、３ｍｌ・０．３６ｇとなる。３００ｇ培地がより長い生育培地となる。振掛け培地では４ｍｌ・７ｍｌの３．３３倍の肥料を使用することで肥料を長く保持することが可能となっているが、吸着培地の肥料保持は長くて１ヶ月と、振掛け培地と比較すると短期間となる。又２０ｍｌを吸着した吸着培地２ｍｌは生育が安定していても華やかな花の開花がないため、１２ｍｌと１０倍の肥料を使用する。又８ｍｌ・９ｍｌ・１０ｍｌの肥料を使用し寄り長い肥料を保持し花を長く開花し続けることが大切である。これは植物が樹脂培地に少量溜まっている肥料を吸収し、其の肥料が無くなってしまう期間でもあるが、この肥料水を増量すると保水性が高まり排水性の悪い培地と成ってしまう。此れらを考慮し振掛け培地の３．３３倍の生育方法を使用されることで、肥料の保持をより長い培地とした栽培方法となる。【０３２２】
吸着培地１〜２ｍｌの間は１１〜１９ｍｌに当たる振掛け培地となるが、この培地では約２分の１の１６．７ｍｌより生育可能となり、鉢花・草花が良い生育となっている。此れにより吸着培地では吸着培地の肥料に３．３３倍地の適合肥料の１０％の肥料を使用し、振掛け培地の生育可能な肥料培地としなければならない。増量使用することで肥料保持が可能となった。鉢花では１ｍｌ〜３ｍｌの吸着培地と成る。草花では２〜４ｍｌの吸着培地と成り振掛け培地と吸着培地は同様な３．３３倍の周期に寄る栽培方法である。【０３２３】
ノニオン系樹脂は土壌培地の２倍の肥料培地による生育であることを示している。植物の生育を見ると鉢花では１ｍｌより２ｍｌがより長い肥料保持の良い生育となり、草花では２ｍｌより４ｍｌがより良い生育と成っている。これにより鉢花と草花は同じ培地で生育することになり、２〜４ｍｌの吸着培地の生育と成るが振掛け培地と同様に３．３〜４ｍｌ、６．７〜８ｍｌの吸着培地の生育となる。【０３２４】
草花の肥料培地２ｍｌの３．３３倍で６．７ｍｌは１０倍の６７ｍｌが適合培地であるが、吸着培地６ｍｌに６ｍｌ〜７ｍｌを与えることで肥料を保持することができる。又振掛け培地では６７ｍｌの２分の１で３４ｍｌ培地から４４ｍｌ〜４５ｍｌとする。【０３２５】
ｂの４ｍｌ・０．４８ｇの３．３３倍は１３．３ｍｌで０．４８ｇとなり、１４ｍｌで０．５０４ｇとなる。又ｂの５ｍｌ・０．６ｇの３．３３倍は１６．７ｍｌである。この１４ｍｌ又１７ｍｌは１１〜１９ｍｌの振掛け培地であり、１ｍｌと２ｍｌの吸着培地に存在しないことになる。又吸着培地は振掛け培地より水切れが早くなり、吸着培地では２ｍｌが一番水持ちが長く、約１ヶ月である。この吸着培地２ｍｌと振掛け培地２０ｍｌは肥料濃度が同じであるが、植物の生育は異成り鉢花・草花の生育培地と成り、吸着培地では一番肥料保持が長い良い培地となる。この様に吸着培地２ｍｌの肥料含有量は同じであるが、振掛け培地と逆の生育になっている。吸着培地の水切れは早く、保持は長くて１ヶ月なのに対して振掛け培地は２ヶ月〜３ヶ月以上の肥料や水の保持が可能である。この吸着培地の肥料や水切れが速いのは吸着培地の肥料濃度が適合培地でないことを現わしている。これらを考慮し吸着培地に振り掛け培地を組み合せ、より長い肥料培地とした栽培方法である。【０３２６】
ｂの９ｍｌの３．３３倍は３０ｍｌとなり、３ｍｌの吸着培地であり、１０ｍｌの３倍培地である。この培地は発根培地の９ｍｌであり、３ｍｌ・６ｍｌの倍数の培地である。又３０ｍｌ培地は１５ｍｌ培地の２倍培地となり、鉢花・洋ラン・ハーブ・球根・花木等の培地となる。９ｍｌの３．３３倍の３０ｍｌで一番発根し３０〜３１ｍｌを生育培地とする。この培地で花木・庭木・花壇・芝生等の培地とすると良い。椿・山茶花等の花木では常に花芽を付け発根し良い生育培地と成る。鉢花では１ｍｌ＝１．２ｇの肥料培地では約９０％の肥料濃度が良い生育培地である。庭木では３５ｍｌ以上では開花した花が散るのが早く忙しい培地である。１１ｍｌの３．３３倍が３６．６ｍｌとなり、この培地では観葉・きく・バラの培地であるが、ミニバラ等の鉢花の生育は３０ｍｌまでとする。この培地は１ｍｌ＝１．２ｍｌの９０％の肥料培地となる。ｂの１０ｍｌの３．３３倍は３３．３ｍｌで３４ｍｌとなる。この培地は１ｍｌ＝１．２ｇの培地となり、３０ｍｌと同様に発根培地であり花木・庭木の使用が可能であるが、肥料濃度が高くミニバラの培地は３０ｍｌとなる。１２ｍｌの３．３３倍が４０ｍｌとなり、１３ｍｌの３．３３倍が４３．３ｍｌであり、４０〜４４ｍｌの培地とすることができる。この培地ではユリ・洋ラン・セントポーリア等が非常に美しい開花となる。がセントポーリアでは花芽が少なくなるので、１８ｍｌが一番花持ちがよい培地である。又３００ｇ培地の３０〜３４ｍｌは１００ｇ培地では９〜１０ｍｌ培地となるこの培地でセントポーリア・ガーベラや洋ラン等の鉢花や、ペチュニア、インパチェス等の草花に適合し、特にセントポーリヤでは花芽を付けながら3ヶ月生育しユリ・チューリップ等一番発根する培地でもある。土壌培地では花を開花し維持する肥料は異なり花が終了後、発根培地の肥料を与えているが、樹脂培地ではこの花の開花と発根を同時に行なうことが可能である。【０３２７】
又ｂの１００ｇ振掛け培地の４ｍｌ・０．４８ｇは土壌培地４ｍｌ・２５０倍で生育する庭木・花木・花壇・菜園・芝生等の生育培地で、３．３３倍の１３．３ｍｌで０．４８ｇとなり、１４ｍｌが適合培地となる。１３〜１４ｍｌが生育培地となり、３〜４ｍｌで生育可能な鉢花・ハーブ・洋ラン・草花・観葉・花木・球根等は１３〜１４ｍｌでも生育可能となる。１ｍｌ〜４ｍｌの生育可能な植物はこの培地に於いても同様な生育となる。土壌培地４ｍｌ・２５０倍の庭木・花木・花壇・菜園・芝生等の共通培地となる。この培地ではミニバラの生育が難しく１６．７ｍｌ以上の生育となる。【０３２８】
ｂの５ｍｌ ０．６ｇは、３．３３倍で１６．７ｍｌで１７ｍｌに適合し、１６〜１９ｍｌが生育培地となり、この培地では1番肥料の保持が長い培地である。６ｍｌ〜９ｍｌで生育する鉢花・ラン・ハーブ・球根・花木・と草花・観葉・バラ・キクはより安定した生育となる。１７ｍｌでは１．２ｇの約５０％の肥料培地である。チューリップの球根では１ｍｌ〜２０ｍｌの液体肥料培地で、２・６・７・９・１０ｍｌと同時に芽を出してくる。特に９〜１０ｍｌ培地が良い発根する培地となっている。【０３２９】
ｂの６ｍｌ ０．７２ｇは３．３３倍で２０ｍｌで同等となる。３００ｇ ３０ｇ振掛け培地２ｍｌ ０．０７２ｇの１０倍の２０ｍｌ培地・０．７２ｇである。この０．７２ｇの３．３３倍は２．４ｇとなり、２ｍｌ＝２．４ｇの肥料培地は、６７ｍｌの培地である。３００ｇの培地では１ｍｌ・０．１２ｇが３．３ｍｌに当たり、３．３〜４ｍｌの肥料培地となり、この１０倍３３．３ｍｌ〜４０ｍｌが適合生育培地と言える。３ｍｌと４ｍｌの倍数の９〜１３ｍｌの３．３３倍の３３〜４４ｍｌを生育範囲とすると良い培地となる。３００ｇ培地では１ｍｌ・１０００の鉢花・洋ラン・ハーブ・花木・球根は１〜３．３ｍｌ又１〜４ｍｌにより、１０倍の１０〜３３．３ｍｌ・１０〜４０ｍｌ培地となり、又２〜４ｍｌで２ｍｌ ５００倍の草花・観葉・キクの生育が可能であり、１０倍の２０〜４０ｍｌが適合培地とすることができる。２０ｍｌの振掛け培地は、２ｍｌの吸着培地と同等の培地である。、２ｍｌの３．３３倍６．７ｍｌの１０倍は６７ｍｌで吸着培地６〜７ｍｌに当たる培地である。鉢花の培地では３４ｍｌ・１．２ｇの約７０％の０．８４ｇ・２４ｍｌが良好な培地であり、草花の培地においてもノニオン系樹脂に振掛けて使用すると２７〜３７ｍｌの必要培地の約４０〜５７％以下で最も肥料が少ない培地で生育が可能となる。【０３３０】
ｂの７ｍｌ・０．８４ｇの３．３３倍の培地は、２３．３ｍｌとなり２３ｍｌ〜２４ｍｌが適合培地となる。この培地においても２４ｍｌが適合培地となり、３〜４ｍｌ、１３〜１４ｍｌに適合した植物と共通培地でとなる。２３〜２４ｍｌの培地では１．２ｇの約７０％の肥料培地となる、鉢花では特に１〜４ｍｌ・１１〜１４ｍｌ・２１〜２４ｍｌがより適合培地である。花の開花終了後発根培地の９〜１０ｍｌを与えると、ガーベラ・ユリ等は花が終わっても新芽を付け成長をする。【０３３１】
ｂの８ｍｌ ０．９６ｇは、３．３３倍の２６．６ｍｌに当り２７ｍｌが適合培地で２６〜２８ｍｌが生育培地となり約８０％の肥料含有量となる。この培地では草花がより良好な培地となり、６〜９ｍｌ・１６〜１９ｍｌ・２６〜２９ｍｌの共通培地である。特にミニバラ等の鉢花は１３〜１４ｍｌ・１６〜１９ｍｌが適合培地となり、２倍の培地では草花やバラ・キクの生育では２６〜３８ｍｌが適合培地である。鉢花では１８〜１９ｍｌ、草花では３６〜３８ｍｌが一番肥料保持が長い培地と言える。これを吸着培地の肥料の組み合わせにより鉢花では吸着培地１ｍｌに８〜９ｍｌを使用し、草花では３ｍｌに８〜９ｍｌの肥料を使用することが寄り長い肥料保持が可能となる。６ｍｌの３．３３倍の２０ｍｌは、２ｍｌの草花の１０倍培地であり、４０ｍｌの１．４４ｇの５０％の肥料培地である。【０３３２】
又ｂの９ｍｌ １．０８ｇは、３．３３倍で３０ｍｌに適合し３０ｍｌが生育培地なり、この培地は３４ｍｌ・１．２ｇの９０％の１．０８ｇであり、３ｍｌの吸着培地と同様となる。９〜１０ｍｌの培地で一番発根しているが、８ｍｌも同様に長い肥料培地であり、８ｍｌ〜９ｍｌの使用となる。又合計肥料２０ｍｌ・４０ｍｌではあまり良い生育培地と成らない。０．３６ｇの３倍培地で鉢花の生育培地となる。又一番発根する培地である。１０〜１１ｍｌ、２０〜２２ｍｌ、３０〜３３．３ｍｌの培地においても発根し、３ｍｌの３．３３倍の１０ｍｌは鉢花６ｍｌ・３．３３倍の２０ｍｌは草花・庭木・花木・花壇・菜園・芝生等の発根培地となっている。９ｍｌの３．３３倍の３０ｍｌの培地はより草花や紫陽花・山茶花・椿・バラ・シヤクナゲ等の花木・庭木や樹木等樹培地の生育培地である。３ｍｌの倍数の培地でより発根している。【０３３３】
吸着培地は振掛け培地の１０倍の濃度の培地であるが、常に肥料が溶け出て溜まってないので、植物が樹脂より肥料を吸着可能であれば、吸着培地と振掛け培地は同等な培地として使用が可能であるが、草花等の根の柔らかな植物は肥料を少量与えて上げなければならない。此れにより１０％の肥料を与えたり、溜めて使用することになるが、草花の使用にはポリビニールアルコールは縮小が速いので２倍の使用量としなければ成らない。又アクリル系樹脂の混合使用となるが、アクリル系樹脂の使用は水切れが速く１ヶ月から２ヶ月で水やりが必要となる。これらを考慮しノニオン系樹脂培地に極少量の肥料を振り掛け使用することがより長い肥料保持となる。保水性植物では液体肥料を振掛け使用すると非常に長期に生育を維持することが可能となる。この様に樹脂に極少量の肥料を使用することがより長く生育を維持でき土壌培地に振掛け使用することが必要不可欠となった。土壌培地４ｍｌ １２５０倍の椿・サザンカ・アジサイ等の庭木・花木・花壇・菜園・生等の生育培地で緑化事業の植樹では３０〜３４ｍｌまでの使用となる。これは吸着培地３ｍｌに１０％の３〜４ｍｌの振り掛け使用とすることが出来るが、土壌に混入しなければならないが振り掛け使用する土壌保水剤では３〜４ｍｌの使用で６ヶ月以上の保水効果と殺菌効果となる。【０３３４】
さらに早見表５では液体肥料培地の０．１〜０．９ｍｌを計算し記載した。
ｂの１ｋｇ、１００ｇ振掛け培地の１ｍｌの１０分の１は０．１ｍｌとなり０．０１２ｇの肥料である。ｂの１００ｇ振掛け培地の０．１ｍｌの３．３３倍が３００ｇ ３０ｇ振掛け培地の０．３３ｍｌとなり、ｂの０．２ｍｌの３．３３倍が０．６７ｍｌとなり、ｂの０．３ｍｌの３．３３倍が３００ｇ培地０．９９ｍｌで１ｍｌとなる。ｂの０．４ｍｌの３．３３倍が１．３３ｍｌとなる。又ｂの０．５ｍｌの３．３３倍が１．６７ｍｌとなる。０．６ｍｌの３．３３倍が２ｍｌに当り、ｂの０．７ｍｌの３．３３倍は２．３３ｍｌとなる。ｂの０．８ｍｌの３．３３倍が２．６６ｍｌ、ｂの０．９ｍｌの３．３３倍が３００ｇ培地の２．９９ｍｌ、３ｍｌに当り、ｂの１ｍｌの３．３３倍が３００ｇ培地の３．３ｍｌとなっている。又１．１ｍｌの３．３３倍は３．７ｍｌ、１．２ｍｌの３．３３倍は４ｍｌ、１．３ｍｌの３．３３倍が４．４ｍｌ、１．４ｍｌの３．３３倍が４．７ｍｌで１．５ｍｌの３．３３倍が５ｍｌと成り、この１０倍の培地までが生育範囲となる。又この０．３ｍｌの３．３３倍、０．０３６ｇが１ｍｌの培地であり、０．５ｍｌ ０．６ｇが１．６７ｍｌの培地に当り、０．６ｍｌ、０．０７２ｇは２ｍｌの培地に当たる。２ｍｌは０．４〜０．６ｍｌの３．３３倍１．３３ｍｌ〜１．６７ｍｌの範囲となっている。【０３３５】
（早見表５）
2005065443.tif 000033
【０３３６】
早見表５の０．１〜０．９ｍｌの液体肥料においても、３．３３倍の周期と１０倍周期で１．６７ｍｌ〜２ｍｌが土壌培地１ｍｌの生育培地となり、この２倍３．３〜４．４ｍｌの培地が草花の培地と成り、１０倍の１６．７ｍｌ〜２２ｍｌ・３３ｍｌ〜４４ｍｌの培地が安定した生育培地となる。【０３３７】
この様に１ｍｌ〜４ｍｌの植物の培地は、３．３倍の周期で１１〜１４ｍｌと同様な生育培地となり、この培地では約１ヶ月間の肥料保持が可能で１ヶ月に１回、肥料を与えなければならない。特に１３〜１４ｍｌが適合培地である。６〜９ｍｌは約２ヶ月の肥料保持が可能となるが、１６〜１９ｍｌでは４ヶ月〜６ヶ月の肥料保持が可能となる。ゼラニウムは繰り返し咲き続けるが、樹脂が縮小するため２ヶ月〜２ヶ月半で水を与え樹脂を膨潤させなければならない。セントポーリアは花が終了後６〜８ヶ月発根し生育し続ける。又この培地は一番肥料保持が長い培地である。２ｍｌの吸着培地では約１ヶ月の肥料保持であるが、振掛け培地の１０ｍｌは３ヶ月の肥料保持が可能で、２０ｍｌはさらに６ヶ月と同様な生育培地となり、約５ヶ月〜６ヶ月の肥料保持が可能となる。３ヶ月肥料、水を与えないでゼラニウム・セントポーリアは新芽を付けながら３ヶ月花を咲き続けることが可能である。さらに草花では２１〜２４ｍｌでは３ヶ月〜８ヶ月、特にミニバラ・シクラメン・パンジー・等の鉢花では、４ｍｌ・７ｍｌ・１４ｍｌ・１７ｍｌが良い培地で３〜４ｍｌ・６〜８ｍｌ・１３〜１４ｍｌ・１６〜１８ｍｌが生育範囲ある。草花では１４〜１７ｍｌの２倍の２８〜３８ｍｌが良い生育培地となる。２３〜２４ｍｌ・２６〜２８ｍｌ・３３〜３４ｍｌ・３６〜３８ｍｌ・４３〜４４ｍｌの生育範囲となる。３０〜３１ｍｌ培地では草花で３ヶ月の肥料保持が可能で、２０〜２１ｍｌと同様な生育となり、セントポーリアでは１９ｍｌの使用で８ヶ月以上肥料や水やりなしで新葉を付け、生育を継続することが可能である。【０３３８】
早見表２ではｂの１００ｇ振掛け培地の１ｍｌ・２ｍｌ・３ｍｌは、３００ｇ ３０ｇ培地では３．３ｍｌ・６．７ｍｌ・１０ｍｌの使用となり、４ｍｌ・５ｍｌ・６ｍｌは、１３．３ｍｌ・１６．７ｍｌ・２０ｍｌの使用となる。又７ｍｌ・８ｍｌ・９ｍｌは、２３．３ｍｌ・２６．６ｍｌ・３０ｍｌの使用となる。５ｍｌ〜１０ｍｌの３．３３倍の培地の生育となるが、鉢花では特に４ｍｌ〜６ｍｌの３．３３倍の２０ｍｌ培地での生育が肥料の保持が一番長く良い培地となる。又草花の生育は７〜９ｍｌの３．３３倍の２３．３〜３０ｍｌと１０〜１３ｍｌの３．３３倍の３３．３〜４３．３ｍｌも可能な生育培地となるが、３００ｇ・３０ｇ培地３．３３倍の生育により、２ｍｌ・５００倍の草花培地１〜４ｍｌで良い生育と成っており、１０ｍｌの３．３３倍の３３．３ｍｌから、１１ｍｌの３．３３倍の３６．６ｍｌ、１２ｍｌの３．３３倍の４０ｍｌ、１３ｍｌの４３．３ｍｌまでの生育培地とする。３００ｇ・３０ｇ振掛け培地では３３ｍｌ〜４４ｍｌの肥料培地が良い培地となる。【０３３９】
早見表２、ｔ１００ｇの１０ｇ振掛け培地ではｂの１ｋｇ １００ｇ振掛け培地の１ｍｌ ０．１２ｇは１００ｇ １０ｇ振掛け培地では１０倍の１０ｍｌで１ｋｇ １００ｇ振掛け培地と同等な培地となる。この１０ｍｌの培地は３００ｇ ３０ｇ振掛け培地では３．３ｍｌで同等な培地となっている。１００ｇ １０ｇ振掛け培地では１０ｍｌを使用して１ヶ月の使用保持となる。又ｂの１００ｇ振掛け培地の２ｍｌ ０．２４ｇは１００ｇ １０ｇ振掛け培地では、１０倍の２０ｍｌで０．２４ｇで同等となる。又ｂの３ｍｌ ０．３６ｇは１００ｇ １０ｇ振掛け培地では１０倍の３０ｍｌで同等となる。又５ｍｌの０．６ｇは１０倍の５０ｍｌの培地となり、６ｍｌ ０．７２ｇ振掛け培地は３００ｇ ３０ｇ振掛け培地では３．３３倍の２０ｍｌが１０ｇ振掛け培地では１０倍の６０ｍｌとなっている。又４ｍｌ ０．４８ｇも１００ｇ １０ｇ振掛け培地では１０倍の４０ｍｌとなる。これらを１０倍の樹脂量にすることで１０分の１の肥料濃度となり、ｂの１ｋｇの１００ｇ振掛け培地の使用量となり、１ｍｌ ０．１２ｇと同じ数値の使用量となる。【０３４０】
早見表２は、樹脂培地を１００ｇ単位で表わしているが、振掛けて使用する肥料は、使用する培地の素材により異なるため、培地の使用量により１００ｇの１０ｇ振掛け培地を２倍、３倍と増量すると、培地の肥料濃度は左へ移動し肥料濃度が低下するが、振掛け培地では特に、鉢花では１〜４ｍｌ、草花では１〜８ｍｌでは肥料の長い花の保持は難しく１ヶ月の肥料保持となっている。これにより３００ｇ培地の肥料の使用がより長い肥料保持と成る生育方法である。吸水性樹脂以外での培地では土壌と同様な使用となり、肥料を回数与える作用となる。早見表２では使用量の増量によりほぼ同じ肥料の上下の移動となる。これらの樹脂以外の培地ではイオン交換樹脂の使用又ノニオン系樹脂の混合使用で肥料保持をより長く維持することができる。又チタンによる光触媒の使用や殺菌剤を使用するとより良い生育培地とすることができる。【０３４１】
又ノニオン樹培地では２ヶ月半から３ヶ月で樹脂が約２分の１に少し縮小するが、アクリル系樹脂培地では全く縮小してしまい乾燥状態に戻ってしまうが、ノニオン系樹脂培地ポリビニルアルコールとポリアルキレンオキサイドの混合培地では８ヶ月以上でも水を加えなくとも生育が可能な培地である。又ｒの２００ｇ ２０ｇ振掛け培地ｔ１００ｇ １０ｇ振掛け培地では肥料が高くなってしまう為、３００ｇ培地と同様な３３〜４４ｍｌまで肥料濃度の使用とすることも可能であり、肥料を樹脂量の１０％とすると良い。【０３４２】
樹脂３００ｇの３０ｇ振掛け培地の３．３倍の３〜４ｍｌの培地は土壌培地１ｍｌ １０００倍の植物・鉢花・洋ラン・ハーブ・花木・球根等が１〜４ｍｌで生育し、又２ｍｌ ５００倍の草花・キク・バラ・観葉等の生育も２〜４ｍｌに適合し共通培地となるが、月に１回の肥料を与えなければならない。これにより鉢花・洋ラン・ハーブ・花木・球根等では２０〜３０ｍｌで草花・観葉・バラ・キク等と共通培地となっている。適合培地では４ｍｌ、７ｍｌ、１０ｍｌ、１４ｍｌ、１７ｍｌ、２０ｍｌ・２４ｍｌ、２７ｍｌ、３０ｍｌとなり、生育可能範囲は１６〜１８ｍｌ、１９〜２０ｍｌ・２３〜２４ｍｌ、２６〜２８ｍｌ、２９〜３０ｍｌはどちらにも生育できる共通培地であるが、ミニバラ・ユリ・チューリップ等の球根類では１６〜１８ｍｌ以上となり、１６ｍｌ以下では長く花を保持することが難しく、１．６ｍｌから２ｍｌの生育となり吸着吸収培地では、２ｍｌが一番水持ちが長く、１ヶ月の保持が可能で２ｍｌ〜３０ｍｌが生育可能な培地と言える。又山野草やサボテンでは１０ｍｌまでの使用となる。特にサボテンでは吸着培地の８ｍｌが良い。この様に吸着培地は振掛け培地の１０倍の肥料培地であるが、排水性培地となりサボテンや球根の使用がよい。又振掛け培地６〜７ｍｌではミニバラの生育は難しく、１６〜１７ｍｌで可能となり吸着培地においてもバラの生育は１．６ｍｌ〜３ｍｌ・６〜７ｍｌ・１３〜１４ｍｌで可能であるが、特に殺菌作用が大切なため、長期の栽培にはチタンによる殺菌作用の併用が求められる。吸着吸収培地では吸着時間や膨潤倍率によって液体肥料の吸収量や膨潤倍率等が異なるため、注意が必要となる。又イオン交換樹脂や塩素イオンの併用により殺菌効果を増強することが可能である。又膨潤時間ではポリアルキレンオキサイドは水道水で２４時間以上で膨潤し、１０ｍｌ以上の液体肥料の使用では純水の使用をしなければならない。又純水では７時間〜１２時間で膨潤し水切りを十分し出来あがり膨潤量２０倍とする。【０３４３】
この肥料の使用方法は、より長く生育保持するための肥料濃度であるが、ノニオン系樹脂はイオン交換樹脂と同様な作用をし、低濃度の肥料を少量の使用でより生育が可能となる。又この肥料と固形肥料等の併用も可能である。従来、吸水性樹脂は土壌培地の保水剤として使用され、樹脂の離水作用により土壌が保水されてきた。この離水作用によって土壌に水分が溜まり、植物の生育が悪化し根腐れを起してきた。植物培地ではこれらの離水作用を嫌い、ポリビニルアルコールの吸着吸収作用による殺菌作用の保水性樹脂で土壌を覆い、空気を遮断することで水やりをせずとも土壌の乾燥を阻止することが可能である。この作用は保水剤の作用ではなく、太陽熱や光エネルギーを使用した樹脂の殺菌作用によるものである。この使用方法は雑草の繁殖を阻止することが可能で水道水に肥料を添加し膨潤したポリビニルアルコールをプランターや花壇に、又田畑の農作物の培地に振掛け土壌を覆って使用したものである。この１回の作用で約半年雑草が生えず、植物の生育は甦ることができ、非常に良い生育となった。この方法は真夏に於いても水やりは１ヶ月に１〜２回で良く真夏以外では全く不要となる。従来の保水剤は土壌に混入し使用されて来たが、殺菌作用を伴わず根腐れを起こしていた。ノニオン系樹脂の殺菌作用により此れらの根腐れ防止と保水作用の両用の作用を兼ねた殺菌剤となる。樹脂が空気を遮断する事で雑草の繁殖を押さえ、又太陽熱や光エネルギーで樹脂の殺菌作用が活発に作用した物である。この作用で土壌内の高温や雑菌の繁殖を押え、植物の生育が悪化するのを防ぐことができた。この使用は植物がより良い生育を維持する為、ポリビニルアルコール単体の使用又は混合使用し、液体肥料水に吸着使用するし、水道水の使用や降雨の使用で可能となる。又残留塩素濃度を高めることで更に可能となる。又ポリビニルアルコールとポリアルキレンオキサイドやポリエチレンオキサイド等の混合培地では吸着せず振掛け使用し固形肥料の併用で可能となる。混合比を２対１とし塩素の吸着吸収をする樹脂の調整剤の作用となる。【０３４４】
土壌培地の液体肥料の使用方法によると標準１０００倍では１リットルの水に１ｍｌ添加した水溶液を１週間に１回植物に与え、月に４回与える。樹脂培地はこの４回の肥料を１回に４ｍｌを使用し、月に１回としている。植物は鉢花、洋ラン、ハーブ、球根、花木、果樹、野菜等の栽培に使用される。又、５００倍は１リットルの水に２ｍｌを添加し、１週間に１回植物に与え、月に４回与える。樹脂培地では１回２ｍｌを４回与える作用を１回で８ｍｌ与えるとしている。植物は草花、野菜、バラ、キク、観葉、花壇、菜園、芝生の使用となっている。又２５０倍は１リットルの水に４ｍｌを添加した水溶液を１週間に１回、花木・庭木・花壇・菜園・芝生等に与える方法で４ｍｌを月に４回与えることに成る。樹脂培地では１回に１６ｍｌを与える栽培と成る。土壌培地の肥料は３００ｇの樹脂培地と同じく毎回３０ｇ与えると、３００ｇの土壌培地では１ｍｌ １０００倍の肥料では０．０３６ｇ×４回で１ヶ月に４ｍｌの０．１４４ｇの肥料が必要となり、４ｍｌ×２ヶ月、４ｍｌ×３ヶ月、４ｍｌ×４ヶ月、４ｍｌ×５ヶ月、鉢花では５ヶ月で２０ｍｌが必要となり０．７２ｇの肥料となる。又２ｍｌ ５００倍の肥料３００ｇの土壌培地では０．０７２ｇ×４回で、１ヶ月に８ｍｌ ０．２８８ｇが必要肥料となり、８ｍｌ×２ヶ月、８ｍｌ×３ヶ月、８ｍｌ×４ヶ月、８ｍｌ×５ヶ月、草花では５ヶ月で４０ｍｌが必要となり１．４４ｇの肥料となる。土壌培地は同量を回数与えると樹脂培地と同様な肥料含有量となるが、土壌培地は一時的に土壌に吸収されても鉢底の穴より排出され根腐れを防ぎ、水はけを良くしている。【０３４５】
樹脂培地はこれらの土壌培地の月４回の肥料や水やりの作用を３００ｇ培地において、約３ヶ月省くことが可能である。又この樹脂を増量し、２倍の６００ｇの樹脂量とし、２分の１の肥料濃度となり、又３００ｇと同量な肥料濃度で約５〜６ヶ月省くことが可能となる。【０３４６】
吸着吸収培地は振掛け培地と同様な３．３３倍の培地の生育が可能であるが、吸着培地は高い肥料を吸収し水切れが早く、又樹脂が離水し殺菌作用が低下し適切な培地とは言えないが、草花や鉢花の洋ラン等の使用は排水性培地となり良い生育となる。振掛け培地は吸着培地と異なり１０％の少量の液体肥料で長期間の生育が可能な栽培方法となる。樹脂培地では肥料濃度が高まることで樹脂の吸収能力が低下するため、振掛け培地では１０ｍｌ以上を、吸着培地では１ｍｌ以上を純水の使用としなければならない。水道水では殺菌作用の効果を表わしているが、水道水は大きく膨潤することができないため高い肥料を使用しても吸収されず、植物の生育が悪化してしまうので注意が必要となる。【０３４７】
ノニオン系樹脂ポリビニルアルコールは将来の水不足に備え、水と肥料を貯えた培地とし種籾等の種苗培地のみならず、土壌培地の代替培地とし低濃度の肥料を使用した、植物の他米作りや野菜栽培に使用することが可能である。土壌培地の植物栽培方法は花が開花している時は肥料を与えず、花が終わった後に肥料を与え、根を発根させ再度花芽を付けさせる栽培方法であるが、樹脂培地はこの作用を同時に行ってしまうことになる。土壌培地の液体肥料１ｍｌ・１０００倍、２ｍｌ・５００倍に該当する肥料濃度の植物は、月に４回と肥料水を与えることで花を長く咲き続け保持しているが、この方法においても土壌培地の植物は培土や鉢内にも肥料を保持しているにもかかわらず、花を保持する期間は短くセントポーリアやラン等で１ヶ月〜１ヶ月半で花が終わってしまっている。又鉢植えに与える肥料もたっぷり与えても鉢底より排水され地下に流出している。土壌培地の植物は土壌に植物の必要肥料が保持されているにも関わらず長く花を開花し保持することは難しい。この点樹脂培地ではその植物に適合する肥料を樹脂が貯えることで土壌培地以上に、より長く花を保持し楽しむことが可能である。又花が終わっても再度発根し花芽を付けくり返すことが可能であり、この肥料の使用方法は稲作や野菜栽培にも使用が可能である。【０３４８】
実験では熱可塑性ノニオン型吸水性樹脂、ポリアルキレンオキサイドを使用しているが、表１１はアクアコーク（商標）のＴＷポリエチレンオキサイドとＴＷＢポリアルキレンオキサイドの酸アルカリ水溶液を比較し表わしたものである。又両者は純水でも塩水溶液でも吸水能が変化なく、酸、アルカリ、水溶液の吸収が可能であり、耐光性に優れている。又ＴＷは標準タイプとＴＷＢは強度改良タイプである。各吸水能を比較するとＴＷポリエチレンオキサイドが吸水能、純水、人口海水、又液体肥料の吸水能が高く土壌保水剤ではＴＷポリエチレンオキサイドの単体の使用又ポリビニルアルコールとの混合にも優れている。ＴＷＢポリアルキレンオキサイドの酸、アルカリ水溶液の吸収能は２０〜３０ｍｌ以上の液体肥料の吸収力が低下しているため、特にバラの栽培では３０ｍｌ以上の液体肥料培地の生育が難しくなっている。緑化事業での樹木や植物等の樹脂の多量の使用においては少量ずつ溶ける固形又粉末等の肥料の使用により殺菌効果は可能となるが庭木・サザンカ・椿等では、９〜１０ｍｌの３．３３倍の３０〜３１ｍｌ、３３〜３４ｍｌまでが使用範囲となる。【０３４９】
ノニオン系樹脂ポリビニルアルコールの殺菌作用は土壌の表面を覆い被せ、太陽熱や光エネルギーにより殺菌作用が高まり、土壌の雑草等の繁殖を防ぎ植物の生育を安定させる。又イオン交換樹脂の使用でノニオン系樹脂培地の植物の葉はツヤツヤと輝いてくる。又ノニオン系樹脂培地に少量の肥料の使用で肥料を長く保持し生育を維持し、日光に当たることで水分が気化し、樹脂の水分が減少すると一層殺菌作用が高まり生育が安定する。それはラン・ユリ・ガーベラ等の鉢内の水分が全くなくなり樹脂が乾燥しているにも関わらず、発根し新芽をつけることで知ることができる。又これは樹脂が乾燥し縮小してしまった後も３ヶ月から６ヶ月以上も植物が生育を続けており、樹脂が植物と同様に微かに呼吸作用に似た反復運動をし殺菌作用が継続されているのではないかと考えられるが、樹脂の吸着作用によるもので縮小することで一層殺菌効果が高まることになる。【０３５０】
これからの屋上緑化では特にノニオン系樹脂のポリビニルアルコール等を利用した太陽熱や光エネルギーを利用した光触媒によるガーデニングが重要である。ハーブや観葉植物等の水耕栽培や植樹をすることで、二酸化炭素を吸着しヒートアイランド現象を緩和することが可能となる。これはノニオン樹脂の光触媒の作用であり、光合成による水素エネルギーを作り出す作用が同時に行われることになる。アクリル系樹脂ではイオン交換樹脂やノニオン系樹脂の混合使用をしなければならないが、チタンの使用により樹脂培地の植物の生育は高められ、特に観葉植物や樹木の使用に効果を発揮し、ポリビニルアルコールによる低濃度の肥料の使用で殺菌作用が発輝される。【０３５１】
地球温暖化に伴ない、ノニオン系樹脂の役割は大きく、自然環境を守り食の安全を考慮し、人々の生活に貢献するものと考えられる。【０３５２】
次に、光触媒チタンを使用した切花の鮮度保持や植物培土について説明する。チタンの殺菌作用は、切り花の鮮度保持では約１０日から１ヶ月の保持である。特にバラでは冬季において約２５日間保持することが可能である。生花店では切り花を毎日水道水を取り替え、花の鮮度を保持し管理されている。通常水道水の残留塩素は０．４〜０．５ｍｇ／リットルＣＬ塩素が使用され、０．１ｍｇ／リットルＣＬ塩素以上が使用されなければならないが、この残留塩素は約１日で低下する為、最初に使用した水道水で１０日間保持することは困難であった。チタンの使用（５００ｍｌの水道水中にチタン約５ｇ）をすることで約２５日間の使用が可能と成った。このチタンの使用量では、３分から５分咲きの花は１〜２日で満開になってしまうため、使用量を３０〜６０ｇに増量すると、多少花を満開にしないで保持することができる。【０３５３】
また、榊等の木物でも同様に約２５日使用が可能となった。この実験は冬季間によるものであるが、切花の鮮度によって使用期間は異なり、夏季においては多少短縮される。これを根のある鉢花や草花の植物培地とした場合はチタンのみの培地では保水性が不足し、ハイドロコーン等と同様な水耕培地の生育となり、主に観葉植物の栽培が可能となる。又イオン交換樹脂の使用や、液体肥料の使用で１〜４ｍｌで花物の栽培は可能と成るが、保水性が不足し、水切れを起こさない様に注意が必要である。ノニオン樹脂培地と異なりイオン交換樹脂のみで植物の樹液等の汚れを吸着するには、約２倍の使用量となり、ハイドロコーンの場合と同量となる。鉢花や草花などの栽培はとくに排水性と保水性がとくに大切である。【０３５４】
チタンは、保水性や排水性の作用がなく、水分のコントロールが出来ないため、水耕培地とし容器に肥料水やイオン交換樹脂を入れ、肥料水を溜め置きする方法と成る。観葉植物では容易に栽培は可能となっても鉢花や草花では排水性が重要であり、土壌培地と同様な栽培方法と成る。ノニオン樹脂との混合使用することで鉢花や草花の培地とすることが可能となる。【０３５５】
このチタンとノニオン樹脂培地においても、約３０〜６０ｇのチタンの使用が必要となる。これはノニオン樹脂が光を吸収しにくいことを表しており、吸収し易くすることで少量のチタンで殺菌作用が高まる。またイオン交換樹脂の使用では、チタン約１０〜４０ｇで生育効果が発揮される。又ノニオン樹脂やアクリル系樹脂等の吸水性樹脂の混合使用においても、イオン交換樹脂０．５〜１．７ｇの使用でミニバラ等の植物の生育が可能と成る。又ノニオン樹脂との混合培地で鉢花や草花の栽培が可能と成る。チタンを使用した植物培地では樹脂培地の黴や藻などの発生防止と紫外線による樹脂の変色防止が可能であり、使用する部屋などの消臭効果を同時に発揮することが可能である。ノニオン樹脂の使用ではポリビニルアルコールは日本合成化学工業（株）製、ポリアルキレンオキサイド・ポリエチレンオキサイドは住友精化（株）製を使用している。又アクリル系樹脂はデンプンアクリルアミド米国、グライン・プロセシング社製ウオーターロック（商標）を使用している。【０３５６】
植物培地の根腐れ防止剤の他、切り花・榊等の鮮度保持剤や殺菌剤、又水槽等の水質浄化剤や水質保持剤として使用される。また土壌培地の土壌保水剤・殺菌剤・改質剤・除草剤等としても使用することができる。このノニオン樹脂にチタンを混合使用し、殺菌作用を高めた樹脂の使用が可能となる。【０３５７】
ポリビニールアルコールは水道水中において塩素を吸着しないで殺菌作用を行っているが、図３３の水質分析検査により、カルシウム、マグネシウムが減少している。この為、硬水の使用や、水道水の塩素を中和することで、ポリビニルアルコールや、ポリビニルアルコールとポリアルキレンオキサイドの混合したノニオン樹脂のろ過剤の使用でアンモニアの吸着をスムーズにし、魚の水槽の水質保持を可能とすることができる。海水を使用する熱帯魚の水槽に使用することで水槽内を浄化洗浄する。この殺菌作用とチタンの殺菌作用を併用又混合使用をする。また、硬水の使用は価格的にも水道水より高くなるが、中和剤以上に人に優しい様に魚には適しており、動きが活発で機敏となる。【０３５８】
ガラスの水槽２０リットルに蛍光灯を使用し、水槽の底に小石３ｋｇとチタングリット１００ｇを投入すると、生臭い臭いが消え、藻の発生が減少し、フィルターの洗浄水の追加のみで水の交換が不要となっている。又メダカの動きが活発となり食欲旺盛となった。クーリングタワーに１ｔ当り５００ｇ投入し、水の腐敗を防ぐことが可能と成っている。１ｌの水槽で一匹で１０ｇのチタンで約２ヶ月の水質保持の計算となるが、茶色や緑色では光触媒の効果は魚の水槽では効果が低いので、注意が必要である。【０３５９】
又水質浄化、殺菌作用では浴槽にチタンを使用５００ｇ網袋に入れ、浴槽の湯に浸した状態で使用し、入浴時以外は浴室内の空気に触れた状態で放置する。湯の消臭効果が得られ浴槽内の汚れが減少し、タイル目地の黴の発生も減少し押さえることが出来る。又、チタンの脱色作用で浴槽の使用では、美白効果もあると考えられる。水槽の魚を見ることで、魚が小さいため、老眼鏡をかけて見ていたが最近ではこの老眼鏡がしない方が見やすくなった。【０３６０】
チタンを置くだけで触れた空気や水・油等に対して浄化作用が発揮される。この黴防止効果は殺菌作用によるものであり、洗面所・流し台や三角コーナー（では約５０ｇ使用）・冷蔵庫・トイレ等水廻りの黴の発生や汚れの防止・殺菌・消臭効果に使用される。【０３６１】
水の鮮度保持や殺菌作用が可能である為冷蔵庫内においても約１００ｇ〜２００ｇの使用で食品の鮮度保持や消臭が可能と成る。又この消臭効果はペット・部屋・乗用車・の消臭剤・芳香剤に使用される。この消臭剤にはチタンのみで使用され、置くだけで、部屋で６〜８畳で約１００ｇ〜５００ｇ、車は５人乗りのセダンで１００ｇの使用で効果を上げることが可能であるが、着色し、桧・バラ・ミント・ハーブ・ラベンダー・グレプフーツ・オレンジ等の香りや香水を付けインテリア性を高め芳香剤の使用とすることが可能である。又市販されている吸水性樹脂に寄る芳香剤又消臭剤は樹脂の縮小が速く１〜２ヶ月で縮小してしまっているが、チタンを使用することで長期の使用効果が得られる。又このチタンとノニオン樹脂との混合使用による消臭剤・芳香剤の使用とすることが可能であり、ポリビニルアルコールやポリビニルアルコールとポリアルキレンオキサイドの混合、又ポリアルキレンオキサイドに香料を添加し、造花を挿し、３ヶ月経過しても縮小することなく、香りを凛わせることができ、経済的である。又このノニオン樹脂に直接混合製造することで、樹脂の殺菌効果を高めることが可能となる。【０３６２】
又油の酸化防止では天ぷら油にチタンボール１７個投入した。酸化度３の油（３回使用済み）の使用が出来なかった油にチタンを投入した所、酸化度１に低下し新品油と同等と成った。天ぷら油１．５Ｌに対して３０〜５０ｇを使用し、揚げ上がりもカラッとして嫌な臭いもない。石油ストーブの消臭不完全燃焼効果ではカートリッジタンクに３Ｌ内にチタンボール１００ｇを投入する。着火・消臭時に臭いがなくなり、火力が向上し通常より1目盛り下げて使用し不完全燃焼が無くなっている。燃料の燃費向上につながる。【０３６３】
この光触媒はチタンの他ノニオン樹脂においても同様に光触媒の効果があることが分かった。植物培土にノニオン樹脂を使用したガラス容器入れのミニバラの鉢植えが生育が悪化し屋外に放置しておくと、バラが発根し緑の葉を付けてくる。又室内においてもノニオン樹脂培土にデンドロビュウムを植え放置していいると、鉢植えの樹脂が縮小し、水分が全く無くなっても植物は枯れることなく発根し、新葉を付け細かい根を沢山付けて来る。これは樹脂の呼吸作用ではないかと考えていたが日中夜部屋に蛍光灯を使用しており、光り触媒による殺菌作用と考えられる。【０３６４】
又夏季においても屋外のプランターの植物が暑さでぐったり弱まっていた。ノニオン樹脂をプランターの土壌に振掛けて使用した所、元気を無くしていた植物が１〜２日で元気を出し甦ってきた。又この作用を一回でほとんど水やりが省け、雑草が生えてこなかった。この作用は樹脂の殺菌作用とチタンと同様な光触媒によるものと考えられる。このノニオン樹脂はポリビニルアルコールとポリアルキレンオキサイド・ポリエチレンオキサイドによるものである。このチタンとノニオン樹脂の混合使用で低価格な使用が可能と成り、また樹脂にチタンをコーティング又は混合製造することで、樹脂の殺菌作用をより切花や植物の生育を更に高め、高機能で多用途使用が可能となった。【０３６５】
以下、チタンを入れた水道水に切り花を使用した場合の水の鮮度保持を説明する。【０３６６】
今まで生花店では、水の鮮度を新鮮に保つために、毎日花の水を取り替え、長く切花を新鮮に保持されてきたが、又熱帯魚等の魚の飼育においても水の取り替える作業が省かれ、チタンを水道水に使用することで、長期間の水の鮮度保持が可能となり、切花や魚等の長期間の使用が可能となった。即ち、水道水５００ｍｌに約４〜６ｇのチタンの使用で約１０日〜２５日の切花の保持が可能であった。この日数の差は切花の鮮度にも寄るものであるが、約２〜１００ｇのチタンの使用量で殺菌作用があり、その約２倍〜１０倍の使用量で切花や植物又魚の水槽の水の鮮度保持が可能であり、又その水量に比例し使用も可能である。【０３６７】
吸水性樹脂発泡体、吸水性フィルム、又ＰＶＡポリビニルアルコール（オアシスやオアシスにポリエチレンを混合したものである）、これらに水溶性のチタンを吸着又はコーテッィングしたものを水や花又は植物の鮮度保持として使用した。更にバイタルアトム活水を樹脂に使用する水と液体肥料や樹脂の殺菌作用の使用、又花や植物の鮮度保持が可能である。【０３６８】
実験では透明なプラスチック容器を使用し、チタンを５ｇ、１０ｇ、２０ｇ、３０ｇ、４０ｇ、５０ｇ、６０ｇ、７０ｇ、８０ｇ、９０ｇ、１００ｇ用意し、その形状は、Ａ：灰色のチタン、Ｂ：ガラスカレット（各白色、紺色、緑色、茶色）、Ｃ：球状のガラスビーズ（各白色、紺色、緑色、茶色）である。チタンを約５ｇ使用することで、上記のＡ、Ｂ、及びＣのチタンの形状や色彩に関係なく殺菌作用が現れた。水道水を取り替えることなく長期間の花の保持が可能となった。【０３６９】
この５ｇチタンの使用では、バラの花の開き状態の約２〜３分咲きから約５分咲きの花は、約１〜２日で満開に開花し咲いてしまった。これは、バラのつぼみの堅さや室温や水温によるものと思われるが、堅い未だ開いていないつぼみは開けなかった。５ｇチタンの使用と同じ室温において、約３０ｇ〜６０ｇのチタンの使用では、この約２〜３分咲きから約５分咲きのバラのつぼみの状態を維持しながら、花を保持することが可能であるが、７０ｇ〜１００ｇチタンにおいては直ぐに花が開花いてしまう。【０３７０】
チタン１０ｇの使用の実験では、Ａ：灰色チタンの１０ｇとＢ：ガラスカレットの白色５ｇと紺色５ｇの合計１０ｇとを比較すると、Ａが１０日保持しているのに対して、Ｂが約５〜７日で花が終わっている。【０３７１】
チタン２０ｇの使用、例えばＢ：白色ガラスカレットの１０ｇ、Ｂ：紺色ガラスカレットの１０ｇの合計２０ｇでは、白色を混入すると明るい青色になり、バラの花は美しく開花し、８分咲きから満開になり、１０日以上咲いていた。同じ２０ｇの使用であっても、Ｂの白色、紺色、緑色、茶色の４色を各５ｇずつ混合した合計２０ｇは、約３分咲きで満開にはならなかった。２０ｇのＢ：ガラスガレットの紺色、緑色、茶色や、Ｃ：球状のガラスカレットのビーズ、紺色、緑色、茶色２０ｇは、別々に使用したが、つぼみはあまり開花しなかった。１０ｇの使用のＡ：灰色チタンとＢ：ガラスガレットの１０ｇで白色、紺色、緑色、茶色の４色を各２．５ｇずつ混合した合計２０ｇの使用では、バラは８分咲きから満開となった。Ｂ、Ｃの白色ガラスカレットや白色ビーズは１０ｇで約８日間の花の保持が可能で、Ａの灰色チタン１０ｇで約１０日間の花の保持であり、２０ｇのＢのガラスカレット紺色では、１０日間の花の保持が可能である。【０３７２】
チタン３０ｇの混合では、Ａの灰色チタン１０ｇとＢのガラスカレット白色、紺色、茶色の各５ｇの４色の２０ｇとの合計３０ｇは、バラの花が７分咲きで１０日以上保持している。このチタン３０ｇの使用は、Ａの灰色チタン１０ｇとＢのガラスカレット白色５ｇで灰色と白色の１５ｇとなり、Ｂのガラスカレット、紺色、緑色、茶色のカラー１５ｇである。ほぼ白色とカラーが半分半分に当たり、約７分咲きである。Ｂの２０ｇの使用では、白色、紺色を半分半分使用した明るい青色となり、１５ｇ使用して、ほぼ８分咲きであり、２０ｇの紺色、緑色のみ２０ｇではつぼみは開いていない。【０３７３】
この実験から白色チタンの使用は、光触媒の効果を受けやすく色の暗い紺色、緑色、茶色は光触媒の効果を受けにくいことが分かる。又Ａ、Ｂ、Ｃの５ｇ〜１０ｇの少量のチタンの使用は暗い色彩や白色の明るい色彩も少量の方が光触媒の効果を受けやすく、すぐに殺菌作用が高まり花が開花している。又チタンを増量することで、容器内に厚いチタンの層となり、紺色、緑色、茶色の暗い色彩は光触媒の効果を受けにくく直ぐに作用が現れない。又、白色のチタンであっても厚い層となると効果が現れにくくなってくると考えられる。たっぷりとした容器の中で光が十分に当たり通ることで、殺菌作用が直ぐに現れ、花は開花する。又狭い小さな容器の中ではチタンに光が十分当たらず殺菌作用が弱く花の開花はゆっくりとなり、成長もゆっくりとなる。【０３７４】
これにより、容器に使用する水に対して、チタンの使用量は比例し、５００ｍｌの水道水で約５ｇ〜１０ｇの使用、１リットルの水量では約１０ｇ〜２０ｇの使用となる。約５００ｍｌの水道水で約２０ｇ〜６０ｇ、１リットルの水道水では約４０ｇ〜１２０ｇの使用となる。容器の大きさによって暗い色彩のチタンの使用は花の開花を抑え、ゆっくりの成長とすることができる。【０３７５】
これにより、光触媒の作用は色によって異なり植物の成長を早めたり遅らせたりすることが可能で、早く植物を収穫し長距離運送にも対応でき、又切花の鮮度保持が可能である。【０３７６】
次に、チタンによる魚の水槽を浄化する実験を説明する。【０３７７】
（実験１）
図３４に示すように、水槽の中に、湯冷水８００ｍｌと魚を購入した時に使用されていた水２００ｍｌを入れている。実験１としては、赤ヒレ２匹〜５匹を使用し、その大きさは、２ｃｍ〜３ｃｍである。具体的には、実験ａ）〜実験ｅ）、実験ｉ）及び実験ｊ）は、２匹の赤ヒレを使用し、実験ｆ）〜実験ｈ）は、５匹の赤ヒレを使用し、実験ｊは、３匹の赤ヒレを使用する。また、実験ａ）〜実験ｃ）、実験ｆ）〜実験ｈ）はポリビニルアルコールを１００ｇ使用する。なお、すべての実験では、水草を１本使用することになる。魚の餌は、１週間に１〜２回少量与えた。【０３７８】
ａ）は、小粒のガラス球１ｍｍ〜５ｍｍの混合品であるが、５ｍｍは約１５個ぐらいで、全体の３分の１ぐらいに当たる。茶色の球状のガラスビーズの場合、光触媒の効果が低く、水の濁りが１〜２日で始まった。なお、この時は、ｂ）、ｃ）の水はきれいであった。これらの小粒の球状では、殺菌作用がうまく作用していないと考えられ、約一週間後、ａ）に樹脂１００ｇを使用し、約１日で水の透明感が出た。これで約２５日間の使用であるが、樹脂は水のろ過作用があり、約１日で水面の白い膜がかかった状態が消える。樹脂を使用すると、水の透明感が出て、水の蒸発を防ぐため、水の減少がなかった。【０３７９】
ｂ）は、灰色チタン１０ｇであり、ｃ）は、灰色チタン５ｇとａ）の球状茶色ガラスビーズ５ｇの混合であるが、ａ）より水の汚れが遅い。又、チタンの使用量が少ないため、樹脂は魚の糞など形状のものは吸着されず、ガラスの底面に残る。【０３８０】
ｄ）は、緑色ガラスカレット３ｇと灰色チタン７ｇとの１０ｇである。緑色ガレットと水草の使用で同じ緑色の作用により、光触媒の効果が低下し、又餌の不足で、魚が水草を千切り水草や水槽の水が腐敗し、２０日目頃に１匹死んでしまった。水槽ではポリビニルアルコールを使用しておらず、水中の殺菌作用が弱いことから、水草の生育も困難になり、水面が汚れ、白い膜ができた。２０日目で水量が約３分の１に減量し、２５日では水量が約２分の１になっている。【０３８１】
ｅ）は、ｄ）ほどではなく、水量が２５日では半分量であり、水草が千切れ千切れになり、２０日頃より小さく千切れている。茶色ガラスカレットが８ｇで、ｄ）の灰色チタン７ｇと比較すると、ガラスカレットが光触媒の効果を保っていることがわかる。１リットルの水量で２匹の魚では、水の汚れが早く、ａ）では１〜２日で水が汚れている。殺菌作用が低いと水草の生育が悪化し、魚の生育が難しくなってしまう。又、餌の不足で水草を千切られていると考えられる。【０３８２】
また、ｄ）とｅ）は、樹脂を使用していないため、水の浄化作用が低いと見られる。２３日で水が半分量となる。【０３８３】
ｆ）、ｇ）、及びｈ）では、赤ヒレ５匹に樹脂を１００ｇを使用している。ａ）〜ｃ）では、赤ヒレ２匹と樹脂を１００ｇ使用しているが、チタンの量が少ないため、底面の汚れが透けて見えるが、ｆ）〜ｈ）では、水の汚れが見られない。一様に水草が元気であり、殺菌作用が働いていることを表している。又、ｆ）は灰色のチタン２０ｇを使用し、ｇ）は紺色のガラスカレット２０ｇを使用し、ｈ）では灰色チタン１０ｇと緑色７ｇ、白色３ｇのガラスカレットの混合１０ｇを使用している。【０３８４】
ｈ）は、緑色と白色もミックスガラスカレット１０ｇと灰色チタン１０ｇで、水の汚れも少なく、赤ヒレの色合いもきれいに出ており、背から尾まで赤い線状に色が付いており非常に元気である。【０３８５】
ａ）〜ｃ）、ｆ）〜ｈ）は、ポリビニルアルコールを１００ｇを使用し、水槽には湯冷しを８００ｍｌ使用している。湯冷しでは塩素は残っており、ポリビニルアルコールは、塩素を吸着をしないで、光触媒の殺菌作用を行っており、海水を使用した熱帯魚の使用が可能と考えられる。【０３８６】
また、ｄ）、ｅ）は、ポリビニルアルコールを使用しないで、１０ｇのチタンを使用しているが、ｄ）では、赤ヒレ１匹死んでおり、水草が腐敗して４分の１しか残っていない。これは塩素のイオン作用が弱く、光触媒の作用が効果を発揮できなく水の鮮度や水草の生育や鮮度が低下したものと考える。【０３８７】
１リットルの水に約５〜６ｇのチタンの使用が可能であり、２０ｇのガラスカレットで１ヶ月の水の浄化作用がある。約１００〜１２０ｇの使用で約５〜６ヶ月の使用が良い。【０３８８】
また、車、ペット、冷蔵庫、玄関、洗面所、部屋、トイレでは、チタン１００ｇの使用、又は５０ｇのチタンとガラスカレット５０ｇの使用においても、チタン１００ｇと同様に使用効果が発揮され、冷蔵庫を開けた時、洗面所、玄関にも生ゴミを１日置いて実験すると、外から帰りドアを開けた時の臭いが全くない。なお、ペット用では、通常の２倍の使用量が良い。【０３８９】
上記の実験１では、水１リットルの水槽に２〜３ｃｍの魚１匹に対して、ガラスカレットによるチタン１０ｇが必要であり、１ヶ月水を取り替えせず、最初のきれいな水の状態で飼育することが可能であることがわかった。ａ）、ｃ）で使用した小粒の球状よりガラスカレットを使用することで、光触媒を効果的に取り入れることができる。また、白色のチタンは水の汚れが少ないが、カラー着色されたガラスカレットを使用することで魚の成長を高め、魚の体の色合いをコントロールすることができる。【０３９０】
ｉ）、ｊ）は、灰色チタン１０ｇとガラスカレット１０ｇとを使用している。ｉ）のガラスカレット１０ｇは、紺色７ｇ、白色３ｇであり、ｊ）のガラスカレット１０ｇは、紺色・緑色・茶色・白色を各２．５ｇずつの１０ｇである。ｉ）は、赤ヒレ２匹であり、ｊ）は、赤ヒレが３匹で１匹多いが、全く同様な水の状態で水の取り替えがなく、魚が非常に活発に泳いでいる。ｉ）ｊ）は、ｄ）ｅ）の２倍の２０ｇのチタンの使用量である。又どちらにも各１０ｇの灰色チタンを使用し、体色は透明感がある。【０３９１】
また、ｇ）は、実験１で特に魚の成長が目立ち、他の実験例との比較ではっきりし、一回り大きく成長している。これは、鉢底に使用した紺色ガラスカレットを使用し、魚の体色が良く、ａ）の小粒の球状ガラスビーズより、光を沢山受ける表面積が大きいガラスカレットが光触媒の効果が発揮しているのではないかと考えられる。更に、ｇ）では、紺色のガラスカレット２０ｇとポリビニルアルコール１００ｇを使用している。この紺色のガラスカレットの光触媒の作用によるものではないかと思われる。赤ヒレ魚の背から尾にかけて金色の線が入り、金色に輝いている。背ヒレと尾ヒレは、他の魚には見られなく、一段と真っ赤で濃い色となり、魚全体の色が黒っぽい。ｆ）は、灰色のチタンの使用では、魚の体が白く透明感をおびていて、白魚の様に白さが目立つ。ｈ）は、チタンとガラスカレットとの混合で、ｇ）ほどではないが多少魚の体色が黒っぽい。【０３９２】
次に、水槽にノニオン樹脂と切花を使用した場合の実験を説明する。【０３９３】
（実験２）
ａ）は実験１で茶色のガラスビーズ１０ｇを使用し、実験２ではガラスガレット茶色、白色、緑色を各３０ｇを混入し、１００ｇを使用している。１匹は立派な赤ヒレを持っているが、他の１匹は上品なオフホワイト色になり、全く赤ヒレの赤色は見られなった。熱帯魚のアピストグラマ、ナイスニイや、ネオランプロローグス・ブリシャールディによく似てしまい、赤いヒレがなくなった。【０３９４】
赤ヒレを購入した当初は、２匹共に赤いヒレを保持していた。又約１週間後にポリビニルアルコールを使用すると、水の透明感が高まり、樹脂を使用した中で一番透明度が高かった。硬水海洋深層水１００％の天海の水（商標）を使用し、水の透明感が更に高まっている。水草の切り口より新しい白い根が３〜４本５ｃｍぐらい伸びている。樹脂を使用ても魚は非常に元気で樹脂の中を泳ぐことができ、死んでいない。【０３９５】
ｂ）は灰色チタンボール４０ｇを使用した。この灰色チタンの光触媒の効果は、特に脱色作用が強く、約１ヶ月の使用で内蔵が透けて見えるようになり、白魚の様に弱々しく見える。光触媒の殺菌作用が高まり、ヒレが真っ赤になり、白い体色と真っ赤な赤ヒレは対象的で錦鯉のようである。ポリビニルアルコールを使用し、硬水を使用しないで、表１８に示す木酢液を使用した。ｄ）より木酢液を３〜４ｍｌ増量して使用し、生育ができず死んでしまった。【０３９６】
【表１８】
2005065443.tif 000034
【０３９７】
ｃ）茶色のガラスビーズとチタンの混合１０ｇにミックスガレット１００ｇを増量した茶色・白色・紺色を混合し、白色と紺色が主体となる青色の色彩となる。魚の体色は全体に赤色を帯び鮮やかで非常に綺麗で元気である。ここでは、ポリビニルアルコールを使用しているが、水の透明度が低く、汚れが目立つ。これは、ポリビニルアルコールを使用後、約２０日後に硬水を使用したため、その間に汚れを吸着し、透明度が低下したものである。ポリビニルアルコールは硬水を使用し中和されるため、光触媒の効果が作用するには最初から硬水を使用したａ）の水槽より透明度が低下している。又、餌やアンモニア等の水の汚れを樹脂が吸着し、樹脂が浮かび上がらせている。水槽の水の浄化システムのフィルターの併用で、アンモニア等を除去し、又早めに硬水を使用することで、水の透明度は高くなる。赤ヒレの体色は赤身を帯びた銀色で元気があり、良い生息である。ここでは魚は死んでいない。【０３９８】
ｄ）では、緑色ガラスガレット３ｇ（灰色のチタン、脱色作用を考慮し、チタン７ｇを取り除く）、更に緑色ガラスガレット３０ｇ増量し合計３３ｇとなる。約３分の２の水を取り替え、木酢液を２ｍｌ添加すると、水槽のガラスに近づこうとはせず、水槽の中央で脅えて動かなかった。緑色ガラスカレットを３０ｇ増量したが、水の汚れや濁りが消えず約２週間位同じ状態であった。ポリビニルアルコールとポリアルキレンオキサイドの混合樹脂でポリアルキレンオキサイドの着色したカラー樹脂を約１００ｇ加えると、身動きしない魚が急に約５分位で動き出した。これはポリアルキレンオキサイドが木酢液によって高まった塩素や木酢液を吸着し取り除かれたことによるものである。ポリアルキレンオキサイドの淡い水色、黄色、紫色、桃色の着色樹脂が暗い水槽の中をぱっと明るくした。魚は驚きこの樹脂に近寄り、水槽のガラスに近寄ってきた。餌を与えても飛びついて食べる様子はない。又、水槽の透明感が高まり、明るく美しい彩となる。スカイブルーやイエローヌパープルの樹脂の色彩が緑色や茶色等ガラスガレットやビーズの色を柔らげクッションの作用をしている。ノニオン樹脂のろ過作用又樹脂の改質効果が発揮された。実験１で木酢の使用で１匹が死んでいる。【０３９９】
ｅ）でも、茶色のガラスガレット８ｇに（同様に灰色チタンを２ｇ取り除く）、茶色ガラスガレット４０ｇを増量し、合計４８ｇとする。水槽は茶色ガラスカレットと水草の緑色で暗い色彩である。又ａ）とｅ）は茶色約４０ｇと４８ｇでどちらも茶色が多く、魚の体色は黄成りのオフホワイトとなり、上品な白色となる。ヒレもｅ）では赤色が低下し、赤茶色となり、このヒレの先端部は透明なヒレの先が薄黄緑色に着色され、ライトを付けているように見える。チタンの光触媒の作用で水草の緑色が魚のヒレに着色されたのではないかと考えられる。この作用は切花の実験においてチタンとポリビニルアルコールと硬水の作用で、バラの花びらに緑色の画や葉がプリントされたものと同様な作用が行われたものと考えられる。また光を当てて続けると魚の体色は赤身を帯びてくる。又、光触媒の作用が高まると赤茶色が真っ赤になり、光を当てないと低下し赤茶色となる。水槽に使用したチタンの色彩と水草の色が光に反応し、体色となって現れていることが分かる。ポリビニルアルコールと硬水の使用で殺菌作用が高まることになり、水の透明度が高まる。又、この茶色ガラスカレットは、餌や糞等の汚れが底のガラスカレットに溜まっていても同色で目立たなく、水を掻き混ぜなければ、水の透明度が高い。【０４００】
ｆ）では灰色チタン２０ｇに白色ガラスカレット３０ｇを増量し、合計５０ｇの使用とした。灰色チタン２０ｇの使用で、魚の体色は白く透明で内蔵が透けて見えるようである。５０ｇの使用ではよりレントゲン写真を見ているようである。光を当てないと赤ヒレも目立たなくくすんだ黄銅色であるが、光を当てるとはっきりとした真っ赤な赤ヒレとなる。白色のチタンやガラスカレットの使用は、水槽の底部分の汚れがｅ）の茶色ガラスカレットとの場合より目立ってしまう。又ポリビニルアルコールを使用し、直ちに硬水や中和剤の使用をしなかったため、塩素イオンが増量し、一番小さな一匹が硬水を使用する以前に死んでしまった。ｆ）の灰色チタン２０ｇと白色ガラスカレット３０ｇの使用は塩素イオンの増加で光触媒の作用を高め、魚の内蔵が透けてたり赤ヒレの尾の赤色が消えてしまっている。【０４０１】
ｇ）では、紺色のガラスガレットと白色ガラスカレットを少し含む２０ｇである。紺色ガラスカレット１００ｇを増量して、合計１２０ｇの使用で魚の体色は、赤茶っぽい薄い紺色に着色され、赤ヒレは真っ赤である。硬水を使用し、透明感が高く一番良い状態であり、購入したお店の赤ヒレに近い暗い色合いである。紺色のガラスガレットと硬水とポリビニルアルコール１００ｇを使用し、赤ヒレの背から尾にかけて金色の線が入り輝いている。背ヒレ尾ヒレは、他の魚には見られないくらい一段と真っ赤で濃い色となり立派である。魚全体が黒っぽく機敏で泳ぎ回る。又ここにもポリビニルアルコールを使用し、硬水に切り替える前に一番小さい約２ｃｍの魚が死んでいる。湯冷し水を使用してもポリビニルアルコールを使用することで、塩素イオンが増えていることが考えられる。又１リットルの水中、５匹の魚は多すぎる。【０４０２】
ｈ）灰色チタン１０ｇとミックスガラスカレット１０ｇの使用に緑色ガラスカレット３０ｇを増加し、５０ｇとした。水槽の底には緑色と灰色のチタンで４対１の緑色である。ここでは、５０ｇの使用で灰色チタンの効果が発揮され、緑色ガラスカレットと水草の緑色の光触媒の効果は低下しなかった。このため緑色ガラスカレットと灰色チタン１０ｇの作用で赤ヒレの赤色は見られない。魚のヒレや体色は全体に薄茶色で背から尾には濃い金色の線が入り光の加減で体が透け、黒目が大きく目立つ。水槽の上部は透明感があり、ポリビニルアルコールの汚れ目が目立ち、水を交換しチタンを使用することと、体が透けて見えてくる。ｆ）とｇ）は魚が死んでいるが、ｈ）では死んでいない。又チタンを使用した光触媒は水草と同色の緑色の使用は光触媒の効果殺菌作用が低下するため、水槽ではこの緑色のみの使用は魚の体色が悪く、水が汚れる原因となる。これは川や池等の自然環境の淡水魚の色合いがあまり美しくないことで知ることができる。又殺菌作用が高いと淡水魚が生息できないことを物語っていると言える。水槽の美しさが半減するが、１リットルの水槽で５匹の大小の魚の生息は非常に見ていてストレスを感じているのではないかと思われるが、他の水槽の魚と比較すると非常に魚が仲良く何時も一緒にいるのが特徴である。緑色の効果は水が汚れることで生息環境が保たれ、安定した行動になっていると考えられる。ｆ）ｇ）ｈ）は同じ魚５匹を使用し、どちらも樹脂ポリビニルアルコールを使用しており、同じ条件であったが、ｈ）の緑色ガラスカレット使用の５匹は健在であった。又ｆ）とｈ）ほぼ同量の約５０ｇのチタンの使用量であることから、ｇ）の紺色ガラスカレット１２０ｇはｆ）ｈ）の約２倍以上の使用量であり、ｇ）の魚は非常に機敏に動き回っており、光触媒の効果や殺菌作用が高まっていることが考えられる。又この紺色色彩は一番小さな魚が死んでいることは、緑色より攻撃的な性質を作っているようにも思われる。ｆ）ｇ）ｈ）の各水槽には、適当に５匹の魚を入れ、ｈ）の水槽にも２ｃｍの一番小さな魚が混入しており、全く異状はなかった。【０４０３】
ｉ）では、灰色チタンを１０ｇ取り出し、紺色ガラスガレット１０ｇを増量した。１リットルの水でチタン２０ｇの使用で水を取り替えないで３ヶ月の使用が可能である。餌が少なかったため水の汚れが少なく、樹脂を使用していないため、餌や糞等の汚れが底に沈み、水の透明度が高かった。灰色チタンを使用し魚が透けて見え体色は余り良くなかったが、紺色ガレットを増量し体色は薄い紺色がかってきている。１ヶ月ではｉ）も全く同様な状態であったが、２ヶ月近くなると２匹と３匹の水槽の汚れが異なってくる。【０４０４】
ｊ）では灰色のチタン１０ｇをそのまま使用した。このｊ）では茶色ガレットを使用し魚の体色は茶色ガレットの薄いオフホワイト肌色であり、内蔵が透けるほどではないが、そのまま経過を見た。ｊ）ではチタン１０ｇを使用しているが、ｂ）灰色チタン１０ｇ、ｆ）灰色チタン２０ｇ、ｈ）灰色チタン１０ｇの使用と比較すると、魚の透明度が低く感じられる。灰色チタンの使用は白色との併用を避け、暗い色彩を多く使用し灰色チタンを少量にする。又ｉ）ｊ）は樹脂を使用していないため、２ヶ月近くになるとガラスに水草が付着し、餌や糞等の水の汚れが付着してガラスの汚れが目立つ。又樹脂を使用すると、水の蒸発を防ぎ汚れが吸着され、ガラスは汚れず水の取り替えが簡単である。【０４０５】
次に、チタンとノニオン樹脂を水槽に使用した場合の実験を説明する。【０４０６】
（実験３）
図３６に示すように、実験３では、樹脂のろ過作用を利用し、樹脂の色素や花の色素を魚に着色することを目的とし、その効果を見たものである。水道水の塩素を中和する中和剤（表１９に示す）を使用し、灰色のチタンや白色ガラスカレットやビーズを取り除き、Ａ）ポリビニルアルコール、Ｂ）ポリビニルアルコールとポリアルキレンオキサイド、Ｃ）ポリアルキレンオキサイドを使用した場合の魚の体色や体調等の生育と水の透明度を見た。又特に魚の体色には、紺色のガラスビーズやガラスカレットのみで体色の着色が可能であるが、着色樹脂の使用が効果的であるかを見る実験である。実験２で使用した水や樹脂の汚れが目立つ水槽の水を捨て、中和剤を添加した水の使用である。【０４０７】
【表１９】
2005065443.tif 000035
【０４０８】
Ａ）のポリビニルアルコールに純水を吸着した樹脂１００ｇをｇ）の水槽に使用した所、全く魚が動かないで水槽の中央に３匹が固まっている。ポリビニルアルコールは水槽の水位の約３分の２の部分まで霞のように浮かんでいる。又この樹脂の中を通る魚は、体をくの字に曲げ、通りにくそうである。これは、透明な樹脂であるが、吸着使用した水に原因があるとし、再度樹脂を水道水で膨らませて使用すると、水槽の水の水位の約３分の２の高さの樹脂がすぐに２分の１以下に下がった。魚は急に元気を取り戻し、動き始めた。ｇ）は紺色のガラスカレット、ｅ）は茶色のガラスカレットを使用し、魚の体色は、ｇ）が薄青身かかった薄い紺色の体色となり、ｅ）は薄茶色となっている。これにより水槽に使用したチタンの色彩により、体色が変化していることを知ることができる。又、光を当てている時は赤ヒレも体色もはっきりしてくるが、光を当てないと体色は綺麗にはならない。又ｇ）のヒレにも黄緑色が着色されているため、赤ヒレも熱帯魚のように着色されたカラフルな色を作り出すことが可能である。ｄ）では、緑色ガラスカレットを使用し、水草の緑色との関係で光触媒の効果は発揮されず、水が腐敗し魚が死んでいる。このことから、光触媒による色が魚に与える影響は体色のみならず、魚の生命を維持する上で重要性を持っている。【０４０９】
Ａ）のポリビニルアルコールは乾燥状態では黄色であるが、水を吸着するとほぼ透明である。ポリビニルアルコールが水位の２分の１の高さに浮き上がっている状態では水槽の汚れを吸着し目立ってしまう。実験２の使用では、約１ヶ月〜２ヶ月で樹脂の交換をしなければならない。Ｂ）の混合した場合でも同様に水位の約２分の１位に浮上している。又Ｃ）のポリアルキレンオキサイドの使用では水槽の底部分に位置しており、水位の約４分の１から５分の１である。水と同量の使用で水位の少し下部分に浮上し、比重は０．８位である。Ｃ）をｉ）の水槽に使用し、約５０ｇの使用量である。このポリアルキレンオキサイドは、花瓶の使用では水面の近くまで浮上し、水槽では底部分に固まっており、非常に重宝である。【０４１０】
ｉ）の使用では、約５０ｇの使用で非常に良い結果となり、水の透明性が得られた。又、紺色のガラスガレットの色彩と着色した樹脂のヌリンブルーやエメラルドグリーンとパープルの色彩を使用することで、水槽をライトアップし、海水や湖等連想し、その相乗効果が発揮されている。ガラスガレットやビーズの色合いは水草と同色でライトグリーンであるため、光触媒ではマイナスの効果となり、体色が悪く１匹死んでしまっている。【０４１１】
又切花の実験では、特にポリビニルアルコールの使用と硬水の使用でバラの花びらの脱色や着色効果があり、花びらに緑色の画色が花に付着し、コピー現象が起きている。これと同様に水槽に使用している水草の緑色が簡単に赤ヒレの一番敏感なヒレの先端の部分が黄緑色に着色されたと考えられる。この様にノニオン樹脂のろ過作用と光触媒の作用を一緒に使用することで、チタンの光触媒を柔らげ、水草や切花や水耕栽培の植物等と併用し、魚の体色を美しく作る相乗効果による水の鮮度保持や浄化槽の使用方法とする。又硬水に含有されるミネラル分とガラスガレットやビーズの使用で、赤色や桃色や黄色や紫色等の魚の体色を整える作用が可能となる。【０４１２】
実験１と２から、チタンの脱色作用が起こり、魚の体色は透明になり、チタンの使用は難しいのではないかと思われたが、白色のチタンを使用すると魚の体色は、白色となり、茶色のチタンの使用では薄茶色に、又紺色のチタンの使用では薄紺色の体色となっている。このことから魚の体色は使用するチタンの色や周囲の環境の色によって変化していることが分かる。実験に使用したチタンの色彩は紺色、緑色、茶色、白色の４色であるが、これらの４色以外でピンク、オレンジ、黄色、水色、赤色、紫色等のあらゆる色彩の使用で、自由な発想でオリジナルな魚の着色が可能となった。【０４１３】
又、このチタンはガラスにコーティングしたものであり、水槽や池又ガラス容器等の底に使用されるものであるが、水草と同色である緑色のチタンは、水草との併用では光触媒の殺菌作用は低下し、単体の使用はあまり効果的とは言えず、白色や他の色彩との混合使用することで、光触媒の作用が発揮されている。【０４１４】
又、白色のチタンも他の色彩と比較すると、特に脱色作用が高く、白色のみの使用は難しいが、他の色彩のチタンと混合使用し着色樹脂や切花、造花等の併用で脱色作用を防止し、着色作用に変換することが可能である。この白色のチタンは、着色樹脂や切花や造花等の着色された色彩との併用することで光触媒が発揮される。魚の体色は白色のチタンが多いと透明になってしまうが、硬水海洋深層水を使用すると秋刀魚の腹部の様な銀色の体色を作ることができ、この銀色の体色にａ）ｃ）ではピンク、パープルの樹脂を使用しワインレット色が着色され、一段と魚を美しくすることができた。又、この着色作用を錦鯉や熱帯魚、又は淡水魚等の養殖等に使用され、銀色の体色を作ることが可能である。【０４１５】
これらのチタンの使用は水の底に使用するものであるが、水中や水面に使用することで光触媒を効果的に取り入れることが可能である。この水中や水面に浮上する造花等にチタンをコーティングする他、プラスチックや布又紙等の材質等にも使用すると効果が発揮される。これらの小物に使用する材質や海洋深層水は多種類存在しており、プラスチックや深層水の種類は限定しない。【０４１６】
魚の水槽で切花の使用はすぐ水が汚れてしまい、造花で十分着色効果を上げることができる。水中や水面に浮上するチタンと沈んでしまうガラスチタンの併用で球根等に着色作用をし、花の色彩の品種改良に使用される。黄色の花の球根にチタンと光を当て赤色の光触媒の作用でオレンジ色の花を作り、オレンジ色の花の球根に青色の光触媒を作用させ紫色にピンク色の花の球根に光を当て紺色の花に変化させる等が期待される。【０４１７】
実験３では、魚の水槽にローズピンクとオレンジ色のバラの花を浮かべ、水草と同様に天然の色素が着色には良いのではないかと試みた。又着色樹脂ポリアルキレンオキサイドや造花等を使用し、硬水・海洋深層水の使用と中和剤を使用した水道水とも比較してみた。【０４１８】
海洋深層水の使用では約１〜２日でオレンジ色のバラの色素がａ）ｃ）ｈ）ｉ）のヒレに黄色に着色されたが、ローズピンク色は何回使用しても魚の体色には着色されなかったが、ｉ）ではローズピンクのバラと赤いバラを一緒に使用し魚の体色を青色とピンク色に着色が可能となった。ａ）ｃ）ｄ）ｆ）ではピンクとパープルの着色樹脂を混合使用している。又ａ）ｈ）ｉ）ｊ）ではローズピンクのバラを使用してもピンク色は着色されず、このピンクとパープルの着色樹脂の使用でワインレット紅に約３〜５日でｃ）ｄ）ｆ）ｉ）ｊ）に着色されたが、ａ）ｇ）ｈ）の様にイエローやオレンジ等の着色されやすい色素があるとピンクやパープルの色素の着色が遅くれてしまい目立たなくなってしまう。又ａ）ｈ）ｉ）ではローズピンクやワインカレットは着色されない。着色樹脂は薄色であるが、黄色、水色、紫色等の薄色であり、赤ヒレのヒレや下腹部に着色されていた。スカイブルーの樹脂はほんの２〜３個の使用であるが、ｄ）ｆ）ｉ）の魚の目の周囲には濃くａ）ｆ）の胸の部分、又ｇ）では下腹部等に部分的に着色され、目の周囲以外は薄色である。又造花の使用は少し時間が掛かり、ｅ）では硬水を取り替え後約２週間でヒレに水色と黄色の２色が着色された。ｅ）の水槽は茶色のチタンの使用で体色が薄茶色であったが水色や黄色の着色で非常に美しくなった。チタン４８ｇの使用で約５ヶ月間、水を１回も取り替えしないで硬水のみを足している。チタンの殺菌作用が低下し、水の透明感はあっても餌や糞等の汚れ物が溜まっている。４８ｇのチタンでは約３〜４ヶ月までの使用で硬水を取り替えなければならない。【０４１９】
又長く使用した硬水では造花の使用は直ぐ着色効果は現れない。ｅ）の水槽には水色の造花や、黄色の小さな造花を使用し、花の中心部分には紫色が着色されていた。この造花の色彩は魚のヒレに水色と黄色が着色され、その後紫色が着色され、最後にオレンジ色が着色された。中和剤を使用した水道水では造花の使用は着色効果は低く長時間が掛かってしまう。又硬水を使用した場合においても、切花ではピンク色の着色は蛍光灯２７Ｗでは難しいが、この水槽に赤いバラをピンク色のバラと一緒に使用するとピンク色の魚の体色となる。又ｉ）では２０ｇのチタンでは魚の体色は赤身を帯びたワインレットでぼけた色彩となり白色チタン２０ｇを増量し、魚の体色を白色にした後マリンブルーの樹脂の青色を着色しようと試みたが、白色のままである。【０４２０】
この水槽に赤いバラを使用することでｉ）の魚の体色を青色と赤色の着色が可能となった。青色又は紺色の色素には赤色を使用しないとこの青色の樹脂は着色されない。白色のチタンを増量し、白色に脱色された魚の体色が鮮かな赤色と青色のと黄色の着色で非常に美しくなった。硬水には色々市販されており、天海の水ではマグネシウム２リットル当たり１００ｍｇ、カルシウム３５．５ｍｇと、他の深海水においても着色効果は同様にあり、又活水バイタルアトム水においても着色効果が発揮される。赤いバラを使用することでピンク色や青色が着色される。【０４２１】
硬水と切花の使用は魚の水槽の水を汚してしまう結果となった。気温により切花は直ちに茶褐色に変化し水中に散ってしまう。春先には約１週間も水槽に使用できたものが気温の上昇により約３〜４日になり、太陽光の下では約１日ぐらいしか保持することができない。このため直ぐに取り出さなければならないが、取り出すのを忘れてしまい、水槽の水は茶色に染まり、魚の体色も汚れてしまった。ｅ）以外の赤ヒレのヒレに黒い点が付着しており、水を取り替えれば落ちるだろうと思っていた所、赤ヒレがクジャクの様にヒレを大きく広げると、この黒い点はヒレに線状の模様となっていた。この現象は熱帯魚等に見られる黒の縞状の模様にも似ており、ミネラル分を多く含む深海魚や熱帯魚等の魚のプリント現象が光とこの様な水の汚れ等によって行われ美しい体色が着色されてきたものと考えられる。【０４２２】
このプリント現象は赤ヒレのヒレや目の周囲や脇や胸の部分又は下腹部等の粘膜の弱い部分に着色され易く、光が通りやすい所に現れている。このプリント現象は切花の実験でチタンと硬水海洋深海水を使用した特にチタンの適合量で突然現れていたが、この作用はチタンや海洋深海水を使用しなくても、太陽光の下では光触媒の作用は日常的に起こっており、バラを栽培する畑や川や池等の魚の生息する自然界でよく見られ、メダカや金魚等の魚の模様等の体色が作られてきたと考えられる。これらはバラの花を購入するときにすでに花びらに見られ、ピンクの花びらが白く色が抜けていたり、又ピンクの花びらの先に緑色の葉や画の色が着色されているのを見かけることができる。又、メダカ等の背に水草の緑色模様や金魚の赤い体色や模様等は光触媒の作用である。【０４２３】
これらは図３３に示す水道水中のマグネシウム、カルシウムが含有され、これらの成分が花びらに付着し、これに太陽の光エネルギーが作用した時に起こっていると考えられる。又別紙の海洋深層水を使用することで切花や魚の体色にプリント現象が簡単に起こっているが、この魚の着色作用を太陽光の屋外で実験すると約２ｇ〜６ｇの使用で簡単に着色されている。又１ｇのチタンでは水道水や海洋深層水共にヒレは赤くならなく体色の着色作用が見られなかったが、切花では１ｇのチタンで１４日の保持が可能であることから、晴天の日には１ｇのヒレの着色や体色の着色も可能と考えられる。太陽光・蛍光灯共に約４ｇからの魚の着色や切花の長期の保持を可能としており、蛍光灯においては約４０ｇ〜６０ｇ、又２倍の８０ｇ〜１２０ｇで良好な魚の着色作用や水の鮮度保持が得られるが、紺色等の濃い色を多量に使用すると薄い色彩の着色が難しくなる。このため白色と混合使用し脱色作用を防止し着色使用された小物の併用で脱色作用を防ぐ相乗効果が得られる。【０４２４】
太陽光の下では、晴れ日では約２ｇ〜３ｇでかすかに着色され、約４ｇではややはっきりと着色され、又５ｇ〜６ｇでは特にはっきりと良い着色作用となる。これは中和剤を使用した水道水と海洋深層水を使用した場合も同様な結果である。太陽光の下では特に天候に左右され、晴れ日と曇り日では、この光触媒の作用は異なる。曇り日では５ｇ〜６ｇの水槽も魚の生臭い臭いがし、光触媒の作用が低下していることを表している。この様な水の濁った殺菌作用が低下した水中でも魚は生息し、水生植物も生育し、水草はより発根する。【０４２５】
海洋深層水を使用した場合も約２ｇ〜４ｇでは光触媒の作用は低く、着色は鮮明にはならない。約５ｇ〜６ｇで赤いバラとピンクのバラを混合使用し、今まで難しかったピンクの色の着色が約半日で可能となった。約５ｇでは魚の背の上部は緑色で下半分は薄いピンク色っぽい状態である。又６ｇの使用では背の上部は、青色や水色が着色され下半分はピンク色に着色され、非常に美しく上品な色彩となる。赤いバラのみでは着色されても、ピンク色には着色されない。【０４２６】
色彩は色の組合せで作られており、ピンク色のみを使用しても着色されず、水槽内に色彩の分子を使用することで、その色彩の色となることが分かった。又ピンクと赤色を増量すると、可愛らしいピンク色の赤ヒレとなった。この方法はカラー印刷等に使用されている。太陽光や蛍光灯の場合においても、赤色の使用は赤色の着色となり、ピンクと赤色を使用し、ピンク色となっている。絵の具では赤色に白色を混入すればピンク色になっているが、白色を使用しなくともピンクと赤色を使用でピンク色となる。又黄色と赤色の使用で魚にはオレンジ色に着色される。この反対の作用でオレンジ色のバラでは魚のヒレに黄色が着色されている。太陽光の実験では、紺色のチタンを使用し、この紺色のチタンと水草の緑色で魚の体色は青色となり、紺色のチタンと赤色のバラで紫にも変化し、魚に着色される。【０４２７】
又紺色のチタンの使用量が多いｇ）では魚の体色は全体に濃く、黒ずんだ紺色となっている。この様な黒い体色になると薄い色彩を着色することは難しくなる。例えば、白いキャンパスに濃い色を着色し、この色の上に薄色を何色も塗ってもその塗った色は目立たなく、着色効果が上がらないことになる。これに反して先に薄い色や白色を塗って徐々に濃い色を塗ると塗った色が何色であっても分かりやすく着色効果が発揮される。太陽光の下では１〜１０ｇの各々に紺色のチタンを使用している。水道水や海洋深層水の使用においても、１ｇでは着色作用は見られなかったが、約２ｇ〜５ｇの各々の水槽では光触媒の作用で真っ白な赤ヒレがほんのり赤く着色されていた。このガラスの水槽をベランダの木製のテーブルの上に放置したが、曇り日から晴れ日に変わり、光触媒の作用が高まった。約１０日後の同日に海洋深層水使用の２ｇ、３ｇ、４ｇ、５ｇの水槽の魚が死んでいた。太陽光の下では海洋深層水の使用で殺菌作用が高まり、又水温の上昇で５ｇと６ｇの水槽に赤ヒレが死んでいた。これは水槽の水が日中の高温でお湯になっていたことによるものと思われる。【０４２８】
太陽光の下では水道水、海洋深層水共に約５ｇ〜６ｇで光触媒の作用は高まっている。特に海洋深海水は晴天の日には水温が上昇し、水がお湯に変ってしまい、魚は生息が困難となり死んでしまった。２ｇ〜５ｇのチタンの水槽で死んでおり、その２日後、再度切花を使用し、実験すると５ｇ、６ｇと死んでしまった。晴天では水温が高まると同時に殺菌作用も高まり、魚は生息ができなくなったと考えられる。又、２ｇ〜６ｇの深層水の使用にも赤いバラを使用していた。水道水を使用した水槽では水の透明度が高まり、１匹の魚も死んでいなかった。この水道水の水槽では曇り日には水が濁り赤ヒレの胸から尾に掛け黒い線が入っていた。この黒い線は、実験３の蛍光灯の下で海洋深層水の水中でバラの花が変色で、水が汚れ、赤ヒレに黒い点が付着し、その黒い点が線状の模様となっていた。この現象と同じプリント現象が起こっていた。太陽光の下では水道水のみで光触媒の作用が発揮され、小川ではメダカ等の魚の体色は水草の黄緑色や深緑色の色素が着色され体色となっている。又畑ではこの水道水の塩素によってバラ等の花の栽培で光触媒の作用が発揮され、ローズピンクのバラの花びらに白色の脱色作用が見られたり、花びらに緑色の葉や画がプリントされ、バラの花を購入し、既に見られている。太陽光の下では川や池等の水で十分着色作用や脱色作用が繰り返されてきたと言える。室内においては、蛍光灯の光で２７Ｗでは効果は低く、この蛍光灯の他、室内用照明６０Ｗを７個使用しているが、このうち直接作用効果として約２００〜３００Ｗの使用である。この照明の中では中和剤を使用した水道水では光触媒の作用は発揮されにくく、ミネラル分を多く含む海洋深層水がより着色作用の効果を発揮していると考えられる。この実験からバラ等の花の着色は太陽光やカラー光線等の光触媒と塩素イオンを使用し、花の着色することが可能となる。【０４２９】
又かってチタンと切花の実験では、既に約５ｇのチタンの使用で赤いバラが約２５日間も保持していたが、当初の実験では約１ｇ〜５ｇにおいて、ピンク色や黄色のバラの花を使用しており、あまり良い結果が得られなかった。再度このバラの花を赤い色にし、約１ｇ〜４ｇに使用すると、約１４日の使用が確認され可能である。このチタンを使用した光触媒の水は、水道水の使用である。このチタンを使用した光触媒の作用と同様な殺菌作用を有する水道水を作る活水システムバイタルアトム水（バイタルアトム：商品名、製造元ワールドナチュラルサイエンス）の使用においても、赤バラの使用がより花の鮮度を長く新鮮にしていると言える。これは赤外線による光触媒の作用が赤い色彩と塩素イオンに応じ殺菌作用を高める。【０４３０】
このバイタルアトム活水機を水道の蛇口に付けて、この活水機を通した水道水に赤いバラを挿した。その２日後花屋さんで入荷したばかりの薄ピンク色のバラを購入し、この活水機を水道管に設置し、十分水道水を流した水道の蛇口より使用した水道水の中にこの薄ピンク色のバラを挿した。この活水機の水道水を使用した薄いピンク色のバラの花はどちらも約１週間ぐらいしか花を保持することができなかったが、赤いバラは特に新鮮で２週間経過後も花を長く保持することができた。５枚の画が花にぴったり吸い付くように上向きに支えている。この活水機を水道の蛇口に接続設置し取り出した水道水が、水道管に接続設置した水道水よりも殺菌作用が高いと言える。又チタンを使用した約１ｇ〜４ｇの水道水の赤いバラも鮮度を保持しているが、５枚の画は水平に１８０°に開いた状態である。この活水機を水道管に設置し、水道の蛇口に出てくるまでに遠赤外線による殺菌作用は低下してしまったとも考えられる。【０４３１】
又１ｇのチタンを使用した水道水の赤いバラの花びらには当初緑色の着色はされていなかったが、バラの花に蛍光灯等の光を当てると必ずバラの花に緑色の着色がされる。この緑色は着色されていると思われるが、赤い花の色が脱色され、この部分に緑色が現れたものではないかと考えられる。水槽の中ではローズピンクやオレンジ色の花に緑色が着色されており、この部分が直ぐに脱色され茶色に変化し枯れている。元々バラはすっぽり緑色の画に包まれた緑色のつぼみであり、光触媒の脱色作用で元の緑色に戻ったと考えられる。【０４３２】
魚の水槽に紺色のチタンを使用したローズピンクのバラを浮かせ魚の体色を実験した所、このローズピンク色のバラに緑色が付着しピンク色が抜け、薄茶色になるところ、紺色のバラになった。これは紺色のチタンを１２０ｇで多く使用していたためである。翌日写真屋さんへ持っていこうと思っていたところ、茶色に変わり水中に散ってしまった。このチタンの使用量により魚の体色は黒っぽい紺色である。このことからチタンを増量することでバラの花の色合いを変えることが可能である。球根に光触媒を使用し、新しい花の色の品種改良することが可能である。黄色と赤色の光を当てオレンジ色の花を咲かせたり、又紺色や青色や赤色の光を当て青色や紫色の花を咲かしたり、新しいバラやチューリップの花の色彩を着色し楽しむことも可能である。【０４３３】
又チタンを使用した光触媒は特に水の水質浄化に効果があり、魚の水槽の水を交換しないで長期間魚が生息するため、水耕栽培の植物や野菜の栽培に効果を発揮することができる。稲や水草、水連ホティ等の水生植物はそれほど浄化作用を必要とせず水のみあれば生育する植物であるが、梅花藻やワサビ等水生植物は穂ティ等の植物と異なり浄化された水を培地とし、生育する植物である。活水バイタルアトムの使用はこのチタンの使用で常食されるワサビの栽培、レタス、ハーブ、カイワレ等の野菜の栽培が手軽に家庭で栽培が可能となる。街並みや屋上又室内においても、チタンを使用し、植物と魚の共生が可能である。水辺の小波ガーデンが可能となった。【０４３４】
【表２０】
2005065443.tif 000036
【０４３５】
上記の実験では、常温で蓋をせず保存されている。もし太陽光の入る窓際であった場合は含有されるマグネシウム、カルシウム等のミネラル分が光を吸収し、殺菌作用を高めたと考えられる。魚の水槽で赤いバラを使用した光触媒の作用においても海洋深層水のミネラル分塩素化ナトリウムが赤いバラから出る電磁波を吸収し、殺菌作用を高めていると考えられる。ミネラル分を多く含む海洋深層水や活水・バイタルアトム水は光触媒の光による紫外線や赤外線を吸収し殺菌作用を高める。この水を使用した農作物や植物は良い生育をすることになる。特許出願済み（特願２００４−１０１７６９）の土壌にチタンを振り掛けて使用する土壌改良材や殺菌剤の使用は、バイタルアトム水を使用することと同様な作用を保持している。チタンは光を吸収して殺菌作用が高まり、特に土壌に使用する場合は水道水に太陽光を十分取り入れ、光を吸収させ使用すると、殺菌作用が効果的となる。又従来使用されている木酢液や抗菌剤等に海洋深層水や天然にがり（表２１）、又水道水に天然にがりを添加する場合は、過剰な塩分となるため、ポリビニルアルコールとポリアルキレンオキサイドに天然にがりを１〜２ｍｌ添加し、太陽光を吸収させた後、土壌に使用すると海洋深層水やバイタルアトム水と同様な効果が得られる。【０４３６】
【表２１】
2005065443.tif 000037
【０４３７】
バイタルアトム有機ミネラル水は、水道水であるが、海洋深層水と同様なミネラル分を含み、魚の飼育では中和剤を使用し、又着色や切花や植物培土に簡単に使用することが可能である。この活水機はワールドナチュナルサイエンス製（日本）であり、家庭の水道管に設置するだけで、半永久的に使用され、フィルター等の交換することなく、遠赤外線とマイナスイオンの効果でミネラル分を多く含む海洋深層水と同様な水を作り出すことが可能である。又、ミネラル水は長期に水の鮮度を保持することが可能である。バイタルアトム活水はチタンの光触媒を使用した場合と同様に約１ヶ月間切花の保持や水の鮮度保持が可能である。又この活水機を水道管に設置する前に水道の蛇口より水道水をこのチップに通過させ、マイナスイオンを発生させた水は、切花をより長く保持させることが可能である。チタンを使用した光触媒の使用ではバラで約２５日間花を保持することが可能であり。この活水とチタンを使用した光触媒は同様な作用と効果を保持していると言える。又生花店や園芸店等のビルのテナントでは水道管の設置は難しく公園花壇の農作物の水やりにおいても蛇口に取り付けることで簡単に使用でき、ミネラル分の補充がにがりを使用せずミネラルを増強する農作物の栽培に役立たせることができると考えられる。又低価格となる。【０４３８】
この活水機には５０種類以上の動物、植物、鉱物のミネラル分を高温で焼結処理したチップを使用している。このチップに水道水を通過し水がぶつかることにより塩素をイオン化している。この活水の水道水の水質試験検査報告書では、カルシウム、マグネシウム等（硬度）３２ｍｇ／ｌであり、海洋深層水天海の水２５０の１００ｍｇ（２ｌ中）にほぼ近い数値である。又塩素イオン１５ｍｇ／ｌ、硝酸性窒素及び亜硝酸性窒素０．７ｍｇ／ｌで熱帯魚等の魚の飼育にも使用が可能である。【０４３９】
熱帯魚の水質検査では魚の排出物であるアンモニアと亜硝酸の蓄積により魚が死んでしまうと言われているが、チタンを使用した海水中のアンモニアが亜硝酸に変わり、亜硝酸が硝酸塩に変化し、亜硝酸０．７ｍｇ／ｌとなり、安定し生息できると言われている。又、水道水に中和剤を使用した場合と木酢液を使用した場合を分析検査すると中和剤の使用では、マグネシウム、カルシウム、塩素イオン共、水道水と全く同量であり、ナトリウムが増加しているのみであった。この中和剤はドイツテトラ社製（表１９に示す）で、テトラコントラコロライン（商品名）である。又木酢の検査ではマグネシウム、カルシウム、ナトリウムの数値は水道水のみの場合と全く同じ数値で肥料が混入されており、この木酢液はタイムズガーデン研究所製（表１８に示す）である。【０４４０】
魚の実験では水槽に中和剤や木酢液を使用しているが、ほぼ水道水と変化なく光触媒による殺菌作用は確認されているが、更に水道水で光触媒を使用し、魚の体色に着色するには長時間を要してしまう。これを海洋深層水の使用では約１〜３日で効果が現れている。この海洋深層水の使用は、ミネラル分を多く含み、魚や植物、又人間の生命維持には重要不可欠である。これらの深層水は高価格であり、植物の栽培や土壌に使用するには難しいが、この深層水と同様にミネラル分を多く含むバイタルアトム活水システムによる有機ミネラル水と吸水性樹脂を使用し、植物培土や切花等の植物用保水剤として使用される。吸水性樹脂の使用では樹脂の殺菌作用を高めた植物培地とすることができる。【０４４１】
特に水耕栽培用植物を生産される農家では水を循環し水質浄化されているが、バイタルアトム水では約１ヶ月も細菌が発生しておらず、殺菌、除菌作用が高いことから、水耕栽培での野菜の栽培や植物の栽培に効果が発揮される。この活水システムは、チタンの光触媒の代替えとして土壌培地や水耕栽培に使用しこのステンレス製の筒の中に水道水を通過させるだけで長く水を殺菌し保持することが可能である。この筒を通過した水はチタンを使用した水と同様な殺菌効果があり、この水を畑の農作物や植物の栽培に使用すると、生産された農作物や植物は他の水を使用した物とは異なり、切花では３ヶ月も鮮度を保持することができると言われている。この活水システムを使用した水をペットボトル等に入れ持ち運ぶと、電磁波による殺菌作用を低下させてしまうと言われている。これらを考慮し、生花店や農業用の使用は難しく、直接水道の蛇口に接続し、簡単に持ち運び自由で、店先にも直ぐ接続できるものが必要である。この筒を水道の蛇口に取り付けた水は水道管取り付けた時の水よりも水の鮮度が高く、切花の使用がより長かった。チタンによる光触媒は、チタン１ｇ〜４ｇの使用においても、切花の鮮度保持が可能であるが、約４〜５ｇで花を長く保持されているが、４〜５ｇではバラの花を支える５枚の画が水平になっているのに対し、バイタルアトム活水の使用では花に画が密着し真っ直ぐに上向きなっておりバラの鮮度保持効果がはっきり現れる。チタンを使用した切花は、当初５ｇで長期に使用ができるとしたが、１ｇ〜４ｇにおいても、ほぼ同様に使用が可能である。【０４４２】
バイタルアトムの活水システムによる水道水は、長い除菌作用が保持されている。又、水質試験検査報告書によると、活水システムの水道水中の硬度は一般の水道水と比較すると図３３に示す水質分析検査表増量されている。赤外線が吸収光とも呼ばれているようにマグネシウム、カルシウムとナトリウム等が高い硬度中で光を吸収し、光触媒の作用を起こし殺菌作用が高まっていたのではないかと考えられる。魚の赤ヒレは蛍光灯の下では長期間の実験において異状が認められなく、水道水には中和剤を使用しており非常に元気であったが、太陽光の下では、マグネシウム等が光触媒の作用を起こし殺菌作用が高まり又水温の上昇で、生息が困難となったと考えられる。【０４４３】
ノニオン樹脂、ポリビニルアルコールやポリアルキレンオキサイド、又この混合使用した切花や植物培地は、ミネラル分を含む硬水、海洋深層水を使用することで、図３３に示す水質分析検査表により硬度の中和作用により使用が可能となる。又この培地を更に長期に保持するにはチタンの使用が大切である。ガラス等のチタンの使用はガラスの重みでどうしても容器の底に使用することになってしまい、使用量が多くなってしまう。これを少量の使用で光触媒の効果を上げるにはプラスチック製の軽量な四角状や球状や楕円状等又はガラスでは四角状の樹脂と同様なものでチタンを使用し、殺菌作用の増強が可能となる。又ポリビニルアルコールは水道水や塩素を含む水を使用することで殺菌作用が高まり植物の生育を良くすることができる。【０４４４】
（遠赤外線（育成光線）とは）
バイタルアトム活水器（商標）は遠赤外線の中で育成光線と呼ばれる４〜１４ミクロンの赤外線波長の中でも、特に有用性・効果が高いと言われている８〜１４ミクロンの波長を水に転写（赤外線は「吸収光」とも呼ばれ、様々な物体に転写する特性がある）すると言われている。この活水に液体肥料を添加し樹脂培地に使用すると真夏の肥料水を腐らせず長く保持することができ、植物の生育を助けた。【０４４５】
次に、図３７及び図３８を用いて、水の種類によるチタン及び樹脂の水浄化効果を説明する。【０４４６】
（実験i）
又切花の使用も通常の水道水と異なり切花を長く保持することができた。
切花をノニオン系樹脂やアクリル系樹脂に使用するには、水の種類が重要であり、アクリル系樹脂では、樹脂の離水作用により水道水、硬水、木酢水、又は中和剤、抗菌剤、ＨＢ−１０１等を使用した培地では、その水の成分の作用となって使用される。又、ノニオン系樹脂では樹脂の吸着作用によって、これらに含まれる成分が変化するため、チタンを使用した光触媒にもその変化が現れる結果となっている。水道水で約のチタンの使用が可能であり、純水、硬水、木酢水、中和水、ＨＢ−１０１にも同様に４〜６ｇで殺菌作用の使用が可能であるが、樹脂と水との相性によって使用が可能となる。
近年浄水機が種種商品化されているが、水道水中の塩素を吸着され軟水化飲料用では美味しいと言われているが、樹脂培地に使用する為には、この塩素が吸着されてしまっていると殺菌作用が起こらず植物の生育が悪化してしまう。又夏では水道水が直ぐに腐り、又塩素を含まない浄水機の水に液体肥料を添加し使用した樹脂培地も直ぐに水腐れの悪臭がしてしまう。この水腐れを防ぐ肥料の使用はバイタルアトム活水の使用や木酢又ＨＢ−１０１で防ぐことができる。【０４４７】
実験（ｉ）ではポリビニルアルコールとチタンの使用には硬水とＨＢ−１０１の使用が一番効果的である。図３３の水質分析検査表により、マグネシウム、カルシウムを多く含む硬水の使用で硬度が中和される。この硬水のみにバラを挿し、約４〜５日の花の保持が可能である。図３３の水質分析検査では水道水１ｌ中のブランクのマグネシウム、カルシウム等の硬度４２ｍｇは１００ｍｌ中４．２ｍｇである。ポリビニルアルコールやポリビニルアルコールとポリアルキレンオキサイドの混合品では２６ｍｇに減少し、４２ｍｇの６１．９％に当たる。４．２ｍｇの約６１．９％を増量した４．２ｍｇ＋２．５９９８ｍｇ＝６．７９９８ｍｇ約６．８ｍｇが必要とされる。この計算により約６．８ｍｇのマグネシウム、カルシウム等のミネラルを保持した海洋深層水天海の水２５０を使用した樹脂培地では切花や植物が非常に良い生育をし、又魚の飼育においても生育が可能となり、ポリビニルアルコールの殺菌作用や光触媒が発揮される。又この硬水のみにバラの花を使用し、約４〜５日保持される。又ポリビニルアルコールは、塩素の吸着能力が低いため、図３３の塩素イオンが増量している。これにより水道水をポリビニルアルコールに使用した場合では、１日でバラの花の保持が難しくなる。又木酢は、ミネラル分を多く含む硬水と同様の使用が可能となり、マグネシウム、カルシウム等のミネラル分と同様な成分作用を保持していると言える。【０４４８】
木酢液は土壌改良剤として土壌に振り掛けて使用されているが、ポリビニルアルコールのイオン樹脂に海洋深海水やにがりを同様に吸着使用し、土壌改良剤や植物調整剤又植物活性剤として使用でき又肥料と併用の使用が可能である。又、海洋深層水には他に室戸海洋深層水や、佐渡海洋深層水等が種種ある。実験（ｉ）ではこのポリビニルアルコールと硬水とチタンの光触媒の効果は大きく（Ａ）のチタンでは約３０ｇ〜６０ｇの使用量（Ｂ）（Ｃ）のガラスカレットやビーズにおいても、約３０〜６０ｇの使用量であり、特に約５０ｇの使用量が効果的であり、バラを満開に開花させず、約３分〜５分咲きでより長く花を保持することが可能となる。【０４４９】
このチタン５０ｇの使用では、バラの花を硬水海洋深海水の中に横に寝かせた状態では、つぼみは開花しなかった。この状態はポリビニルアルコールと硬水の水中に潜っていることで、花を乾燥から守り、花を低温で鮮度保持され開花を遅らせたと考えられる。又白色ガラスカレット約５０ｇの使用においても、バラは満開に開かなかった。（Ａ）のチタン約４０ｇ（Ｂ）の白色ガラスカレット約４０ｇにおいても約３分咲きである。ポリビニルアルコールと硬水とチタン９０ｇの使用でバラの薄ピンク色の花びらに花を支えている緑色の画の先の部分がそっくり同じ画の先がプリントされていた。この水中に花の小枝を泳がせていたため、蛍光灯の光を当て続け、光触媒のプリント現象が現れたものと思われるが、純水の使用ではこの現象は起こっていない。元々バラの花は緑色の画にすっぽり覆われており、この画の中から花が開花してくることから、この花にも光触媒の効果が行われており、時々バラの花びらにこの緑色の画が付着しているものが見られるが、この現象は硬水、木酢、水道水を中和した水にも現れており、ミネラル分の多い水中にてプリント現象が起こっている。【０４５０】
純水の使用ではこの作用は現れなかった。ポリビニルアルコールと純水の使用では約１〜２日の花の保持である。純水の使用では、（Ａ）のチタンや（Ｂ）のガラスカレットの光触媒の効果は現れず、チタン４０ｇの使用では効果は弱く白色ガラスカレットの使用では全く効果が現れなかった。又紺色６０ｇ緑色茶色８０ｇの使用において、効果は弱く、光触媒の作用は期待できなかった。この様にプリント現象は殺菌作用が高まった状態で起こり、純水の使用では起っていなかった。又実験ではポリビニルアルコール１００ｇに対して、硬水１００ｍｌを使用し、木酢の使用では水道水１リットルに１ｍｌの木酢を添加した水溶液１００ｍｌを使用している。又、純水のみの使用ではバラの花は約１週間保持される。【０４５１】
また、（i）ポリビニルアルコールの植物培地は、保水性培地であり、この単体での植物培地では、イオン交換樹脂を使用し、観葉植物の他水生植物等の保水性植物の生育可能な培地となる。チタンの使用でより安定したバラ等の殺菌作用を必要とした植物培地が可能となる。約１００ｇ〜３００ｇ培地ではイオン交換樹脂約０．５〜１．５ｇの使用でチタン約１０ｇ〜２０ｇでバラの生育が可能となり、特に３０ｇ〜４０ｇのチタンの使用が、良好な生育培地となる。又バラの他、鉢花、山野草、草花、花木、ハーブ、洋らん、球根、観葉、菊等のあらゆる栽培が可能となる。又１００ｇ〜３００ｇ培地では、イオン交換樹脂で鉢花、花木では０．１５ｇ〜３ｇの使用で草花、バラでは０．３〜４ｇの使用量となる。液体肥料は鉢花・花木等約１ｍｌ〜２０ｍｌ、草花・バラ約１ｍｌ〜４０ｍｌの使用量となる。【０４５２】
又液体肥料を吸着し、バラの栽培も可能であるが、ポリビニルアルコールは水に溶けるとされて、土壌保水剤等の使用がされてこなかったが、樹脂量の約２５０倍の水道水において、殺菌作用を有し、約８０〜９０倍に膨潤し肥料を添加した水溶液を土壌に振り掛けて使用すると樹脂の光触媒の効果を一層高め、水やりを省き、夏では暑さで弱り植物は１〜２日で更正することが可能である。このポリビニルアルコールと木酢や海洋深層水又はにがり液やチタンを使用し、土壌改良剤や改質剤の使用が可能となる。この土壌保水剤の使用では、ポリビニルアルコールが水に溶けると言われ、土壌保水剤の使用が難しいとされてきたが、これは降雨によって樹脂が２５０〜３００倍に膨潤し植物や農作物が根腐れを起こしたものであり、水道水が使用できないところでのポリビニルアルコールの使用はにがり液を１〜２ｍｌ添加し使用すると、この樹脂の殺菌作用が起こり、プランターや花壇の土壌に振り掛けて使用することで殺菌剤、除草剤、断熱剤等の使用が可能であり、ポリビニルアルコールとチタンや硬水や木酢又はにがり液を土壌に混入し、よりよい土壌改良剤となる。又ポリビニルアルコールに海洋深層水やにがり液や木酢の使用は、植物や野菜・果物等のミネラル補給をし花を美しく又花芽を沢山付け野菜をより美味しくし、植物活性剤や植物調整剤とすることができる。又チタンの使用で水の鮮度保持剤や水質保持剤とすることができる。又、海洋深層水には、他に室戸海洋深層水、佐渡海洋深層水があり、にがり液ではインドネシア産があり深海からの抽出によるミネラル分を多く含有し使用している。【０４５３】
（実験ii）
ポリビニルアルコールとポリアルキレンオキサイドの混合品とチタンの光触媒は、ポリビニルアルコールの単体の場合と同様に、硬水、木酢、中和剤を使用した水の使用で効果が発揮される。着色樹脂１対１の混合品１００ｇと硬水１００ｍｌの使用では、（Ａ）の灰色チタン（Ｂ）（Ｃ）の白色ガレットビーズでは約３０ｇ〜４０ｇ、（Ｂ）（Ｃ）の着色ガレットやビーズでも約３０ｇ〜４０ｇの使用効果となった。【０４５４】
純水の使用では（Ｂ）（Ｃ）の白色ガレットやビーズでは約１０ｇ〜６０ｇの使用で効果が発揮され、特に４０ｇの使用では約１０日間の効果となった。（Ａ）のチタンや（Ｂ）（Ｃ）のカラーガレットやビーズでは効果が発揮されなかった。又、（Ｃ）の白色ビーズでは１０ｇ、２０ｇ、４０ｇで効果が現れ、約１０ｇ〜５０ｇの使用効果となっている。又（Ｂ）（Ｃ）のカラーガレットやビーズはクリア樹脂に使用し、約４０ｇ〜７０ｇと使用量が高く、（Ｂ）（Ｃ）の白色ガレットやビーズは着色樹脂では約３０〜７０ｇの使用量となり、純水の使用では約２〜５日間と弱い効果となった。この様に純水の使用においても、使用する水質によって異なり、均一の効果が得られなかったと考えられる。ポリビニルアルコールは大きく膨潤し約２５０〜３００倍になり糊化状態となり容器内では塩素イオンが全くない状態である。又樹脂の吸着作用や殺菌作用は起こっていない。これらの実験で光触媒は水道水を使用した場合に殺菌作用が長く持続されており、バイタルアトムの活水やにがり水の使用等光触媒は塩素イオンの含有される水中に効果が発揮され起こっていると考えられる。【０４５５】
この混合品はポリビニルアルコールの透明樹脂とポリアルキレンオキサイドの着色樹脂であるが、ポリビニルアルコールは純水の使用では効果が発揮されず、ポリアルキレンオキサイド単体の使用効果となっている。この混合品１００ｇに純水１００ｍｌを使用し、（Ｂ）（Ｃ）の白色ガレットやビーズで約１０ｇ〜６０ｇ、又（Ｂ）（Ｃ）のカラーガレットやビーズにおいても、約４０ｇ〜７０ｇで効果が確認されている。このチタンによる光触媒はガラスにコーティングした焼き付けチタンや二酸化チタンの重量は重く、樹脂の下に沈んでおり光がさえきられ、使用効果が現れにくい結果となっている。この樹脂の使用方法は使用する水量を少量とし樹脂に直接切花を挿し、アレンジメントする方法である。魚の水槽では、１リットルの水に約１０ｇのチタンの使用で魚の生息が可能であることから、水を増量し使用することで、約１０ｇ〜７０ｇの使用量を１０ｇ〜５０ｇに低下させることが可能となる。この場合、ガラスの花瓶等では樹脂と水の同量の使用で、ほぼ水面近くに樹脂が浮上する特長を持っている。これによって、使用量が約１０ｇ〜２０ｇのチタンの使用量となることになる。この結果から直接ガラス容器にチタンをコーティングすることで、光触媒の効果を上げることが考えられるが、これらのチタンのコーティングコストは高く使用する容器に限られてしまう。これらのことからプラスチック等軽量物で効果を上げることができることからポリビニルアルコールにチタンの水溶液を吸着することは困難である。このチタンの水溶液を吸着させるには紙やトウモロコシからなる樹脂又はＰＶＡポリビニルアルコールオアシス（商標）にチタンを吸着又はコーティングすることで切花や植物培地をより殺菌作用を高め水の鮮度保持がなされる。又このチタンをコーティングしたポリビニルアルコールＰＶＡ立体物や粉末状、四角状、球状等様々な形状に使用し、水や切花・植物の鮮度保持が可能である。【０４５６】
（ｉｉ）ポリビニルアルコールとポリアルキレンオキサイドの植物培地はこの樹脂の殺菌作用で植物の栽培が可能であり、使用する水を木酢や硬水、又中和剤の使用で生育効果を上げることができる。切花使用では着色樹脂に白色ガレットやビーズを約４０ｇ〜５０ｇの使用で効果が発揮されている。この適合３０ｇ〜４０ｇ使用することが一番効果的な使用方法であるが、液体肥料の場合、約１０ｇ〜２０ｇの使用で効果が発揮される。又、イオン交換樹脂の使用では、約２ｇ〜１０ｇの使用で効果が発揮される。この培地においても、鉢花、洋らん、ハーブ、花木、球根、観葉、草花、菊等あらゆる植物の栽培が可能であり、土壌栽培の代替となる。又、保水性もあり、水耕栽培の代替とすることが可能である。【０４５７】
（実験ｉｉｉ）
切花とポリアルキレンオキサイドとチタンの光触媒は、ポリビニルアルコールとは異なり、純水の使用で効果が発揮された。これは表１１ではポリアルキレンオキサイドは約２０倍の精製水で殺菌作用を有しており、この効果による現れでないかと思われる。又図３３の水質分析表によると、ポリアルキレンオキサイドはよく洗い樹脂の付着物を取り除き、ブランクの場合により近い状態となり、水道水の使用が考えられるが、特にバラの使用では難しく、塩素の中和剤の使用でバラの保持が可能となる。又、硬水や木酢においても、バラの使用が可能となる。ポリアルキレンは塩素やアンモニアの吸着作用は可能であり、魚の水槽においても、アンモニア等の汚れを吸着し、透明なクリア樹脂が汚れてしまうため、敢えてクリア樹脂を使用しないで着色樹脂を使用している。魚の飼育では純水を吸着した樹脂を使用すると、魚はじっと身動きをしなくなる。純水は切花の使用では使用できても魚の使用では適さないことが分かる。硬水、木酢、中和剤の使用又ＨＢ−１０１の使用においても、クリアの樹脂にチタンの使用は、（Ａ）灰色のチタンの使用では約２０ｇ；（Ｂ）（Ｃ）の白色ガレットやビーズの使用では約１０ｇ〜２０ｇの少量で効果が発揮された。（Ｂ）（Ｃ）のカラーガレットやビーズの使用は３０ｇ〜４０ｇで白色より高い使用量となる。着色樹脂の使用では、白色樹脂の２倍４０ｇ〜８０ｇの使用が必要となる。【０４５８】
植物培地では、ポリアルキレンオキサイドとチタンによる植物培地は、ノニオン樹脂の吸着作用、殺菌作用とイオン交換樹脂の浄化作用を使用した植物培地は、非常に良好な生育であるが、この樹脂の吸着作用により、保水性が不足した植物培地となる。水分を補充すると切花が可能な保水培地となるが、チタンの使用でより殺菌作用や吸着作用が良好な培地となるため、切花と植物培地が可能な樹脂の殺菌作用があり、チタンの使用量は約１０〜２０ｇで可能であり、約３０〜４０ｇの使用で良好な培地となる。イオン交換樹脂を１．４ｇ使用した植物培地は約１００ｇ〜５００ｇの樹脂、又イオン交換樹脂や液体肥料の使用量は既に特許出願済みである。【０４５９】
（実験ｉＶ）（アクリル系樹脂デンプンアクリルアミドの使用）
切花とアクリル系樹脂、デンプンアクリルアミドとチタンの光触媒は約５ｇ〜６０ｇの使用で水道水や純水の使用又硬水、木酢の使用ですぐ効果が発揮された。食紅の桃色で着色した樹脂に（Ａ）の灰色チタンや（Ｂ）（Ｃ）の白色ガレットやビーズの使用は、水道水とチタンの使用の場合と同様に光触媒の効果がすぐに現れた。これは、白色のチタンの使用によるもので、５ｇ〜３０ｇはバラの開花が早く約１週間〜１０日位で花が終わり少し感じられた。実験の当初使用した水を５０ｍｌとして与えた所、樹脂が水分を吸ったため５０ｍｌを追加している。この水の減少で花の保持期間が短くなったことも考えられるが、クリア樹脂に紺色、緑色、茶色の（Ｂ）（Ｃ）のガレットやビーズの使用では４０〜６０ｇの使用量であり、白色や着色ガレット、ビーズやチタンと共通使用量４０ｇとなる。又５０ｇ〜６０ｇは花の開花がゆっくりで花の保持期間が長かった。この実験においても、アクリル系樹脂は水道水の場合と同様に光触媒の効果が現れ、水耕栽培の培地であることが分かる。【０４６０】
アクリル系樹脂とチタンを使用した植物培地は、樹脂の離水作用により、殺菌作用は継続されて、植物の樹液等の汚れを吸着できず、長期間の使用では水耕栽培の根の生育となる。この培地では水のみで生育する水生植物は生育可能であるが、パキラ等の排水性を好む植物は長期間の生育が難しくなる。このためこのアクリル系樹脂の植物培地では、イオン交換樹脂やノニオン系樹脂等の吸着樹脂の使用が必要とされる。イオン交換樹脂を使用したミニバラでは約３００ｇ培地で１．３〜１．７ｇの使用量となる。アクリル系樹脂のデンプンアクリルアミドは、イオン交換樹脂やノニオン系樹脂ポリにビルアルコールやポリアルキレンオキサイドの使用で、水耕栽培と土壌培地の両用の植物培地が可能となる。【０４６１】
更にチタンを使用し、デンプンアクリルアミドとイオン交換樹脂の使用ではチタン約５ｇ〜２０ｇの使用で鉢花、草花、ハーブ、洋らん、花木、観葉等の生育が可能となる。特に３０ｇ〜４０ｇが良好な使用量となる。又、チタン約５ｇ〜４０ｇの使用でアクリルアミドとノニオン樹脂の混合培地において、３０ｇ〜４０ｇがよい生育培地となる。この培地では、液体肥料のみの使用で鉢花、草花、ハーブ、洋らん、花木、観葉等の土壌培地のあらゆる植物の生育が可能となる。又、特にデンプンアクリルアミドとポリビニルアルコールの混合培地は、同じ保水性同士であるが、草花の栽培での使用が効果的であり、プランターの保水剤の使用が可能であるが、どちらも縮小が早く、１ヶ月〜１ヶ月半で縮小するため、水やりを早めにし、ポリアルキレンオキサイドを少し混合すると縮小が緩くなる。又この培地に硬水、木酢の使用で土壌培地の土壌保水剤や土壌改良剤の効果が発揮される。【０４６２】
又ポリビニルアルコールは、土壌培地では水道水以外の塩素を含まない水の使用で大きく膨潤し、吸着作用が働かず土壌保水剤の殺菌作用の効果が得られなかった。この混合使用では水道水の水やりや塩分を含むにがりの混合使用することで、デンプンアクリルアミドが余分な水分を吸着し、又ポリビニルアルコールの吸着作用による殺菌作用が生かされ、保水剤の効果が得られる関係である。この２種類の樹脂は早いので、月に１回の水やりが必要とされる。又縮小のゆっくりポリアルキレンオキサイドの混合使用も可能である。【０４６３】
吸水性樹脂とチタンの光触媒は使用する水の種類や水量又光によって、使用効果が変化し、効果が現れにくい場合があることが分かった。表２２には保水剤の使用で、抗菌剤ＨＢ−１０１を使用し、その成分表を記載している。【０４６４】
【表２２】
2005065443.tif 000038
【０４６５】
実験に使用した硬水・海洋深層水（商品名：海の深層水、天海の水（あまみの水）２５０  商標登録）の栄養成分表を表２３に示す。【０４６６】
【表２３】
2005065443.tif 000039
【０４６７】
今回実験に使用した海洋深層水は、２リットル中の成分表であるが、この天海の水はミネラル分を多く含む健康飲料水であり、ＨＢ−１０１は窒素肥料を含んでいる抗菌剤である。この飲料水を吸着したノニオン樹脂、ポリビニルアルコールは、水道水ではマグネシウム、カルシウムの減少で、又塩素イオンが増量し、切花の保持が難しかった。又ポリアルキレンオキサイドは、カルシウム、マグネシウムはあまり減少しておらず、蒸発残留物の数値が大きく、他引き放しているが、他は余り大きな変化はなく、水道水の使用では切花は余りよい結果は得られず、硬水、木酢、中和剤又抗菌剤の使用で、チタンによる光触媒の効果が得られたと言える。その樹脂の性質による不足分を補充して、光触媒の殺菌作用が達成されたと言える。【０４６８】
（プリント現象）
切花の実験ではノニオン樹脂に硬水・商品名：海の深層水、あまみの水２５０を使用した所、光触媒の効果でプリント現象が起きた。調べてみるとノニオン樹脂ポリビニルアルコールに灰色のチタンでは４０ｇ、６０ｇ、９０ｇの使用した場合と、白色ガレット８０ｇ、１００ｇ、紺色ガレットでは５０ｇの使用した場合に現れており、ポリビニルアルコールとポリアルキレンオキサイドの混合では、灰色のチタン３０ｇ、４０ｇ、青色ガレット６０ｇに現れ、ポリアルキレンオキサイドでは紺色ビーズ３０ｇの使用に現れていた。【０４６９】
この現象は魚の水槽に使用したバラの花にも大きく、プリント現象が現れた。魚の水槽では魚の体の着色を目的として使用し、着色樹脂の色彩を魚の体力に移すには時間が掛けるのでは、水草と同様にバラの花の色を転移させようとしたものである。蛍光灯の光を当てているうちに、このプリント現象が大きく現れた。オレンジ色のバラにおいても、プリント現象が見られたが、水が汚れやすく花びらが画から放れ捨ててしまった。このプリント現象は中和剤を使用した水槽では大きな効果が見られた。水槽の水面にカラーの電磁波の水膜ができる。これはチタンの使用で青色、紫色、黄色、桃色等電磁波の水膜ができる。この水膜は水中に使用した青色・紫色・黄色・桃色等のチタンや樹脂、花等の色が電磁波の波となって、水面に現れているものと思われる。この水膜が魚や花のプリント現象となって現れていると考えられる。【０４７０】
灰色チタンや白色のガレット又ビーズの色が電磁波となって、魚の体色を脱色し透明したと考えられる。又これと反対に紺色、緑色、茶色のガラスチタンや着色チタンが天然の水草や花の色素が電磁波となって、魚の体色に転移したものと考えられる。この電磁波に長時間触れることで日焼けやシミ等の原因も考えられる。この現象は主にチタンと光エネルギーによるものであると考えられるが、水道水のみよりは硬水、木酢水、中和剤を使用した水中に起こると思われる。魚等の着色にはミネラル分を多く含む深層水の使用が効果的であるが、熱帯魚の美しい体色は自然界に生息する環境と節理の中で生まれ、培われてきたものであり、チタンによる光触媒の効果はチタンと光エネルギーで着色作用が現れているのではなく、水に含まれるナトリウムの量が着色作用や殺菌作用を高め速めていると考えられる。【０４７１】
チタンによる光触媒は、切花の鮮度保持の他、魚の飼育による水質保持や浄化作用では川や池等の魚の飼育や病気からの保護等に使用される。又、チタンのみの使用では水底に魚の排出物が溜まり沈殿している。チタンにはこれらの吸着作用がないため、ノニオン樹脂特にポリビニルアルコールの吸着作用やろ過作用又冷却作用を使用することで魚を病気の感染や水の蒸発を防ぎ産卵場所の保護に役立つと考えられる。【０４７２】
又、熱帯魚の飼育で魚の排出物により海水の交換が頻繁となっており、チタンの使用する前までは２週間で半分の海水交換をしないと魚が死んでしまうと言われている。魚の排出物であるアンモニアと亜硝酸の蓄積により魚が死んでしまうと言われているが、既にノニオン樹脂のろ過作用を特許出願しているが、ポリビニルアルコールの使用、又ポリビニルアルコールとポリアルキレンオキサイドの使用、又ポリアルキレンオキサイドやポリエチレンオキサイドのアンモニアの吸収能による吸着ろ過作用効果が発揮される。【０４７３】
又熱帯魚の飼育には、海洋深層水の使用が効果的であり、種類も色々ある。特にミネラル分を多く含むにがり液を添加したにがり水や木酢又中和剤と同様に魚の飼育にも使用される。又、この海洋深海水やにがり水や木酢の使用は、ノニオン樹脂、ポリビニルアルコールに吸着作用を促し使用し、植物活性剤や土壌改良剤、又土壌保水剤の使用が可能である。又土壌にチタンを混入することで、土壌改質剤の効果が発揮されるが、にがりとチタンの組合せではチタンの成分が溶け出ることで食用の野菜や農作物の栽培にはチタンを使用することはできない。【０４７４】
ノニオン樹脂やアクリル系樹脂にチタンをコーティングする使用が考えられるが、これに変わるプラスチックやビーズ等にチタンをコーティング使用することで、樹脂との混合使用が可能となり、切花や植物培土に使用し水の鮮度保持や植物培地の水質浄化や殺菌作用を高める。ガラスにコーティングしたチタンの使用はチタンが容器の底に配置するため、切花の茎がチタンに触れ花が黒く焼けて焦げてしまう。又樹脂に混合使用した場合では容器の底にチタンが位置するため光を受けにくくチタンを多く使用しなければならない。【０４７５】
チタンを使用した光触媒は、川や池等水底にチタンを使用することで川の水の透明度が高まる。この水の浄化作用を室内の卓上ガーデンや庭の池等に使用し、水質浄化を測り、水辺のウォーターガーデンを作り、川底を想定した水性植物、梅花藻（バイカモ）の生育や魚の住む透明な水辺となる。これらの水槽では水底に使用するチタンや水面に浮上するチタンコーティングした又水中では水草や花等の水中花を使用し、これらの水草や水中花又水底にはザリガニや貝殻やカニ等小物にチタンをコーティングすることで水質浄化を測り、魚の飼育が可能となる。【０４７６】
チタンを使用した植物培地は吸水性や保水性が見られなく、水分のコントロールが難しいため、水分を多めに使用しないと、直ちに水分が蒸発し、植物が枯れてしまう。これらを対処するため、吸水性樹脂の植物培地に携ったものである。チタンはハイドロコーン等にはない殺菌作用があることで、液体肥料をたっぷり使用した植物培地として観葉植物や保水性を好む草花やバラの栽培も可能である。【０４７７】
イオン交換樹脂や肥料の使用で、バラではチタン５０ｇ〜１００ｇの培地０．７〜１．７ｇでは１．４〜３ｇ、１００〜２００ｇで１．４〜２４ｇ、２００〜３００ｇでは２．４〜３．４ｇの使用量であるが、１０日〜２週間ぐらいで水分がなくなり、枯れてしまう。このため、容器を工夫し、水分が蒸発しないように注意が必要となり、たっぷり水分を使用した水耕栽培の培地の使用が良い。これらを考慮し、吸水性樹脂の混合使用をすることで、水分の蒸発を防止した植物培地根腐れ防止剤の使用が可能となる。【０４７８】
ノニオン樹脂の殺菌作用で植物の根腐れ防止剤として土壌培地や水耕培地の植物培地とすることができたが、樹脂の殺菌作用は、膨潤時間によって膨潤量が異なり、非常に難しかった。このチタンの使用では、液体肥料やイオン交換樹脂等の使用量が決まれば、誰でも簡単に使用することができる。また、樹脂では膨潤後時間が経過した場合、樹脂の鮮度が低下するため、早めに使用しなければならなかったが、チタンはこの心配が不要である。【０４７９】
吸水性樹脂でも、ポリビニルアルコールとポリアルキレンオキサイドとポリデンプンアクリルアミド等の種類によって、チタンの使用量が異なることがわかった。切り花と根のある植物の使用量は、ほぼ同量であるが、チタン、ガラスカレットの使用量が異なる。【０４８０】
また、ポリビニルアルコール１００ｇとチタン１０ｇとイオン交換樹脂１．４ｇで非常に良いバラの生育となった。バラの生育ではチタン５ｇ〜５０ｇの使用範囲である。切り花のバラではチタン２０ｇとイオン水を５０ｃｃ使用している。【０４８１】
ポリアルキレンオキサイドとポリビニルアルコールの混合１００ｇ培地では、チタン３０〜５０ｇの使用で、チタンのガラスカレットでは７０ｇ〜１００ｇの切り花の使用となる。ポリビニルアルコール１００ｇとチタンガラスカレットでは、１０〜３０ｇとイオン交換樹脂１．４ｇを使用し、特に３０ｇが良い生育である。また、ポリデンプンアクリルアミド１００ｇとチタン４０ｇとイオン交換樹脂１．４ｇを使用している。また、チタンガラスカレット３０ｇで切り花と根のあるバラも生育可能である。【０４８２】
チタンのみの植物培地での液体肥料の使用量は、土壌培地と同様な肥料濃度としなければならない。吸水性樹脂の早見表２では、培地の１０％の肥料を使用しているが、チタンを２倍使用することで、肥料濃度も２倍となり、１ｋｇの使用量までが、１ｍｌのチタン１００ｇの使用で約５０ｇの液体肥料１ｍｌを使用し、早見表２の５００ｇの５０ｇの振り掛け肥料とほぼ同様な肥料濃度となる。鉢花の生育肥料に当たり、３００ｇの３０ｇの１６．５ｍｌの肥料培地となり、２ｍｌを使用し、３３．５ｍｌで１．２ｇの肥料培地であり、鉢花では１〜２ｍｌ、草花では３〜４ｍｌが生育可能な肥料範囲となる。【０４８３】
小粒の球状のガラスコーティングしたチタンは、吸水性樹脂との併用ではこのチタンの形状で光触媒の効果が異なり、使用量が変化しているため、表面積が大きい６ｍｍの球や浮上するプラスチック等にコーティングしたチタンでは、吸水性樹脂との併用や単体使用においても、更に少量で効果を発揮されると考えられる。チタン８ｍｍの球では、樹脂３００ｇとイオン交換樹脂１．４ｇの併用で、１〜２ｇの使用で殺菌作用が高められており、その重量や面積、又使用する色合いも光触媒の作用と効果があることが植物と魚の実験でわかった。【０４８４】
次に、図３９及び図４０に示すように、天然にがり、ノニオン樹脂、チタンを利用した植物の栽培を説明する。【０４８５】
植物や農作物を栽培する培地や使用される水によって、その植物の花や農作物の味覚等の品質を作る上で最も重要であると考えられる。
ノニオン樹脂ポリビニールアルコール・ポリアルキレンオキサイド・ポリエチレンオキサイドに切花を使用すると水道水では難しく、海水用深層水を使用すると中和され保持することができた。又、植物培地では水道水でも生育が可能であるが、海洋深層水を使用すると、より美しい花を付け目を楽しませてくれる。又、魚の飼育においても、中和剤を使用した水道水よりも海洋深層水の使用で魚は生き生きと生育し、より元気に見え良好な生育をしていると言える。【０４８６】
温暖化により土壌培地においても、土壌内の細菌の繁殖も活発になり、温度が上がる毎に殺菌作用が必要となってきていると考えられる。又、チタンとノニオン樹脂と海洋深層水を使用した魚の浄化作用の実験や、チタンとノニオン樹脂と海洋深層水を使用した切花の実験により、ノニオン樹脂の使用ではどうしても海洋深層水の使用が必要不可能であることが分かった。【０４８７】
又、水道水では切花は２〜３日で水を取り替えなければならないが、海洋深層水では約４〜５日保持された。このことから天然にがりを使用し、切花バラを挿入して実験すると１リットルの水道水に天然にがり１ｍｌ、２ｍｌ、４ｍｌ、６ｍｌと添加し使用すると、約７日間の保持が可能であった。又、使用したプラスチック容器は透明であり、天然にがりが切花を長く保持し、又光触媒の効果を保持していると考えられる。これを分析検査に依頼した所、白色に塗られたプラスチック容器で切花を使用しなければならず、この白色容器では４〜５日の保持であった。この天然にがりを切花や魚の飼育に使用し、又植物培地に少量水やりの際に約２ｍｌ添加し与えると樹脂培地の殺菌効果が高まり、植物の生育も良好となった。これらのことから天然にがりを土壌培地の保水剤や改良剤又根腐れ防止剤や活性剤又調整剤の使用が可能である。【０４８８】
天然にがりを土壌培地のプランター植えの野菜・果実・草花・花木に散布し生育効果を見た。【０４８９】
実験（イ）では、（Ａ）〜（Ｅ）のプランターに天然にがり１ｍｌを１ｌの水道水に添加し、１週間に１回散布した。（Ｆ）〜（Ｊ）では天然にがり２ｍｌを１ｌの水道水に添加し、１週間に１回散布した。【０４９０】
使用した野菜は、（Ａ）（Ｆ）では長なす・ミニトマト、（Ｂ）（Ｇ）ではツルムウサキ・シシトウ・青ジソ、（Ｃ）（Ｈ）では水なす・フルーツトマト、（Ｄ）（Ｉ）では果実・ブルーベリー、（Ｅ）（Ｊ）の草花ではインパチェンス・ケイトウ・サルビア・花木ではクチナシを使用した。【０４９１】
実験に使用した野菜・果実等の茎の丈や、菜っ葉の茎の丈や大きさは、同様な物を使用した。実験（イ）では４回の散布をし、実験（ロ）では実験（イ）の散布後、（Ａ）〜（Ｄ）のプランターにポリビニルアルコールの殺菌作用と保水作用を使用し、水道水２．５リットルに２．５倍の２．５ｍｌの天然にがりを添加したもの、散布し、（Ｆ）〜（Ｊ）のプランターには、２．５リットルの水道水に２．５ｍｌの２倍の５ｍｌの天然にがりを添加したものを散布した。この方法はポリビニールアルコール５ｇが１２５０ｃｃ２５０倍の水道水中に殺菌作用を有していることから、このポリビニルアルコール樹脂１０ｇを２５０倍の２．５リットルの水道水に２．５ｍｌと５ｍｌの天然にがりを添加し土壌に振り掛け使用することで、１週間に１回の散布と水やりを簡略し、水やりのみを月に１〜３回位にし、土壌培地ににがりを溜めて使用し液体肥料の代用とし、太陽光や熱を遮断したものである。又、プランター（Ｅ）は２．５リットルの水道水にポリビニールアルコール１０ｇと液体肥料５ｍｌを添加し、木酢液５ｍｌを添加し散布した。【０４９２】
実験（イ）では、プランター（Ａ）の天然にがり１ｍｌを散布したミニトマトは、３〜４回約３週間〜４週間の散布で漸く真っ赤に着色された。（Ｆ）の天然にがり２ｍｌを使用したプランターのミニトマトは、２回の散布で約２週間の使用で真っ赤に着色された。（Ａ）（Ｆ）どちらのミニトマトも当初直径約１ｃｍ球１個、直径約２ｃｍ球２個であったが、約１ｃｍ大きくなりジューシーでさっぱりした食感であった。又長なすはどちらも約３ｃｍ位で各１個ずつ付いていた。【０４９３】
（Ｂ）（Ｇ）の菜っ葉類ではツルムラサキは一枚一枚の葉は大きく立派であった。葉の長さは一番大きいもので９ｃｍ幅が７ｃｍ位の葉を付けていた。又シシトウにおいても、６〜７個、３〜４ｃｍ位のシシトウを付けていた。又青ジソも６〜７枚の葉を付けていた。夏場の１ヶ月の成長は早くにがりを使用し、各々の生育効果を早めたと言える。【０４９４】
ツルムラサキの葉は非常に青々と立派であるが、２ｍｌがより立派な生育であった。（Ｃ）（Ｈ）ではチタンの粉末を使用し、（Ｃ）では土壌の中に６ｇのチタンを混合し、１リットルの水道水に天然にがり１ｍｌを添加し、水なすとフルーツトマトを植えた。又（Ｈ）では土壌の中にチタンを混合しないで、初回のみ１リットルの水道水に６ｇのチタン粉末と天然にがりを２ｍｌ添加し水なすとフルーツトマトに散布した。真夏の栽培であり、（Ｆ）〜（Ｊ）のプランターでは１〜４回の散布は温度の上昇により１週間に１回の水やりでは、真夏では１週間に１回の水やりから２日に１回、毎日の水やりが必要となった。（Ｃ）（Ｈ）ではチタンを使用したことで、生育がゆっくりで良好なトマトが作られた。１〜４回の散布ではフルートマトは約４ｃｍ位になっても赤くならず、益々青々と光りを増していた。特にヘタに近い部分は濃い緑色になった。約２．５ｃｍ位から約４ｃｍ大になるには、時間が掛けることや、又甘さを増すためにヘタの色が非常に濃く緑色なり濃厚な味わいを作っていると考えられる。【０４９５】
（Ａ）（Ｆ）のヘタの部分も天然にがりを使用すること濃い緑色となったが、（Ｃ）（Ｈ）は一段と濃い緑色となった。（Ｄ）（Ｉ）のブルーベリーは、どちらも少し赤身を帯びた小さなマスカット色合いであった。どちらも１回の散布で少し黒く着色され、（Ｄ）では２〜３個（Ｉ）では６〜１０個着色した。【０４９６】
（Ｅ）（Ｊ）の草花にはインパチェンス・ケイトウ・サルビア・花木ではクチナシを植え散布した。クチナシは樹脂培地で使用した花が終わった木を使用した。このプランターでは約１ヶ月１ｍｌ、２ｍｌの使用では優劣が付けにくく、１ｍｌの方が草花の生育が良いように思われた。又１ｍｌより２ｍｌでは着色作用が早く甘みが増すことが分かる。又にがみの強い。又（Ｂ）（Ｇ）のにがみの強いツルムウサキやシシトウ・青ジソは１ｍより２ｍｌ散布し、にがみがまろやかになって食べやすく感じられた。【０４９７】
実験（ロ）ではポリビニールアルコールを使用し、赤くならなかった。（Ｃ）（Ｈ）のフルートマトが急に赤くなり、又１ｍｌの散布していた。（Ａ）（Ｂ）のナス・トマト・ツルムウサキ・シシトウ・青ジソの茎の丈が立派になり、まっすぐな木になった。（Ｆ）（Ｇ）では茎に沢山のトマトやナス、シシトウを付け、茎が耐えられない様に曲がって来て、棒になる棒えが必要とする。（Ｇ）のツルムウサキは一枚の葉が（Ｂ）より更に立派でみずみずしくおいしそうであり、（Ｂ）（Ｇ）共に立派である。（Ａ）（Ｂ）の長なすや青ジソの茎、葉の姿勢が良く立派に見え、青ジソの葉も綺麗であるが、（Ｆ）（Ｇ）では少し長なす・青ジソの葉に穴があり、虫が食べたものと思われる。天然にがりを使用すると甘い香りでチョウやトンボ等の虫が寄ってくる。【０４９８】
又、（Ｈ）の水ナス共、（Ａ）（Ｃ）より大きく、甘みが増しおいなっている。ブルーベリー（Ｄ）は余り黒くならず、中５個で（Ｉ）では１８〜２０個と全体に黒く着色され、甘くなっていた。（Ａ）（Ｆ）のミニトマトは市販のミニトマトを食べ比べて見ると、皮が薄くジューシーで食べやすく感じた。市販のミニトマトでは長い保存を考慮し、皮や果肉が潰されない様に栽培されていると思われる。ここで栽培した一番赤くなったものであり、皮の薄さにもなっていると思われる。【０４９９】
（Ｃ）（Ｈ）のフルーツトマトは真っ赤になって食べた時の食感は大きいトマトによく似た青く甘い香りと咬んだ時の弾力性と甘いジューシーさで非常においしく思われた。これがトマトのおいしさの決め手ではないかと思われる。最回のみ水中にチタンの粉末を使用した（Ｈ）では、土壌にチタンの粉末を混入した（Ｃ）よりもトマトの実を沢山付け約１０個であり、（Ｃ）では６個である。又水ナスにおいても（Ｈ）では大きく１０ｃｍ、５ｃｍの２個が成っているが、（Ｃ）では当初とあまり変わらず約３ｃｍで１個のみである。【０５００】
又、この実験に使用した野菜・果実・草花は、（Ｅ）のプランター以外全て購入時のポットを外し植えた状態で肥料を加えていない。又、（Ａ）（Ｆ）のミニトマトの数量も（Ａ）（Ｆ）共１０個であるが、花の数が（Ａ）では４個、（Ｆ）では２．５倍の１０個であり、長なすの長さも（Ａ）では８ｃｍで、幅が４．５ｃｍであるが、（Ｆ）の長なすは１２ｃｍの長さで、幅が約５．５ｃｍである。（Ａ）長なすやミニトマトの茎の丈が長く姿勢が良く安定感がある。これに対し、（Ｆ）では実が重そうで姿勢が悪くなっており棒で支えてあるにもかかわらず、再度支えなければならない状態である。又（Ａ）の長なすは小さく形状がゆがんであり、見た目が貧相でおいしそうではない。（Ｂ）（Ｇ）のシシトウにおいても、（Ｇ）では数量が１８個花の数では２０個も付け（Ｂ）より長い。多いのに対して（Ｂ）では数量が１３個花の数は１３個で形状が長いのが少なく短いものが多い。【０５０１】
これらの実験により、１ｍｌのにがりの散布とポリビニールアルコールと２．５倍の２．５ｍｌの天然にがりに含有されるカリウムが根の生育を助け、植物や野菜に使用されている窒素の吸収を活発にし、茎や葉の成長を促したと考えられる。又、天然にがり２ｍｌの散布やポリビールアルコールと２倍の天然にがり５ｍｌの使用は天然にがりに含有されるカルシウムとリン酸の吸収を活発にしたため、花芽を沢山付け実の収穫を得ることができたと言える。又、ポリビニールアルコールは保水性樹脂ではあるが、天然にがりに含まれるナトリウムと作用し、温暖化した土壌を殺菌し、蒸散作用や光合成の活発に作用したと考えられる。【０５０２】
又草花の（Ｅ）（Ｊ）では実験（イ）ではあまり変化が見られないが、（Ｅ）では水道水２．５リットルとポリビニールアルコール１０ｇと液体肥料２．５ｍｌ、又木酢液２．５ｍｌ、樹脂の保水性と殺菌作用を使用し、土壌に振り掛けて使用し、（Ｊ）の天然にがりのみの場合と比較したものである。（Ｅ）ではインパチェンスの花芽を沢山付けているが、花の開花が遅かったこと、又サルビアでは丁度良い生育であったが、ケイトウの色合いが黄色や赤色が色あせている。【０５０３】
又クチナシは花が終わったばかりであったが、葉の生育が丁度良い状態であった。又インパチェンスの色が余り色あせたパットしなかった。これに対し（Ｊ）ではインパチェンスの花が色鮮やかで花が２８〜３０個付けつぼみも約３０個保持していた。ケイトウも色が鮮やかであり、サルビアも花芽を付け一度に咲き、色が鮮やかである。又クチナシは（Ｅ）よりも葉を沢山付けているが、花が終わったばかりで花芽はなかった。（Ｆ）〜（Ｊ）ではカルシウムやリン酸の作用で果実や花の色や色の鮮やかさが作用されている。【０５０４】
地球温暖化によって特に夏季において、土壌も高温になり微生物や細菌の繁殖が活発になっている。これらの土壌の殺菌にチタンを使用すると良いとしたが、チタンと天然にがりの使用は天然にがり成分がチタンと混合し作物の使用は難しいと言われている。この作用を天然にがりを土壌改良剤や活性剤・調整剤・根腐れ防止剤の使用とし、植物や作物の生育を調整することが可能である。【０５０５】
従来土壌培地の植物や作物の栽培には塩素を含む水道水や殺菌作用は微生物を死滅させることだと考えられてきたが、温暖化によって従来の考え方を少しずつ変化させ自然環境に順応した対策を取り入れて行かなければならなくなっているのではないかと思われる。今まで水道水に含まれる塩素は良くないと浄水器の普及により、塩素が取り除かれてきたが、この塩素を含まない水は、直ぐにカビが発生し、冷蔵庫に保存しているからと安心できない。人間の生理現象と同様に植物や作物においても、この塩分の摂取が必要となってきているのではないかと考えられる。【０５０６】
今までノニオン樹脂に殺菌作用があるとし、植物培土や土壌保水剤で使用してきたが、この樹脂に水道水では大きく膨潤しないが塩素を含有しない水では大きく膨潤し殺菌作用が作用しないで生育を悪化させる。ポリビニルアルコールをプランターの土壌の中に保水剤として使用すると、降雨により大きく膨潤し根腐れを起し、植物の生育を悪化させる。実験によると、葉は腐り全く失ったり、茎も花も枯れ、植物が終わる寸前に水道水を与えた所、ペチュニアが蘇ってきた。又全く形もなかった。マリーゴールドの茎や葉が伸びてきた。これはポリビニルアルコールが塩素によって殺菌作用を現してきたことによる。【０５０７】
又温暖化によって干ばつや集中豪雨、地震等の災害が考えられ、これらの対策にノニオン樹脂ポリビニールアルコールやポリアルキレンオキサイド、ポリエチレンオキサイド又ポリデンプンアクリルアミド等の樹脂が使用され、準備配置される必要がある。干ばつにおいてはポリビニルアルコールの使用で、水の蒸発を防ぎ、魚の生育を助け、又集中豪雨においては、堤防の決壊を防ぐことが可能であり、水害地域の対策として常備が必要とされる。かつて特許出願には水のろ過剤や河川の修復工事が可能としていたが、これらの災害に配置することで、災害を緩和し決壊を防止することが可能である。【０５０８】
先ず麻袋等の丈夫な袋に約６０ｋｇ位用に砂小石を三分の一詰め、樹脂を三分の一から二分の一を詰める。土壌にコンクリートや石で固定する必要があり、テトラポットを併用し水流を弱めることが可能であり、事前に保持しておく。又袋には樹脂の膨潤性が大きく余力を持たせた土壌と樹脂を混合培地を作り、地面を固めて作っておくことが大切であり、これを配置する。ポリビニルアルコールは約川の水では２５０〜３００倍にも膨潤するが、海水には弱く１００倍以下となる。又ポリアルキレンオキサイド又はポリエチレンオキサイド等の塩素に強いが、これらの樹脂の特徴を考慮し混合使用する、又は水道水を掛けることで三分の一に縮小でき、後日の処理が簡単である。【０５０９】
地球温暖化により夏季においては、土壌も高温になり、微生物や細菌の繁殖が活発になっている。これらの土壌の殺菌にチタンを使用すると良いとしたが、チタンと天然にがりの成分の混合により、農作物の使用では難しいと言われている。この土壌の殺菌作用に、天然にがりポリビニルアルコールを使用することで、土壌を冷却し細菌の繁殖を抑えミネラル補給した。土壌改良剤や根腐れ防止剤又活性剤や調整剤として植物や作物の生育を調整し活性化することが可能である。【０５１０】
従来土壌培地の植物や作物の栽培には塩素を含む水道水や殺菌作用は土壌の微生物を死滅させることだと考えられてきたが、地球温暖化により従来の考え方を少しずつ変化させ自然環境に順応した対策を取り入れていかなければならなくなっているのではないかと思われる。【０５１１】
今まで水道水に含まれる塩素に良くないと、浄水器の普及により塩素が取り除かれてきたが、この塩素を含まない水は、直ぐにカビが発生し、冷蔵庫に保存しているからと安心できない。又猛暑によって熱中症を起こす等、人間にとっても塩分の補給が必要とされている。この人にとっての生理現象と同様に植物や作物においても、この塩分の摂取が必要となってきているのではないかと考えられる。【０５１２】
ノニオン樹脂に殺菌作用があるとし、植物培土や土壌保水剤で使用してきたが、特にポリビニルアルコールに水道水を支えると殺菌作用が高まり、植物の生育が可能となる。又このノニオン樹脂は水道水では大きく膨潤しないが、塩素を含有しない水では、大きく膨潤し吸着作用による殺菌作用が起こらない為、植物の生育が悪化する。【０５１３】
ポリビニルアルコールを使用した土壌培地は、降雨により大きく膨潤し、根腐れを起し、植物の生育を悪化させていた。実験ではプランターの土壌内にポリビニルアルコールを混入し、ペチュニア、マリーゴールドを植えて放置した。最初は良い生育をしていたが、降雨によりマリーゴールドは全く姿を消し、ペチュニアは葉が腐り枯れ、枯れかかった茎と萎むだ花４本が終わり掛けた状態であった。このプランターに水道水を与えると、少しずつ元気になり、３株のペチュニアが蘇った。１株に約５本の茎がありそれぞれ花を付け、丈は約２０ｃｍ位に伸びていた。又マリーゴールドは全く姿が消えていたが、茎が伸び葉を付けていた。これは、ポリビニルアルコールが水道水の塩素によって殺菌作用が作用し、植物が蘇ったことを現している。これらの実験から温暖化によって、植物や農作物の生育の悪化にポリビニルアルコールや水道水又天然にがりの塩分を使用することが重要であり不可欠となってきた。【０５１４】
又温暖化によって琵琶湖等の魚の生育する水位の低下や干ばつ等の対策においてはポリビニルアルコールの使用で水温の低下や水の蒸発を防ぎ、魚の生息を助けることが可能である。琵琶湖の水位低下で産卵場所がなく、節水が呼びかけられているが、琵琶湖に海水の塩分を除去した海洋深層水とすることで、海水の含むミネラル分がポリビニルアルコールと中和し、魚の生息が可能となる。【０５１５】
又温暖化により、ビルや地面がコンクリートやアスファルトで覆われている都市部の気温が上昇し「ヒートアイランド現象」が指摘されている。この緩和と解決には、「冷却性舗装」には熱可塑性ノニオン製ノニオン型吸水性樹脂ポリアルキレンオキサイドやポリエチレンオキサイド又ポリビニルアルコールのノニオン樹脂の使用が良い。離水するアクリル系樹脂を使用すると砂漠の緑化に当初使用され失敗したアクリル系樹脂と同様に暑い道路に水撒く状態となり、逆に気化熱で蒸し暑くなってしまうことが考えられる。吸着作用のノニオン樹脂の使用が良いと考えられる。【０５１６】
又この吸着作用を使用し、街路地や歩行者用道路ではこのヒートアイランド現象を和らげるにはポリビニルアルコールを土壌に混入し、水道水を与えること、又この樹脂の殺菌作用を使用し、土壌に振り掛けて使用することで樹脂が太陽光や熱エネルギーを遮断し、温度の上昇を防止し、植物の生育も人も元気を取り戻すことが可能である。この使用においては離水するアクリル系樹脂では水分が蒸発し適当ではない。【０５１７】
又水害においては地震や集中豪雨等危険が何時やって来るか分からない状況になっている。昔、この集中豪雨によって堤防が決壊し、米俵が使用された。災害は急を要するが、準備には麻袋等丈夫な袋に石を約２０ｋｇ位詰め、乾燥状態の樹脂を約２００ｇ入れると、約２５０〜３００倍の膨潤量の予備を持たせることで、約樹脂６０ｋｇと石が２０ｋｇで約８０ｋｇの出来上がりであり、これなら保管も簡単で経費も安く考えられる。又温暖化により海水の水位が上昇し、地震による堤防の決壊が心配される。又、このポリビニールアルコールの袋入りは歩行者道路や街路樹に置くだけで、氷の山を置くようにヒートアイランド現象を和らげ、清涼感がありひんやりする。これは実験に使用した樹脂を捨て場がなく庭の土の上に大量に流し敷いた所、真夏でもとてもひんやり涼しかったことからである。そのまま放置すると約１ヶ月位でオブラート状の薄い膜になり、剥がれてしまうため、処理に楽である。この樹脂に水道水を振り掛けることで何度も使用が可能である。コンクリートの道路にポリビニルアルコールを撒くことで、簡単にヒートアイランド現象を解決することが可能である。【０５１８】
これらの実験から魚の生息や植物の生育又人間の生活においても樹脂の使用は重要となってきている。ポリビニルアルコールに塩素を吸着することで、殺菌作用が起こり植物の生育を蘇えることが可能である。この作用は水害により生育が難しくなった田畑の農作物においても同様天然にがりを使用した土壌改良剤や根腐れ防止又植物の活性剤・調整剤の使用で農作物の蘇りが可能であると考えられる。【０５１９】
平成１３年１０月にノニオン樹脂に殺菌作用があるとし、特許出願している。当時このノニオン樹脂ポリビニルアルコールは水に溶けるので土壌保水剤では使用ができないとされてきた。この樹脂は土壌に混入使用すると、降雨により２５０倍以上でも膨潤し土壌内に多量の水分をとじ込み、植物や農作物が生育できず、根腐れを起こしてきた。このポリビニルアルコールは純水で２５０倍以上にも膨潤し、塩素を含む水道水を振り掛けると、糊化状の樹脂が直ぐに透明なガラス状の樹脂となり、水の中で形状を変え溶けてしまったとされてきた。【０５２０】
ポリビニルアルコール１０ｇに対し、２５０倍の水道水で長く殺菌作用が継続されていることから、これらの水中で出来上がった樹脂を土壌内に混入して使用した土壌保水剤と土壌に振り掛けて使用した場合を比較した。かつての実験では１２５０ｃｃの水道水にポリビニルアルコール５ｇの使用でこの水中の殺菌作用が１日、２日、３日、４日と継続されていたから、この２倍の水道水２．５ｌ中に１０ｇの樹脂と液体肥料４〜５ｍｌ添加肥料水をペチュニアのプランターに使用した。【０５２１】
土壌に混入した土壌保水剤では、約１ヶ月頃より、ペチュニアの葉は全くなくなり茎だけが黒く残り、花もしぼみ枯れてきた。その後水道水を軽く与えると、枯れかけていたペチュニアのプランターの花が５〜６本開花し蘇えた。又振り掛けて使用した場合は、一回の散布で非常に良好な状態となり暑さでぐったりしたペチュニアは一日で。水やりは真夏においてもたっぷりと与えるだけで良かった。この振り掛ける方法は樹脂の量の２５０倍の水道水を使用し、これを土壌に振り掛けて使用することで太陽光や熱エネルギーを遮断し、真夏の気化熱の上昇や猛暑を防ぐことが可能であり、土壌の温度を下げ、殺菌するものである。暑さでぐったりした植物は一日で蘇り、２ヶ月、３ヶ月と良好な生育をした。又約６ヶ月〜１年経過後も振り掛けて使用した場合には植物の異常は見られなかった。【０５２２】
これらの実験からポリビニルアルコールは水道水の残留塩素によって殺菌作用が働き、この作用が継続されていることによるものである。この様に土壌に混入すると降雨によって樹脂が大きく膨潤し、殺菌作用が失われていることがわかる。この水道水を田畑の農作物の使用では限界があることからポリビニルアルコールに天然にがりを使用することで、集中豪雨の水害で農作物の生産が困難になった土壌の改良や河川の決壊防止剤や決壊した土壌の修復工事にも使用することができ、必要不可欠であると考えられる。又これらの使用は既に特許出願している。温暖化により土壌の高温化又微生物や細菌の繁殖、害虫の発生等により、農薬の散布等が増すことから、ポリビニルアルコールと天然にがりを使用し土壌を殺菌し農作物の増産を計りよりよい農業栽培が可能となる。
【図面の簡単な説明】
【０５２３】
【図１】本発明の第一実施形態の説明図。
【図２】同第二実施形態の説明図。
【図３】本発明の製造方法の実施形態の説明図（ブロック体形状）。
【図４】同図（シート体形状）。
【図５】同第一使用例の説明図。
【図６】同第二使用例の説明図。
【図７】同第三使用例の説明図。
【図８】同第四使用例の説明図。
【図９】同第五使用例の説明図。
【図１０】同第五使用例の別例の説明図。
【図１１】同第六使用例の説明図。
【図１２】同第七使用例の説明図。
【図１３】同第七使用例の別の保水体の構造説明図。
【図１４】ノニオン系樹脂による細菌繁殖抑制効果確認試験の試験装置を示す図である。
【図１５】土壌体の植物をノニオン系樹脂培地に植え替えた後の植物の変化を示す図である。
【図１６】水耕栽培の鉢底にノニオン系樹脂を使用した例を示す図である。
【図１７】水耕栽培の鉢底にノニオン系樹脂を使用した例を示す図である。
【図１８】水耕栽培の鉢底にノニオン系樹脂を使用した例を示す図である。
【図１９】土栽培の鉢底にノニオン系樹脂を使用した例を示す図である。
【図２０】土栽培の鉢底にノニオン系樹脂を使用した例を示す図である。
【図２１】土栽培の鉢底にノニオン系樹脂を使用した例を示す図である。
【図２２】花壇やプランターでノニオン系樹脂のガーデンマットを使用した例を示す図である。
【図２３】砂漠や街路地でノニオン系樹脂のガーデンマットを使用した例を示す図である。
【図２４】ノニオン系樹脂を水耕栽培に使用した例を示す図である。
【図２５】水質検査結果表である。
【図２６】気体の水に対する溶解度を示す表である。
【図２７】土壌体の植物培地の実験を示す図である。
【図２８】土壌体の植物培地の実験を示す図である。
【図２９】植物栽培の例である。
【図３０】抗菌剤の成分を示す図である。
【図３１】屋上ガーデンの植物栽培方法の例を示す図である。
【図３２】屋上ガーデンの植物栽培方法の他の例を示す図である。
【図３３】水質検査結果表である。
【図３４】チタンによる魚の水槽を浄化する実験を説明する図である。
【図３５】チタン及びノニオン樹脂による魚の水槽を浄化する実験を説明する図である。
【図３６】チタン及びノニオン樹脂による魚の水槽を浄化する実験を説明する図である。
【図３７】水の種類又はチタン又は樹脂による水の浄化を示す図である。
【図３８】水の種類又はチタン又は樹脂による植物培地を示す図である。
【図３９】天然にがり及びノニオン樹脂及びチタンを利用した植物栽培を示す図である。
【図４０】天然にがり及びノニオン樹脂及びチタンを利用した植物栽培を示す図である。
【符号の説明】
【０５２４】
１  土壌培地
２  観葉植物
２ａ  草花植物
２１，２１ａ  根
３  イオン交換樹脂
４，４ａ  馴化培地
５  容器
６  吸水ポリマー製人工培土
３１  古紙
３２  木綿
３３  ミキサー
３４  粉砕セルロース
３５  吸水樹脂
３６  水
３７  型
３８  抗菌剤
３９  保形剤
４０  液肥
４０ａ  固形肥料
４１  周面被膜
４１ａ  被覆体
４２  透水性被膜
４３  非透水性被膜
４４  珪酸塩白土又はシリカ
Ａ，Ｂ，Ｃ，Ｄ，Ｅ，Ｆ，Ｇ，Ｈ，Ｉ，Ａ１，Ｄ１，Ｉ１    保水体
ａ  他のポリマー培地
ｂ  植物
ｃ  水
ｄ  鉢
ｅ  土
【図１】
2005065443.tif 000040
【図２】
2005065443.tif 000041
【図３】
2005065443.tif 000042
【図４】
2005065443.tif 000043
【図５】
2005065443.tif 000044
【図６】
2005065443.tif 000045
【図７】
2005065443.tif 000046
【図８】
2005065443.tif 000047
【図９】
2005065443.tif 000048
【図１０】
2005065443.tif 000049
【図１１】
2005065443.tif 000050
【図１２】
2005065443.tif 000051
【図１３】
2005065443.tif 000052
【図１４】
2005065443.tif 000053
【図１５】
2005065443.tif 000054
【図１６】
2005065443.tif 000055
【図１７】
2005065443.tif 000056
【図１８】
2005065443.tif 000057
【図１９】
2005065443.tif 000058
【図２０】
2005065443.tif 000059
【図２１】
2005065443.tif 000060
【図２２】
2005065443.tif 000061
【図２３】
2005065443.tif 000062
【図２４】
2005065443.tif 000063
【図２５】
2005065443.tif 000064
【図２６】
2005065443.tif 000065
【図２７】
2005065443.tif 000066
【図２８】
2005065443.tif 000067
【図２９】
2005065443.tif 000068
【図３０】
2005065443.tif 000069
【図３１】
2005065443.tif 000070
【図３２】
2005065443.tif 000071
【図３３】
2005065443.tif 000072
【図３４】
2005065443.tif 000073
【図３５】
2005065443.tif 000074
【図３６】
2005065443.tif 000075
【図３７】
2005065443.tif 000076
【図３８】
2005065443.tif 000077
【図３９】
2005065443.tif 000078
【図４０】
2005065443.tif 000079
【国際調査報告】
2005065443.tif 000080
2005065443.tif 000081
2005065443.tif 000082
2005065443.tif 000083
2005065443.tif 000084
2005065443.tif 000085
2005065443.tif 000086
2005065443.tif 000087
2005065443.tif 000088
2005065443.tif 000089
2005065443.tif 000090